(57)【要約】      （修正有）【課題】セキュアなネットワーク接続の作成などのアクションを進行させる遠隔許可を管理する。【解決手段】要求装置が１つ以上のオプションの選択を受信し、要求装置がアクションを進行させる要求を認証装置へと送信する。認証装置がアクションを進行させる要求のインジケーション、選択された１つ以上のオプションに関する情報及び要求装置のインジケーションを同時に表示し、認証装置がアクションを進行させる許可を受信し、アクションを進行させる要求に対する応答を要求装置へと送信する。【選択図】図９Ａ
2020074126.tif 000002
【特許請求の範囲】
【請求項１】
方法であって、
ディスプレイを有する要求装置で、１つ以上のオプションの選択を受信することと、
前記要求装置で、前記選択された１つ以上のオプションと関連付けられたアクションを進行させるオプションの選択を受信することと、
前記要求装置によって、前記アクションを進行させる要求を送信することであって、前記要求が、前記選択された１つ以上のオプションに関する情報を含む、ことと、
ディスプレイを有する認証装置によって、前記アクションを進行させる前記要求を受信することと、
前記認証装置の前記ディスプレイ上に、
前記アクションを進行させる前記要求のインジケーションと、
前記選択された１つ以上のオプションに関する前記情報と、
前記要求装置のインジケーションと、
を同時に表示することと、
前記認証装置の前記ディスプレイ上に、前記アクションを進行させる許可の要求を表示することと、
前記認証装置で、前記アクションを進行させる許可の前記要求に応答する入力を受信することと、
前記認証装置によって、前記アクションを進行させる前記要求への応答を送信することであって、前記アクションを進行させる前記要求への前記応答が、前記アクションを進行させる許可の前記要求に応答する前記入力に基づいている、ことと、
前記要求装置によって、前記アクションを進行させる前記要求への前記応答を受信することと、
前記アクションを進行させる前記要求への前記応答が、前記認証装置における前記許可が成功したことを示しているとの前記要求装置おける判定に従って、前記許可が成功したとのインジケーションを前記要求装置の前記ディスプレイ上に表示することと、
前記アクションを進行させる前記要求への前記応答が、前記認証装置における前記許可が成功しなかったことを示しているとの前記要求装置おける判定に従って、前記許可が成功しなかったとのインジケーションを前記要求装置の前記ディスプレイ上に表示することと、
を含む方法。
【請求項２】
前記認証装置が、前記アクションを進行させる許可の前記要求に応答する前記入力に応答するように構成されたハードウェアを有し、前記要求装置が前記ハードウェアを有さない、請求項１に記載の方法。
【請求項３】
前記アクションが、前記認証装置と遠隔サーバとの間にセキュアなネットワーク接続を作成し、前記方法が、
前記アクションを進行させる許可の前記要求に応答する前記入力が、前記アクションを進行させることを許可された入力と一致するとの前記認証装置の判定に応答して、前記認証装置により、前記アクションを進行させる許可の前記要求に応答する前記入力に応答するように構成された前記ハードウェアを使用して、前記アクションを進行させることを更に含む、請求項２に記載の方法。
【請求項４】
前記アクションが、前記認証装置と遠隔サーバとの間にセキュアなネットワーク接続を作成し、前記方法が、
前記アクションを進行させる許可の前記要求に応答する前記入力が、前記アクションを進行させることを許可された入力と一致するとの前記認証装置の判定に応答して、前記認証装置により、前記アクションを進行させる許可の前記要求に応答する前記入力に応答するように構成されたハードウェアを使用して生成されたトークンを前記要求装置に送信することと、
前記要求装置で、前記認証装置から前記トークンを受信することと、
前記要求装置により、前記認証装置から受信された前記トークンを使用して前記アクションを進行させることと、
を更に含む、請求項２に記載の方法。
【請求項５】
前記要求装置の前記インジケーションが、前記要求装置のグラフィカルな表現を含む、請求項１から４のいずれか一項に記載の方法。
【請求項６】
前記認証装置が、前記アクションを進行させる許可の前記要求に応答する前記入力を前記認証装置において受信する時にはロック状態であり、前記方法が、
前記アクションを進行させる許可の前記要求に応答する前記入力が、前記アクションを進行させることを許可された入力と一致するとの前記認証装置の判定に応答して、
前記アクションを進行させる前記要求への前記応答を前記認証装置が送信している間、前記認証装置が前記ロック状態を維持し、前記アクションを進行させる前記要求への前記応答が前記入力に基づいている、
ことを更に含む、請求項１から４のいずれか一項に記載の方法。
【請求項７】
前記要求装置が、前記アクションを進行させる前記要求を送信する時に、アカウントを使用してサービスにサインインされ、前記認証装置が、前記アクションを進行させる前記要求を受信する時に、前記アカウントを使用して前記サービスにサインインされる、請求項１から４のいずれか一項に記載の方法。
【請求項８】
前記アクションが決済トランザクションを進行させ、前記方法が、
前記アクションを進行させる許可の前記要求に応答する前記入力が、前記アクションを進行させることを許可された入力と一致するとの前記認証装置の判定に応答して、前記認証装置が、前記アクションを進行させる許可の前記要求に応答する前記入力に応答するように構成されたハードウェアを使用して、前記アクションを進行させる、
ことを更に含む、請求項１又は２に記載の方法。
【請求項９】
前記アクションが決済トランザクションを進行させ、前記方法が、
前記アクションを進行させる許可の前記要求に応答する前記入力が、前記アクションを進行させることを許可された入力と一致するとの前記認証装置の判定に応答して、前記認証装置が、前記アクションを進行させる許可の前記要求に応答する前記入力に応答するように構成されたハードウェアを使用して生成された決済情報を前記要求装置へと送信することと、
前記要求装置で、前記決済情報を前記認証装置から受信することと、
前記要求装置によって、前記認証装置から受信した前記決済情報を使用して前記アクションを進行させることと、
を更に含む、請求項１又は２に記載の方法。
【請求項１０】
前記認証装置によって、トークンをサーバへと送信し、前記サーバが、前記トークンと関連付けられたリソースを取得するために前記トークンを使用する、
ことを更に含む、請求項１から４のいずれか一項に記載の方法。
【請求項１１】
前記要求装置によって、トークンをサーバへと送信し、前記サーバが、前記トークンと関連付けられたリソースを取得するために前記トークンを使用する、
ことを更に含む、請求項１から４のいずれか一項に記載の方法。
【請求項１２】
前記認証装置によって、前記決済情報を決済トランザクションサーバに送信し、前記決済トランザクションサーバが、前記決済情報と関連付けられたリソースを取得するために前記決済情報を使用する、
ことを更に含む、請求項１から４のいずれか一項に記載の方法。
【請求項１３】
前記要求装置によって、前記決済情報を決済トランザクションサーバに送信し、前記決済トランザクションサーバが、前記決済情報と関連付けられたリソースを取得するために前記決済情報を使用する、
ことを更に含む、請求項１から４のいずれか一項に記載の方法。
【請求項１４】
前記アクションが決済トランザクションを進行させ、前記認証装置が、決済トランザクションを許可するためのハードウェアを有する、請求項１又は２に記載の方法。
【請求項１５】
前記アクションが決済トランザクションを進行させ、前記方法が、
前記アクションを進行させる許可の前記要求に応答する前記入力が、前記アクションを進行させることを許可された入力と一致すると前記認証装置が判定した後に、前記要求装置から更なる入力を受けることなく、前記認証装置によって前記アクションを進行させる、
ことを更に含む、請求項１又は２に記載の方法。
【請求項１６】
前記認証装置が電話であり、前記要求装置がテレビ装置である、請求項１から４のいずれか一項に記載の方法。
【請求項１７】
前記認証装置が電話であり、前記要求装置がコンピュータである、請求項１から４のいずれか一項に記載の方法。
【請求項１８】
前記認証装置がウェアラブルな装置であり、前記要求装置がテレビ装置である、請求項１から４のいずれか一項に記載の方法。
【請求項１９】
前記認証装置がウェアラブルな装置であり、前記要求装置がコンピュータである、請求項１から４のいずれか一項に記載の方法。
【請求項２０】
前記認証装置の電子財布が、前記認証装置のユーザと関連付けられた１つ以上の支払い口座を含み、前記決済情報が、前記１つ以上の支払い口座のうちの一支払い口座に基づいている、請求項１又は２に記載の方法。
【請求項２１】
前記決済トランザクションを進行させることが、前記決済情報を、前記決済トランザクションを行う決済トランザクションサーバに送信することを含む、請求項１又は２に記載の方法。
【請求項２２】
電子システムであって、
要求装置であって、
ディスプレイと、
１つ以上のプロセッサと、
メモリと、
を有する、要求装置と、
認証装置であって、
ディスプレイと、
１つ以上のプロセッサと、
メモリと、
を有する、認証装置と、
を備え、
前記要求装置及び前記認証装置の前記メモリが、前記各装置の前記１つ以上のプロセッサによって実行されるように構成された１つ以上のプログラムをそれぞれ記憶しており、前記各１つ以上のプログラムが、請求項１から２１のいずれかに一項に記載の方法を実行する命令を全体として有する、
電子システム。
【請求項２３】
要求装置及び認証装置の１つ以上のプロセッサによって実行可能な１つ以上のプログラムを記憶している１つ以上の非一時的なコンピュータ可読記憶媒体であって、前記１つ以上のプログラムが、請求項１から２１のいずれか一項に記載の方法を実行する命令を全体として有する、非一時的なコンピュータ可読記憶媒体。
【請求項２４】
電子システムであって、
要求装置であって、
ディスプレイと、
請求項１から２１のいずれか一項に記載の方法の各局面を実行する手段と、
を有する、要求装置と、
認証装置であって、
ディスプレイと、
請求項１から２１のいずれか一項に記載の方法の各局面を実行する手段と、
を有する、認証装置と、
を備える電子システム。
【請求項２５】
システムであって、
要求装置であって、
ディスプレイと、
１つ以上のプロセッサと、
１つ以上のプログラムを記憶しているメモリであって、前記１つ以上のプログラムが、前記１つ以上のプロセッサによって実行されるように構成されており、前記１つ以上のプログラムが、
１つ以上のオプションの選択を受信し、
前記選択された１つ以上のオプションと関連付けられたアクションを進行させるオプションの選択を受信し、
前記アクションを進行させる要求を送信し、前記要求が、前記選択された１つ以上のオプションに関する情報を含む、要求を送信し
前記アクションを進行させる前記要求への応答を受信し、
前記アクションを進行させる前記要求への前記応答が、前記認証装置における前記許可が成功したことを示しているとの判定に従って、前記許可が成功したとのインジケーションを前記ディスプレイ上に表示し、
前記アクションを進行させる前記要求への前記応答が、前記認証装置における前記許可が成功しなかったことを示しているとの判定に従って、前記許可が成功しなかったとのインジケーションを前記ディスプレイ上に表示する
命令を含む、メモリと、
を有する、要求装置と、
認証装置であって、
ディスプレイと、
１つ以上のプロセッサと、
１つ以上のプログラムを記憶しているメモリであって、前記１つ以上のプログラムが、前記１つ以上のプロセッサによって実行されるように構成されており、前記１つ以上のプログラムが、
前記アクションを進行させる前記要求を受信し、
前記ディスプレイ上に、
前記アクションを進行させる前記要求のインジケーションと、
前記選択された１つ以上のオプションに関する前記情報と、
前記要求装置のインジケーションと、
を同時に表示し、
前記ディスプレイ上に、前記アクションを進行させる許可の要求を表示し、
前記アクションを進行させる許可の前記要求に応答する入力を受信し、
前記アクションを進行させる前記要求への前記応答であって、前記アクションを進行させる前記要求への前記応答が、前記アクションを進行させる許可の前記要求に応答する前記入力に基づいている、前記応答を送信する、
命令を含む、メモリと、
を有する、認証装置と、
を備えるシステム。
【請求項２６】
システムであって、
要求装置であって、
ディスプレイと、
１つ以上のオプションの選択を受信する手段と、
前記選択された１つ以上のオプションと関連付けられたアクションを進行させるオプションの選択を受信する手段と、
前記アクションを進行させる要求を送信する手段であって、前記要求が、前記選択された１つ以上のオプションに関する情報を含む、手段と、
前記アクションを進行させる前記要求への応答を受信する手段と、
前記アクションを進行させる前記要求への前記応答が、前記認証装置における前記許可が成功したことを示しているとの判定に従って、前記許可が成功したとのインジケーションを前記ディスプレイ上に表示する手段と、
前記アクションを進行させる前記要求への前記応答が、前記認証装置における前記許可が成功しなかったことを示しているとの判定に従って、前記許可が成功しなかったとのインジケーションを前記ディスプレイ上に表示する手段と、
を有する、要求装置と、
認証装置であって、
ディスプレイと、
前記アクションを進行させる前記要求を受信する手段と、
前記ディスプレイ上に、
前記アクションを進行させる前記要求のインジケーションと、
前記選択された１つ以上のオプションに関する前記情報と、
前記要求装置のインジケーションと、
を同時に表示する手段と、
前記ディスプレイ上に、前記アクションを進行させる許可の要求を表示する手段と、
前記アクションを進行させる許可の前記要求に応答する入力を受信する手段と、
前記アクションを進行させる前記要求への前記応答を送信する手段であって、前記アクションを進行させる前記要求への前記応答が、前記アクションを進行させる許可の前記要求に応答する前記入力に基づいている、手段と、
を有する、認証装置と、
を備えるシステム。
【請求項２７】
方法であって、
ディスプレイを有する要求装置で、
アクションと関連付けられた１つ以上のオプションの選択を受信することと、
前記選択された１つ以上のオプションと関連付けられた前記アクションを進行させるオプションの選択を受信することと、
前記要求装置から認証装置に、前記アクションを進行させる要求を送信することであって、前記要求が、前記選択された１つ以上のオプションに関する情報を含み、前記選択された１つ以上のオプションに関する前記情報が、前記認証装置による表示のためのものである、ことと、
前記認証装置から、前記アクションを進行させる前記要求への応答を受信することであって、前記アクションを進行させる前記要求への前記応答が、前記認証装置における入力を示していることと、
前記アクションを進行させる前記要求への前記応答が、前記認証装置における許可が成功したことを示しているとの判定に従って、前記許可が成功したとのインジケーションを、前記要求装置の前記ディスプレイ上に表示する、ことと、
を含む方法。
【請求項２８】
前記アクションを進行させる前記要求への前記応答が、前記認証装置における前記許可が成功しなかったことを示しているとの判定に従って、前記許可が成功しなかったとのインジケーションを、前記要求装置の前記ディスプレイ上に表示する、
ことを更に含む、請求項２７に記載の方法。
【請求項２９】
前記アクションが、前記要求装置と遠隔サーバとの間に、前記遠隔サーバにトークンを送信することによってセキュアなネットワーク接続を作成する、請求項２７又は２８に記載の方法。
【請求項３０】
前記認証装置からトークンを受信することと、
前記認証装置から受信された前記トークンを使用して、前記アクションを進行させることと、
を更に含む、請求項２９に記載の方法。
【請求項３１】
前記アクションが決済トランザクションを進行させる、請求項２７又は２８に記載の方法。
【請求項３２】
前記認証装置から決済情報を受信することと、
前記認証装置から受信した前記決済情報を使用して前記アクションを進行させることと、
を更に含む、請求項３１に記載の方法。
【請求項３３】
前記決済トランザクションを進行させることが、前記決済情報の少なくとも一部を小売商に送信することを含む、請求項３１に記載の方法。
【請求項３４】
前記要求装置がアカウントを使用してサービスにサインインされ、前記認証装置が前記アカウントを使用して前記サービスにサインインされる、請求項２７又は２８に記載の方法。
【請求項３５】
前記アクションが成功したとのインジケーションを受信することと、
前記アクションが成功した通知を前記要求装置で提示することと、
を更に含む、請求項２７又は２８に記載の方法。
【請求項３６】
前記アクションを進行させる前記要求を送信する前に、
前記装置が前記要求を許可することが可能であるか否かを示す１つ以上の条件の組が満たされているか否かを判定することを更に含み、
前記１つ以上の条件の組が満たされていないとの判定に従って、前記要求の認証装置への送信が行われる、請求項２７又は２８に記載の方法。
【請求項３７】
決済情報を生成するように構成されているハードウェアを前記要求装置で利用可能である場合に、前記１つ以上の条件の組が満たされる、請求項３６に記載の方法。
【請求項３８】
前記アクションを進行させる前記要求が、１つ以上の決済トランザクションの詳細を含む、請求項２７又は２８に記載の方法。
【請求項３９】
前記アクションを進行させる前記要求を、前記要求装置から前記認証装置に送信する前に、
複数の認証装置に対応するオプションを提供することであって、前記複数の認証装置が前記認証装置を含むことと、
前記認証装置に対応するオプションを選択する入力を受信する、ことと、
を含み、
前記アクションを進行させる前記要求を前記要求装置から前記認証装置に送信することが、前記複数の認証装置の中から前記認証装置を選択する前記入力を受信することに従っている、請求項２７又は２８に記載の方法。
【請求項４０】
前記アクションを進行させる前記要求を、前記要求装置から前記認証装置に送信する前に、
前記認証装置と前記要求装置との近接度、前記認証装置の使用の最新性、前記認証装置に対するユーザ定義の好み及び、前記複数の認証装置の優先度決定方式のうちの１つ以上に基づいて、複数の認証装置から前記認証装置を選択する、
ことを含み、
前記アクションを進行させる前記要求を前記要求装置から前記認証装置に送信することが、前記複数の認証装置から前記認証装置を選択することに従っている、請求項２７又は２８に記載の方法。
【請求項４１】
前記アクションを進行させる前記要求を、前記要求装置から前記認証装置に送信する前に、
選択された支払い口座を前記認証装置上で使用可能であることに基づいて、複数の認証装置から前記認証装置を選択する、
ことを含み、
前記アクションを進行させる前記要求を前記要求装置から前記認証装置に送信することが、前記複数の認証装置から前記認証装置を選択することに従っている、請求項２７又は２８に記載の方法。
【請求項４２】
前記アクションを進行させる前記要求を前記要求装置から前記認証装置に送信することに従って、前記アクションを進行させる前記要求を、複数の認証装置のうちの別の認証装置に送信することを取り止めることを含む、請求項２７又は２８に記載の方法。
【請求項４３】
前記アクションを進行させる前記要求を、前記要求装置から第２の認証装置に送信することを含む、請求項２７又は２８に記載の方法。
【請求項４４】
前記アクションを進行させる前記要求を送信する前に、
１つ以上の条件の組が満たされているか否かを判定することであって、決済情報を生成するように構成されているハードウェアを前記要求装置で利用可能である場合に、前記１つ以上の条件の組が満たされることと、
前記１つ以上の条件の組が満たされていないとの判定に従って、複数の認証装置に対応する複数のオプションを提供し、前記複数の認証装置が前記認証装置を含む、ことと、
を含む、請求項２７又は２８に記載の方法。
【請求項４５】
前記アクションを進行させる前記要求を送信した後に、
前記アクションと関連付けられた前記選択された１つ以上のオプションのうちの少なくとも１つを変更するユーザ入力を受信することと、
前記要求装置から前記認証装置に、前記アクションを進行させる変更された要求を送信することと、
前記認証装置から、前記アクションを進行させる前記変更された要求の受信確認を受信することと、
を含み、
前記許可が成功したとの前記インジケーションを前記要求装置の前記ディスプレイ上に表示することが、前記アクションを進行させる前記変更された要求の前記受信確認が受信されたとの判定に従っている、請求項２７又は２８に記載の方法。
【請求項４６】
前記アクションを進行させる前記要求を送信する前に、
前記アクションと関連付けられた前記選択された１つ以上のオプションを、前記要求装置の前記ディスプレイ上に表示することと、
前記アクションを進行させる前記要求を送信した後に、
前記アクションと関連付けられた前記選択された１つ以上のオプションのうちの少なくとも１つの変更を、前記認証装置から受信することと、
前記アクションと関連付けられた前記選択された１つ以上のオプションのうちの前記少なくとも１つの前記変更を前記認証装置から受信することに応答して、前記表示を、前記アクションと関連付けられた前記選択された１つ以上のオプションのうちの前記少なくとも１つの前記受信された変更に従って更新することと、
を含む、請求項２７又は２８に記載の方法。
【請求項４７】
前記アクションを進行させる前記要求を送信した後に、
前記アクションをキャンセルするオプションの選択を受信することと、
前記アクションをキャンセルする前記オプションの選択を受信することに応答して、前記要求装置から前記認証装置に、前記アクションをキャンセルする要求を送信することと、
を含む、請求項２７又は２８に記載の方法。
【請求項４８】
前記要求装置の前記ディスプレイ上に、サードパーティのユーザインターフェースにおける前記アクションと関連付けられた前記１つ以上のオプションを表示することと、
前記要求装置の前記ディスプレイ上に、ファーストパーティのユーザインターフェースにおいて前記アクションを進行させる前記オプションを表示することと、
を更に含む、請求項２７又は２８に記載の方法。
【請求項４９】
前記要求装置の前記ディスプレイ上に、ファーストパーティのユーザインターフェースにおいて前記アクションを進行させる前記オプションを表示することを更に含む、請求項２７又は２８に記載の方法。
【請求項５０】
１つ以上の認証装置を認証に使用可能であるか否かを判定することと、
１つ以上の認証装置を認証に使用可能であるとの判定に従って、前記要求装置の前記ディスプレイ上に、前記アクションを進行させる前記オプションを表示することと、
１つ以上の認証装置を認証に使用不可能であるとの判定に従って、前記要求装置の前記ディスプレイ上に、前記アクションを進行させる前記オプションを表示することを取り止めることと、
を更に含む、請求項２７又は２８に記載の方法。
【請求項５１】
前記アクションを進行させる前記要求を、前記要求装置から前記認証装置に送信する前に、
第２のアクションと関連付けられた１つ以上のオプションの選択を受信する、
ことを更に含み、
前記アクションを進行させる前記要求が、前記アクション及び前記第２のアクションの双方を進行させる要求であり、前記要求が、前記第２のアクションと関連付けられた前記選択された１つ以上のオプションに関する情報を含み、前記第２のアクションと関連付けられた前記選択された１つ以上のオプションに関する前記情報が、前記認証装置による表示のためのものである、請求項２７又は２８に記載の方法。
【請求項５２】
前記選択された１つ以上のオプションと関連付けられた前記アクションを進行させる前記オプションの選択を受信する前に、
支払いオプションの選択を受信することと、
前記支払いオプションの選択を受信することに応答して、対応する複数の認証装置と関連付けられた複数の支払い口座に関する複数のオプションを表示することと、
を更に含む、請求項２７又は２８に記載の方法。
【請求項５３】
前記選択された１つ以上のオプションと関連付けられた前記アクションを進行させる前記オプションの選択を受信する前に、
前記複数の支払い口座に関する前記複数のオプションからの一支払い口座に対応するオプションの選択を受信することと、
前記支払い口座に対応する前記オプションの選択を受信することに応答して、前記支払い口座に対応する前記選択されたオプションに基づき、前記認証装置を選択することと、
を更に含む、請求項５２に記載の方法。
【請求項５４】
前記選択された１つ以上のオプションと関連付けられた前記アクションを進行させる前記オプションの選択を受信する前に、
対応する複数の認証装置と関連付けられた複数の支払い口座に関する複数のオプションの選択を表示することと、
一支払い口座に対応するオプションの選択を受信することと、
前記支払い口座に対応する前記オプションの選択を受信することに応答して、前記支払い口座に対応する前記選択されたオプションに基づき、前記認証装置を選択することと、
を更に含む、請求項２７又は２８に記載の方法。
【請求項５５】
前記支払い口座に対応する前記オプションの選択を受信した後に、
前記選択された１つ以上のオプションと関連付けられた前記アクションを進行させる前記オプションと、
前記認証装置のインジケーションと、
を同時に表示することを更に含む、請求項５３に記載の方法。
【請求項５６】
前記認証装置の前記インジケーションが、前記認証装置のグラフィカルな表現を含む、請求項５５に記載の方法。
【請求項５７】
前記複数の支払い口座に関する前記複数のオプションが、第１の種類の複数の装置が現在ロック状態であるのか又はアンロック状態であるのかにかかわらず、前記第１の種類の前記複数の装置にリンクされている複数の支払い口座を含み、
前記複数の支払い口座に関する前記複数のオプションが、第２の種類の複数の装置に、アンロック状態であることに基づいてリンクされている、請求項５２に記載の方法。
【請求項５８】
前記認証装置が電話であり、前記要求装置がテレビ装置である、請求項２７又は２８に記載の方法。
【請求項５９】
前記認証装置が電話であり、前記要求装置がコンピュータである、請求項２７又は２８に記載の方法。
【請求項６０】
前記認証装置がウェアラブルな装置であり、前記要求装置がテレビ装置である、請求項２７又は２８に記載の方法。
【請求項６１】
前記認証装置がウェアラブルな装置であり、前記要求装置がコンピュータである、請求項２７又は２８に記載の方法。
【請求項６２】
前記認証装置の電子財布が、前記認証装置のユーザと関連付けられた１つ以上の支払い口座を含み、前記決済情報が、前記１つ以上の支払い口座のうちの一支払い口座に基づいている、請求項２７又は２８に記載の方法。
【請求項６３】
前記決済トランザクションを進行させることが、前記決済情報を、前記決済トランザクションを行う決済トランザクションサーバに送信することを含む、請求項２７又は２８に記載の方法。
【請求項６４】
電子装置であって、
ディスプレイと、
１つ以上のプロセッサと、
１つ以上のプログラムを記憶しているメモリであって、前記１つ以上のプログラムが、前記１つ以上のプロセッサによって実行されるように構成されており、前記１つ以上のプログラムが、請求項２７から６３のいずれか一項に記載の方法を実行する命令を含む、メモリと、
を備える電子装置。
【請求項６５】
ディスプレイを有する電子装置の１つ以上のプロセッサによって実行可能な１つ以上のプログラムを記憶している非一時的なコンピュータ可読記憶媒体であって、前記１つ以上のプログラムが、請求項２７から６３のいずれか一項に記載の方法を実行する命令を含む、非一時的なコンピュータ可読記憶媒体。
【請求項６６】
電子装置であって、
ディスプレイと、
請求項２７から６３のいずれか一項に記載の方法を実行する手段と、
を備える電子装置。
【請求項６７】
要求装置であって、
ディスプレイと、
１つ以上のプロセッサと、
１つ以上のプログラムを記憶しているメモリであって、前記１つ以上のプログラムが、前記１つ以上のプロセッサによって実行されるように構成されており、前記１つ以上のプログラムが、
アクションと関連付けられた１つ以上のオプションの選択を受信し、
前記選択された１つ以上のオプションと関連付けられた前記アクションを進行させるオプションの選択を受信し、
前記要求装置から認証装置に、前記アクションを進行させる要求であって、前記要求が、前記選択された１つ以上のオプションに関する情報を含み、前記選択された１つ以上のオプションに関する前記情報が、前記認証装置による表示のためのものである、要求を送信し、
前記認証装置から、前記アクションを進行させる前記要求への応答であって、前記アクションを進行させる前記要求への前記応答が、前記認証装置における入力を示している、応答を受信し、
前記アクションを進行させる前記要求への前記応答が、前記認証装置における許可が成功したことを示しているとの判定に従って、前記要求装置の前記ディスプレイ上に、前記許可が成功したとのインジケーションを表示する、
命令を含む、メモリと、
を備える要求装置。
【請求項６８】
ディスプレイを有する要求装置の１つ以上のプロセッサによって実行可能な１つ以上のプログラムを記憶している非一時的なコンピュータ可読記憶媒体であって、前記１つ以上のプログラムが、
アクションと関連付けられた１つ以上のオプションの選択を受信し、
前記選択された１つ以上のオプションと関連付けられた前記アクションを進行させるオプションの選択を受信し、
前記要求装置から認証装置に、前記アクションを進行させる要求であって、前記要求が、前記選択された１つ以上のオプションに関する情報を含み、前記選択された１つ以上のオプションに関する前記情報が、前記認証装置による表示のためのものである、要求を送信し、
前記認証装置から、前記アクションを進行させる前記要求への応答であって、前記アクションを進行させる前記要求への前記応答が、前記認証装置における入力を示している、応答を受信し、
前記アクションを進行させる前記要求への前記応答が、前記認証装置における許可が成功したことを示しているとの判定に従って、前記要求装置の前記ディスプレイ上に、前記許可が成功したとのインジケーションを表示する、
命令を含む、非一時的なコンピュータ可読記憶媒体。
【請求項６９】
要求装置であって、
ディスプレイと、
アクションと関連付けられた１つ以上のオプションの選択を受信する手段と、
前記選択された１つ以上のオプションと関連付けられた前記アクションを進行させるオプションの選択を受信する手段と、
前記要求装置から認証装置に、前記アクションを進行させる要求を送信する手段であって、前記要求が、前記選択された１つ以上のオプションに関する情報を含み、前記選択された１つ以上のオプションに関する前記情報が、前記認証装置による表示のためのものである、手段と、
前記認証装置から、前記アクションを進行させる前記要求への応答を受信する手段であって、前記アクションを進行させる前記要求への前記応答が、前記認証装置における入力を示している、手段と、
前記アクションを進行させる前記要求への前記応答が、前記認証装置における許可が成功したことを示しているとの判定に従って、前記許可が成功したとのインジケーションを、前記要求装置の前記ディスプレイ上に表示する手段と、
を備える要求装置。
【請求項７０】
方法であって、
ディスプレイを有する認証装置で、
アクションを進行させる要求を要求装置から受信することであって、前記要求が前記アクションに関する情報を含み、前記要求装置及び前記認証装置の双方が、同じアカウントを使用してサービスにサインインされる、ことと、
前記ディスプレイ上に、
前記アクションを進行させる前記要求のインジケーションと、
前記アクションに関する前記情報と、
前記要求装置のインジケーションと、
を同時に表示することと、
前記アクションを進行させる許可の要求を表示することと、
前記アクションを進行させる許可の前記要求に応答する入力を受信することと、
を含む方法。
【請求項７１】
前記アクションが、前記要求装置と遠隔サーバとの間にセキュアなネットワーク接続を作成し、前記方法が、
前記アクションを進行させる前記要求に応答する前記入力が、前記アクションを進行させることを許可された入力と一致するとの前記認証装置の判定に応答して、トークン情報を前記要求装置に送信することを更に含む、請求項７０に記載の方法。
【請求項７２】
前記ディスプレイ上に、前記アクションを進行させる前記要求の前記インジケーション、前記アクションに関する前記情報及び、前記要求装置の前記インジケーションを同時に表示することが、前記アクションを進行させる前記要求を受信することに応答するものである、請求項７０又は７１に記載の方法。
【請求項７３】
前記認証装置が、前記アクションを進行させる許可の前記要求に応答する前記入力に応答するように構成されたハードウェアを有し、前記要求装置が前記ハードウェアを有しない、請求項７０又は７１に記載の方法。
【請求項７４】
前記アクションが決済トランザクションを進行させ、前記方法が、
決済情報を生成することと、
前記アクションを進行させる許可の前記要求に応答する前記入力が、前記アクションを進行させることを許可された入力と一致するとの前記認証装置の判定に応答して決済情報を送信することと、
を更に含む、請求項７０に記載の方法。
【請求項７５】
前記要求装置の前記インジケーションが、前記要求装置のグラフィカルな表現を含む、請求項７０又は７１に記載の方法。
【請求項７６】
前記認証装置が、前記アクションを進行させる許可の前記要求に応答する前記入力を受信する時にはロック状態であり、前記方法が、
前記アクションを進行させる許可の前記要求に応答する前記入力が、前記アクションを進行させることを許可された入力と一致するとの前記認証装置の判定に応答して、
前記認証装置が前記アクションを進行させる前記要求への前記応答を送信している間は、前記認証装置を前記ロック状態に維持することであって、前記アクションを進行させる前記要求への前記応答が、前記入力に基づいている、
ことを更に含む、請求項７０又は７１に記載の方法。
【請求項７７】
前記要求装置がアカウントを使用してサービスにサインインされ、前記認証装置が前記アカウントを使用して前記サービスにサインインされる、請求項７０又は７１に記載の方法。
【請求項７８】
前記認証装置が、前記アクションを進行させる前記要求を受信している時にはロック状態であり、前記方法が、
前記アクションを進行させる前記要求を受信することに応答して、
前記ディスプレイ上に要求通知を表示することと、
前記ディスプレイ上に、前記アクションを進行させる前記要求の前記インジケーション、前記アクションに関する前記情報及び、前記要求装置の前記インジケーションを同時に表示する前に、
前記要求通知を有効化する入力を受信することと、
前記認証装置をアンロックする許可を要求することと、
前記認証装置をアンロックする許可を受信することと、
前記認証装置をアンロックする許可を受信することに応答して、
前記認証装置をアンロックすることと、
を更に含み、
前記ディスプレイ上に、前記アクションを進行させる前記要求の前記インジケーション、前記アクションに関する前記情報及び、前記要求装置の前記インジケーションを同時に表示することが、前記認証装置をアンロックする許可を受信することに応答している、請求項７０又は７１に記載の方法。
【請求項７９】
前記アクションを進行させる前記要求を受信することに応答して、
前記ディスプレイ上に要求通知を表示することと、
前記ディスプレイ上に、前記アクションを進行させる前記要求の前記インジケーション、前記アクションに関する前記情報及び、前記要求装置の前記インジケーションを同時に表示する前に、
前記要求通知を有効化する入力を受信することと、
を更に含み、
前記ディスプレイ上に、前記アクションを進行させる前記要求の前記インジケーション、前記アクションに関する前記情報及び、前記要求装置の前記インジケーションを同時に表示することが、前記要求通知を有効化する入力を受信することに応答している、請求項７０又は７１に記載の方法。
【請求項８０】
前記認証装置が、前記アクションを進行させる前記要求を受信している時にはロック状態であり、前記方法が、
前記アクションを進行させる前記要求を受信することに応答して、
前記ディスプレイ上に要求通知を表示することと、
前記ディスプレイ上に、前記アクションを進行させる前記要求、前記アクションに関する前記情報及び、前記要求装置の前記インジケーションを同時に表示する前に、
前記要求通知を有効化する入力を受信することと、
を更に含み、
前記ディスプレイ上に、前記アクションを進行させる前記要求の前記インジケーション、前記アクションに関する前記情報及び、前記要求装置の前記インジケーションを同時に表示することが、前記要求通知を有効化する入力を受信することに応答しており、
前記アクションを進行させる許可の前記要求に応答する前記入力が、前記アクションを進行させることを許可された入力と一致すると判定することが、前記要求装置をアンロック状態へと遷移させない、請求項７０から７７のいずれか一項に記載の方法。
【請求項８１】
前記認証装置が、前記アクションを進行させる前記要求を受信している時にはアンロック状態であり、
前記要求装置がハードウェアボタンを有し、
前記アクションを進行させる許可の前記要求に応答する前記入力の受信が、前記アンロック状態の間に前記ハードウェアボタンの二重押しを検出することを含む、請求項７０又は７１に記載の方法。
【請求項８２】
前記アクションに関する前記情報が、前記アクションと関連付けられた１つ以上のオプションを含み、前記方法が、
前記ディスプレイ上に、前記アクションを進行させる前記要求の前記インジケーション、前記アクションに関する前記情報及び、前記要求装置の前記インジケーションを同時に表示した後に、
前記アクションと関連付けられた前記１つ以上のオプションのうちの少なくとも１つの変更を求めるユーザ入力を受信することと、
更新された要求を前記要求装置に送信することであって、前記更新された要求が、前記アクションと関連付けられた前記１つ以上のオプションのうちの前記少なくとも１つの前記変更を含む、ことと、
前記更新された要求の受信確認が前記要求装置から受信されていないとのインジケーションを、前記ディスプレイ上に表示することと、
前記要求装置から、前記更新された要求の受信確認を受信することと、
前記更新された要求の前記受信確認を前記要求装置から受信することに応答して、前記更新された要求の受信確認が前記要求装置から受信されていないとの前記ディスプレイ上での前記インジケーションの表示を終了することと、
を含む、請求項７０又は７１に記載の方法。
【請求項８３】
前記アクションを進行させる前記要求を受信した後、かつ前記アクションを進行させる許可の前記要求に応答する前記入力を受信する前に、
前記要求装置から、前記アクションをキャンセルする要求を受信することと、
前記アクションをキャンセルする前記要求を受信することに応答して、かつ、前記アクションを進行させる許可の前記要求に応答する前記入力の受信に従って、
前記アクションを進行させることを取り止めることと、
を含む、請求項７０又は７１に記載の方法。
【請求項８４】
前記アクションを進行させる前記要求を受信した後、かつ前記アクションを進行させる許可の前記要求に応答する前記入力を受信する前に、
前記要求装置から、前記アクションをキャンセルする要求を受信することと、
前記アクションをキャンセルする前記要求を受信することに応答して、前記アクションを進行させる許可の前記要求に応答する入力を受信することを取り止めることと、
を含む、請求項７０又は７１に記載の方法。
【請求項８５】
前記アクションを進行させる許可の前記要求に応答する前記入力が、前記アクションを進行させることを許可された入力と一致すると前記認証装置が判定した後に、更なる入力がなされることなく、前記認証装置によって前記アクションを進行させることを更に含む、請求項７０又は７１に記載の方法。
【請求項８６】
第２のアクションを進行させる第２の要求を受信することと、
前記ディスプレイ上に、前記アクションを進行させる前記要求の第２のインジケーション及び、前記アクションが成功したか否かを示すインジケーションを同時に表示することと、
前記ディスプレイ上に、前記第２のアクションを進行させる前記第２の要求の第３のインジケーション及び、前記第２のアクションが成功したか否かを示すインジケーションを同時に表示することと、
を含む、請求項７０又は７１に記載の方法。
【請求項８７】
前記認証装置が電話であり、前記要求装置がテレビ装置である、請求項７０又は７１に記載の方法。
【請求項８８】
前記認証装置が電話であり、前記要求装置がコンピュータである、請求項７０又は７１に記載の方法。
【請求項８９】
前記認証装置がウェアラブルな装置であり、前記要求装置がテレビ装置である、請求項７０又は７１に記載の方法。
【請求項９０】
前記認証装置がウェアラブルな装置であり、前記要求装置がコンピュータである、請求項７０又は７１に記載の方法。
【請求項９１】
前記認証装置の電子財布が、前記認証装置のユーザと関連付けられた１つ以上の支払い口座を含み、前記決済情報が、前記１つ以上の支払い口座のうちの一支払い口座に基づいている、請求項７０に記載の方法。
【請求項９２】
前記決済トランザクションを進行させることが、前記決済情報を、前記決済トランザクションを行う決済トランザクションサーバに送信することを含む、請求項７０に記載の方法。
【請求項９３】
電子装置であって、
ディスプレイと、
１つ以上のプロセッサと、
１つ以上のプログラムを記憶しているメモリであって、前記１つ以上のプログラムが、前記１つ以上のプロセッサによって実行されるように構成されており、前記１つ以上のプログラムが、請求項７０から９２のいずれか一項に記載の方法を実行する命令を有する、メモリと、
を備える電子装置。
【請求項９４】
ディスプレイを有する電子装置の１つ以上のプロセッサによって実行可能な１つ以上のプログラムを記憶している非一時的なコンピュータ可読記憶媒体であって、前記１つ以上のプログラムが、請求項７０から９２のいずれか一項に記載の方法を実行する命令を有する、非一時的なコンピュータ可読記憶媒体。
【請求項９５】
電子装置であって、
ディスプレイと、
請求項７０から９２のいずれか一項に記載の方法を実行する手段と、
を備える電子装置。
【請求項９６】
認証装置であって、
ディスプレイと、
１つ以上のプロセッサと、
１つ以上のプログラムを記憶しているメモリであって、前記１つ以上のプログラムが、前記１つ以上のプロセッサによって実行されるように構成されており、前記１つ以上のプログラムが、
アクションを進行させる要求であって、前記要求が、前記アクションに関する情報を含み、要求装置及び前記認証装置の双方が、同じアカウントを使用してサービスにサインインされる、要求を前記要求装置から受信し
前記ディスプレイ上に、
前記アクションを進行させる前記要求のインジケーションと、
前記アクションに関する前記情報と、
前記要求装置のインジケーションと、
を同時に表示し、
前記アクションを進行させる許可の要求を表示し、
前記アクションを進行させる許可の前記要求に応答する入力を受信する、
命令を有する、メモリと、
を備える認証装置。
【請求項９７】
ディスプレイを有する認証装置の１つ以上のプロセッサによって実行可能な１つ以上のプログラムを記憶している非一時的なコンピュータ可読記憶媒体であって、前記１つ以上のプログラムが、
アクションを進行させる要求であって、前記要求が、前記アクションに関する情報を含み、要求装置及び前記認証装置の双方が、同じアカウントを使用してサービスにサインインされる、要求を前記要求装置から受信し、
前記ディスプレイ上に、
前記アクションを進行させる前記要求のインジケーションと、
前記アクションに関する前記情報と、
前記要求装置のインジケーションと、
を同時に表示し、
前記アクションを進行させる許可の要求を表示し、
前記アクションを進行させる許可の前記要求に応答する入力を受信する、
命令を有する、非一時的なコンピュータ可読記憶媒体。
【請求項９８】
認証装置であって、
ディスプレイと、
アクションを進行させる要求を要求装置から受信する手段であって、前記要求が、前記アクションに関する情報を含み、前記要求装置及び前記認証装置の双方が、同じアカウントを使用してサービスにサインインされる、手段と、
前記ディスプレイ上に、
前記アクションを進行させる前記要求のインジケーションと、
前記アクションに関する前記情報と、
前記要求装置のインジケーションと、
を同時に表示する手段と、
前記アクションを進行させる許可の要求を表示する手段と、
前記アクションを進行させる許可の前記要求に応答する入力を受信する手段と、
を備える認証装置。
【請求項９９】
要求装置であって、
ディスプレイユニットと、
前記ディスプレイユニットに結合された処理ユニットであって、
アクションと関連付けられた１つ以上のオプションの選択を受信し、
前記選択された１つ以上のオプションと関連付けられた前記アクションを進行させるオプションの選択を受信し、
前記要求装置から認証装置に、前記アクションを進行させる要求であって、前記要求が、前記選択された１つ以上のオプションに関する情報を含み、前記選択された１つ以上のオプションに関する前記情報が、前記認証装置による表示のためのものである、要求を送信し、
前記認証装置から、前記アクションを進行させる前記要求への応答であって、前記アクションを進行させる前記要求への前記応答が、前記認証装置における入力を表している、応答を受信し
前記アクションを進行させる前記要求への前記応答が、前記認証装置における許可が成功したことを示しているとの判定に従って、前記許可が成功したとのインジケーションを前記要求装置の前記ディスプレイユニット上に表示有効化する、
ように構成されている、処理ユニットと、
を備える要求装置。
【請求項１００】
前記処理ユニットが、
前記アクションを進行させる前記要求への前記応答が、前記認証装置における前記許可が成功しなかったことを示しているとの判定に従って、前記許可が成功しなかったとのインジケーションを、前記要求装置の前記ディスプレイユニット上に表示有効化する、
ように更に構成されている、請求項９９に記載の要求装置。
【請求項１０１】
前記アクションが、前記要求装置と遠隔サーバとの間に、前記遠隔サーバにトークンを送信することによってセキュアなネットワーク接続を作成する、請求項９９又は１００に記載の要求装置。
【請求項１０２】
前記処理ユニットが、
前記認証装置からトークンを受信し、
前記認証装置から受信された前記トークンを使用して前記アクションを進行させる、
ように更に構成されている、請求項１０１に記載の要求装置。
【請求項１０３】
前記アクションが決済トランザクションを進行させる、請求項９９又は１００に記載の要求装置。
【請求項１０４】
前記処理ユニットが、
前記認証装置から決済情報を受信し、
前記認証装置から受信した前記トークンを使用して前記アクションを進行させる、
ように更に構成されている、請求項１０３に記載の要求装置。
【請求項１０５】
前記決済トランザクションを進行させることが、前記決済情報の少なくとも一部を小売商に送信することを含む、請求項１０３に記載の要求装置。
【請求項１０６】
前記要求装置がアカウントを使用してサービスにサインインされ、前記認証装置が前記アカウントを使用して前記サービスにサインインされる、請求項９９又は１００に記載の要求装置。
【請求項１０７】
前記処理ユニットが、
前記アクションが成功したとのインジケーションを受信し、
前記アクションが成功した通知を前記要求装置で表示する、
ように更に構成されている、請求項９９又は１００に記載の要求装置。
【請求項１０８】
前記処理ユニットが、
前記アクションを進行させる前記要求を送信する前に、
前記装置が前記要求を許可することが可能であるか否かを示す１つ以上の条件の組が満たされているか否かを判定するように更に構成されており、
認証装置への前記要求の送信が、前記１つ以上の条件の組が満たされていないとの判定に従って発生する、請求項９９又は１００に記載の要求装置。
【請求項１０９】
前記１つ以上の条件の組が、決済情報を生成するハードウェアを前記要求装置で利用可能である時に満たされる、請求項１０８に記載の要求装置。
【請求項１１０】
前記アクションを進行させる前記要求が、１つ以上の決済トランザクションの詳細を含む、請求項９９又は１００に記載の要求装置。
【請求項１１１】
前記処理ユニットが、
前記アクションを進行させる前記要求を前記要求装置から前記認証装置に送信する前に、
複数の認証装置であって、前記複数の認証装置が前記認証装置を含む、複数の認証装置に対応する複数のオプションを提供し、
前記認証装置に対応するオプションを選択する入力を受信する、
ように更に構成されており、
前記アクションを進行させる前記要求を前記要求装置から前記認証装置に送信することが、前記複数の認証装置から前記認証装置を選択する前記入力を受信することに従っている、請求項９９又は１００に記載の要求装置。
【請求項１１２】
前記処理ユニットが、
前記アクションを進行させる前記要求を前記要求装置から前記認証装置に送信する前に、
前記認証装置と前記要求装置との近接度、前記認証装置の使用の最新性、前記認証装置に対するユーザ定義の好み及び、前記複数の認証装置の優先度決定方式のうちの１つ以上に基づいて、複数の認証装置から前記認証装置を選択する、
ように更に構成されており、
前記アクションを進行させる前記要求を前記要求装置から前記認証装置に送信することが、前記複数の認証装置から前記認証装置を選択することに従っている、請求項９９又は１００に記載の要求装置。
【請求項１１３】
前記処理ユニットが、
前記アクションを進行させる前記要求を前記要求装置から前記認証装置に送信する前に、
選択された支払い口座を前記認証装置上で使用可能であることに基づいて、複数の認証装置から前記認証装置を選択する、
ように更に構成されており、
前記アクションを進行させる前記要求を前記要求装置から前記認証装置に送信することが、前記複数の認証装置から前記認証装置を選択することに従っている、請求項９９又は１００に記載の要求装置。
【請求項１１４】
前記処理ユニットが、
前記アクションを進行させる前記要求を前記要求装置から前記認証装置に送信することに従って、前記アクションを進行させる前記要求を複数の認証装置のうちの別の認証装置に送信することを取り止める、
ように更に構成されている、請求項９９又は１００に記載の要求装置。
【請求項１１５】
前記処理ユニットが、
前記アクションを進行させる前記要求を、前記要求装置から第２の認証装置へと送信する、
ように更に構成されている、請求項９９又は１００に記載の要求装置。
【請求項１１６】
前記処理ユニットが、
前記アクションを進行させる前記要求を送信する前に、
１つ以上の条件の組であって、決済情報を生成するように構成されているハードウェアを前記要求装置で利用可能である時に、前記１つ以上の条件の組が満たされる、１つ以上の条件の組が満たされているか否かを判定し、
前記１つ以上の条件の組が満たされていないとの判定に従って、複数の認証装置であって、前記複数の認証装置に前記認証装置が含まれる、複数の認証装置に対応する複数のオプションを提供する、
ように更に構成されている、請求項９９又は１００に記載の要求装置。
【請求項１１７】
前記処理ユニットが、
前記アクションを進行させる前記要求を送信した後に、
前記アクションと関連付けられた前記選択された１つ以上のオプションのうちの少なくとも１つを変更するユーザ入力を受信し、
前記アクションを進行させる変更された要求を、前記要求装置から前記認証装置に送信し、
前記アクションを進行させる前記変更された要求の受信確認を、前記認証装置から受信する、
ように更に構成されており、
前記許可が成功したとの前記インジケーションを、前記要求装置の前記ディスプレイユニット上に表示有効化することが、前記アクションを進行させる前記変更された要求の前記受信確認が受信されたとの判定に従っている、請求項９９又は１００に記載の要求装置。
【請求項１１８】
前記処理ユニットが、
前記アクションを進行させる前記要求を送信する前に、
前記アクションと関連付けられた前記選択された１つ以上のオプションを、前記要求装置の前記ディスプレイユニット上に表示有効化し、
前記アクションを進行させる前記要求を送信した後に、
前記アクションと関連付けられた前記選択された１つ以上のオプションのうちの少なくとも１つの変更を前記認証装置から受信し、
前記アクションと関連付けられた前記選択された１つ以上のオプションのうちの前記少なくとも１つの前記変更を前記認証装置から受信することに応答して、前記アクションと関連付けられた前記選択された１つ以上のオプションのうちの前記少なくとも１つの前記受信された変更に従って、前記ディスプレイを更新する、
ように更に構成されている、請求項９９又は１００に記載の要求装置。
【請求項１１９】
前記処理ユニットが、
前記アクションを進行させる前記要求を送信した後に、
前記アクションをキャンセルするオプションの選択を受信し、
前記アクションをキャンセルする前記オプションの選択を受信することに応答して、前記要求装置から前記認証装置に、前記アクションをキャンセルする要求を送信する、
ように更に構成されている、請求項９９又は１００に記載の要求装置。
【請求項１２０】
前記処理ユニットが、
前記要求装置の前記ディスプレイユニット上に、サードパーティのユーザインターフェースにおける前記アクションと関連付けられた前記１つ以上のオプションを表示有効化し、
前記要求装置の前記ディスプレイユニット上に、ファーストパーティのユーザインターフェースにおいて前記アクションを進行させる前記オプションを表示有効化する、
ように更に構成されている、請求項９９又は１００に記載の要求装置。
【請求項１２１】
前記処理装置が、
前記要求装置の前記ディスプレイユニット上に、ファーストパーティのユーザインターフェースにおいて前記アクションを進行させる前記オプションを表示有効化する、
ように更に構成されている、請求項９９又は１００に記載の要求装置。
【請求項１２２】
前記処理ユニットが、
１つ以上の認証装置を認証に使用可能であるか否かを判定し、
１つ以上の認証装置を認証に使用可能であるとの判定に従って、前記アクションを進行させる前記オプションを前記要求装置の前記ディスプレイユニット上に表示有効化し、
１つ以上の認証装置を認証に使用可能ではないとの判定に従って、前記アクションを進行させる前記オプションを前記要求装置の前記ディスプレイユニット上に表示有効化することを取り止める、
ように更に構成されている、請求項９９又は１００に記載の要求装置。
【請求項１２３】
前記処理ユニットが、
前記アクションを進行させる前記オプションを前記要求装置から前記認証装置に送信する前に、
第２のアクションと関連付けられた１つ以上のオプションの選択を受信するように更に構成されており、
前記アクションを進行させる前記要求が、前記アクション及び前記第２のアクションの双方を進行させる要求であり、前記要求が、前記第２のアクションと関連付けられた前記選択された１つ以上のオプションに関する情報を更に含み、前記第２のアクションと関連付けられた前記選択された１つ以上のオプションに関する前記情報が、前記認証装置による表示のためのものである、請求項９９又は１００に記載の要求装置。
【請求項１２４】
前記処理ユニットが、
前記選択された１つ以上のオプションと関連付けられた前記アクションを進行させる前記オプションの選択を受信する前に、
支払いオプションの選択を受信し、
前記支払いオプションを受信することに応答して、対応する複数の認証装置と関連付けられた複数の支払い口座に関する複数のオプションを表示有効化する、
ように更に構成されている、請求項９９又は１００に記載の要求装置。
【請求項１２５】
前記処理ユニットが、
前記選択された１つ以上のオプションと関連付けられた前記アクションを進行させる前記オプションの選択を受信する前に、
前記複数の支払い口座に関する前記複数のオプションからの一支払い口座に対応するオプションの選択を受信し、
前記支払い口座に対応する前記オプションの選択を受信することに応答して、前記支払い口座に対応する前記選択されたオプションに基づき、前記認証装置を選択する、
ように更に構成されている、請求項１２４に記載の要求装置。
【請求項１２６】
前記処理ユニットが、
前記選択された１つ以上のオプションと関連付けられた前記アクションを進行させる前記オプションの選択を受信する前に、
対応する複数の認証装置と関連付けられた複数の支払い口座に関する複数のオプションを表示有効化し、
一支払い口座に対応するオプションの選択を受信し、
前記支払い口座に対応する前記オプションの選択を受信することに応答して、前記支払い口座に対応する前記選択されたオプションに基づき、前記認証装置を選択する、
ように更に構成されている、請求項９９又は１００に記載の要求装置。
【請求項１２７】
前記処理ユニットが、
前記支払い口座に対応する前記オプションの選択を受信した後に、
前記選択された１つ以上のオプションと関連付けられた前記アクションを進行させる前記オプションと、
前記認証装置のインジケーションと、
を同時に表示有効化する、
ように更に構成されている、請求項１２５に記載の要求装置。
【請求項１２８】
前記認証装置の前記インジケーションが、前記認証装置のグラフィカルな表現を含む、請求項１２７に記載の要求装置。
【請求項１２９】
前記複数の支払い口座に関する前記複数のオプションが、第１の種類の複数の装置が現在ロック状態であるのか又はアンロック状態であるのかにかかわらず、前記第１の種類の前記複数の装置にリンクされた複数の支払い口座を含み、
前記複数の支払い口座に関する前記複数のオプションが、第２の種類の複数の装置に、アンロック状態であることに基づいてリンクされた複数の支払い口座を含む、請求項１２４に記載の要求装置。
【請求項１３０】
前記認証装置が電話であり、前記要求装置がテレビ装置である、請求項９９又は１００に記載の要求装置。
【請求項１３１】
前記認証装置が電話であり、前記要求装置がコンピュータである、請求項９９又は１００に記載の要求装置。
【請求項１３２】
前記認証装置がウェアラブルな装置であり、前記要求装置がテレビ装置である、請求項９９又は１００に記載の要求装置。
【請求項１３３】
前記認証装置がウェアラブルな装置であり、前記要求装置がコンピュータである、請求項９９又は１００に記載の要求装置。
【請求項１３４】
前記認証装置の電子財布が、前記認証装置のユーザと関連付けられた１つ以上の支払い口座を含み、前記決済情報が、前記１つ以上の支払い口座のうちの一支払い口座に基づいている、請求項９９又は１００に記載の要求装置。
【請求項１３５】
前記決済トランザクションを進行させることが、前記決済トランザクションを行う決済トランザクションサーバに前記決済情報を送信することを含む、請求項９９又は１００に記載の要求装置。
【請求項１３６】
認証装置であって、
ディスプレイユニットと、
前記ディスプレイユニットに結合された処理ユニットであって、
アクションを進行させる要求を要求装置から受信し、前記要求が、前記アクションに関する情報を含み、前記要求装置及び前記認証装置の双方が、同じアカウントを使用してサービスにサインインされ、
前記ディスプレイユニット上に、
前記アクションを進行させる前記要求のインジケーションと、
前記アクションに関する前記情報と、
前記要求装置のインジケーションと、
を同時に表示有効化し、
前記アクションを進行させる許可の要求を表示有効化し、
前記アクションを進行させる許可の前記要求に応答する入力を受信する、
ように構成されている、処理ユニットと、
を備える認証装置。
【請求項１３７】
前記アクションが、前記要求装置と遠隔サーバとの間にセキュアなネットワーク接続を作成し、前記処理装置が、
前記アクションを進行させる許可の前記要求に応答する前記入力が、前記アクションを進行させることを許可された入力と一致するとの前記認証装置の判定に応答して、前記要求装置にトークン情報を送信する、
ように構成されている、請求項１３６に記載の認証装置。
【請求項１３８】
前記アクションを進行させる前記要求の前記インジケーションと、前記アクションに関する前記情報と、前記要求装置の前記インジケーションとを前記ディスプレイユニット上に同時に表示有効化することが、前記アクションを進行させる前記要求を受信することに応答している、請求項１３６又は１３７に記載の認証装置。
【請求項１３９】
前記認証装置が、前記アクションを進行させる許可の前記要求に応答する前記入力に応答するように構成されたハードウェアを有し、前記要求装置が前記ハードウェアを有さない、請求項１３６又は１３７に記載の認証装置。
【請求項１４０】
前記アクションが決済トランザクションを進行させ、前記処理ユニットが、
決済情報を生成し、
前記アクションを進行させる許可の前記要求に応答する前記入力が、前記アクションを進行させることを許可された入力と一致するとの前記認証装置の判定に応答して決済情報を送信する、
ように構成されている、請求項１３６に記載の認証装置。
【請求項１４１】
前記要求装置の前記インジケーションが前記要求装置のグラフィカルな表現を含む、請求項１３６又は１３７に記載の認証装置。
【請求項１４２】
前記認証装置が、前記アクションを進行させる許可の前記要求に応答する前記入力を受信している時にはロック状態であり、前記処理ユニットが、
前記アクションを進行させる許可の前記要求に応答する前記入力が、前記アクションを進行させることを許可された入力と一致するとの前記認証装置の判定に応答して、
前記アクションを進行させる前記要求への前記応答であって、前記アクションを進行させる前記要求への前記応答が前記入力に基づいている、前記応答を前記認証装置が送信している間は、前記認証装置を前記ロック状態に維持する、
ように構成されている、請求項１３６又は１３７に記載の認証装置。
【請求項１４３】
前記要求装置がアカウントを使用してサービスにサインインされ、前記認証装置が前記アカウントを使用して前記サービスにサインインされる、請求項１３６又は１３７に記載の認証装置。
【請求項１４４】
前記認証装置が、前記アクションを進行させる前記要求を受信している時にはロック状態であり、前記処理ユニットが、
前記アクションを進行させる前記要求を受信することに応答して、
前記ディスプレイユニット上に要求通知の表示を有効化し、
前記アクションを進行させる前記要求の前記インジケーション、前記アクションに関する前記情報及び、前記要求装置の前記インジケーションを前記ディスプレイ上に同時に表示有効化する前に、
前記要求通知を有効化する入力を受信し、
前記認証装置をアンロックする許可を要求し、
前記認証装置をアンロックする許可を受信し、
前記認証装置をアンロックする許可を受信することに応答して、
前記認証装置をアンロックする、
ように構成されており、
前記アクションを進行させる前記要求の前記インジケーション、前記アクションに関する前記情報及び、前記要求装置の前記インジケーションを前記ディスプレイユニット上に同時に表示有効化することが、前記認証装置をアンロックする許可を受信することに応答している、請求項１３６又は１３７に記載の認証装置。
【請求項１４５】
前記処理ユニットが、
前記アクションを進行させる前記要求の受信に応用して、
要求通知を前記ディスプレイユニット上に表示有効化し、
前記アクションを進行させる前記要求の前記インジケーション、前記アクションに関する前記情報及び、前記要求装置の前記インジケーションを前記ディスプレイ上に同時に表示有効化する前に、
前記要求通知を有効化する入力を受信する、
ように構成されており、
前記アクションを進行させる前記要求の前記インジケーション、前記アクションに関する前記情報及び、前記要求装置の前記インジケーションを前記ディスプレイユニット上に同時に表示有効化することが、前記要求通知を有効化する入力を受信することに応答している、請求項１３６又は１３７に記載の認証装置。
【請求項１４６】
前記認証装置が、前記アクションを進行させる前記要求を受信している時にはロック状態であり、前記処理ユニットが、
前記アクションを進行させる前記要求の受信に応用して、
要求通知を前記ディスプレイユニット上に表示有効化し、
前記アクションを進行させる前記要求の前記インジケーション、前記アクションに関する前記情報及び、前記要求装置の前記インジケーションを前記ディスプレイユニット上に同時に表示有効化する前に、
前記要求通知を有効化する入力を受信する、
ように構成されており、
前記アクションを進行させる前記要求の前記インジケーション、前記アクションに関する前記情報及び、前記要求装置の前記インジケーションを前記ディスプレイユニット上に同時に表示有効にすることが、前記要求通知を有効化する入力を受信することに応答しており、
前記アクションを進行させる許可の前記要求に応答する前記入力が、前記アクションを進行させることを許可された入力と一致すると判定することが、前記要求装置をアンロック状態へと遷移させない、請求項１３６又は１３７に記載の認証装置。
【請求項１４７】
前記認証装置が、前記アクションを進行させる前記入力を受信している時にはアンロック状態であり、
前記要求装置がハードウェアボタンを有し、
前記アクションを進行させる許可の前記要求に応答する前記入力の受信が、前記アンロック状態の間に前記ハードウェアボタンの二重押しを検出することを含む、請求項１３６又は１３７に記載の認証装置。
【請求項１４８】
前記アクションに関する前記情報が、前記アクションと関連付けられた１つ以上のオプションを含み、前記処理ユニットが、
前記アクションを進行させる前記要求の前記インジケーション、前記アクションに関する前記情報及び、前記要求装置の前記インジケーションを前記ディスプレイユニット上に同時に表示有効化した後に、
前記アクションと関連付けられた前記１つ以上のオプションのうちの少なくとも１つの変更を求めるユーザ入力を受信し、
更新された要求であって、前記更新された要求が、前記アクションと関連付けられた前記１つ以上のオプションのうちの前記少なくとも１つの変更を含む、更新された要求を前記要求装置に送信し
前記更新された要求の受信確認が前記要求装置から受信されていないとのインジケーションを、前記ディスプレイユニット上に表示有効化し、
前記更新された要求の受信確認を前記要求装置から受信し、
前記更新された要求の受信確認を前記要求装置から受信することに応答して、前記更新された要求の前記受信確認が前記要求装置から受信されていないとの前記ディスプレイユニット上での前記インジケーションの表示を終了する、
ように構成されている、請求項１３６又は１３７に記載の認証装置。
【請求項１４９】
前記処理ユニットが、
前記アクションを進行させる前記要求の受信の後、かつ、前記アクションを進行させる許可の前記要求に応答する前記入力の受信の前に、
前記アクションのキャンセルを求める要求を前記要求装置から受信し、
前記アクションのキャンセルを求める前記要求に応答し、かつ、前記アクションを進行させる許可の前記要求に応答する前記入力の受信に従って、
前記アクションを進行させることを取り止める、
ように構成されている、請求項１３６又は１３７に記載の認証装置。
【請求項１５０】
前記処理装置が、
前記アクションを進行させる前記要求の受信の後、かつ、前記アクションを進行させる許可の前記要求に応答する前記入力の受信の前に、
前記アクションのキャンセルを求める要求を前記要求装置から受信し、
前記アクションのキャンセルを求める前記要求に応答して、前記アクションを進行させる許可の前記要求に応答する入力の受信を取り止める、
ように構成されている、請求項１３６又は１３７に記載の認証装置。
【請求項１５１】
前記処理装置が、
前記アクションを進行させる許可の前記要求に応答する前記入力が、前記アクションを進行させることを許可された入力と一致すると前記認証装置において判定された後に、更なる入力をなされることなく、前記アクションを前記認証装置によって進行させる、
ように構成されている、請求項１３６又は１３７に記載の認証装置。
【請求項１５２】
前記処理装置が、
第２のアクションを進行させる第２の要求を受信し、
前記アクションを進行させる前記要求の第２のインジケーション及び前記アクションが成功したか否かのインジケーションを前記ディスプレイ上に同時に表示し、
前記第２のアクションを進行させる前記第２の要求の第３のインジケーション及び前記第２のアクションが成功したか否かのインジケーションを前記ディスプレイ上に同時に表示する、
ように構成されている、請求項１３６又は１３７に記載の認証装置。
【請求項１５３】
前記認証装置が電話であり、前記要求装置がテレビ装置である、請求項１３６又は１３７に記載の認証装置。
【請求項１５４】
前記認証装置が電話であり、前記要求装置がコンピュータである、請求項１３６又は１３７に記載の認証装置。
【請求項１５５】
前記認証装置がウェアラブルな装置であり、前記要求装置がテレビ装置である、請求項１３６又は１３７に記載の認証装置。
【請求項１５６】
前記認証装置がウェアラブルな装置であり、前記要求装置がコンピュータである、請求項１３６又は１３７に記載の認証装置。
【請求項１５７】
前記認証装置の電子財布が、前記認証装置のユーザと関連付けられた１つ以上の支払い口座を含み、前記決済情報が、前記１つ以上の支払い口座のうちの一支払い口座に基づいている、請求項１３６に記載の認証装置。
【請求項１５８】
前記決済トランザクションを進行させることが、前記決済トランザクションを行う決済トランザクションサーバに前記決済情報を送信することを含む、請求項１３６に記載の認証装置。
【発明の詳細な説明】
【技術分野】
【０００１】
（関連出願の相互参照）
本出願は、その内容全体が引用をもってここに援用された、「ＲＥＭＯＴＥ  ＡＵＴＨＯＲＩＺＡＴＩＯＮ  ＴＯ  ＰＲＯＣＥＥＤ  ＷＩＴＨ  ＡＮ  ＡＣＴＩＯＮ」と題する２０１６年５月１９日出願の米国特許仮出願第６２／３３８，９９４号の優先権を主張する。本出願は、その内容全体が引用をもってここに援用された、「ＲＥＭＯＴＥ  ＡＵＴＨＯＲＩＺＡＴＩＯＮ  ＴＯ  ＰＲＯＣＥＥＤ  ＷＩＴＨ  ＡＮ  ＡＣＴＩＯＮ」と題する２０１６年６月９日出願の米国特許仮出願第６２／３４７，８５２号の優先権を主張する。本出願は、その内容全体が引用をもってここに援用された、「ＲＥＭＯＴＥ  ＡＵＴＨＯＲＩＺＡＴＩＯＮ  ＴＯ  ＰＲＯＣＥＥＤ  ＷＩＴＨ  ＡＮ  ＡＣＴＩＯＮ」と題する２０１６年８月１６日出願のデンマーク特許出願第ＰＡ  ２０１６  ７０６２８号の優先権を主張する。本出願は、その内容全体が引用をもってここに援用された、「ＵＳＥＲ  ＩＮＴＥＲＦＡＣＥ  ＦＯＲ  Ａ  ＤＥＶＩＣＥ  ＲＥＱＵＥＳＴＩＮＧ  ＲＥＭＯＴＥ  ＡＵＴＨＯＲＩＺＡＴＩＯＮ」と題する２０１６年９月１９日出願の米国特許非仮出願第１５／２６９，８０１号の優先権を主張する。
[技術分野]
【０００２】
本開示は、概略的にはコンピュータユーザインターフェースに関し、より詳細には、アクションの進行の遠隔許可を管理する技術に関する。
【背景技術】
【０００３】
二要素認証への装置の使用などの、セキュアな情報の記憶及び表示への電子装置の使用が、近年大幅に増加している。例えば、装置がセキュアな値を記憶することが可能である。装置に値をセキュアに記憶することにより、装置がユーザに対して一定レベルのセキュリティを提供する。値はその後、装置のディスプレイに表示され、ユーザが、装置を用いて様々なタスクを実行するために、表示された値を使用することが可能である。
【発明の概要】
【０００４】
アクションの進行の遠隔許可の電子装置を用いた管理方法は、一般に、煩雑で非効率的である。例えば、幾つかの既存の方法においては、複数のキー押下又はキーストロークを含むことのある、複雑で時間のかかるユーザインターフェースを利用する。既存の方法は、必要以上に時間を要し、ユーザの時間と装置のエネルギーを浪費する。後者の問題は、特にバッテリで動作する装置の場合には深刻である。
【０００５】
従って、本願技術は、アクションの進行の遠隔許可を管理するための、より迅速かつより効率的な方法及びインターフェースを有する電子装置を提供する。そのような方法及びインターフェースが、アクションの進行の遠隔許可を管理するためのその他の方法を補うか、又はこれらに代わってもよい。そのような方法及びインターフェースは、ユーザの認識的負担を軽減し、より効率的なヒューマンマシンインターフェースを創出する。バッテリ動作する演算装置の場合には、そのような方法及びインターフェースは、電力を節約し、バッテリ充電の間隔を延長させる。本願技術の幾つかの実施態様においては、そのような技術によって、ユーザが、（例えば第２の装置が第１の装置と同じハードウェア能力を有しない場合に）第２の装置を利用（又はその上でタスクを実行）している間に、第１の装置のハードウェア能力を利用することが可能である。本願技術の幾つかの実施態様においては、本願技術は、親が第１の装置を用いてアクションを遠隔許可することであって、アクションが、親の子供によって第２の装置を用いて（例えば第２の装置のハードウェア能力に関わらず）要求（又は開始）されたものであることを可能にする。本願技術の幾つかの実施形態においては、本願技術が、（例えばセキュアな要素を有さないシステム上でセキュアなデータを生成又は記憶する必要を回避するなど）一定のセキュリティ基準を満たさないシステムへセキュアなデータを配信する必要を回避することによって、一定レベルのセキュリティの維持を助ける。
【０００６】
幾つかの実施形態に従って、方法を記載する。方法が、ディスプレイを有する要求装置で、１つ以上のオプションの選択を受信することと、要求装置で、選択された１つ以上のオプションと関連付けられたアクションを進行させるオプションの選択を受信することと、要求装置によって、アクションを進行させる要求を送信し、要求が選択された１つ以上のオプションに関する情報を含むことと、ディスプレイを有する認証装置によって、アクションを進行させる要求を受信することと、認証装置のディスプレイ上に、アクションを進行させる要求のインジケーション、選択された１つ以上のオプションに関する情報及び、要求装置のインジケーションを同時に表示することと、認証装置のディスプレイ上に、アクションを進行させる許可の要求を表示することと、認証装置で、アクションを進行させる許可の要求に応答する入力を受信することと、認証装置によって、アクションを進行させる要求への応答を送信し、アクションを進行させる要求への応答が、アクションを進行させる許可の要求に応答する入力に基づいていることと、要求装置によって、アクションを進行させる要求への応答を受信することと、アクションを進行させる要求への応答が、認証装置における許可が成功したことを示しているとの要求装置における判定に従って、許可が成功したとのインジケーションを要求装置のディスプレイ上に表示することと、アクションを進行させる要求への応答が、認証装置における許可が成功しなかったことを示しているとの要求装置おける判定に従って、許可が成功しなかったとのインジケーションを要求装置のディスプレイ上に表示することと、を含む。
【０００７】
幾つかの実施形態に従って、ディスプレイを有する要求装置で実行される方法を記載する。方法が、アクションと関連付けられた１つ以上のオプションの選択を受信することと、選択された１つ以上のオプションと関連付けられたアクションを進行させるオプションの選択を受信することと、要求装置から認証装置に、アクションを進行させる要求を送信し、要求が、選択された１つ以上のオプションに関する情報を含み、選択された１つ以上のオプションに関する情報が、認証装置による表示のためのものであることと、認証装置から、アクションを進行させる要求への応答を受信し、アクションを進行させる要求への応答が、認証装置における入力を示していることと、アクションを進行させる要求への応答が、認証装置における許可が成功したことを示しているとの判定に従って、許可が成功したとのインジケーションを、要求装置のディスプレイ上に表示することと、を含む。
【０００８】
幾つかの実施形態に従って、要求装置を記載する。要求装置が、ディスプレイと、１つ以上のプロセッサと、１つ以上のプログラムを記憶しているメモリであって、１つ以上のプログラムが、１つ以上のプロセッサによって実行されるように構成されており、１つ以上のプログラムが、アクションと関連付けられた１つ以上のオプションの選択を受信し、選択された１つ以上のオプションと関連付けられたアクションを進行させるオプションの選択を受信し、要求装置から認証装置に、アクションを進行させる要求を送信し、要求が、選択された１つ以上のオプションに関する情報を含み、選択された１つ以上のオプションに関する情報が、認証装置による表示のためのものであり、認証装置から、アクションを進行させる要求への応答を受信し、アクションを進行させる要求への応答が、認証装置における入力を示し、アクションを進行させる要求への応答が、認証装置における許可が成功したことを示しているとの判定に従って、許可が成功したとのインジケーションを、要求装置のディスプレイ上に表示する命令を有する、メモリと、を有する。
【０００９】
幾つかの実施形態に従って、非一時的なコンピュータ可読記憶媒体を記載する。非一時的なコンピュータ可読記憶媒体が、ディスプレイを有する要求装置の１つ以上のプロセッサによって実行可能な１つ以上のプログラムを記憶しており、１つ以上のプログラムが、アクションと関連付けられた１つ以上のオプションの選択を受信し、選択された１つ以上のオプションと関連付けられたアクションを進行させるオプションの選択を受信し、要求装置から認証装置に、アクションを進行させる要求を送信し、要求が、選択された１つ以上のオプションに関する情報を含み、選択された１つ以上のオプションに関する情報が、認証装置による表示のためのものであり、認証装置から、アクションを進行させる要求への応答を受信し、アクションを進行させる要求への応答が、認証装置における入力を示し、アクションを進行させる要求への応答が、認証装置における許可が成功したことを示しているとの判定に従って、許可が成功したとのインジケーションを要求装置のディスプレイ上に表示する命令を有する。
【００１０】
幾つかの実施形態に従って、一時的なコンピュータ可読記憶媒体を記載する。非一時的なコンピュータ可読記憶媒体が、ディスプレイを有する要求装置の１つ以上のプロセッサによって実行可能な１つ以上のプログラムを記憶しており、１つ以上のプログラムが、アクションと関連付けられた１つ以上のオプションの選択を受信し、選択された１つ以上のオプションと関連付けられたアクションを進行させるオプションの選択を受信し、要求装置から認証装置に、アクションを進行させる要求を送信し、要求が、選択された１つ以上のオプションに関する情報を含み、選択された１つ以上のオプションに関する情報が、認証装置による表示のためのものであり、認証装置から、アクションを進行させる要求への応答を受信し、アクションを進行させる要求への応答が、認証装置における入力を示し、アクションを進行させる要求への応答が、認証装置における許可が成功したことを示しているとの判定に従って、許可が成功したとのインジケーションを、要求装置のディスプレイ上に表示する命令を有する。
【００１１】
幾つかの実施形態に従って、要求装置を記載する。要求装置が、ディスプレイと、アクションと関連付けられた１つ以上のオプションの選択を受信する手段と、選択された１つ以上のオプションと関連付けられたアクションを進行させるオプションの選択を受信する手段と、要求装置から認証装置に、アクションを進行させる要求を送信する手段であって、要求が、選択された１つ以上のオプションに関する情報を含み、選択された１つ以上のオプションに関する情報が、認証装置による表示のためのものである手段と、認証装置から、アクションを進行させる要求への応答を受信する手段であって、アクションを進行させる要求への応答が、認証装置における入力を示す手段と、アクションを進行させる要求への応答が、認証装置における許可が成功したとの判定に従って、許可が成功したとのインジケーションを、要求装置のディスプレイ上に表示する手段と、を有する。
【００１２】
幾つかの実施形態に従って、ディスプレイを有する認証装置で実行される方法を記載する。方法が、要求装置から、アクションを進行させる要求を受信することであって、要求がアクションに関する情報を含み、要求装置及び認証装置の双方が、同じアカウントを使用してサービスにサインインされることと、ディスプレイ上に、アクションを進行させる要求のインジケーション、アクションに関する情報及び、要求装置のインジケーションを同時に表示することと、アクションを進行させる許可の要求を表示することと、アクションを進行させる許可の要求に応答する入力を受信することと、を含む。
【００１３】
幾つかの実施形態に従って、認証装置を記載する。認証装置が、ディスプレイと、１つ以上のプロセッサと、１つ以上のプログラムを記憶しているメモリであって、１つ以上のプログラムが、１つ以上のプロセッサによって実行されるように構成されており、１つ以上のプログラムが、要求装置からアクションを進行させる要求を受信し、要求が、アクションに関する情報を含み、要求装置及び認証装置の双方が、同じアカウントを使用してサービスにサインインされ、ディスプレイ上に、アクションを進行させる要求のインジケーション、アクションに関する情報及び、要求装置のインジケーションを同時に表示し、アクションを進行させる許可の要求を表示し、アクションを進行させる許可の要求に応答する入力を受信する命令を有するメモリと、を有する。
【００１４】
幾つかの実施形態に従って、非一時的なコンピュータ可読記憶媒体を記載する。非一時的なコンピュータ可読記憶媒体が、ディスプレイを有する認証装置の１つ以上のプロセッサによって実行可能な１つ以上のプログラムを記憶しており、１つ以上のプログラムが、要求装置から、アクションを進行させる要求を受信し、要求が、アクションに関する情報を含み、要求装置及び認証装置の双方が、同じアカウントを使用してサービスにサインインされ、ディスプレイ上に、アクションを進行させる要求のインジケーション、アクションに関する情報及び、要求装置のインジケーションを同時に表示し、アクションを進行させる許可の要求を表示し、アクションを進行させる許可の要求に応答する入力を受信する命令を有する。
【００１５】
幾つかの実施形態に従って、一時的なコンピュータ可読記憶媒体を記載する。非一時的なコンピュータ可読記憶媒体が、ディスプレイを有する認証装置の１つ以上のプロセッサによって実行可能な１つ以上のプログラムを記憶しており、１つ以上のプログラムが、要求装置から、アクションを進行させる要求を受信し、要求が、アクションに関する情報を含み、要求装置及び認証装置の双方が、同じアカウントを使用してサービスにサインインされ、ディスプレイ上に、アクションを進行させる要求のインジケーション、アクションに関する情報及び、要求装置のインジケーションを同時に表示し、アクションを進行させる許可の要求を表示し、アクションを進行させる許可の要求に応答する入力を受信する命令を有する。
【００１６】
幾つかの実施形態に従って、認証装置を記載する。認証装置が、ディスプレイと、要求装置から、アクションを進行させる要求を受信する手段であって、要求がアクションに関する情報を含み、要求装置及び認証装置の双方が、同じアカウントを使用してサービスにサインインされる手段と、ディスプレイ上に、アクションを進行させる要求のインジケーション、アクションに関する情報及び、要求装置のインジケーションを同時に表示する手段と、アクションを進行させる許可の要求を表示する手段と、アクションを進行させる許可の要求に応答する入力を受信する手段と、を備えている。
【００１７】
幾つかの実施形態に従って、要求装置を記載する。要求装置が、ディスプレイユニットと、ディスプレイユニットに結合された処理ユニットとを備えている。処理ユニットが、アクションと関連付けられた１つ以上のオプションの選択を受信し、選択された１つ以上のオプションと関連付けられたアクションを進行させるオプションの選択を受信し、要求装置から認証装置に、アクションを進行させる要求を送信し、要求が選択された１つ以上のオプションに関する情報を含み、選択された１つ以上のオプションに関する情報が、認証装置による表示のためのものであり、認証装置から、アクションを進行させる要求への応答を受信し、アクションを進行させる要求への応答が、認証装置における入力を示し、アクションを進行させる要求への応答が、認証装置における許可が成功したことを示しているとの判定に従って、許可が成功したとのインジケーションを、要求装置のディスプレイ上に表示するように構成されている。
【００１８】
幾つかの実施形態に従って、認証装置を記載する。認証装置が、ディスプレイユニットと、ディスプレイユニットに結合された処理ユニットとを備えている。処理ユニットが、要求装置からアクションを進行させる要求を受信し、要求がアクションに関する情報を含み、要求装置及び認証装置の双方が、同じアカウントを使用してサービスにサインインされ、ディスプレイユニット上に、アクションを進行させる要求のインジケーション、アクションに関する情報及び、要求装置のインジケーションを同時に表示させ、アクションを進行させる許可の要求を表示させ、アクションを進行させる許可の要求に応答する入力を受信するように構成されている。
【００１９】
これらの機能を実行する実行可能な命令が、１つ以上のプロセッサによって実行されるように構成された非一時的なコンピュータ可読記憶媒体又はその他のコンピュータプログラム製品に含まれてもよい。これらの機能を実行する実行可能な命令が、１つ以上のプロセッサによって実行されるように構成された一時的なコンピュータ可読記憶媒体又はその他のコンピュータプログラム製品に含まれてもよい。
【００２０】
このように、アクションの進行の遠隔許可を管理するための、より迅速かつより効率的な方法及びインターフェースを装置が備えていることにより、そのような装置の有効性、効率及びユーザの満足度が向上する。そのような方法及びインターフェースが、アクションの進行の遠隔許可を管理するためのその他の方法を補うか、又はこれに代わってもよい。
【図面の簡単な説明】
【００２１】
記載された様々な実施形態は、以下の実施例の説明を添付の図面と組み合わせて参考にすることにより、より十二分に理解されるであろう。の図面において、複数の図面を通じ、同様の参照番号は対応する部品を言及するものである。
【００２２】
【図１Ａ】幾つかの実施例に基づくタッチ感知ディスプレイを有するポータブル多機能装置を図示したブロック図である。
【００２３】
【図１Ｂ】幾つかの実施例に基づくイベント処理のための複数の例示的な構成要素を図示したブロック図である。
【００２４】
【図２】幾つかの実施例に基づくタッチスクリーンを有するポータブル多機能装置を図示したものである。
【００２５】
【図３】幾つかの実施例に基づくディスプレイ及びタッチ感知表面を有する例示的な多機能装置のブロック図である。
【００２６】
【図４Ａ】幾つかの実施例に基づくポータブル多機能装置上のアプリケーションのメニューのための例示的なユーザインターフェースを図示したものである。
【００２７】
【図４Ｂ】幾つかの実施例に基づくディスプレイと別体のタッチ感知表面を有する多機能装置のための例示的なユーザインターフェースを図示したものである。
【００２８】
【図５Ａ】幾つかの実施例に基づくパーソナル電子装置を図示したものである。
【００２９】
【図５Ｂ】幾つかの実施例に基づくパーソナル電子装置を図示したブロック図である。
【００３０】
【図５Ｃ】幾つかの実施例に基づくタッチ感知ディスプレイ及び強度センサを有するパーソナル電子装置の複数の例示的な構成要素を図示したものである。
【図５Ｄ】幾つかの実施例に基づくタッチ感知ディスプレイ及び強度センサを有するパーソナル電子装置の複数の例示的な構成要素を図示したものである。
【００３１】
【図５Ｅ】幾つかの実施例に基づくパーソナル電子装置の複数の例示的な構成要素及びユーザインターフェースを図示したものである。
【図５Ｆ】幾つかの実施例に基づくパーソナル電子装置の複数の例示的な構成要素及びユーザインターフェースを図示したものである。
【図５Ｇ】幾つかの実施例に基づくパーソナル電子装置の複数の例示的な構成要素及びユーザインターフェースを図示したものである。
【図５Ｈ】幾つかの実施例に基づくパーソナル電子装置の複数の例示的な構成要素及びユーザインターフェースを図示したものである。
【００３２】
【図６】幾つかの実施例に基づく決済トランザクションを完了させる１つ以上の通信チャネルを介して接続された複数の例示的な装置を図示したものである。
【００３３】
【図７Ａ】幾つかの実施例に基づくアクションの進行の遠隔許可を管理するための複数の例示的なユーザインターフェースを図示したものである。
【図７Ｂ】幾つかの実施例に基づくアクションの進行の遠隔許可を管理するための複数の例示的なユーザインターフェースを図示したものである。
【図７Ｃ】幾つかの実施例に基づくアクションの進行の遠隔許可を管理するための複数の例示的なユーザインターフェースを図示したものである。
【図７Ｄ】幾つかの実施例に基づくアクションの進行の遠隔許可を管理するための複数の例示的なユーザインターフェースを図示したものである。
【図７Ｅ】幾つかの実施例に基づくアクションの進行の遠隔許可を管理するための複数の例示的なユーザインターフェースを図示したものである。
【図７Ｆ】幾つかの実施例に基づくアクションの進行の遠隔許可を管理するための複数の例示的なユーザインターフェースを図示したものである。
【図７Ｇ】幾つかの実施例に基づくアクションの進行の遠隔許可を管理するための複数の例示的なユーザインターフェースを図示したものである。
【図７Ｈ】幾つかの実施例に基づくアクションの進行の遠隔許可を管理するための複数の例示的なユーザインターフェースを図示したものである。
【図７Ｉ】幾つかの実施例に基づくアクションの進行の遠隔許可を管理するための複数の例示的なユーザインターフェースを図示したものである。
【図７Ｊ】幾つかの実施例に基づくアクションの進行の遠隔許可を管理するための複数の例示的なユーザインターフェースを図示したものである。
【図７Ｋ】幾つかの実施例に基づくアクションの進行の遠隔許可を管理するための複数の例示的なユーザインターフェースを図示したものである。
【図７Ｌ】幾つかの実施例に基づくアクションの進行の遠隔許可を管理するための複数の例示的なユーザインターフェースを図示したものである。
【００３４】
【図８Ａ】幾つかの実施例に基づくアクションの進行の遠隔許可を管理するための複数の例示的なユーザインターフェースを図示したものである。
【図８Ｂ】幾つかの実施例に基づくアクションの進行の遠隔許可を管理するための複数の例示的なユーザインターフェースを図示したものである。
【図８Ｃ−１】幾つかの実施例に基づくアクションの進行の遠隔許可を管理するための複数の例示的なユーザインターフェースを図示したものである。
【図８Ｃ−２】幾つかの実施例に基づくアクションの進行の遠隔許可を管理するための複数の例示的なユーザインターフェースを図示したものである。
【図８Ｄ】幾つかの実施例に基づくアクションの進行の遠隔許可を管理するための複数の例示的なユーザインターフェースを図示したものである。
【図８Ｅ】幾つかの実施例に基づくアクションの進行の遠隔許可を管理するための複数の例示的なユーザインターフェースを図示したものである。
【図８Ｆ】幾つかの実施例に基づくアクションの進行の遠隔許可を管理するための複数の例示的なユーザインターフェースを図示したものである。
【図８Ｇ】幾つかの実施例に基づくアクションの進行の遠隔許可を管理するための複数の例示的なユーザインターフェースを図示したものである。
【図８Ｈ】幾つかの実施例に基づくアクションの進行の遠隔許可を管理するための複数の例示的なユーザインターフェースを図示したものである。
【図８Ｉ】幾つかの実施例に基づくアクションの進行の遠隔許可を管理するための複数の例示的なユーザインターフェースを図示したものである。
【図８Ｊ】幾つかの実施例に基づくアクションの進行の遠隔許可を管理するための複数の例示的なユーザインターフェースを図示したものである。
【図８Ｋ】幾つかの実施例に基づくアクションの進行の遠隔許可を管理するための複数の例示的なユーザインターフェースを図示したものである。
【図８Ｌ】幾つかの実施例に基づくアクションの進行の遠隔許可を管理するための複数の例示的なユーザインターフェースを図示したものである。
【図８Ｍ】幾つかの実施例に基づくアクションの進行の遠隔許可を管理するための複数の例示的なユーザインターフェースを図示したものである。
【００３５】
【図９Ａ】幾つかの実施例に基づくアクションの進行の遠隔許可を管理する方法を図示したフロー図である。
【図９Ｂ】幾つかの実施例に基づくアクションの進行の遠隔許可を管理する方法を図示したフロー図である。
【図９Ｃ】幾つかの実施例に基づくアクションの進行の遠隔許可を管理する方法を図示したフロー図である。
【図９Ｄ】幾つかの実施例に基づくアクションの進行の遠隔許可を管理する方法を図示したフロー図である。
【００３６】
【図１０Ａ】幾つかの実施例に基づくアクションの進行の遠隔許可を管理する方法を図示したフロー図である。
【図１０Ｂ】幾つかの実施例に基づくアクションの進行の遠隔許可を管理する方法を図示したフロー図である。
【００３７】
【図１１】幾つかの実施例に基づくアクションの進行の遠隔許可を管理するための方法を図示したフロー図である。
【００３８】
【図１２】幾つかの実施例に基づく電子要求装置の機能ブロック図である。
【００３９】
【図１３】幾つかの実施例に基づく電子認証装置の機能ブロック図である。
【００４０】
【図１４】幾つかの実施例に基づく電子要求装置の機能ブロック図である。
【００４１】
【図１５】幾つかの実施例に基づく電子認証装置の機能ブロック図である。
【発明を実施するための形態】
【００４２】
以下の説明は、複数の例示的な方法やパラメータ等を記載したものである。そのような説明が、本開示の範囲を限定することを意図しているのではなく、複数の例示的な実施例の説明として記載されていることが理解されるべきである。
【００４３】
アクションの進行の遠隔許可を管理するための効率的な方法及びインターフェースを提供する電子装置が必要とされている。一例として、ユーザが使用しているパーソナルラップトップコンピュータが、ラップトップコンピュータと遠隔サーバとの間にセキュアなネットワーク接続を作成するなどのアクションを実行するために使用される、例えばトークンなどのセキュアな値を生成できない一方で、ユーザのパーソナルスマートフォンが、セキュアなネットワーク接続の作成に使用されるトークンを生成することが可能である場合がある。ユーザは、セキュアなネットワーク接続の作成に使用されるトークンを遠隔サーバ又はパーソナルラップトップコンピュータに送信するパーソナルスマートフォン装置を含んでもよいパーソナルスマートフォン装置を使用して、アクションの進行を遠隔許可することが可能である。別の一例においては、ユーザが使用しているパーソナルラップトップコンピュータが、決済トランザクションなどのアクションを実行するのに使用される決済情報を生成できない一方で、ユーザのパーソナルスマートフォンが、決済トランザクションに使用される決済情報を生成することが可能である場合がある。ユーザは、決済トランザクションに使用される決済情報を遠隔サーバ又はパーソナルラップトップコンピュータに送信するパーソナルスマートフォン装置を含んでもよいパーソナルスマートフォン装置を使用して、決済トランザクションの進行を遠隔許可することが可能である。そのような技術は、アクションの進行の遠隔許可を利用するユーザの認識的負担を軽減することにより、生産性を向上させることが可能である。また、そのような技術は、ユーザ入力が冗長であれば浪費されてしまうプロセッサ及びバッテリの電力を節約することが可能である。
【００４４】
以下のように、図１Ａ〜図１Ｂ、図２、図３、図４Ａ〜図４Ｂ、図５Ａ〜図５Ｈ及び図６に、アクションの進行の遠隔許可を管理する技術を実行するための複数の例示的な装置を記載する。図６は、幾つかの実施例に基づく、決済トランザクションを完了させるために１つ以上の通信チャネルを介して接続されている複数の例示的な装置を図示している。図７Ａ〜図７Ｌは、セキュアなネットワーク接続を作成する遠隔許可を管理するための複数の例示的なユーザインターフェースを図示している。図８Ａ〜図８Ｍは、決済トランザクションの進行の遠隔許可を管理するための複数の例示的なユーザインターフェースを図示している。図９〜図１１は、アクションの進行の遠隔許可を管理する複数の方法を図示したフロー図である。図７Ａ〜図７Ｌのユーザインターフェースは、図９〜図１１のプロセスを含む、以下に記載のプロセスを説明するために使用される。図８Ａ〜図８Ｍのユーザインターフェースは、図９〜図１１のプロセスを含む、以下に記載のプロセスを説明するために使用される。
【００４５】
以下の記載において、「第１の」、「第２の」などの用語を様々な構成要素の記載に使用しているが、これらの構成要素がこれらの用語によって限定されるべきではない。これらの用語は、１つの構成要素を別の構成要素と区別するためにのみ使用される。例えば、記載された様々な実施例の範囲から逸脱することなく、第１のタッチが第２のタッチと呼ばれてもよく、また同様に、第２のタッチが第１のタッチと呼ばれてもよい。第１のタッチ及び第２のタッチは、双方ともにタッチであるが、同じタッチではない。
【００４６】
ここで記載された様々な実施例を説明するために用いられる用語は、特定の実施例を説明することのみを目的としており、限定的であることは意図されていない。記載された様々な実施例及び添付の請求項の説明に使用される単数形「ａ」、「ａｎ」及び「ｔｈｅ」は、別段の明示がなされていない限り、複数形をも包含することを意図されている。ここで使用される「及び／又は」という用語も、これによって結合された複数の要素のうちの１つ以上の任意の及び全ての組み合わせを包含するものとして理解されるであろう。本明細書中で使用される「を有する」、「を含む」、「を備える」及び／又は「を備えた」という用語は、記載された特徴、整数、ステップ、動作、要素及び／又は部品の存在を明示するが、１つ以上のその他の特徴、整数、ステップ、動作、要素、部品及び／又はこれらの群を排除するものではないことも、更に理解されるであろう。
【００４７】
「場合には」という用語は、文脈に応じて、「時に」、「すると」、「との判定に応答して」又は「の検出に応答して」を意味するものとして解釈されてもよい。同様に、「と判定された場合には」又は「（所定の状態又はイベント）が検出された場合には」という句は、文脈に応じて、「と判定されると」、「との判定に応答して」、「（所定の状態又はイベント）を検出すると」又は「（所定の状態又はイベント）の検出に応答して」を意味するものとして解釈されてもよい。
【００４８】
電子装置、そのような電子装置のためのユーザインターフェース及びそのような装置を使用するための関連するプロセスの複数の実施例を記載する。幾つかの実施例においては、装置が、ＰＤＡ及び／又は音楽プレーヤ機能などのその他の機能も有する、携帯電話などのポータブル通信装置である。ポータブル多機能装置の実施例に、カリフォルニア州クパティーノのＡｐｐｌｅ社製のｉＰｈｏｎｅ（登録商標）、ｉＰｏｄ  Ｔｏｕｃｈ（登録商標）及びｉＰａｄ（登録商標）装置が非限定的に含まれる。（タッチスクリーンディスプレイ及び／又はタッチパッドなどの）タッチ感知表面を有するラップトップ又はタブレットコンピュータその他のポータブル電子装置が使用されてもよい。幾つかの実施例においては、装置がポータブル通信装置ではなく、（タッチスクリーンディスプレイ及び／又はタッチパッドなどの）タッチ感知表面を有するデスクトップコンピュータであることが理解されるべきである。
【００４９】
ディスプレイ及びタッチ感知表面を有する電子装置を以下に記載する。電子装置が、物理キーボード、マウス及び／又はジョイスティックなどの１つ以上のその他の物理ユーザインターフェース装置を有してもよいことが理解されるべきである。
【００５０】
装置は典型的に、描画アプリケーション、プレゼンテーションアプリケーション、ワードプロセッシングアプリケーション、ウェブサイト作成アプリケーション、ディスクオーサリングアプリケーション、スプレッドシートアプリケーション、ゲームアプリケーション、電話アプリケーション、テレビ会議アプリケーション、電子メールアプリケーション、インスタントメッセージングアプリケーション、トレーニングサポートアプリケーション、写真管理アプリケーション、デジタルカメラアプリケーション、デジタルビデオカメラアプリケーション、ウェブブラウジングアプリケーション、デジタル音楽プレーヤアプリケーション及び／又はデジタルビデオプレーヤアプリケーションのうちの１つ以上などの様々なアプリケーションに対応している。
【００５１】
装置上で実行される様々なアプリケーションが、タッチ感知表面などの少なくとも１つの共通の物理ユーザインターフェース装置を使用してもよい。タッチ感知画面の１つ以上の機能及び装置上に表示される対応する情報が、１つのアプリケーションと次のアプリケーションとの間で、及び／又は１つのアプリケーション内で調整及び／又は変更されてもよい。このように、装置の（タッチ感知表面などの）共通の物理アーキテクチャが、ユーザにとって直観的かつ透過的なユーザインターフェースによって、様々なアプリケーションに対応していてもよい。
【００５２】
タッチ感知ディスプレイを有するポータブル装置の複数の実施例を以下に記載する。図１Ａは、幾つかの実施例に基づくタッチ感知ディスプレイシステム１１２を有するポータブル多機能装置１００を図示したブロック図である。タッチ感知ディスプレイ１１２は、便宜上、「タッチスクリーン」と呼ばれる場合があり、また「タッチ感知ディスプレイシステム」として知られているか又は呼ばれる場合もある。装置１００が、（１つ以上のコンピュータ可読記憶媒体を有してもよい）メモリ１０２、メモリコントローラ１２２、１つ以上の処理ユニット（ＣＰＵ）１２０、周辺機器インターフェース１１８、ＲＦ回路１０８、オーディオ回路１１０、スピーカ１１１、マイクロフォン１１３、入力／出力（Ｉ／Ｏ）サブシステム１０６、その他の入力制御装置１１６及び外部ポート１２４を有する。装置１００が、１つ以上の光学センサ１６４を有してもよい。装置１００が、装置１００への接触の強度を検出するための（例えば装置１００のタッチ感知ディスプレイシステム１１２などのタッチ感知表面などの）１つ以上の接触強度センサ１６５を有してもよい。装置１００が、（例えば装置１００のタッチ感知ディスプレイシステム１１２又は装置３００のタッチパッド３５５などのタッチ感知表面上に触知出力を生成するなどの）触知出力を生成するための１つ以上の触知出力生成器１６７を有してもよい。これらの構成要素が、１つ以上の通信バス又は信号ライン１０３を介して通信を行ってもよい。
【００５３】
本明細書及び請求項で使用される、タッチ感知表面への接触の「強度」という用語は、タッチ感知表面への（指接触などの）接触の力又は圧力（単位面積当たりの力）或いはタッチ感知表面への接触の力又は圧力の代替物（代替値）を指す。接触の強度は、少なくとも４つの異なる値を含み、より典型的には（少なくとも２５６などの）数百の値を含む、ある範囲の複数の値を有する。接触の強度を、様々な手法並びに様々なセンサ又は複数のセンサの組み合わせを用いて判定（又は測定）してもよい。例えば、タッチ感知表面の下の、又はこれに隣接する１つ以上の力センサを、タッチ感知表面上の様々な点における力の測定に使用してもよい。幾つかの実施例においては、複数の力センサからの力測定結果を（加重平均するなど）組み合わせて、接触の推定強度を求めてもよい。同様に、スタイラスの感圧先端を使用して、スタイラスのタッチ感知表面への圧力を求めてもよい。或いは、タッチ感知表面上で検出された接触領域の大きさ及び／又はその変化、接触に近接するタッチ感知表面のキャパシタンス及び／又はその変化、並びに／或いは接触に近接するタッチ感知表面の抵抗及び／又はその変化を、タッチ感知表面への接触の力又は圧力の代替物として使用してもよい。幾つかの実施例においては、（例えば強度しきい値が代替測定値に対応する単位で表されているなど）接触の力又は圧力の代替測定値を、強度しきい値を超えているか否かを判定するために直接に使用してもよい。幾つかの実施例においては、（例えば強度しきい値が圧力単位で測定された圧力しきい値であるなど）接触の力又は圧力の代替測定値を、推定された力又は圧力に変換し、推定された力又は圧力を、強度しきい値を超えているか否かの判定に使用してもよい。接触の強度をユーザ入力の属性として使用することで、そうでなければ（タッチ感知ディスプレイ上などに）アフォーダンスを表示するための、及び／又は（タッチ感知ディスプレイ、タッチ感知表面或いはつまみ又はボタンなどの物理的／機械的な制御を介して）ユーザ入力を受け取るための場所が限られている小型の装置上では利用することができない更なる機能を、ユーザが利用することが可能となる。
【００５４】
本明細書及び請求項で使用される「触知出力」という用語は、ユーザが自身の触知によって感知される、装置の以前の位置と比較した装置の物理的変位、装置の（ハウジングなどの）別の一構成要素と比較した装置の（タッチ感知表面などの）一構成要素の物理的変位、又は装置の質量中心と比較した構成要素の変位を指す。例えば、装置又は装置の構成要素が、（指、掌又はその他のユーザの手の部分などの）タッチを感知するユーザの表面と接触している状況において、物理的な変位によって生成された触知出力が、ユーザによって、装置又は装置の構成要素の物理的特性の知覚された変化に対応する触知できる感覚として解釈されてもよい。例えば、（タッチ感知ディスプレイ又はトラックパッドなどの）タッチ感知表面の動きが、ユーザによって、物理アクチュエータボタンの「下クリック」又は「上クリック」として解釈されてもよい。幾つかの場合においては、ユーザは、ユーザの動きによって物理的に（変位されるなど）押下される、タッチ感知表面と関連付けられた物理アクチュエータボタンの動きがない場合であっても、「下クリック」又は「上クリック」などの触知できる感覚を感じる。別の一例として、タッチ感知表面の滑らかさに変化がない場合であっても、タッチ感知表面の動きが、ユーザによってタッチ感知表面の「粗さ」として解釈されるか又は感じられてもよい。ユーザによるタッチのそのような解釈は、ユーザの個人的な感覚的認識に左右されうるが、大多数のユーザに共通するタッチの感覚的認識が数多く存在する。従って、ある触知出力が（「上クリック」、「下クリック」、「粗さ」などの）ユーザの特定の感覚的認識に対応するものとして記載されている場合には、別段に指定しない限り、生成された触知出力は、典型的な（又は平均的な）ユーザの上述の感覚的認識を生成する装置又は装置の構成要素の物理的変位に対応する。
【００５５】
装置１００はポータブル多機能装置の単なる一例であり、装置１００が、図示されているよりも多いか又は少ない構成要素を有するか、２つ以上の構成要素を組み合わせたものであるか、或いは異なる構成又は配置の複数の構成要素を有してもよいことが理解されるべきである。図１Ａに示す様々な構成要素は、１つ以上の信号処理及び／又はアプリケーション専用集積回路を含むハードウェア、ソフトウェア又はハードウェアとソフトウェアとの組み合わせとして具現化されている。
【００５６】
メモリ１０２が、高速ランダムアクセスメモリを有してもよく、また、１つ以上の磁気ディスク記憶装置、フラッシュメモリ装置又はその他の不揮発性のソリッドステートメモリ装置などの不揮発性のメモリを有してもよい。メモリコントローラ１２２が、装置１００のその他の構成要素によるメモリ１０２へのアクセスを制御してもよい。
【００５７】
周辺機器インターフェース１１８を、装置の入力及び出力周辺機器をＣＰＵ１２０及びメモリ１０２に結合するために使用してもよい。１つ以上のプロセッサ１２０が、メモリ１０２内に記憶されている様々なソフトウェアプログラム及び／又は命令セットをラン又は実行して、装置１００のための様々な機能を実行し、データを処理する。幾つかの実施例においては、周辺機器インターフェース１１８、ＣＰＵ１２０及びメモリコントローラ１２２が、チップ１０４などの単一のチップ上に実装されていてもよい。別の幾つかの実施例においては、これらが複数の異なるチップ上に実装されていてもよい。
【００５８】
ＲＦ（高周波）回路１０８が、電磁信号とも呼ばれるＲＦ信号を受信及び送信する。ＲＦ回路１０８は、電気信号を電磁信号に、及び電磁信号を電気信号に変換し、電磁信号によって通信ネットワーク及びその他の通信装置と通信を行う。ＲＦ回路１０８が、アンテナシステム、ＲＦ送受信機、１つ以上の増幅器、チューナ、１つ以上の発振器、デジタル信号プロセッサ、ＣＯＤＥＣチップセット、加入者識別モジュール（ＳＩＭ）カード、メモリなどを非限定的に含む、これらの機能を実行するための周知の回路を有してもよい。ＲＦ回路１０８が、ワールドワイドウェブ（World Wide Web）とも呼ばれるインターネット、イントラネット及び／又は、携帯電話ネットワーク、無線ローカルエリアネットワーク（ＬＡＮ）及び／又はメトロポリタンエリアネットワーク（ＭＡＮ）などの無線ネットワークなどのネットワーク及びその他の装置と、無線通信による通信を行ってもよい。ＲＦ回路１０８が、近距離通信電波などによる近距離通信（ＮＦＣ）フィールドを検出するための周知の回路を有してもよい。無線通信が、移動通信用のグローバルシステム（ＧＳＭ）、拡張データＧＳＭ環境（ＥＤＧＥ）、高速ダウンリンクパケットアクセス（ＨＳＤＰＡ）、高速アップリンクパケットアクセス（ＨＳＵＰＡ）、エボリューション・データ・オンリー（ＥＶ−ＤＯ）、ＨＳＰＡ、ＨＳＰＡ＋、デュアルセルＨＳＰＡ（ＤＣ−ＨＳＰＤＡ）、ロングタームエボリューション（ＬＴＥ）、近距離通信（ＮＦＣ）、広帯域符号分割多元接続（Ｗ−ＣＤＭＡ）、符号分割多元接続（ＣＤＭＡ）、時分割多元接続（ＴＤＭＡ）、Ｂｌｕｅｔｏｏｔｈ（登録商標）、Ｂｌｕｅｔｏｏｔｈ（登録商標）Ｌｏｗ  Ｅｎｅｒｇｙ（ＢＴＬＥ）、（ＩＥＥＥ８０２．１１ａ、ＩＥＥＥ８０２．１１ｂ、ＩＥＥＥ８０２．１１ｇ、ＩＥＥＥ８０２．１１ｎ及び／又はＩＥＥＥ８０２．１１ａｃなどの）ワイヤレスフィデリティ（Ｗｉ−Ｆｉ）、ボイスオーバー・インターネット・プロトコル（ＶｏＩＰ）、Ｗｉ−ＭＡＸ、（インターネットメッセージプロトコル（ＩＭＡＰ）及び／又はポストオフィスプロトコル（ＰＯＰ）などの）電子メール用プロトコル、（拡張可能なメッセージング及びプレゼンスプロトコル（ＸＭＰＰ）などの）インスタントメッセージング、インスタントメッセージング及びプレゼンスイベントパッケージのためのセッション開始プロトコル（ＳＩＭＰＬＥ）、インスタントメッセージング及びプレゼンスサービス（ＩＭＰＳ）及び／又はショートメッセージサービス（ＳＭＳ）或いは、本願出願時にはまだ開発されていない通信プロトコルを含む任意のその他の好適な通信プロトコルを非限定的に含む通信規格、プロトコル及び技術のいずれを使用してもよい。
【００５９】
オーディオ回路１１０、スピーカ１１１及びマイクロフォン１１３が、ユーザと装置１００との間のオーディオインターフェースを構成する。オーディオ回路１１０は、周辺機器１１８からオーディオデータを受信し、オーディオデータを電気信号へと変換し、電気信号をスピーカ１１１へと送信する。スピーカ１１１は、電気信号を人が聴くことの可能な音波へと変換する。オーディオ回路１１０はまた、マイクロフォン１１３によって音波から変換された電気信号を受信する。オーディオ回路１１０は、電気信号をオーディオデータへと変換し、オーディオデータを処理のために周辺機器１１８へと送信する。オーディオデータが、周辺機器インターフェース１１８によってメモリ１０２及び／又はＲＦ回路１０８との間で送受信されてもよい。幾つかの実施例においては、オーディオ回路１１０が（図２の２１２などの）ヘッドセットジャックを更に有する。ヘッドセットジャックは、オーディオ回路１１０と、出力専用ヘッドホン又は（片耳又は両耳用のヘッドホンなどの）出力及び（マイクロフォンなどの）入力の双方を備えたヘッドセットなどの着脱可能なオーディオ入力／出力周辺機器との間のインターフェースを構成する。
【００６０】
Ｉ／Ｏサブシステム１０６が、タッチスクリーン１１２及びその他の入力制御装置１１６などの装置１００上の入力／出力周辺機器を、周辺機器１１８と結合させる。Ｉ／Ｏサブシステム１０６が、ディスプレイコントローラ１５６、光学センサコントローラ１５８、強度センサコントローラ１５９、触知フィードバックコントローラ１６１及び、その他の入力又は制御装置のための１つ以上の入力コントローラ１６０を含んでもよい。１つ以上の入力コントローラ１６０は、他の入力制御装置１１６との間で電気信号を送受信する。他の入力制御装置１１６が、（プッシュボタン、ロッカボタンなどの）物理ボタン、ダイアル、スライダスイッチ、ジョイスティック、クリックホイールなどを含んでもよい。幾つかの代替的な実施例においては、入力コントローラ１６０が、キーボード、赤外線ポート、ＵＳＢポート及びマウスなどのポインタ装置のうちのいずれかに結合されていてもよいし、結合されていなくてもよい。（図２の２０８などの）１つ以上のボタンが、スピーカ１１１及び／又はマイクロフォン１１３の音量調節のための上／下ボタンを含んでもよい。１つ以上のボタンが、（図２の２０６などの）プッシュボタンを含んでもよい。
【００６１】
プッシュボタンを素早く押すことが、タッチスクリーン１１２のロックを解除するか、又は、その内容全体が引用をもってここに援用された「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」と題する２００５年１２月２３日出願の米国特許出願第１１／３２２，５４９号（米国特許第７，６５７，８４９号）に記載されているように、タッチスクリーン上でのジェスチャを使用して装置を解除するプロセスを開始してもよい。（２０６などの）プッシュボタンの長押しが、装置１００の電源をオン又はオフに切り換えてもよい。１つ以上のボタンの機能が、ユーザによりカスタマイズ可能であってもよい。タッチスクリーン１１２が、仮想ボタン又はソフトボタン並びに１つ以上のソフトキーボードの具現化に使用される。
【００６２】
タッチ感知ディスプレイ１１２は、装置とユーザとの間に入力インターフェース及び出力インターフェースを構成する。ディスプレイコントローラ１５６が、タッチスクリーン１１２との間で電気信号を受信及び／又は送信する。タッチスクリーン１１２は、ユーザに対して視覚出力を表示する。視覚出力が、グラフィック、テキスト、アイコン、ビデオ及び（総称して「グラフィック」と呼ばれる）これらの任意の組み合わせを含んでもよい。幾つかの実施例においては、視覚出力の一部又は全てが、ユーザインターフェースオブジェクトに対応していてもよい。
【００６３】
タッチスクリーン１１２が、触知及び／又は触知接触に基づいてユーザからの入力を受けるタッチ感知表面、センサ又はセンサセットを有する。タッチスクリーン１１２及びディスプレイコントローラ１５６が、（任意の関連付けられたモジュール及び／又はメモリ１０２内の命令セットと共に）タッチスクリーン１１２への接触（及び接触の任意の動き又は中断）を検出し、検出された接触を、タッチスクリーン１１２上に表示される（１つ以上のソフトキー、アイコン、ウェブページ又は画像などの）ユーザインターフェースオブジェクトとの対話へと変換する。一実施例においては、タッチスクリーン１１２とユーザとの接触点が、ユーザの指に対応している。
【００６４】
タッチスクリーン１１２が、ＬＣＤ（液晶ディスプレイ）技術、ＬＰＤ（発光ポリマーディスプレイ）技術又はＬＥＤ（発光ダイオード）技術を使用してもよいが、その他のディスプレイ技術もその他の複数の実施例において使用される。タッチスクリーン１１２及びディスプレイコントローラ１５６が、タッチスクリーン１１２との１つ以上の接触点を測定するための容量性の、抵抗性の、赤外線利用の、及び表面弾性波利用の技術並びにその他の近接センサアレイ又はその他の要素を限定的に含む、現在公知の又は今後開発される複数のタッチ感知技術のうちのいずれかを用いて、接触及びその任意の動き又は中断を検出してもよい。一実施例においては、カリフォルニア州クパティーノのＡｐｐｌｅ社製のｉＰｈｏｎｅ（登録商標）及びｉＰｏｄ  Ｔｏｕｃｈ（登録商標）に用いられているような投影型相互静電容量感知技術が使用されている。
【００６５】
タッチスクリーン１１２の幾つかの実施例におけるタッチ感知ディスプレイが、それぞれの内容全体が引用をもってここに援用された以下の米国特許第６，３２３，８４６号（Ｗｅｓｔｅｒｍａｎ他）、第６，５７０，５５７号（Ｗｅｓｔｅｒｍａｎ他）及び／又は第６，６７７，９３２号（Ｗｅｓｔｅｒｍａｎ）及び／又は米国特許公開公報第２００２／００１５０２４Ａ１号に記載されているマルチタッチ感知タッチパッドと類似していてもよい。しかし、タッチスクリーン１１２は装置１００からの視覚出力を表示するが、タッチ感知タッチパッドは視覚出力を行わない。
【００６６】
タッチスクリーン１１２の幾つかの実施例におけるタッチ感知ディスプレイが、以下の出願、（１）２００６年５月２日出願の「Ｍｕｌｔｉｐｏｉｎｔ  Ｔｏｕｃｈ  Ｓｕｒｆａｃｅ  Ｃｏｎｔｒｏｌｌｅｒ」と題する米国特許出願第１１／３８１，３１３号、（２）２００４年５月６日出願の「Ｍｕｌｔｉｐｏｉｎｔ  Ｔｏｕｃｈｓｃｒｅｅｎ」と題する米国特許出願第１０／８４０，８６２号、（３）２００４年７月３０日出願の「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」と題する米国特許出願第１０／９０３，９６４号、（４）２００５年１月３１日出願の「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」と題する米国特許出願第１１／０４８，２６４号、（５）２００５年１月１８日出願の「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」と題する米国特許出願第１１／０３８，５９０号、（６）２００５年９月１６日出願の「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」と題する米国特許出願第１１／２２８，７５８号、（７）２００５年９月１６日出願の「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」と題する米国特許出願第１１／２２８，７００号、（８）２００５年９月１６日出願の「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」と題する米国特許出願第１１／２２８，７３７号、及び（９）２００６年３月３日出願の「Ｍｕｌｔｉ−Ｆｕｎｃｔｉｏｎａｌ  Ｈａｎｄ−Ｈｅｌｄ  Ｄｅｖｉｃｅ」と題する米国特許出願第１１／３６７，７４９号に記載されている。これらの出願は全て、その内容全体が引用をもってここに援用されている。
【００６７】
タッチスクリーン１１２が、１００ｄｐｉを超える映像解像度を有してもよい。幾つかの実施例においては、タッチスクリーンが約１６０ｄｐｉの映像解像度を有する。ユーザが、スタイラス、指などの任意の好適な物体又は付属物を用いて、タッチスクリーン１１２と接触してもよい。幾つかの実施例においては、ユーザインターフェースが、タッチスクリーンへの指による接触面積がより大きいために、スタイラスを使用した入力よりも精度が低い場合がある指による接触及びジェスチャによって主に動作するように設計されている。幾つかの実施例においては、装置が、ユーザが望むアクションを実行するために、精度の低い指による入力を、正確なポインタ／カーソル位置又は命令へと翻訳する。
【００６８】
幾つかの実施例においては、タッチスクリーンに加えて、装置１００が特定の機能を有効化又は無効化するためのタッチパッド（図示せず）を有してもよい。幾つかの実施例においては、タッチパッドが、タッチスクリーンとは異なり、視覚出力を表示しない装置のタッチ感知領域である。タッチパッドが、タッチスクリーン１１２とは別体のタッチ感知表面であるか、又はタッチスクリーンによって形成されるタッチ感知表面の拡張部分であってもよい。
【００６９】
装置１００は、様々な構成要素への電力供給のための電力システム１６２を更に有する。電力システム１６２が、電力管理システム、（バッテリ、交流電流（ＡＣ）などの）１つ以上の電源、再充電システム、停電検出回路、電力変換器又はインバータ、（発光ダイオード（ＬＥＤ）などの）電源状態表示装置及び任意のその他のポータブル装置における電力の生成、管理及び分配に関わる構成要素を有してもよい。
【００７０】
装置１００が、１つ以上の光学センサ１６４を更に有してもよい。図１Ａは、Ｉ／Ｏサブシステム１０６内の光学センサコントローラ１５８と結合された光学センサを図示している。光学センサ１６４が、電荷結合デバイス（ＣＣＤ）又は相補的金属酸化物半導体（ＣＭＯＳ）フォトトランジスタを有してもよい。光学センサ１６４は、環境から１つ以上のレンズを通して投影された光を受け取り、画像を表すデータへと光を変換する。光学センサ１６４が、（カメラモジュールとも呼ばれる）撮像モジュール１４３と連動して、静止画像又はビデオをキャプチャしてもよい。幾つかの実施例においては、タッチスクリーンディスプレイを静止及び／又はビデオ画像を取得するためのビューファインダとして使用できるように、光学センサが、装置の表側のタッチスクリーンディスプレイ１１２とは反対側の装置１００の裏側に配置されている。幾つかの実施例においては、ユーザがタッチスクリーンディスプレイ上で他のビデオ会議参加者を見ている間に、ユーザの画像がビデオ会議用に取得されるように、光学センサが装置の正面に配置されている。幾つかの実施例においては、１つの光学センサ１６４をビデオ会議と静止及び／又はビデオ画像の取得との双方にタッチスクリーンディスプレイと共に使用できるように、光学センサ１６４の位置を（レンズ及びセンサを装置のハウジング内で回転させることなどによって）ユーザが変化させることが可能である。
【００７１】
装置１００が、１つ以上の接触強度センサ１６５を有してもよい。図１Ａは、Ｉ／Ｏサブシステム１０６内の１つ以上の強度センサコントローラ１５９に結合された接触強度センサを図示している。接触強度センサ１６５が、１つ以上のピエゾ抵抗ひずみゲージ、容量性力センサ、電気力センサ、圧電力センサ、光学式力センサ、容量性タッチ感知表面又はその他の（タッチ感知表面への接触の力（又は圧力）の測定に用いられるセンサなどの）強度センサを有してもよい。接触強度センサ１６５は、（圧力情報又は圧力情報の代替値などの）接触強度情報を環境から受け取る。幾つかの実施例においては、少なくとも１つの接触強度センサが、（タッチ感知ディスプレイシステム１１２などの）タッチ感知表面と並設又は隣接されている。幾つかの実施例においては、少なくとも１つの接触強度センサが、装置１００の表側に配置されたタッチスクリーン１１２とは反対側の装置１００の裏側に配置されている。
【００７２】
装置１００が、１つ以上の近接センサ１６６を更に有してもよい。図１Ａは、周辺機器インターフェース１１８と結合された近接センサ１６６を図示している。或いは、近接センサ１６６が、Ｉ／Ｏサブシステム１０６内の入力コントローラ１６０に結合されていてもよい。近接センサ１６６が、その内容全体が引用をもってここに援用された、米国特許出願第１１／２４１，８３９号「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／６２０，７０２号「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、及び第１１／６３８，２５１号「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」に記載されているように機能してもよい。幾つかの実施例においては、（ユーザが電話をかけている時など）多機能装置がユーザの耳の近くに配置されている時には、近接センサがタッチスクリーン１１２をターンオフ及び無効化する。
【００７３】
装置１００が、１つ以上の触知出力生成器１６７を更に有してもよい。図１Ａが、Ｉ／Ｏサブシステム１０６内の触知フィードバックコントローラ１６１に結合された触知出力生成器を図示している。触知出力生成器１６７が、スピーカ及びその他のオーディオ部品などの１つ以上の電気音響装置及び／又は、モータ、ソレノイド、電気活性ポリマー、圧電アクチュエータ、静電アクチュエータなどのエネルギーを直線運動に変換する電気機械装置又はその他の（例えば電気信号を装置上の触知出力へと変換する部品である）触知出力生成部品を有してもよい。接触強度センサ１６５が、触知フィードバックモジュール１３３から触知フィードバック生成命令を受信し、装置１００のユーザにより感知可能な装置１００上における触知出力を生成する。幾つかの実施例においては、少なくとも１つの触知出力生成器が、（タッチ感知ディスプレイシステム１１２などの）タッチ感知表面と並設又は隣接されており、タッチ感知表面を（例えば装置１００の表面に向かう／から離れるように）垂直方向に動かすか、或いは（例えば装置１００の表面と同じ面内で前後に）横方向に動かすことによって、触知出力を生成してもよい。幾つかの実施例においては、少なくとも１つの触知出力生成器センサが、装置１００の表側に配置されたタッチスクリーンディスプレイ１１２とは反対側の、装置１００の裏側に配置されている。
【００７４】
装置１００が、１つ以上の加速度計１６８を更に有してもよい。図１Ａに、周辺機器インターフェース１１８と結合された加速度計１６８を図示する。或いは、加速度計１６８が、Ｉ／Ｏサブシステム１０６内の入力コントローラ１６０に結合されていてもよい。加速度計１６８が、双方ともにその内容全体が引用をもってここに援用された、「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」と題する米国特許公開公報第２００５０１９００５９号及び、「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」と題する米国特許公開公報第２００６００１７６９２号に記載されているように機能してもよい。幾つかの実施例においては、１つ以上の加速度計から受け取られたデータの分析に基づいて、情報がタッチスクリーンディスプレイ上に縦向き又は横向きに表示される。装置１００が、加速度計１６８に加えて、装置１００の（縦向き又は横向きなどの）位置及び向きに関する情報を取得するための磁気計（図示せず）及びＧＰＳ（又はＧＬＯＮＡＳＳ又はその他のグローバルナビゲーションシステム）受信装置（図示せず）を有してもよい。
【００７５】
幾つかの実施例においては、メモリ１０２に記憶されている複数のソフトウェアコンポーネントが、オペレーティングシステム１２６、通信モジュール（又は命令セット）１２８、接触／動きモジュール（又は命令セット）１３０、グラフィックモジュール（又は命令セット）１３２、テキスト入力モジュール（又は命令セット）１３４、全地球測位システム（ＧＰＳ）モジュール（又は命令セット）１３５及びアプリケーション（又は命令セット）１３６を含む。更に、幾つかの実施例においては、メモリ１０２（図１Ａ）又は３７０（図３）が、図１Ａ及び図３に記載されているように、装置／グローバル内部状態１５７を記憶している。装置／グローバル内部状態１５７は、どのアプリケーションが現在有効であるのかを示す有効アプリケーション状態、どのアプリケーション、ビュー又はその他の情報がタッチスクリーンディスプレイ１１２の様々な領域を占めているのかを示すディスプレイ状態、装置の様々なセンサ及び入力制御装置１１６から取得された情報を含むセンサ状態、及び、装置の位置及び／又は姿勢に関する位置情報のうちの１つ以上を含む。
【００７６】
（例えばＤａｒｗｉｎ、ＲＴＸＣ、ＬＩＮＵＸ、ＵＮＩＸ、ＯＳ  Ｘ、ｉＯＳ、ＷＩＮＤＯＷＳであるか、又はＶｘＷｏｒｋｓなどの組込みオペレーティングシステムである）オペレーティングシステム１２６は、（メモリ管理、記憶装置制御、電源管理などの）一般システムタスクの制御及び管理のための様々なソフトウェアコンポーネント及び／又はドライバを有し、様々なハードウェア及びソフトウェアコンポーネント間の通信を容易にする。
【００７７】
通信モジュール１２８は、１つ以上の外部ポート１２４を介した他の複数の装置との通信を容易にすると共に、ＲＦ回路１０８及び／又は外部ポート１２４によって受信されたデータを処理するための様々なソフトウェアコンポーネントを有する。（ユニバーサルシリアルバス（ＵＳＢ）、ＦＩＲＥＷＩＲＥなどの）外部ポート１２４は、その他の複数の装置に直接に、又は（インターネット、無線ＬＡＮなどの）ネットワークを介して間接に結合可能である。幾つかの実施例においては、外部ポートが、ｉＰｏｄ（Ａｐｐｌｅ社の登録商標）装置上で使用されている３０ピンコネクタと同一の、及び／又はこれと適合する（３０ピンなどの）多ピンコネクタである。
【００７８】
接触／動きモジュール１３０が、（ディスプレイコントローラ１５６と連動している）タッチスクリーン１１２及びその他の（タッチパッド又は物理クリックホイールなどの）タッチ感知装置との接触を検出してもよい。接触／動きモジュール１３０は、（指で触れるイベントの検出などの）接触が発生したか否かの判定、（接触の力又は圧力或いは接触の力又は圧力の代替物などの）接触の強度の判定、（１つ以上の指によるドラッグイベントの検出などの）接触の移動があるか否かの判定及びタッチ感知表面上でのこの移動の追跡並びに、（指を離すイベント又は接触の中断などの）接触が中止されたか否かの判定などの、接触の検出に関する様々な動作を実行するための様々なソフトウェアコンポーネントを有する。接触／動きモジュール１３０は、タッチ感知表面から接触データを受信する。一連の接触データによって表される接触点の移動の検出が、速度（大きさ）、速力（大きさ及び方向）及び／又は加速度（大きさ及び／又は方向の変化）を求めることを含んでもよい。これらの動作が、（一本の指による接触などの）単一の接触に対して実行されてもよいが、（「マルチタッチ」、即ち複数本の指による接触などの）同時的な複数の接触に対して実行されてもよい。幾つかの実施例においては、接触／動きモジュール１３０及びディスプレイコントローラ１５６が、タッチパッドへの接触を検出する。
【００７９】
幾つかの実施例においては、接触／動きモジュール１３０が、１つ以上の強度しきい値からなるセットを用いて、（ユーザがアイコン上で「クリック」動作を行ったか否かを判定するなどの）ある動作がユーザによって実行されたか否かの判定を行う。幾つかの実施例においては、少なくとも１つの強度しきい値サブセットが、（例えば、強度しきい値が特定の物理アクチュエータの有効化しきい値によって求められるのではなく、装置１００の物理ハードウェアを変更せずに調節可能であるなど）複数のソフトウェアパラメータに従って求められる。例えば、トラックパッド又はタッチスクリーンディスプレイのマウス「クリック」しきい値を、トラックパッド又はタッチスクリーンディスプレイを変更することなく、広範囲の所定のしきい値のうちのいずれにも設定可能である。加えて、幾つかの実施例においては、１つ以上の強度しきい値セットを（例えば個々の強度しきい値を調節することにより、及び／又は複数の強度しきい値をシステムレベルのクリック「強度」パラメータによって一度に調節することにより）調節するためのソフトウェア設定が、装置のユーザに対して提供される。
【００８０】
接触／動きモジュール１３０が、ユーザによるジェスチャ入力を検出してもよい。タッチ感知表面上での異なるジェスチャは、（検出された接触の異なる動き、タイミング及び／又は強度などの）異なる接触パターンを有する。従って、ジェスチャが、特定の接触パターンを検出することによって検出されてもよい。例えば、指によるタップジェスチャを検出することが、（例えばアイコンの位置などへの）指で触れるイベントの後に、指で触れるイベントと同じ位置（又は実質的に同じ位置）で指を離す（リフトオフ）イベントを検出することを含む。別の一例として、タッチ感知表面上での指によるスワイプジェスチャが、指で触れるイベントの後に、指でドラッグする１つ以上のイベントを検出し、その後、指を離す（リフトオフ）イベントを検出することを含む。
【００８１】
グラフィックモジュール１３２が、表示されているグラフィックの（明るさ、透明度、彩度、コントラスト又はその他の視覚的特性などの）視覚的インパクトを変更するためのコンポーネントを含む、タッチスクリーン１１２又はその他のディスプレイ上にグラフィックを表現及び表示するための様々な既知のソフトウェアコンポーネントを有する。ここで使用される「グラフィック」という用語は、ユーザに対して表示可能な、テキスト、ウェブページ、（ソフトキーを含むユーザインターフェースオブジェクトなどの）アイコン、デジタル画像、ビデオ、アニメーションなどを非限定的に含む任意のオブジェクトを含む。
【００８２】
幾つかの実施例においては、グラフィックモジュール１３２が、使用されるグラフィックを表すデータを記憶している。各グラフィックが、対応するコードに割り当てられていてもよい。グラフィックモジュール１３２は、アプリケーション等から、表示対象のグラフィックを特定する１つ以上のコードと、必要な場合には座標データ及びその他の座標特性データとを受け取った後に、ディスプレイコントローラ１５６へと出力されるスクリーンイメージデータを生成する。
【００８３】
触知フィードバックモジュール１３３は、装置１００とユーザとの対話に応答して装置１００上の１つ以上の位置において触知出力を生成するために触知出力生成器１６７によって使用される命令を生成するための様々なソフトウェアコンポーネントを有する。
【００８４】
グラフィックモジュール１３２のコンポーネントであってもよいテキスト入力モジュール１３４は、（連絡先１３７、電子メール１４０、ＩＭ１４１、ブラウザ１４７及び任意のその他のテキスト入力を必要とするアプリケーションなどの）様々なアプリケーションにおけるテキスト入力のためのソフトキーボードを提供する。
【００８５】
ＧＰＳモジュール１３５は、装置の位置を特定し、この情報を（位置利用ダイヤリングに使用する電話１３８、ピクチャ／ビデオメタデータとしてのカメラ１４３、及び、気象ウィジェット、地域イエローページウィジェット及び地図／ナビゲーションウィジェットなどの位置利用サービスを提供するアプリケーションなどの）様々なアプリケーションでの使用のために提供する。
【００８６】
アプリケーション１３６が、以下のモジュール（又は命令セット）：
●連絡先モジュール１３７（アドレス帳又は連絡先リストと呼ばれる場合もある）、
●電話モジュール１３８、
●ビデオ会議モジュール１３９、
●電子メールクライアントモジュール１４０、
●インスタントメッセージング（ＩＭ）モジュール１４１、
●トレーニングサポートモジュール１４２、
●静止及び／又はビデオ画像用のカメラモジュール１４３、
●画像管理モジュール１４４、
●ビデオプレーヤモジュール、
●音楽プレーヤモジュール、
●ブラウザモジュール１４７、
●カレンダモジュール１４８、
●気象ウィジェット１４９−１、株式ウィジェット１４９−２、計算機ウィジェット１４９−３、目覚まし時計ウィジェット１４９−４、辞書ウィジェット１４９−５及びその他のユーザによって取得されたウィジェット並びにユーザ作成ウィジェット１４９−６、のうちの１つ以上を含んでもよいウィジェットモジュール１４９、
●ユーザ作成ウィジェット１４９−６を作成するためのウィジェットクリエータモジュール１５０、
●検索モジュール１５１、
●ビデオプレーヤモジュールと音楽プレーヤモジュールとを組み合わせたビデオ及び音楽プレーヤモジュール１５２、
●メモモジュール１５３、
●地図モジュール１５４、及び／又は
●オンラインビデオモジュール１５５
或いはこれらのサブセット又はスーパーセットを含んでもよい。
【００８７】
メモリ１０２に記憶されていてもよいその他のアプリケーション１３６の例に、その他のワードプロセッシングアプリケーション、その他の画像編集アプリケーション、描画アプリケーション、プレゼンテーションアプリケーション、ＪＡＶＡ対応アプリケーション、暗号、デジタル著作権管理、音声認識及び音声複製が含まれる。
【００８８】
連絡先モジュール１３７が、タッチスクリーン１１２、ディスプレイコントローラ１５６、接触／動きモジュール１３０、グラフィックモジュール１３２及びテキスト入力モジュール１３４と連動して、アドレス帳への氏名の追加、アドレス帳からの氏名の削除、電話番号、電子メールアドレス、物理アドレス又はその他の情報と氏名との関連付け、画像と氏名との関連付け、氏名の分類及び並べ替え、電話１３８、ビデオ会議モジュール１３９、電子メール１４０又はＩＭ１４１による通信を開始及び／又は円滑化するための電話番号又は電子メールアドレスの提供などを含む（例えばメモリ１０２又はメモリ３７０内の連絡先モジュール１３７のアプリケーション内部状態１９２内に記憶された）アドレス帳又は連絡先リストの管理に使用されてもよい。
【００８９】
電話モジュール１３８が、ＲＦ回路１０８、オーディオ回路１１０、スピーカ１１１、マイクロフォン１１３、タッチスクリーン１１２、ディスプレイコントローラ１５６、接触／動きモジュール１３０、グラフィックモジュール１３２及びテキスト入力モジュール１３４と連動して、電話番号に対応する一連の文字を入力する、連絡先モジュール１３７内の１つ以上の電話番号にアクセスする、入力された電話番号を変更する、電話番号へダイヤルする、会話を行う、及び会話終了時に電話を切るために使用されてもよい。上述のように、無線通信が、複数の通信規格、プロトコル及び技術のうちのいずれを使用してもよい。
【００９０】
ビデオ会議モジュール１３９が、ＲＦ回路１０８、オーディオ回路１１０、スピーカ１１１、マイクロフォン１１３、タッチスクリーン１１２、ディスプレイコントローラ１５６、光学センサ１６４、光学センサコントローラ１５８、接触／動きモジュール１３０、グラフィックモジュール１３２、テキスト入力モジュール１３４、連絡先モジュール１３７及び電話モジュール１３８と連動して、ユーザとユーザの命令に基づく１つ以上のその他の参加者との間でビデオ会議を開始、催行及び終了させる実行可能な命令を有する。
【００９１】
電子メールクライアントモジュール１４０が、ＲＦ回路１０８、タッチスクリーン１１２、ディスプレイコントローラ１５６、接触／動きモジュール１３０、グラフィックモジュール１３２及びテキスト入力モジュール１３４と連動して、ユーザ命令に応答して電子メールを作成、送信、受信及び管理する実行可能な命令を有する。電子メールクライアントモジュール１４０は、画像管理モジュール１４４と連動して、カメラモジュール１４３を用いて撮像された静止又はビデオ画像と共に電子メールを作成及び送信することを非常に容易とする。
【００９２】
インスタントメッセージングモジュール１４１が、ＲＦ回路１０８、タッチスクリーン１１２、ディスプレイコントローラ１５６、接触／動きモジュール１３０、グラフィックモジュール１３２及びテキスト入力モジュール１３４と連動して、インスタントメッセージに対応する一連の文字を入力する、以前に入力された文字を変更する、（電話ベースのインスタントメッセージの場合にはショートメッセージサービス（ＳＭＳ）又はマルチメディアメッセージサービス（ＭＭＳ）プロトコル、或いはインターネットベースのインスタントメッセージの場合にはＸＭＰＰ、ＳＩＭＰＬＥ又はＩＭＰＳなどを用いて）インスタントメッセージを送信する、インスタントメッセージを受信する、及び受信したインスタントメッセージを閲覧するための複数の実行可能な命令を有する。幾つかの実施例においては、送信及び／又は受信されたインスタントメッセージが、ＭＭＳ及び／又は高機能メッセージサービス（ＥＭＳ）対応のグラフィック、写真、オーディオファイル、ビデオファイル及び／又はその他の添付ファイルを含んでもよい。ここで使用される「インスタントメッセージング」は、（ＳＭＳ又はＭＭＳを用いて送信されるメッセージなどの）電話ベースのメッセージ及び（ＸＭＰＰ、ＳＩＭＰＬＥ又はＩＭＰＳを用いて送信されるメッセージなどの）インターネットベースのメッセージの双方を指す。
【００９３】
トレーニングサポートモジュール１４２が、ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、地図モジュール１５４及び音楽プレーヤモジュールと連動して、（時間、距離及び／又はカロリー燃焼目標などの）トレーニングを作成する、トレーニングセンサ（スポーツ装置）との通信を行う、トレーニングセンサデータを受信する、トレーニングの監視に用いられるセンサを較正する、トレーニング用の音楽を選択し再生する、並びにトレーニングデータを表示、記憶及び送信するための複数の実行可能な命令を有する。
【００９４】
カメラモジュール１４３が、タッチスクリーン１１２、ディスプレイコントローラ１５６、光学センサ１６４、光学センサコントローラ１５８、接触／動きモジュール１３０、グラフィックモジュール１３２及び画像管理モジュール１４４と連動して、静止画像又は（ビデオストリームを含む）ビデオをキャプチャしてこれらをメモリ１０２内に記憶するか、静止画像又はビデオの特性を変更するか、或いは静止画像又はビデオをメモリ１０２から削除するための複数の実行可能な命令を有する。
【００９５】
画像管理モジュール１４４が、タッチスクリーン１１２、ディスプレイコントローラ１５６、接触／動きモジュール１３０、グラフィックモジュール１３２、テキスト入力モジュール１３４及びカメラモジュール１４３と連動して、静止及び／又はビデオ画像の整理、（編集などの）変更、操作、ラベル付け、削除、（デジタルスライドショー又はアルバムなどとしての）提示及び記憶などの複数の実行可能な命令を含む。
【００９６】
ブラウザモジュール１４７が、ＲＦ回路１０８、タッチスクリーン１１２、ディスプレイコントローラ１５６、接触／動きモジュール１３０、グラフィックモジュール１３２及びテキスト入力モジュール１３４と連動して、ウェブページ又はその一部並びにウェブページにリンクされた添付ファイル及びその他のファイルを検索、リンク、受信及び表示することを含む、ユーザ命令に基づいてインターネットをブラウズするための複数の実行可能な命令を有する。
【００９７】
カレンダモジュール１４８が、ＲＦ回路１０８、タッチスクリーン１１２、ディスプレイコントローラ１５６、接触／動きモジュール１３０、グラフィックモジュール１３２、テキスト入力モジュール１３４、電子メールクライアントモジュール１４０及びブラウザモジュール１４７と連動して、カレンダ及びカレンダと関連付けられた（カレンダエントリ、ＴｏＤｏリストなどの）データをユーザ命令に従って作成、表示、変更及び記憶するための複数の実行可能な命令を有する。
【００９８】
ウィジェットモジュール１４９は、ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連動して、（気象ウィジェット１４９−１、株式ウィジェット１４９−２、計算機ウィジェット１４９−３、目覚まし時計ウィジェット１４９−４及び辞書ウィジェット１４９−５などの）ユーザによってダウンロード及び使用されるか、又は（ユーザ作成ウィジェット１４９−６などの）ユーザによって作成されてもよいミニアプリケーションである。幾つかの実施例においては、ウィジェットが、ＨＴＭＬ（ハイパーテキストマークアップ言語）ファイル、ＣＳＳ（カスケーディングスタイルシート）ファイル及びＪａｖａＳｃｒｉｐｔファイルを含む。幾つかの実施例においては、ウィジェットが、ＸＭＬ（拡張可能なマークアップ言語）ファイル及び（Ｙａｈｏｏ！ウィジェットなどの）ＪａｖａＳｃｒｉｐｔファイルを含む。
【００９９】
ウィジェットクリエータモジュール１５０が、ＲＦ回路１０８、タッチスクリーン１１２、ディスプレイコントローラ１５６、接触／動きモジュール１３０、グラフィックモジュール１３２、テキスト入力モジュール１３４及びブラウザモジュール１４７と連動して、（ウェブページのユーザが指定した部分をウィジェットに変えるなど）ウィジェットを作成するためにユーザによって使用されてもよい。
【０１００】
検索モジュール１５１が、タッチスクリーン１１２、ディスプレイコントローラ１５６、接触／動きモジュール１３０、グラフィックモジュール１３２及びテキスト入力モジュール１３４と連動して、（ユーザが指定した１つ以上の検索語などの）１つ以上の検索条件と一致するメモリ１０２内のテキスト、音楽、音声、画像、ビデオ及び／又はその他のファイルを検索するための複数の実行可能な命令を有する。
【０１０１】
ビデオ及び音楽プレーヤモジュール１５２が、タッチスクリーン１１２、ディスプレイコントローラ１５６、接触／動きモジュール１３０、グラフィックモジュール１３２、オーディオ回路１１０、スピーカ１１１、ＲＦ回路１０８及びブラウザモジュール１４７と連動して、ＭＰ３又はＡＡＣファイルなどの１つ以上のファイルフォーマットとして記憶されている録音された音楽及びその他の音声ファイルをユーザがダウンロード及び再生することを可能にする複数の実行可能な命令及び、（タッチスクリーン１１２上又は外部ポート１２４を介して接続された外部ディスプレイ上などで）ビデオを表示、提示又は再生するための複数の実行可能な命令を有する。幾つかの実施例においては、装置１００が、ｉＰｏｄ（Ａｐｐｌｅ社の登録商標）などのＭＰ３プレーヤの機能を有してもよい。
【０１０２】
メモモジュール１５３が、タッチスクリーン１１２、ディスプレイコントローラ１５６、接触／動きモジュール１３０、グラフィックモジュール１３２及びテキスト入力モジュール１３４と連動して、メモ、ＴｏＤｏリストなどをユーザの指示に従って作成及び管理するための複数の実行可能な命令を有する。
【０１０３】
地図モジュール１５４が、ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５及びブラウザモジュール１４７と連動して、地図及び（走行方向、特定の場所又はその近くの店舗及びその他の対象地点に関するデータ並びにその他の位置ベースのデータなどの）地図と関連付けられたデータを、ユーザの指示に従って受信、表示、変更及び記憶するために使用されてもよい。
【０１０４】
オンラインビデオモジュール１５５が、タッチスクリーン１１２、ディスプレイコントローラ１５６、接触／動きモジュール１３０、グラフィックモジュール１３２、オーディオ回路１１０、スピーカ１１１、ＲＦ回路１０８、テキスト入力モジュール１３４、電子メールクライアントモジュール１４０及びブラウザモジュール１４７と連動して、ユーザが特定のオンラインビデオのアクセス、ブラウズ、（ストリーミング及び／又はダウンロードによる）受信、（タッチスクリーン上又は外部ポート１２４を介して接続された外部ディスプレイ上などでの）再生、リンクと共に電子メール送信及び、Ｈ．２６４などの１つ以上のファイルフォーマットでの管理をユーザが行うことを可能にする命令を有する。幾つかの実施例においては、電子メールクライアントモジュール１４０ではなく、インスタントメッセージングモジュール１４１が、特定のオンラインビデオへのリンクの送信に使用される。オンラインビデオアプリケーションの更なる記載が、その内容全体が引用をもってここに援用された、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」と題する２００７年６月２０日出願の米国特許仮出願第６０／９３６，５６２号及び、「オンラインビデオの再生のためのポータブル多機能装置、方法及びグラフィカルユーザインターフェース」と題する２００７年１２月３１日出願の米国特許出願第１１／９６８，０６７号になされている。
【０１０５】
上述のモジュール及びアプリケーションはそれぞれ、１つ以上の上述の機能及び本願に記載の方法を実行する、（ここに記載のコンピュータにより実行される方法及びその他の情報プログラミング方法などの）実行可能な命令からなるセットに対応している。（命令セットなどの）これらのモジュールが、別個のソフトウェアプログラム、手順又はモジュールとして具現化されている必要はなく、従って、様々な実施例において、これらのモジュールの様々なサブセットが組み合わせられるか又は再構成されていてもよい。例えば、ビデオプレーヤモジュールが音楽プレーヤモジュールと組み合わせられて、単一の（図１Ａのビデオ及び音楽プレーヤモジュール１５２などの）モジュールとされていてもよい。幾つかの実施例においては、メモリ１０２が、上述のモジュール及びデータ構造のサブセットを記憶していてもよい。更に、メモリ１０２が、上述されていない更なるモジュール及びデータ構造を記憶していてもよい。
【０１０６】
幾つかの実施例においては、装置１００が、複数の機能からなる所定の組の装置上での動作が、タッチスクリーン及び／又はタッチパッドのみによって実行される装置であってもよい。装置１００を動作させるための主な入力制御装置としてタッチスクリーン及び／又はタッチパッドを使用することで、装置１００上の（プッシュボタン、ダイアルなどの）物理的な入力制御装置の数が削減されてもよい。
【０１０７】
タッチスクリーン及び／又はタッチパッドのみによって実行される複数の機能からなる所定の組が、複数のユーザインターフェース間のナビゲーションを含んでもよい。幾つかの実施例においては、タッチパッドが、ユーザによってタッチされると、装置１００を装置１００上に表示されている任意のユーザインターフェースからメインメニュー、ホームメニュー又はルートメニューへとナビゲートする。そのような実施例においては、「メニューボタン」がタッチパッドを用いて具現化されている。別の幾つかの実施例においては、メニューボタンがタッチパッドではなく、物理的なプッシュボタンであるか、又はその他の物理的な入力制御装置である。
【０１０８】
図１Ｂは、幾つかの実施例に基づくイベント処理のための構成要素の例を図示したブロック図である。幾つかの実施例においては、メモリ１０２（図１Ａ）又は３７０（図３）が、（例えばオペレーティングシステム１２６内などの）イベントソータ１７０及び（上述のアプリケーション１３７−１５１、１５５、３８０−３９０のうちのいずれかなどの）アプリケーション１３６−１を有する。
【０１０９】
イベントソータ１７０は、イベント情報を受信し、アプリケーション１３６−１及びアプリケーション１３６−１のアプリケーションビュー１９１をイベント情報の配信先として決定する。イベントソータ１７０は、イベントモニタ１７１及びイベントディスパッチャモジュール１７４を有する。幾つかの実施例においては、アプリケーション１３６−１が、アプリケーションが有効又は実行中である時にタッチ感知ディスプレイ１１２上に表示されている現在のアプリケーションビューを示す、アプリケーション内部状態１９２を有する。幾つかの実施例においては、装置／グローバル内部状態１５７が、どのアプリケーションが現在有効であるのかを判定するためにイベントソータ１７０によって使用され、また、アプリケーション内部状態１９２が、アプリケーションビュー１９１をイベント情報の配信先として決定するためにイベントソータ１７０によって使用される。
【０１１０】
幾つかの実施例においては、アプリケーション内部状態１９２が、アプリケーション１３６−１が実行を再開した時に使用する再開情報、アプリケーション１３６−１によって表示されている情報を示すか又は表示の準備ができているユーザインターフェース状態情報、ユーザがアプリケーション１３６−１の以前の状態又はビューに戻ることを可能にする状態キュー及び、ユーザによって実行された以前のアクションのキューの再実行／取り消しキューのうちの１つ以上などの更なる情報を有する。
【０１１１】
イベントモニタ１７１が、周辺機器インターフェース１１８からイベント情報を受け取る。イベント情報は、（マルチタッチジェスチャの一部としてのタッチ感知ディスプレイ１１２へのユーザのタッチなどの）サブイベントに関する情報を含む。周辺機器インターフェース１１８は、Ｉ／Ｏサブシステム１０６又は、近接センサ１６６、加速度計１６８及び／又は（オーディオ回路１１０を通して）マイクロフォン１１３などのセンサから受信する情報を送信する。周辺機器１１８がＩ／Ｏサブシステム１０６から受信する情報には、タッチ感知ディスプレイ１１２又はタッチ感知表面からの情報が含まれる。
【０１１２】
幾つかの実施例においては、イベントモニタ１７１が、周辺機器インターフェース１１８に所定の間隔で要求を送信する。これに応答して、周辺機器インターフェース１１８がイベント情報を送信する。別の複数の実施例においては、周辺機器インターフェース１１８が、（所定のノイズしきい値を上回る、及び／又は所定の長さを超える時間にわたる入力を受け取るなどの）重大なイベントが発生した時にのみ、イベント情報を送信する。
【０１１３】
幾つかの実施例においては、イベントソータ１７０が、ヒットビュー判定モジュール１７２及び／又はアクティブイベント認識部判定モジュール１７３を更に有する。
【０１１４】
幾つかの実施例においては、ヒットビュー判定モジュール１７２が、タッチ感知ディスプレイ１１２が複数のビューを表示している場合に、１つ以上のビューのうちのいずれの中でサブイベントが発生しているのかを判定するためのソフトウェア手順を提供する。ビューは、コントロール及びユーザがディスプレイ上で見ることのできるその他の要素からなっている。
【０１１５】
アプリケーションと関連付けられたユーザインターフェースの別の一局面は、ここではアプリケーションビュー又はユーザインターフェースウィンドウと呼ばれる場合のある、その中で情報が表示され、タッチベースのジェスチャが発生する複数のビューの組である。タッチがその中で検出される（アプリケーションの）アプリケーションビューが、アプリケーションのプログラム又はビューの階層内のプログラムレベルに対応していてもよい。例えば、タッチがその中で検出される最低レベルのビューがヒットビューと呼ばれ、適切な入力として認識される複数のイベントの組が、タッチベースのジェスチャを開始させる最初のタッチのヒットビューに少なくとも部分的に基づいて決定されてもよい。
【０１１６】
ヒットビュー判定モジュール１７２は、タッチベースのジェスチャのサブイベントに関する情報を受信する。階層化された複数のビューをアプリケーションが有する場合には、ヒットビュー判定モジュール１７２は、あるヒットビューを、サブイベントを処理すべき階層内の最も低いビューとして特定する。殆どの場合においては、このヒットビューが、その中で（イベント又は今後のイベントを形成する一連のサブイベント中の最初のサブイベントなどの）開始サブイベントが発生する最も低いビューである。ヒットビュー判定モジュール１７２によってヒットビューが特定されると、典型的にはこのヒットビューが、このヒットビューをヒットビューとして特定した根拠である同じタッチ又は入力元に関連する全てのサブイベントを受信する。
【０１１７】
アクティブイベント認識部判定モジュール１７３が、複数のサブイベントからなる特定のシーケンスをビュー階層内のいずれのビュー又は複数のビューが受信すべきかを判定する。幾つかの実施例においては、アクティブイベント認識部判定モジュール１７３が、ヒットビューのみがサブイベントの特定のシーケンスを受信すべきであると判定する。別の複数の実施例においては、アクティブイベント認識部判定モジュール１７３が、あるサブイベントの物理位置を含むすべてのビューが有効に関与しているビューであると判定し、従って、全ての有効に関与しているビューがサブイベントの特定のシーケンスを受信すべきであると判定する。別の複数の実施例においては、複数のタッチサブイベント全体が、特定の１つのビューに関連している領域内に含まれている場合であっても、階層内のより高い複数のビューが、有効に関与しているビューであり続けてもよい。
【０１１８】
イベントディスパッチャモジュール１７４が、イベント情報を（イベント認識部１８０などの）イベント認識部へと配布する。アクティブイベント認識部判定モジュール１７３を有する実施例においては、イベントディスパッチャモジュール１７４が、アクティブイベント認識部判定モジュール１７３によって定められたイベント認識部へとイベント情報を配信する。幾つかの実施例においては、イベントディスパッチャモジュール１７４が、イベントキュー内にイベント情報を記憶し、このイベント情報がイベント受信部１８２によって取り出される。
【０１１９】
幾つかの実施例においては、オペレーティングシステム１２６がイベントソータ１７０を有する。或いは、アプリケーション１３６−１がイベントソータ１７０を有する。更に別の複数の実施例においては、イベントソータ１７０は、単体のモジュールであるか、又は接触／動きモジュール１３０などのメモリ１０２内に記憶された別のモジュールの一部である。
【０１２０】
幾つかの実施例においては、アプリケーション１３６−１が、それぞれがそのアプリケーションのユーザインターフェースの各ビュー内で発生するタッチイベントを処理する命令を含む、複数のイベントハンドラ１９０及び１つ以上のアプリケーションビュー１９１を有する。アプリケーション１３６−１の各アプリケーションビュー１９１が、１つ以上のイベント認識部１８０を有する。典型的には、各アプリケーションビュー１９１が、複数のイベント認識部１８０を有する。別の複数の実施例においては、１つ以上のイベント認識部１８０が、ユーザインターフェースキット（図示せず）又はアプリケーション１３６−１がそこから方法及びその他の特性を継承するより高いレベルのオブジェクトなどの別個のモジュールの一部である。幾つかの実施例においては、各イベントハンドラ１９０が、データアップデータ１７６、オブジェクトアップデータ１７７、ＧＵＩアップデータ１７８及び／又はイベントソータ１７０から受信されたイベントデータ１７９のうちの１つ以上を有する。イベントハンドラ１９０が、アプリケーション内部状態１９２の更新のために、データアップデータ１７６、オブジェクトアップデータ１７７又はＧＵＩアップデータ１７８を利用するか又は呼び出してもよい。或いは、複数のアプリケーションビュー１９１のうちの１つ以上が、それぞれ１つ以上のイベントハンドラ１９０を有する。また、幾つかの実施例においては、データアップデータ１７６、オブジェクトアップデータ１７７及びＧＵＩアップデータ１７８のうちの１つ以上が、各アプリケーションビュー１９１内に含まれている。
【０１２１】
イベント認識部１８０が、（イベントデータ１７９などの）イベント情報をイベントソータ１７０から受信し、このイベント情報からイベントを特定する。イベント認識部１８０は、イベント受信部１８２及びイベント比較部１８４を有する。幾つかの実施例においては、イベント認識部１８０が、メタデータ１８３及び（サブイベント配信命令を含んでもよい）イベント配信命令１８８からなる少なくとも一サブセットを更に有する。
【０１２２】
イベント受信部１８２は、イベント情報をイベントソータ１７０から受信する。イベント情報は、例えばタッチ又はタッチの移動などのサブイベントに関する情報を含む。サブイベントによっては、イベント情報が、サブイベントの位置などの更なる情報も含む。サブイベントがタッチの移動に関係している場合には、イベント情報が、サブイベントの速度及び方向を更に含んでもよい。幾つかの実施例においては、イベントが（縦向きから横向きへ、又はその逆などの）１つの向きから別の向きへと装置を回転させることを含み、イベント情報が（装置の姿勢とも呼ばれる）装置の現在の向きに関する対応する情報を含む。
【０１２３】
イベント比較部１８４は、イベント情報を所定のイベント又はサブイベント定義と比較し、この比較に基づいて、イベント又はサブイベントを判定するか、或いはイベント又はサブイベントの状態を判定又は更新する。幾つかの実施例においては、イベント比較部１８４が、イベント定義１８６を有する。イベント定義１８６は、例えばイベント１（１８７−１、イベント２（１８７−２）などの（サブイベントの所定のシーケンスなどの）イベントの定義を含む。幾つかの実施例においては、１つのイベント（１８７）内の複数のサブイベントが、例えば、タッチの開始、タッチの終了、タッチの移動、タッチの中断及び複数のタッチなどを含む。一例においては、イベント１（１８７−１）の定義が、表示されたオブジェクト上でのダブルタップである。ダブルタップは、例えば、所定の段階における表示されたオブジェクトへの第１のタッチ（タッチの開始）、所定の段階における第１のリフトオフ（タッチの終了）、所定の段階における表示されたオブジェクトへの第２のタッチ（タッチの開始）及び所定の段階における第２のリフトオフ（タッチの終了）からなる。別の一例では、イベント２（１８７−２）の定義が、表示されたオブジェクト上でのドラッグである。ドラッグは、例えば、所定の段階における表示されたオブジェクトへのタッチ（又は接触）、タッチ感知ディスプレイ１１２上でのタッチの移動及び、タッチのリフトオフ（タッチの終了）からなる。幾つかの実施例においては、イベントが、１つ以上の関連するイベントハンドラ１９０に関する情報を更に含む。
【０１２４】
幾つかの実施例においては、イベント定義１８７が、ユーザインターフェースオブジェクトごとのイベントの定義を含む。幾つかの実施例においては、イベント比較部１８４が、どのユーザインターフェースオブジェクトがサブイベントと関連しているのかを判定するためのヒットテストを実行する。例えば、タッチ感知ディスプレイ１１２上に３つのユーザインターフェースオブジェクトが表示されているアプリケーションビューにおいて、タッチがタッチ感知ディスプレイ１１２上で検出されると、イベント比較部１８４が、３つのユーザインターフェースオブジェクトのうちのいずれがタッチ（サブイベント）と関連しているのかを判定するためのヒットテストを実行する。表示された各オブジェクトが各イベントハンドラ１９０と関連している場合には、イベント比較部は、このヒットテスト結果を用いて、どのイベントハンドラ１９０を有効にすべきかを決定する。例えば、イベント比較部１８４は、ヒットテストを開始させているサブイベント及びオブジェクトと関連しているイベントハンドラを選択する。
【０１２５】
幾つかの実施例においては、イベント（１８７）の定義が、一連のサブイベントがイベント認識部のイベントタイプと対応しているのか否かが判定されるまでイベント情報の配信を遅延させる遅延アクションを更に含む。
【０１２６】
イベント認識部１８０が、一連のサブイベントがイベント定義１８６内のいずれのイベントとも一致しないと判定すると、イベント認識部１８０は、イベント不可能、イベント失敗又はイベント終了状態に入り、その後は後続のタッチベースのジェスチャのサブイベントを無視する。この状況において、ヒットビューについて有効状態を保っている他のイベント認識部がある場合には、これらのイベント認識部は、続行中のタッチベースのジェスチャのサブイベントの追跡及び処理を継続する。
【０１２７】
幾つかの実施例においては、有効に関与しているイベント認識部へのサブイベント配信をイベント配信システムがどのように実行すべきかを示す構成可能な特性、フラグ及び／又はリストを有するメタデータ１８３を、各イベント認識部１８０が有する。幾つかの実施例においては、複数のイベント認識部がどのように相互に対話するのか又は対話可能にされるのかを示す構成可能な特性、フラグ及び／又はリストを、メタデータ１８３が有する。幾つかの実施例においては、複数のサブイベントがビュー又はプログラム階層内の様々なレベルに配信されるのか否かを示す構成可能な特性、フラグ及び／又はリストを、メタデータ１８３が有する。
【０１２８】
幾つかの実施例においては、あるイベントの１つ以上の特定のサブイベントが認識されると、イベント認識部１８０が、そのイベントと関連付けられたイベントハンドラ１９０を有効化する。幾つかの実施例においては、各イベント認識部１８０が、イベントと関連付けられたイベント情報をイベントハンドラ１９０に配信する。イベントハンドラ１９０を有効化することは、サブイベントを各ヒットビューに送信（及び遅延送信）することとは異なる。幾つかの実施例においては、イベント認識部１８０が、認識されたイベントと関連付けられたフラグを送信し、フラグと関連付けられたイベントハンドラ１９０がフラグを受信して、所定のプロセスを実行する。
【０１２９】
幾つかの実施例においては、イベント配信命令１８８が、あるサブイベントに関するイベント情報を、イベントハンドラを有効化せずに配信するサブイベント配信命令を含む。代わりに、サブイベント配信命令は、イベント情報を、一連のサブイベント又は有効に関与しているビューと関連付けられたイベントハンドラへと配信する。一連のサブイベント又は有効に関与しているビューと関連付けられたイベントハンドラは、イベント情報を受信し、所定のプロセスを実行する。
【０１３０】
幾つかの実施例においては、データアップデータ１７６が、アプリケーション１３６−１で使用されるデータを作成及び更新する。例えば、データアップデータ１７６が、連絡先モジュール１３７で使用される電話番号を更新するか、又はビデオプレーヤモジュールで使用されるビデオファイルを記憶する。幾つかの実施例においては、オブジェクトアップデータ１７７が、アプリケーション１３６−１で使用されるオブジェクトを作成及び更新する。例えば、オブジェクトアップデータ１７７が、新たなユーザインターフェースオブジェクトを作成するか、又はユーザインターフェースオブジェクトの位置を更新する。ＧＵＩアップデータ１７８は、ＧＵＩを更新する。例えば、ＧＵＩアップデータ１７８が、ディスプレイ情報を作成し、これをタッチ感知ディスプレイ上での表示のためにグラフィックモジュール１３２へと送信する。
【０１３１】
幾つかの実施例においては、イベントハンドラ１９０が、データアップデータ１７６、オブジェクトアップデータ１７７及びＧＵＩアップデータ１７８を有するか又はこれにアクセスする。幾つかの実施例においては、データアップデータ１７６、オブジェクトアップデータ１７７及びＧＵＩアップデータ１７８が、アプリケーション１３６−１又はアプリケーションビュー１９１の１つのモジュール内に含まれている。別の複数の実施例においては、これらが２つ以上のソフトウェアモジュール内に含まれている。
【０１３２】
タッチ感知ディスプレイへのユーザのタッチのイベント処理に関する上述の説明が、入力装置を有する多機能装置１００を動作させる、全てがタッチスクリーン上で開始されるわけではないユーザ入力のその他の形にも適用されることが理解されるべきである。例えば、単一の及び複数のキーボード押下又は保持と連携したマウスの移動及びマウスボタンの押下、タッチパッド上でのタップ、ドラッグ、スクロールなどの接点移動、ペンスタイラス入力、装置の移動、口頭での命令、検出された眼球運動、生体入力、及び／又はこれらの任意の組み合わせが、認識対象のイベントを規定するサブイベントに対応する入力として利用されてもよい。
【０１３３】
図２は、幾つかの実施例に基づくタッチスクリーン１１２を有するポータブル多機能装置１００を図示している。タッチスクリーンが、ユーザインターフェース（ＵＩ）２００内に１つ以上のグラフィックを表示してもよい。この実施例では、以下に記載の別の複数の実施例と同様に、ユーザが例えば１本以上の指２０２（図面では実寸ではない）又は１本以上のスタイラス２０３（図面では実寸ではない）などを用いてグラフィック上でジェスチャを行うことにより、１つ以上のグラフィックを選択することが可能である。幾つかの実施例においては、１つ以上のグラフィックの選択が、ユーザが１つ以上のグラフィックとの接触を中断した時に発生する。幾つかの実施例においては、ジェスチャが、１つ以上のタップ、１つ以上の（左から右、右から左、下から上及び／又は上から下への）スワイプ並びに／或いは装置１００と接触している指の（右から左、左から右、下から上及び／又は上から下への）回転を含んでもよい。幾つかの実施例又は場合においては、グラフィックへの意図しない接触がグラフィックを選択しない。例えば、選択に対応するジェスチャがタップである場合には、アプリケーションアイコン上を滑るスワイプジェスチャが、対応するアプリケーションを選択しなくてもよい。
【０１３４】
装置１００が、「ホーム」又はメニューボタン２０４などの１つ以上の物理ボタンを有してもよい。前述のように、メニューボタン２０４を、装置１００上で実行されてもよい複数のアプリケーションの組のうちの任意のアプリケーション１３６へのナビゲートに使用してもよい。或いは、幾つかの実施例においては、メニューボタンがタッチスクリーン１１２上に表示されているＧＵＩ内のソフトキーとして具現化されている。
【０１３５】
幾つかの実施例においては、装置１００が、タッチスクリーン１１２、メニューボタン２０４、装置の電源オン／オフ及び装置をロックするためのプッシュボタン２０６、音量調節ボタン２０８、加入者識別モジュール（ＳＩＭ）カードスロット２１０、ヘッドセットジャック２１２及びドッキング／充電外部ポート１２４を有する。プッシュボタン２０６が、ボタンを押下し、押下した状態に所定の時間保持することによって電源をオン／オフする、ボタンを押下し、所定の時間が経過する前にボタンを解放することによって装置をロックする、及び／又は、装置のロックを解除するかロック解除プロセスを開始するために使用されてもよい。別の一実施例においては、装置１００が、幾つかの機能の有効化又は無効化のために、マイクロフォン１１３を介して口頭で入力される。装置１００が、タッチスクリーン１１２への接触の強度を検出するための１つ以上の強度センサ１６５及び／又は装置１００のユーザ向けの触知出力を生成するための触知出力生成器１６７を更に有してもよい。
【０１３６】
図３は、幾つかの実施例に基づく、ディスプレイ及びタッチ感知表面を有する例示的な多機能装置のブロック図である。装置３００がポータブルである必要はない。幾つかの実施例においては、装置３００が、ラップトップコンピュータ、デスクトップコンピュータ、タブレットコンピュータ、マルチメディアプレーヤ装置、ナビゲーション装置、（子供用の学習玩具などの）教育機器、ゲームシステム或いは（家庭用又は産業用コントローラなどの）制御装置である。装置３００は、典型的には１つ以上の処理ユニット（ＣＰＵ）３１０、１つ以上のネットワーク又はその他の通信インターフェース３６０、メモリ３７０及びこれらの構成要素を相互に接続するための１つ以上の通信バス３２０を有する。通信バス３２０が、複数のシステムコンポーネント間の通信を相互に接続及び制御する（チップセットとも呼ばれる）回路を有してもよい。装置３００が、典型的にはタッチスクリーンディスプレイであるディスプレイ３４０を備えた入力／出力（Ｉ／Ｏ）インターフェース３３０を有する。Ｉ／Ｏインターフェース３３０が、キーボード及び／又はマウス（又はその他のポインティング装置）３５０並びにタッチパッド３５５、（例えば図１Ａを参照しながら前述した触知出力生成器１６７と同様の）装置３００上で触知出力を生成するための触知出力生成器３５７、（例えば図１Ａを参照しながら前述した光学、加速度、近接、タッチ感知及び／又は接触強度センサ１６５などの）センサ３５９を更に有してもよい。メモリ３７０が、ＤＲＡＭ、ＳＲＡＭ、ＤＤＲ  ＲＡＭ又はその他のランダムアクセスソリッドステートメモリ装置などの高速ランダムアクセスメモリを有する、また、１つ以上の磁気ディスク記憶装置、光学ディスク記憶装置、フラッシュメモリ装置又はその他の不揮発性のソリッドステート記憶装置などの不揮発性のメモリを有してもよい。メモリ３７０が、ＣＰＵ３１０から離間して配置された１つ以上の記憶装置を有してもよい。幾つかの実施例においては、メモリ３７０が、ポータブル多機能装置（図１Ａ）のメモリ１０２内に記憶されているプログラム、モジュール及びデータ構造と類似したプログラム、モジュール及びデータ構造又はこれらのサブセットを記憶している。更に、メモリ３７０が、ポータブル多機能装置１００のメモリ１０２内に存在しない更なるプログラム、モジュール及びデータ構造を記憶していてもよい。例えば、装置３００のメモリ３７０が、描画モジュール３８０、プレゼンテーションモジュール３８２、ワードプロセッシングモジュール３８４、ウェブサイト作成モジュール３８６、ディスクオーサリングモジュール３８８及び／又はスプレッドシートモジュール３９０を記憶していてもよい一方で、ポータブル多機能装置１００（図１Ａ）のメモリ１０２がこれらのモジュールを記憶していなくてもよい。
【０１３７】
図３に示す上述の要素のそれぞれが、前述の複数のメモリ装置のうちの１つ以上の中に記憶されていてもよい。上述の複数のモジュールのそれぞれは、上述の機能を実行する命令からなるセットに対応している。（命令セットなどの）上述の複数のモジュール及びプログラムのそれぞれが、別個のソフトウェアプログラム、手順又はモジュールとして具現化されている必要はなく、従って、様々な実施例において、これらのモジュールの様々なサブセットが組み合わせられているか、又は再構成されていてもよい。幾つかの実施例においては、メモリ３７０が上述のモジュール及びデータ構造のサブセットを記憶していてもよい。更に、メモリ３７０が、上述されていない更なるモジュール及びデータ構造を記憶していてもよい。
【０１３８】
以下に、例えばポータブル多機能装置１００上に実装されていてもよいユーザインターフェースの複数の実施例を記載する。
【０１３９】
図４Ａは、幾つかの実施例に基づくポータブル多機能装置１００のアプリケーションメニュー用のユーザインターフェースの一例を図示している。同様のユーザインターフェースが、装置３００上に実装されていてもよい。幾つかの実施例においては、ユーザインターフェース４００が、以下の複数の要素或いはこれらのサブセット又はスーパーセットを含む：
●セルラー及びＷｉ−Ｆｉ信号などの無線通信用の信号強度インジケータ４０２、
●時刻４０４、
●Ｂｌｕｅｔｏｏｔｈインジケータ４０５、
●バッテリ状態インジケータ４０６、
●以下などの頻繁に使用されるアプリケーション用のアイコンを含むトレイ４０８：
○不在着信又は留守番電話メッセージの数のインジケータ４１４を含んでもよい、電話モジュール１３８用の「電話」と表示されるアイコン４１６、
○未読の電子メールの数のインジケータ４１０を含んでもよい、電子メールクライアントモジュール１４０用の「メール」と表示されるアイコン４１８、
○「ブラウザ」と表示されるブラウザモジュール１４７用のアイコン４２０、及び、
○ｉＰｏｄ（Ａｐｐｌｅ社の登録商標）モジュール１５２とも呼ばれるビデオ及び音楽プレーヤモジュール１５２用の「ｉＰｏｄ」と表示されるアイコン４２２
●以下などのその他のアプリケーション用のアイコン：
○ＩＭモジュール１４１用の「メッセージ」と表示されるアイコン４２４、
○カレンダモジュール１４８用の「カレンダー」と表示されるアイコン４２６、
○画像管理モジュール１４４用の「写真」と表示されるアイコン４２８、
○カメラモジュール１４３用の「カメラ」と表示されるアイコン４３０、
○オンラインビデオモジュール１５５用の「オンラインビデオ」と表示されるアイコン４３２、
○株式ウィジェット１４９−２用の「株式」と表示されるアイコン４３４、
○地図モジュール１５４用の「マップ」と表示されるアイコン４３６、
○気象ウィジェット１４９−１用の「天気」と表示されるアイコン４３８、
○目覚まし時計ウィジェット１４９−４用の「時計」と表示されるアイコン４４０、
○トレーニングサポートモジュール１４２用の「トレーニングサポート」と表示されるアイコン４４２、
○メモモジュール１５３用の「メモ」と表示されるアイコン４４４、及び、
○装置１００及びその様々なアプリケーション１３６の設定にアクセスするための設定アプリケーション又はモジュール用の「設定」と表示されるアイコン４４６。
【０１４０】
図４Ａに示すアイコン表示は、単に例示的なものであることに留意すべきである。例えば、ビデオ及び音楽プレーヤモジュール１５２用のアイコン４２２は、「音楽」又は「音楽プレーヤ」と表示される。その他の表示が、様々なアプリケーションアイコンに対して使用されてもよい。幾つかの実施例においては、あるアプリケーションアイコン用の表示が、そのアプリケーションアイコンに対応するアプリケーションの名称を含む。幾つかの実施例においては、あるアプリケーションアイコン用の表示が、そのアプリケーションアイコンに対応するアプリケーションの名称とは異なる。
【０１４１】
図４Ｂは、（タッチスクリーンディスプレイ１１２などの）ディスプレイ４５０から離間した（図３のタブレット又はタッチパッド３５５などの）タッチ感知表面４５１を有する（図３の装置３００などの）装置上のユーザインターフェ−スの一例を図示している。装置３００が、タッチ感知表面４５１への接触の強度を検出するための（１つ以上のセンサ３５９などの）１つ以上の接触強度センサ及び／又は、装置３００のユーザ向けに触知出力を生成するための１つ以上の触知出力生成器３５７を有してもよい。
【０１４２】
以下の複数の例のうちの幾つかを、（タッチ感知表面とディスプレイとが組み合わせられた）タッチスクリーンディスプレイ１１２上での入力に関連して記載するが、幾つかの実施例においては、図４Ｂに示すように、ディスプレイから離間したタッチ感知表面上での入力を装置が検出する。幾つかの実施例においては、（図４Ｂの４５１などの）タッチ感知表面が、（４５０などの）ディスプレイ上の（図４Ｂの４５３などの）一次軸に対応する（図４Ｂの４５２などの）一次軸を有する。これらの実施例に基づき、装置が、ディスプレイ上の各位置に対応するタッチ感知表面４５１上の位置への（図４Ｂの４６０及び４６２などの）接触を検出する（例えば、図４Ｂでは、４６０が４６８に対応し、４６２が４７０に対応している）。タッチ感知表面がディスプレイから離間している場合には、このような方法で、（図４Ｂの４５１などの）タッチ感知表面上で装置によって検出された（接触４６０及び４６２並びにこれらの移動などの）ユーザ入力が、多機能装置の（図４Ｂの４５０などの）ディスプレイ上でユーザインターフェースを操作するために、装置によって使用される。同様の方法が、ここに記載のその他の複数のユーザインターフェースに対して使用されてもよいことが理解されるべきである。
【０１４３】
加えて、以下の複数の例は主に（指接触、指によるタップジェスチャ、指によるスワイプジェスチャなどの）指による入力に関連して記載されているが、幾つかの実施例においては、指による入力のうちの１つ以上を、（マウスを使用した入力又はスタイラス入力などの）別の入力装置からの入力に置き換えてもよいことが理解されるべきである。例えば、スワイプジェスチャを、（例えば接触の代わりに）マウスクリックした後に、（例えば接触の移動の代わりに）カーソルをスワイプの経路に沿って動かすことと置き換えてもよい。別の一例として、タップジェスチャを、（例えば接触の検出後に接触の検出を終了する代わりに）カーソルがタップジェスチャ位置上に配置されている間にマウスクリックすることと置き換えてもよい。同様に、複数のユーザ入力が同時に検出された場合には、複数のコンピュータマウスを同時に使用するか、又はマウスと指接触とを同時に使用してもよいことが理解されるべきである。
【０１４４】
図５Ａは、例示的なパーソナル電子装置５００を図示している。装置５００は、本体５０２を有する。幾つかの実施例においては、装置５００が、（図１Ａ〜図４Ｂなどの）装置１００及び３００に関して記載された特徴の一部又は全てを有してもよい。幾つかの実施例においては、装置５００が、以下においてタッチスクリーン５０４と記載するタッチ感知ディスプレイスクリーン５０４を有する。或いは、又はタッチスクリーン５０４に加えて、装置５００がディスプレイ及びタッチ感知表面を有する。装置１００及び３００と同様に、幾つかの実施例においては、タッチスクリーン５０４（又はタッチ感知表面）が、印加されている（タッチなどの）接触の強度を検出するための１つ以上の強度センサを有してもよい。タッチスクリーン５０４（又はタッチ感知表面）の１つ以上の強度センサが、タッチの強度を表す出力データを供給してもよい。装置５００のユーザインターフェースが、これらの強度に基づいてタッチに応答してもよく、即ち、強度の異なるタッチが、装置５００上での異なるユーザインターフェース動作を引き起こしてもよい。
【０１４５】
タッチ強度を検出及び処理するための技術の複数の例が、その内容全体が引用をもってここに援用された、以下の関連出願：ＷＩＰＯ公開番号第ＷＯ／２０１３／１６９８４９号として公開された「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｄｉｓｐｌａｙｉｎｇ  Ｕｓｅｒ  Ｉｎｔｅｒｆａｃｅ  Ｏｂｊｅｃｔｓ  Ｃｏｒｒｅｓｐｏｎｄｉｎｇ  ｔｏ  ａｎ  Ａｐｐｌｉｃａｔｉｏｎ」と題する２０１３年５月８日出願の国際特許出願第ＰＣＴ／ＵＳ２０１３／０４００６１号及び、ＷＩＰＯ公開番号第ＷＯ／２０１４／１０５２７６号として公開された「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｔｒａｎｓｉｔｉｏｎｉｎｇ  Ｂｅｔｗｅｅｎ  Ｔｏｕｃｈ  Ｉｎｐｕｔ  ｔｏ  Ｄｉｓｐｌａｙ  Ｏｕｔｐｕｔ  Ｒｅｌａｔｉｏｎｓｈｉｐｓ」と題する２０１３年１１月１１日出願の国際特許出願第ＰＣＴ／ＵＳ２０１３／０６９４８３号などに記載されている。
【０１４６】
幾つかの実施例においては、装置５００が１つ以上の入力機構５０６及び５０８を有する。入力機構５０６及び５０８が、含まれている場合には、物理的であってもよい。物理入力機構の例に、プッシュボタン及び回転可能な機構が含まれる。幾つかの実施例においては、装置５００が１つ以上の取付け機構を有する。そのような取付け機構が、含まれている場合には、装置５００を、例えば帽子、眼鏡、イヤリング、ネックレス、シャツ、ジャケット、ブレスレット、腕時計のバンド、鎖、ズボン、ベルト、靴、財布、バックパックなどへ取り付けることを可能にしてもよい。これらの取付け機構は、ユーザが装置５００を装着することを可能にする。
【０１４７】
図５Ｂは、パーソナル電子装置５００の例を図示している。幾つかの実施例においては、装置５００が、図１Ａ、１Ｂ及び３に関連して記載された構成要素の一部又は全てを有してもよい。装置５００が、Ｉ／Ｏ部分５１４を１つ以上のコンピュータプロセッサ５１６及びメモリ５１８と作用可能に連結させるバス５１２を有する。Ｉ／Ｏ部分５１４が、タッチ感知コンポーネント５２２及び（接触強度センサなどの）強度センサ５２４を有してもよいディスプレイ５０４に接続されていてもよい。加えて、Ｉ／Ｏ部分５１４が、アプリケーション及びオペレーティングシステムデータを、Ｗｉ−Ｆｉ、Ｂｌｕｅｔｏｏｔｈ、近距離通信（ＮＦＣ）、セルラー及び／又はその他の無線通信技術を用いて受信するための通信ユニット５３０と接続されていてもよい。装置５００が、入力機構５０６及び／又は５０８を有してもよい。入力機構５０６が、例えば回転可能な入力装置であるか、又は押圧可能かつ回転可能な入力装置であってもよい。幾つかの例においては、入力機構５０８がボタンであってもよい。
【０１４８】
幾つかの例においては、入力機構５０８がマイクロフォンであってもよい。パーソナル電子装置５００が、ＧＰＳセンサ５３２、加速度計５３４、（コンパスなどの）方向センサ５４０、ジャイロスコープ５３６、動きセンサ５３８及び／又はこれらの組み合わせを有してもよく、これらの全てがＩ／Ｏ部分５１４に作用可能に連結されていてもよい。
【０１４９】
パーソナル電子装置５００のメモリ５１８が、例えば１つ以上のコンピュータプロセッサ５１６によって実行されると、これらのコンピュータプロセッサに、プロセス９００−１１００（図９〜図１１）を含む以下に記載の技術を実行させることの可能な、コンピュータにより実行可能な命令を記憶するための１つ以上の非一時的コンピュータ可読記憶媒体を有してもよい。コンピュータ可読記憶媒体が、命令実行システム、装置又はデバイスにより、或いはこれらと組み合わせて使用されるコンピュータにより実行可能な命令を有形的に含むか又は記憶することの可能ないかなる媒体であってもよい。幾つかの実施例においては、記憶媒体が、一時的なコンピュータ可読記憶媒体である。幾つかの実施例においては、記憶媒体が、非一時的なコンピュータ可読記憶媒体である。非一時的なコンピュータ可読記憶媒体が、磁気、光学及び／又は半導体記憶装置を非限定的に含んでもよい。そのような記憶装置の例が、磁気ディスク、ＣＤ、ＤＶＤ又はＢｌｕ−ｒａｙ技術に基づく光学ディスク並びに、フラッシュ、ソリッドステートドライブなどの永続的なソリッドステートメモリを含む。パーソナル電子装置５００は、図５Ｂの構成要素及び構成に限定されることはなく、様々な構成のその他の又は更なる構成要素を有してもよい。
【０１５０】
ここで使用される「アフォーダンス」という用語は、装置１００、３００及び／又は５００（図１Ａ、図３及び図５Ａ〜図５Ｂ）のディスプレイスクリーン上に表示されてもよい、ユーザ対話型のグラフィカルユーザインターフェースオブジェクトを指す。例えば、（アイコンなどの）画像、ボタン及び（ハイパーリンクなどの）テキストが、それぞれアフォーダンスを構成してもよい。
【０１５１】
ここで使用される「フォーカスセレクタ」という用語は、ユーザが対話しているユーザインターフェースの現在の部分を示す入力要素を指す。幾つかの実施例においては、これはカーソル又はその他の位置マーカを含み、カーソルが（ボタン、ウィンドウ、スライダ又はその他のユーザインターフェース要素などの）特定のユーザインターフェース要素上に位置している間に（押下入力などの）入力が（図３のタッチパッド３５５又は図４Ｂのタッチ感知表面４５１などの）タッチ感知表面上で検出されると、検出された入力に従って特定のユーザインターフェース要素が調節されるように、カーソルが「フォーカスセレクタ」として動作する。タッチスクリーンディスプレイ上のユーザインターフェース要素との直接の対話を可能にする（図１Ａのタッチ感知ディスプレイシステム１１２又は図４Ａのタッチスクリーン１１２などの）タッチスクリーンディスプレイを含む幾つかの実施例においては、（接触による押下入力などの）入力が、タッチスクリーンディスプレイ上の（ボタン、ウィンドウ、スライダ又はその他のユーザインターフェース要素などの）特定のユーザインターフェース要素の位置で検出されると、検出された入力に従って特定のユーザインターフェース要素が調節されるように、検出されたタッチスクリーンへの接触が「フォーカスセレクタ」として動作する。幾つかの実施例においては、（例えばタブキー又は矢印キーを使用して、フォーカスを１つのボタンから別のボタンへと移動させることにより）フォーカスがユーザインターフェースの一領域からユーザインターフェースの別の一領域に、タッチスクリーンディスプレイ上の対応するカーソルの移動又は接触の移動を伴わずに移動する。これらの実施例においては、フォーカスセレクタは、ユーザインターフェースの異なる複数の領域間でのフォーカスの移動に従って移動する。フォーカスセレクタがどのような形を取るのかにかかわらず、フォーカスセレクタは一般に、ユーザの意図するユーザインターフェースとの対話を（ユーザが対話することを意図しているユーザインターフェースの要素を装置に対して示すことによって）伝えるようにユーザによって制御されるユーザインターフェース要素（又はタッチスクリーンディスプレイへの接触）である。例えば、押下入力が（タッチパッド又はタッチスクリーンなどの）タッチ感知表面上で検出されている間に、あるボタン上に（カーソル、接触又は選択ボックスなどの）フォーカスセレクタが位置していることは、ユーザが（装置のディスプレイ上に表示されているその他のユーザインターフェース要素ではなく）そのボタンを有効化することを意図していることを示す。
【０１５２】
本明細書及び請求項で使用される接触の「特性強度」という用語は、接触の１つ以上の強度に基づく接触の特性を指す。幾つかの実施例においては、特性強度が複数の強度サンプルに基づいている。接触の強度が、所定の数の強度サンプル又は（例えば接触の検出後、接触のリフトオフの検出前、接触の移動の開始の検出前又は後、接触の終了の検出前、接触の強度の増加の検出前又は後並びに／或いは接触の強度の減少の検出前又は後などの）所定のイベントに関して（例えば０．０５、０．１、０．２、０．５、１、２、５、１０秒などの）所定の時間の間に収集された複数のサンプルからなるセットに基づいていてもよい。接触の特性強度が、接触の強度の最大値、接触の強度の平均値、接触の強度の上位１０％の値、接触の強度の最大値の半分、接触の強度の最大値の９０％などのうちの１つ以上に基づいていてもよい。幾つかの実施例においては、（例えば特性強度が経時的な接触の強度の平均である場合に）特性強度を求めるために接触の持続時間が使用される。幾つかの実施例においては、ある動作がユーザによって実行されているか否かを判定するために、特性強度が１つ以上の強度しきい値からなるセットと比較される。例えば、１つ以上の強度しきい値からなるセットが、第１の強度しきい値及び第２の強度しきい値を含んでもよい。この例では、第１の強度しきい値を超えない特性強度を有する接触が第１の動作となり、第１の強度しきい値を超え、かつ第２の強度しきい値を超えない特性強度を有する接触が第２の動作となり、第２の強度しきい値を超える特性強度を有する接触が第３の動作となる。幾つかの実施例においては、特性強度と１つ以上のしきい値との比較が、第１の動作又は第２の動作のいずれを実行すべきかに使用されるのではなく、（各動作を実行すべきか又は各動作の実行を取り止めるべきかなどの）１つ以上の動作を実行すべきか否かの決定に使用される。
【０１５３】
図５Ｃは、複数の強度センサ５２４Ａ−５２４Ｄを有するタッチ感知ディスプレイスクリーン５０４への複数の接触５５２Ａ−５５２Ｅの検出を図示している。図５Ｃは、強度センサ５２４Ａ−５２４Ｄの現在の強度測定結果を強度単位と関連させて示す強度図である。この例では、強度センサ５２４Ａ及び５２４Ｄの強度測定結果は、それぞれ９強度単位であり、強度センサ５２４Ｂ及び５２４Ｃの強度測定結果は、それぞれ７強度単位である。幾つかの実施例においては、総強度は、複数の強度センサ５２４Ａ−５２４Ｄの強度測定結果の合計であり、この例では３２強度単位である。幾つかの実施例においては、各接触に、総強度の一部である強度が割り当てられる。図５Ｄは、接触５５２Ａ−５５２Ｅに、これらの力５５４の中心からの距離に基づいて総強度を割り当てることを図示している。この例では、接触５５２Ａ、５５２Ｂ及び５５２Ｅには総強度のうちの８強度単位の接触の強度がそれぞれ割り当てられ、接触５５２Ｃ及び５５２Ｄには、総強度のうちの４強度単位の接触の強度がそれぞれ割り当てられる。より一般的には、幾つかの実施例においては、各接触ｊに、所定の数式Ｉｊ＝Ａ・（Ｄｊ／ΣＤｉ）に従って、総強度Ａの一部である強度Ｉｊが割り当てられ、式中、Ｄｊは各接触ｊと力の中心との距離であり、ΣＤｉ（ｉ＝１から最後まで）は全ての接触の力の中心との距離の合計である。図５Ｃ〜図５Ｄを参照しながら記載した動作を、装置１００、３００又は５００に類似の又はこれと同一の電子装置を用いて実行してもよい。幾つかの実施例においては、ある接触の特性強度が、その接触の１つ以上の強度に基づいている。幾つかの実施例においては、（１回の接触の１つの特性強度などの）１つの特性強度を求めるために、複数の強度センサが使用される。強度図が、表示されたユーザインターフェースの一部ではなく、読み手を助けるために図５Ｃ〜図５Ｄに含まれていることに留意すべきである。
【０１５４】
幾つかの実施例においては、ジェスチャの一部が、特性強度を求める目的で特定される。例えば、タッチ感知表面が、開始位置から遷移して終了位置に到達し、ここで接触の強度が増加する継続的なスワイプ接触をなされてもよい。この例では、終了位置における接触の特性強度が、スワイプ接触全体ではなく、（スワイプ接触の終了位置における部分のみなどの）継続的なスワイプ接触の一部のみに基づいていてもよい。幾つかの実施例においては、接触の特性強度を求める前に、スワイプ接触の強度に平滑化アルゴリズムを適用してもよい。例えば、平滑化アルゴリズムが、重み付けしない移動平均平滑化アルゴリズム、三角平滑化アルゴリズム、メディアンフィルタ平滑化アルゴリズム及び／又は指数平滑化アルゴリズムのうちの１つ以上を含んでもよい。幾つかの場合においては、これらの平滑化アルゴリズムが、特性強度を求める目的で、スワイプ接触の強度の微細な凹凸を除去してもよい。
【０１５５】
タッチ感知表面への接触の強度が、接触検出強度しきい値、弱押下強度しきい値、強押下強度しきい値及び／又は１つ以上のその他の強度しきい値などの１つ以上の強度しきい値に対して特徴付けられていてもよい。幾つかの実施例においては、弱押下強度しきい値が、装置が典型的には物理マウス又はトラックパッドのボタンのクリックと関連した動作を実行する強度に対応している。幾つかの実施例においては、強押下強度しきい値が、装置が典型的には物理マウス又はトラックパッドのボタンのクリックと関連した動作とは異なる動作を実行する強度に対応している。幾つかの実施例においては、特性強度が弱押下強度しきい値未満の（かつ、例えばこれを下回ると接触が検出されない微小接触検出強度しきい値よりは高い）接触が検出されると、装置は、弱押下強度しきい値又は強押下強度しきい値と関連する動作を実行せずに、フォーカスセレクタをタッチ感知表面への接触の移動に従って動かす。一般には、別段に記載しない限り、これらの強度しきい値は、異なるユーザインターフェース形状の間で一貫している。
【０１５６】
接触の特性強度が弱押下強度しきい値未満の強度から弱押下強度しきい値と強押下強度しきい値との間の強度へと増加することが、「弱押下」入力と呼ばれる場合がある。接触の特性強度が強押下強度しきい値未満の強度から強押下強度しきい値を超える強度へと増加することが、「強押下」入力と呼ばれる場合がある。接触の特性強度が接触検出強度しきい値未満の強度から接触検出強度しきい値と弱押下強度しきい値との間の強度へと増加することが、タッチ表面への接触の検出と呼ばれる場合がある。接触の特性強度が接触検出強度しきい値を超える強度から接触検出強度しきい値未満の強度へと減少することが、タッチ表面からの接触のリフトオフの検出と呼ばれる場合がある。幾つかの実施例においては、接触検出強度しきい値がゼロである。幾つかの実施例においては、接触検出強度しきい値がゼロよりも大きい。
【０１５７】
ここに記載の幾つかの実施例においては、１つ以上の動作が、押下入力を含むジェスチャの検出に応答して、又は各接触（又は複数の接触）と共に実行される押下入力の検出に応答して実行され、押下入力が、接触（又は複数の接触）の強度が押下入力強度しきい値を超えて増加したことの検出に少なくとも部分的に基づいて検出される。幾つかの実施例においては、動作が、（押下入力の「上から下への動き」などの）接触の強度が押下入力強度しきい値を超えて増加したことの検出に応答して実行される。幾つかの実施例においては、押下入力が、接触の強度が押下入力強度しきい値を超えて増加し、その後接触の強度が押下入力強度しきい値未満まで減少することを含み、動作が、（押下入力の「下から上への動き」などの）その後の接触の強度が押下入力しきい値未満まで減少したことの検出に応答して実行される。
【０１５８】
図５Ｅ〜図５Ｈは、接触５６２の強度が図５Ｅの（「ＩＴＬ」などの）弱押下強度しきい値未満の強度から図５Ｈの（「ＩＴＤ」などの）強押下強度しきい値を超える強度まで増加することに対応する押下入力を含むジェスチャの検出を図示している。接触５６２と共に実行されるジェスチャが、所定の領域５７４内に表示されたアプリケーションアイコン５７２Ａ−５７２Ｄを含む表示されたユーザインターフェース５７０上で、Ａｐｐ２に対応するアプリケーションアイコン５７２Ｂ上にカーソル５７６が表示されている間に、タッチ感知表面５６０で検出される。幾つかの実施例においては、ジェスチャがタッチ感知ディスプレイ５０４上で検出される。強度センサがタッチ感知表面５６０へ接触の強度を検出する。接触５６２の強度が（「ＩＴＤ」などの）強押下強度しきい値を超えてピークに達したことを装置が判定する。接触５６２がタッチ感知表面５６０上で保持される。ジェスチャの検出に応答して、かつ接触５６２が（「ＩＴＤ」などの）強押下強度しきい値を超える強度をジェスチャの間有していることに基づき、図５Ｆ〜図５Ｈに示すように、Ａｐｐ２の最近開かれたドキュメントの（サムネイルなどの）縮小表現５７８Ａ−５７８Ｃが表示される。幾つかの実施例においては、１つ以上の強度しきい値と比較される強度が、接触の特性強度である。接触５６２の強度図が、表示されたユーザインターフェースの一部ではなく、読み手を助けるために図５Ｅ〜図５Ｈに含まれていることに留意すべきである。
【０１５９】
幾つかの実施例においては、表現５７８Ａ−５７８Ｃの表示が、アニメーションを含む。例えば、図５Ｆに示すように、最初に表現５７８Ａがアプリケーションアイコン５７２Ｂの近くに表示される。アニメーションの進行に伴い、図５Ｇに示すように表現５７８Ａが上方に移動し、表現５７８Ｂがアプリケーションアイコン５７２Ｂの近くに表示される。次に、図５Ｈに示すように表現５７８Ａが上方に移動し、表現５７８Ｂが表現５７８Ａに向かって上方に移動し、表現５７８Ｃがアプリケーションアイコン５７２Ｂの近くに表示される。表現５７８Ａ−５７８Ｃが、アイコン５７２Ｂの上で列を形成する。幾つかの実施例においては、図５Ｆ〜図５Ｇに示すように、アニメーションが接触５６２の強度に従って進行し、この場合、表現５７８Ａ−５７８Ｃが、接触５６２の強度が（「ＩＴＤ」などの）強押下強度しきい値に向けて増加するのに伴って出現し、上方に移動する。幾つかの実施例においては、これに基づいてアニメーションが進行する強度が、接触の特性強度である。図５Ｅ〜図５Ｈを参照しながら記載されている動作が、装置１００、３００又は５００と同様の、或いはこれと同一の電子装置を用いて実行されてもよい。
【０１６０】
幾つかの実施例においては、「ジッタ」とも呼ばれる予期しない入力を回避するために、装置が強度ヒステリシスを利用し、この場合、装置がヒステリシス強度しきい値を、（ヒステリシス強度しきい値が押下入力強度しきい値よりもＸ強度単位低いか、或いはヒステリシス強度しきい値が押下入力強度しきい値の７５％、９０％又は何らかの合理的な割合であるなどの）押下入力強度しきい値に対して所定の関係となるように規定又は選択する。従って、幾つかの実施例においては、押下入力が、各接触の強度が押下入力強度しきい値を超えて増加し、その後、接触の強度が、押下入力強度しきい値に対応するヒステリシス強度しきい値未満まで減少することを含み、各動作が、（各押下入力の「下から上への動き」などの）その後の接触の強度が押下入力強度しきい値に対応するヒステリシス強度しきい値未満まで減少したことの検出に応答して実行される。同様に、幾つかの実施例においては、接触の強度がヒステリシス強度しきい値以下の強度から押下入力強度しきい値以上の強度まで増加し、更に必要に応じて、その後接触の強度がヒステリシス強度以下の強度まで減少したことを装置が検出した場合にのみ、押下入力が検出され、動作が、（状況に応じ、接触の強度の増加又は接触の強度の減少などの）押下入力の検出に応答して実行される。
【０１６１】
説明を簡単にするために、ある押下入力強度しきい値に関連する押下入力に応答して、又は押下入力を含むジェスチャに応答して実行される動作の説明が、接触の強度が押下入力強度しきい値を超えて増加したこと、接触の強度がヒステリシス強度しきい値未満の強度から押下入力強度しきい値を超える強度まで増加したこと、接触の強度が押下入力強度しきい値未満まで減少したこと及び／又は、接触の強度が押下入力強度しきい値に対応するヒステリシス強度しきい値未満まで減少したことの検出に応答して開始されてもよい。加えて、接触の強度が押下入力強度しきい値未満まで減少したことの検出に応答して動作が実行されると説明される複数の例において、押下入力しきい値に対応し、かつこれよりも低いヒステリシス強度しきい値未満まで接触の強度が減少したことの検出に応答して、動作が実行されてもよい。
【０１６２】
図６は、幾つかの実施例に従って決済トランザクションを完了させるために１つ以上の通信チャネルを介して接続された複数の例示的な装置を図示したものである。（装置１００、３００及び５００などの）１つ以上の例示的な電子装置が、（特定のユーザ入力、ＮＦＣフィールドなどの）入力を任意選択的に検出し、また、決済情報を（例えばＮＦＣを使用して）任意選択的に送信するように構成されている。１つ以上の例示的な電子装置が、ＮＦＣハードウェアを有し、ＮＦＣ対応であるように構成されていてもよい。
【０１６３】
（装置１００、３００及び５００などの）電子装置が、１つ以上の支払い口座のそれぞれに関する支払い口座情報を記憶するように構成されていてもよい。支払い口座情報が、例えば、個人名又は会社名、請求先住所、ログイン、パスワード、口座番号、有効期限、セキュリティコード、電話番号、支払い口座と関連付けられた（発行銀行などの）銀行及びカードネットワーク識別情報のうちの１つ以上を含んでもよい。幾つかの例においては、支払い口座情報が、（例えば装置によって撮影された、及び／又は装置で受信された）決済用カードの写真などの画像を含む。幾つかの例においては、電子装置が、（例えばユーザが入力したクレジット、デビット、口座又はギフトカード番号及び有効期限を受信するなど）少なくとも一部の支払い口座情報を含むユーザ入力を受信する。幾つかの例においては、電子装置が、少なくとも一部の支払い口座情報を、（例えば装置のカメラセンサによってキャプチャされた決済用カードの）画像から検出する。幾つかの例においては、電子装置が、少なくとも一部の決済情報を、（例えば別のユーザ装置又はサーバなどの）別の装置から受信する。幾つかの例においては、電子装置が、ユーザ又はユーザ装置の口座が以前に購入を行ったか、又は支払い口座データを指定した（例えばオーディオ及び／又はビデオファイルのレンタル又は販売用のアプリなどの）別のサービスと関連付けられているサーバから支払い口座情報を受け取る。
【０１６４】
幾つかの実施例においては、支払い口座情報が電子装置上にセキュアに記憶されるような方法で、支払い口座が（装置１００、３００及び５００などの）電子装置に追加される。幾つかの例においては、ユーザがそのようなプロセスを開始した後に、電子装置が支払い口座情報をトランザクション連携サーバへと送信し、このサーバが次に、（決済サーバなどの）口座の決済ネットワークによって運営されているサーバと通信を行って、情報の有効性を確認する。電子装置が、口座の決済情報をセキュアな構成要素上にプログラムすることを可能にするスクリプトをサーバから受け取るように構成されていてもよい。
【０１６５】
幾つかの実施例においては、電子装置１００、３００及び５００間の通信が、（一般的な又は特定のトランザクションなどの）トランザクションを容易にする。例えば、第１の電子装置（１００など）がプロビジョニング又は管理装置としての役割を果たしてもよく、また、（新たな口座に関する情報、既存の口座に関する更新された情報及び／又は既存の口座に関する警告などの）新たな又は更新された支払い口座データの通知を第２の装置（５００など）に送信してもよい。別の一例においては、第１の電子装置（１００など）が、データを第２の電子装置へと送信してもよく、この場合、第１の電子装置で容易にされる決済トランザクションに関する情報をデータが反映している。情報が、支払金額、使用する口座、購入日時及び、初期設定の口座が変更されたか否かのうちの１つ以上の含んでもよい。第２の装置（５００など）が、そのような情報を、（例えば学習アルゴリズム又は明示的なユーザ入力に基づき）初期設定の支払い口座を更新するために使用してもよい。
【０１６６】
複数の電子装置（１００、３００、５００、７００など）が、様々なネットワークのうちの任意のネットワークを介して相互に通信を行うように構成されている。例えば、複数の装置が（例えば従来のＢｌｕｅｔｏｏｔｈ接続又はＢｌｕｅｔｏｏｔｈ  Ｌｏｗ  Ｅｎｅｒｇｙ接続などの）Ｂｌｕｅｔｏｏｔｈ接続６０８或いはＷｉＦｉネットワーク６０６を使用して通信を行う。複数のユーザ装置間の通信が、複数の装置間で不適切に情報を共有する可能性を減じるように調整されてもよい。例えば、決済情報に関連する通信が、複数の装置が（例えば明示的なユーザ対話を介して相互に関連付けされるなど）ペアリングされること又は、同じユーザ口座によって関連付けされることを必要とする。
【０１６７】
幾つかの実施例においては、電子装置（１００、３００、５００など）が、ＮＦＣ対応であってもよい販売時点（ＰＯＳ）決済端末６００との通信に使用される。通信が、様々な通信チャネル及び／又は技術を使用して行われてもよい。一例においては、電子装置（１００、３００、５００など）がＮＦＣチャネル６１０を使用して決済端末６００との通信を行う。幾つかの例においては、決済端末６００がピアツーピアＮＦＣモードを利用して電子装置（１００、３００、５００など）との通信を行う。電子装置（１００、３００、５００など）が、（初期設定の口座又は特定のトランザクション用に選択された口座などの）支払い口座用の決済情報を含む信号を決済端末６００に送信するように構成されていてもよい。
【０１６８】
幾つかの実施例においては、信号の生成及び／又は送信が、電子装置（１００、３００、５００など）内のセキュアな構成要素によって制御されてもよい。セキュアな構成要素が、決済情報を解除する前に特定のユーザ入力を必要としてもよい。例えば、セキュアな構成要素が、電子装置が装着されていることの検出、ボタン押下の検出、パスコードの入力の検出、タッチの検出、（例えばアプリケーションとの対話の間に受信される）１つ以上のオプション選択の検出、指紋による署名の検出、音声又は音声コマンドの検出並びに／或いは（回転又は加速などの）ジェスチャ又は移動の検出を必要としてもよい。幾つかの例においては、（決済端末６００などの）別の装置を有する（ＮＦＣ通信チャネルなどの）通信チャネルが、入力の検出から一定時間以内に確立されると、セキュアな構成要素が決済情報を（決済端末６００などの）別の装置への送信のために解除する。幾つかの例においては、セキュアな構成要素が、セキュアな情報の解除を制御するハードウェアコンポーネントである。幾つかの実施例においては、セキュアな構成要素が、セキュアな情報の解除を制御するソフトウェアコンポーネントである。
【０１６９】
幾つかの実施例においては、トランザクションへの参加に関連するプロトコルが、例えば装置の種類に依存する。例えば、決済情報を生成及び／又は送信するための条件が、（装置５００などの）ウェアラブルな装置の場合と（装置１００などの）電話の場合とで異なっていてもよい。例えば、ウェアラブルな装置の場合の支払い及び／又は送信条件が、（例えば安全性の検証後に）ボタンが押下されたことの検出を含む一方で、電話の場合の対応する条件がボタンの押下を必要とせず、代わりに、アプリケーションとの特定の対話の検出を必要とする。幾つかの例においては、決済情報を送信及び／又は解除するための条件が、複数の装置のそれぞれが特定の入力をなされることを含む。例えば、決済情報の解除が、（装置１００などの）装置における指紋及び／又はパスコードの検出並びに、（装置５００などの）他方の装置における（ボタン押下などの）機械入力の検出を必要としてもよい。
【０１７０】
決済端末６００が、支払いが許可されるか否かを決定するための信号を生成して決済サーバ６０４に送信するために、決済情報を使用してもよい。決済サーバ６０４が、支払い口座と関連付けられた決済情報を受信して、申し込まれた購入が許可されるか否かを決定してもよい。幾つかの例においては、決済サーバ６０４が、発行銀行のサーバを含む。決済端末６００は、（加盟店銀行のサーバ及び／又はカードネットワークのサーバなどの）１つ以上のその他の装置又はシステムを介して直接又は間接に、決済サーバ６０４との通信を行う。
【０１７１】
決済サーバ６０４は少なくとも一部の支払い情報を任意選択的に用いて、ユーザアカウントのデータベース（例えば、６０２）内から所定のユーザアカウントを識別する。例えば、各ユーザアカウントは支払い情報を含んでいる。アカウントは、ＰＯＳ通信からのものと適合する特定の支払い情報を用いてアカウントを特定することによって任意選択的に特定される。いくつかの例では、提供された支払い情報が一致しない（例えば、有効期限がクレジット、デビット又はギフトカード番号に対応しない）場合、又はＰＯＳ通信からのものと適合する支払い情報を含むアカウントがない場合、決済は拒絶される。
【０１７２】
いくつかの実施形態では、ユーザアカウントからのデータは更に、１つ以上の制限（例えば、信用限度）、現在又は以前の収支、以前のトランザクション日、場所及び／又は量、アカウント状態（例えば、活動又は凍結）、及び／又は許可命令を識別する。いくつかの例では、決済サーバ（例えば、６０４）はこのようなデータを用いて、決済を許可するかどうかを判定する。例えば、現在の収支に加えられた購入量がアカウント限度を超えることをもたらす可能性がある場合、アカウントが凍結されている場合、以前のトランザクション量が閾値を超えている場合、又は以前のトランザクション回数又は頻度が閾値を超えている場合、決済サーバは決済を拒絶する。
【０１７３】
いくつかの実施形態では、決済サーバ６０４は、提案された購入が許可されるか又は拒絶されるかについてのインジケーションをＰＯＳ決済端末６００に応答する。いくつかの例では、ＰＯＳ決済端末６００は電子装置（例えば、１００、３００、５００）に信号を送信し、結果を識別する。例えば、購入が許可されると（例えば、ユーザデバイス上のトランザクションアプリを管理するトランザクション調整サーバを介して）ＰＯＳ決済端末６００は電子装置（例えば、１００、３００、５００）にレシートを送信する。いくつかの例では、ＰＯＳ決済端末６００は、結果を示す出力（例えば、視覚的又は音声出力）を提示する。決済は許可処理の一部として小売業者に送信することも、それ以降に送信することもできる。
【０１７４】
いくつかの実施形態では、電子装置（例えば、１００、３００、５００）は、ＰＯＳ決済端末６００の関与なしで完了するトランザクションに参加する。例えば、機械式入力を受け取ったことを検出すると、電子装置（例えば、１００、３００、５００）内のセキュア要素が支払い情報を解放し、電子装置上のアプリケーションは情報にアクセス（例えば、アプリケーションに関連したサーバに情報を送信）可能になる。
【０１７５】
いくつかの実施形態では、電子装置（例えば、１００、３００、５００）はロック状態又はアンロック状態である。ロック状態では、電子装置は電源オンで動作可能であるが、ユーザ入力に応じて所定の組の動作を実行することは妨げられる。所定の組の動作は、ユーザインターフェース間のナビゲーション、所定の組の機能の起動又は停止、及び所定のアプリケーションの起動又は停止を含んでいてもよい。ロック状態を用いて、電子装置のいくつかの機能の不用意な又は無許可の使用、又は電子装置上のいくつかの機能の起動又は停止を妨げることができる。アンロック状態では、電子装置１００は電源オンで動作可能であり、ロック状態の間は実行できない所定の組の動作の少なくとも一部を実行することを妨げられない。
【０１７６】
デバイスがロック状態のとき、デバイスはロックされているといわれる。いくつかの実施形態では、ロック状態のデバイスは、アンロック状態にデバイスを遷移させる試行に対応する入力、又はデバイスの電源をオフにすることに対応する入力を含む、限られた組のユーザ入力に対応できる。
【０１７７】
いくつかの例では、セキュア要素は、データ又はアルゴリズムをセキュアに記憶するように構成したハードウェア部品（例えば、セキュアなマイクロコントローラチップ）である。いくつかの例では、セキュア要素は支払い情報（例えば、アカウント番号及び／又はトランザクション固有の動的セキュリティコード）を提供（又は解放）する。いくつかの例では、セキュア要素は、ユーザ認証（例えば、指紋認証、パスコード認証、デバイスがアンロック状態のときハードウェアボタンの二重押しを検出すること、及び任意選択的に、デバイスがユーザの皮膚に接触していることを検出することによって等、デバイスがユーザの手首にある間）等の認証を受け取ったデバイスに応じて支払い情報を提供（又は解放）する。例えば、デバイスはそのデバイスの指紋センサ（例えば、ボタン内に一体化した指紋センサ）において指紋を検出する。デバイスは、指紋が登録された指紋と一致するかどうかを判定する。指紋が登録された指紋と一致しているとの判定に従って、セキュア要素は支払い情報を提供（又は解放）する。指紋が登録された指紋と一致していないとの判定に従って、セキュア要素は支払い情報の提供（又は解放）を差し控える。
【０１７８】
ここで、ポータブル多機能装置１００、デバイス３００又はデバイス５００等の電子装置上に実装されているユーザインターフェース（ＵＩ）及び関連の処理の実施形態に注意を向ける。
【０１７９】
図７Ａ〜図７Ｌは、いくつかの実施形態に従って、アクションを続行するリモート許可を管理する典型的なユーザインターフェース装置を示す。これらの図のユーザインターフェースを用いて、図９〜１１の処理を含む下記の処理を示す。
【０１８０】
図７Ａは、要求装置７００（例えば、ハードウェアトークン生成器を有していないディスプレイ付きのラップトップコンピュータ等の電子装置）と認証装置５００（例えば、ハードウェアトークン生成器を有していないディスプレイ付きのスマートフォン等の電子装置）を示す。いくつかの例では、認証装置５００は所定の機能を実行できるハードウェア（例えば、ハードウェアトークン生成器）を含むが、要求装置７００はそのハードウェアを含んでおらず、その機能を実行できない。このような状況においてリモート許可を用いることによって、ユーザは、異なるデバイス（例えば、要求装置７００）を使用（又はその上でタスクを実行）している間、あるデバイス（例えば、認証装置５００）のハードウェア機能を利用できる。いくつかの例では、この技術によって、親は第１デバイス（例えば、認証装置５００）を用いてアクションを遠隔的に許可することができ、そのアクションは、第２デバイス（例えば、要求装置）を用いて（第２デバイスのハードウェア機能にかかわらず）その親の子供によって要求（又は開始）されたものである。いくつかの例では、その技術は、所定のセキュリティ規格に適合していないシステムにセキュアなデータを分散させる必要性を回避する（例えば、セキュア要素を有していないシステム上でセキュアな情報を生成又は記憶する必要性を回避する）ことによって、所定のレベルのセキュリティを維持することに役立つ。
【０１８１】
いくつかの例では、要求装置７００と認証装置５００は、無線通信を介して等、通信を行うように構成されている。例えば、要求装置７００と認証装置５００は、パーソナルエリアネットワーク、ローカルエリアネットワーク、ワイドエリアネットワーク、Ｂｌｕｅｔｏｏｔｈ、ＷＬＡＮ、セルラネットワーク又はそれらの任意の組合せを介して通信できる。
【０１８２】
要求装置７００は、１つ以上のオプション７０８を含むユーザインターフェース７０２を表示する。この例では、１つ以上のオプション７０８は、対応するリモートサーバの名前である。いくつかの例では、要求装置７００は複数のオプション７０８を表示する。認証装置５００はオン状態である。この例では、認証装置５００のディスプレイは何も表示していない（例えば、ディスプレイはオフである）。
【０１８３】
要求装置７００は１つ以上のオプションの選択を受け取る（例えば、リモートサーバの名前又はアドレスのユーザ選択を受け取るか、複数のトークン生成アルゴリズム内から所定のセキュリティトークン生成アルゴリズムのユーザ選択を受け取るか、生成されるセキュリティトークンの長さのユーザ選択を受け取るか、又はそれらの組合せを行う）。この例では、要求装置７００は、カーソル７０４を用いて１つ以上のオプションのオプション７０６の起動を受け取る。図７Ｂにおいて、要求装置はカーソル７０４を用いて継続アフォーダンス７１４の起動を検出する。
【０１８４】
いくつかの例では、図７Ｃにおいて、要求装置７００は（例えば、オプションを表示することによって）複数の認証装置に対応するオプションを提供し、複数の認証装置に対応するオプションは、認証装置５００に対応するＢｏｂ’ｓ  Ｐｈｏｎｅというラベル付きのオプション７１６を含んでいる。
【０１８５】
図７Ｃにおいて、要求装置７００は認証装置に対応するオプション７１６を選択する入力を受け取る。図７Ｄにおいて、要求装置はオプション７２２の選択を受け取り（例えば、「確認」アフォーダンス又は「接続」アフォーダンスのユーザ起動を検出し）、選択した１つ以上のオプション７０６に関連したアクションを続行する（例えば、セキュアなネットワーク接続を生成する、決済トランザクションを続行する）。いくつかの例では、アクションは選択した１つ以上のオプション７０６に基づいている。いくつかの例では、１つ以上のオプションの複数が選択される。
【０１８６】
要求装置７００は、アクションの続行要求を送信する。要求は、選択した１つ以上のオプションについて（又はそれに基づく）情報を含んでいる。いくつかの例では、要求装置７００は、認証装置に対応するオプション７１６を選択して受け取った入力に基づいて、認証装置５００にアクションの続行要求を送信する。
【０１８７】
図７Ｅに示したように、認証装置５００はアクションの続行要求を受け取る。いくつかの例では、要求装置７００から認証装置５００への送信は直接的である。いくつかの例では、要求装置７００から認証装置５００への送信は、中間デバイスを介して等、間接的である。
【０１８８】
いくつかの例では、アクションの続行要求を受け取ったとき認証装置５００はロック状態である。アクションの続行要求の受取りに応じて、認証装置５００は（ロック状態に留まっている間に）ディスプレイ上に（例えば、認証装置５００のロックスクリーン上に）要求通知７３０を表示する。いくつかの例では、要求通知７３０は、選択した１つ以上のオプションについて（又はそれに基づく）１つ以上の情報７３２と、要求装置７００のインジケーション７３４とを含んでいる。
【０１８９】
いくつかの例では、図７Ｆに示したように、認証装置５００は、要求通知７３０を起動する入力を受け取る（例えば、閾値距離を超えて要求通知７３０をスライドさせるユーザスワイプジェスチャ７３６、又は各閾値強度より上の固有強度で通知上を押すユーザ入力ジェスチャを受け取る）。
【０１９０】
いくつかの例では、図７Ｇに示したように、認証装置５００は（例えば、要求７４０を表示すること及び／又は触覚振動を生成することによって）、認証装置５００をアンロックする許可が要求されたことを認証装置５００のユーザに通知する。
【０１９１】
いくつかの例では、認証装置５００は（例えば、指紋又はパスコードを介して）、認証装置をアンロックする（例えば、認証装置５００をアンロック状態に遷移させる）許可を受け取る。デバイスをアンロックするこの許可は、アクションの続行許可とは別個で、追加的である。いくつかの例では、アンロックの許可とアクションの続行許可とは、同じ技術を用いて（例えば、同じ指紋又は同じパスワードを用いて）充足できる。いくつかの例では、アンロックの許可とアクションの続行許可とは、異なる技術を用いて（例えば、アンロックの許可用に指紋、アクションの続行許可用にパスワードを用いて）充足できる。いくつかの例では、アンロックの許可とアクションの続行許可とは同じ技術を用いるが、異なる入力を用いて（例えば、アンロックの許可用に第１指紋、アクションの続行許可用に第２指紋を用いて、アンロックの許可用に第１パスワード、アクションの続行許可用に第２パスワードを用いて）充足される。認証装置５００をアンロックする許可の受取りに応じて（又はそれに続いて）、認証装置５００はアンロックを行う（例えば、認証装置５００をアンロック状態に遷移させる）。
【０１９２】
図７Ｈにおいて、認証装置５００は（例えば、アクションの続行要求の受取りに応じて、アンロックに応じて）認証装置５００のディスプレイ上に、アクションの続行要求のインジケーション７５０と、選択した１つ以上のオプションについての情報７５２（例えば、接続用のリモートサーバの名前、セキュリティトークン生成アルゴリズム、生成されるセキュリティトークンの長さ、購入する１つ以上の製品／サービス、１つ以上の発送方法、又はそれらの組合せ）と、要求装置７００のインジケーション７５４（例えば、要求装置名、要求装置の識別子、又は要求装置の筐体の線画等の要求装置を表現するアイコン又は画像）とを同時に表示する。
【０１９３】
いくつかの例では、要求装置７００のインジケーション７５４は要求装置７００のグラフィカル表現を含んでいる。いくつかの例では、要求装置７００のグラフィカル表現はデバイスの筐体の線画等の要求装置７００のアイコン表現である。いくつかの例では、アイコン表現は、要求装置７００の仕上げと、フォームファクタと、１つ以上の寸法情報との１つ以上を含み、ユーザは認証が要求されているデバイスを素早く正確に識別できる。例えば、グラフィカル表現は、要求装置７００がゴールドＭａｃＢｏｏｋ（登録商標）又は２７”ｉＭａｃ（登録商標）であることを指示できる。
【０１９４】
認証装置５００は、認証装置５００のディスプレイ上にアクションの続行許可用の要求７５６を表示する。
【０１９５】
図７Ｉに示したように、認証装置５００は、アクションの続行許可用の要求に対応する入力（例えば、ユーザ認証情報、指７５８の指紋、パスコード）を受け取る。例えば、認証装置５００は指７５８の指紋を入力として受け取り、その指紋がアクションを続行するように認証装置５００を許可できる指紋と一致していることを判定する。
【０１９６】
認証装置５００は、アクションの続行要求に対する応答を送信する。例えば、認証装置５００は要求装置７００に応答を送信する。アクションの続行要求に対する応答は、アクションの続行許可用の要求に対応する入力に基づいている。いくつかの例では、認証装置５００は、アクションの続行要求に対する応答が送信されたというインジケーション７６０を提供する。
【０１９７】
要求装置７００は（例えば、要求の送信に応じて、要求の送信に続いて）アクションの続行要求に対する応答を受け取る。例えば、要求装置７００は認証装置５００からアクションの続行要求に対する応答を受け取る。
【０１９８】
図７Ｊに示したように、認証装置５００における許可（例えば、バイオメトリック、指紋、パスワードに基づく認証装置５００によるユーザ認証）が成功したことを、アクションの続行要求に対する応答が示す要求装置７００における判定に従って、要求装置７００は要求装置７００のディスプレイ上に、許可が成功したというインジケーション７６２を表示する。
【０１９９】
いくつかの例では、図７Ｋに示したように、要求装置７００は、要求装置７００（及び代替的に又は追加的に、認証装置５００）がアクションを続行したというインジケーション７６４を表示する。
【０２００】
図７Ｌに示したように、許可（例えば、バイオメトリック、指紋、パスワードに基づく認証装置５００によるユーザ認証）が成功しなかったことを、アクションの続行要求に対する応答が示す要求装置７００における判定に従って、要求装置７００は要求装置７００のディスプレイ上に、許可が成功しなかったというインジケーション７６６を表示する。許可が成功したというインジケーション７６２は、許可が成功しなかったというインジケーション７６６とは異なっている。いくつかの例では、認証装置５００は許可が成功しなかったというインジケーション７６８を表示する。
【０２０１】
いくつかの例では、アクションの続行許可を受け取ることは、認証装置５００のタッチ感知面を介してパスコードを受け取ることを含み、パスコードはアクションを許可可能な登録済みパスコードと一致していることを判定する。いくつかの例では、続行の許可は指紋センサを用いて指紋を検出することを含み、指紋はアクションを許可可能な登録済み指紋と一致していることを判定する。例えば、認証装置５００は、ユーザの１つ以上の指紋についての情報を記憶し、各指紋がアクションを許可可能であるかどうかの判定に使用する。いくつかの例では、デバイスがアンロック状態である間（及び任意選択的に、デバイスに認証クレデンシャルを提供することによってデバイスがアンロックされて以来、デバイスが連続的にユーザの手首にある間、ここで、ユーザの手首にデバイスが連続的に存在することは、デバイスがユーザの皮膚に接触していることを周期的に確認することによって判定される）、続行の許可は機械式ボタンの二重押しを受け取ることを含んでいる。
【０２０２】
いくつかの例では、認証装置５００は、アクションの続行許可用の要求に対応する入力に（例えば、トークンを生成又は提供することによって、支払い情報を生成又は提供することによって）応答するように構成したハードウェア（例えば、ハードウェアトークン生成器、セキュア要素）を含み、要求装置７００はそのハードウェア（例えば、ハードウェアトークン生成器、セキュア要素）を含んでいない。従って、ユーザは、異なるデバイス（例えば、要求装置７００）を使用（又はその上でタスクを実行）している間、あるデバイス（例えば、認証装置５００）のハードウェア機能を利用できる。
【０２０３】
図８Ａ〜図８Ｍは、いくつかの実施形態に従って、決済トランザクションを続行するリモート許可を管理する典型的なユーザインターフェースを示す。これらの図のユーザインターフェースを用いて、図９〜図１１の処理を含む下記の処理を示す。
【０２０４】
図８Ａは、要求装置７００（例えば、セキュア要素を有していないディスプレイ付きのラップトップコンピュータ等の電子装置）及び認証装置５００（セキュア要素を有しているディスプレイ付きのスマートフォン等の電子装置）を示す。いくつかの例では、認証装置５００は所定の機能（例えば、決済トランザクションで使用する決済アカウント情報を生成すること等）所定の機能を実行できるハードウェア（例えば、セキュア要素）を含み、要求装置７００はそのハードウェアを含んでおらず、その機能を実行できない。このような状況でリモート許可を用いることによって、ユーザは異なるデバイス（例えば、要求装置７００）を使用（又はその上でタスクを実行）している間、あるデバイス（例えば、認証装置５００）のハードウェア機能を利用できる。例えば、ユーザはウェブサイトをブラウズし、要求装置７００を用いて購入用のアイテムを選択し、選択したアイテムの決済を続行するために認証装置５００を使用できる。
【０２０５】
要求装置７００は、コンピュータアプリケーションのユーザインターフェース８０２を表示する。この例では、アプリケーションは、マークアップ言語の検索及び表示を介して等、ウェブサイトを検索及び表示するように構成されているウェブブラウザアプリケーションである。いくつかの例では、要求装置７００はウェブアドレスにナビゲートさせるユーザ入力を受け取る。ユーザインターフェース８０２は、ウェブアドレスを表示するＵＲＩ／ＵＲＬフィールド８０２Ａを含んでいる。いくつかの例では、検索したウェブページは、ユーザインターフェース８０２の第１部分８０２Ｃ（例えば、ウェブページ表示部分）に表示され、それはユーザインターフェース８０２の第２部分８０２Ｂ（例えば、非ウェブページ表示部分）とは異なっている。いくつかの例では、第２部分は、ステータスバー、非ウェブページ表示部分等である。いくつかの例では、ウェブブラウザアプリケーションは、第１部分８０２Ｃに検索したウェブページを表示するように構成され、第２部分８０２Ｂに検索したウェブページを表示するようには構成されていない。これによって、ユーザは、描画されるウェブページの結果として（例えば、第１部分８０２Ｃに）表示されるコンテンツと、ウェブブラウザアプリケーションによって提供されるコンテンツの結果として（例えば、第２部分８０２Ｂに）表示されるコンテンツとを区別することができる。
【０２０６】
図８Ａにおいて、要求装置７００はウェブサイトをナビゲートし、仮想ショッピングカートに１つ以上のアイテムを追加するユーザ命令を受け取る。要求装置７００はアフォーダンス８０４を表示し、それは、起動されると、図８Ｂの支払いウェブページ８０５に遷移する（例えば、それを表示させる）。いくつかの例では、アフォーダンス８０４は、ウェブブラウザアプリケーションのユーザインターフェース８０２の第１部分８０２Ｃに表示される。
【０２０７】
図８Ｂにおいて、要求装置７００は（例えば、アフォーダンス８０４の起動の検出に応じて）支払いウェブページを（例えば、第１部分８０２Ｃに）表示する。１つ以上のトランザクション条件の組に適合するとの判定に従って、要求装置７００はアフォーダンス８０２Ｄを（例えば、第２部分８０２Ｂに、第１部分８０２Ｃに）表示する。例えば、１つ以上のトランザクション条件の組は、（１）（例えば、表示用の支払いウェブページを提供した）リモートサーバが決済アフォーダンスを表示することを要求するときに適合する条件と、（２）（例えば、表示用の支払いウェブページを提供した）リモートサーバが特定の決済方法を用いて決済を承認するように構成されていることを要求装置７００が判定したときに適合する条件と、（３）表示されたウェブページが、例えば、第１部分８０２Ｃに表示されている決済の要求を含むことを要求装置７００が判定したときに適合する条件との１つ以上を含んでいる。アフォーダンス８０２Ｄは、起動されると、決済シート８０２Ｅを表示させる。いくつかの例では、決済シート８０２Ｅは要求装置のオペレーティングシステムのユーザインターフェースである。いくつかの実施形態では、決済シート８０２Ｅは要求装置のオペレーティングシステムのプロバイダによって提供された第一者アプリケーションの一部である。
【０２０８】
いくつかの例では、図８Ｃ−１と図８Ｃ−２に示したように、決済シート８０２Ｅはアフォーダンス８０２Ｄの起動に応じてディスプレイ内（例えば、ディスプレイ上のビュー内）にスライドする。いくつかの例では、決済シート８０２Ｅは第１部分８０２Ｃに表示された支払いウェブページを少なくとも部分的に覆い隠す。いくつかの例では、決済シート８０２Ｅは第２部分８０２Ｂを少なくとも部分的に覆い隠す。いくつかの例では、決済シート８０２Ｅは、第１部分８０２Ｃ又は第２部分８０２Ｃの一部ではないが、むしろ２つの部分と重複している。
【０２０９】
決済シート８０２Ｅは選択の１つ以上のオプションを含んでいる。１つ以上のオプションは、例えば、購入する１つ以上の製品／サービス、１つ以上の発送方法（例えば、発送先アドレス）、１つ以上の決済アカウント、１つ以上の認証装置、及び連絡先名を含んでいる。
【０２１０】
いくつかの例では、決済シート８０２Ｅは、認証装置（例えば、デフォルトの認証装置）に関連したデフォルトの決済アカウント８０２Ｇのインジケーションを含んでいる。いくつかの例では、決済シート８０２Ｅはユーザ構成可能な「発送先」郵便住所を含んでいる。例えば、要求装置７００は、要求装置７００に記憶した情報に基づいて（例えば、連絡先アプリケーションに記憶したプロファイル情報又はデフォルトの連絡先名に基づいて）郵便住所フィールドを充填する。いくつかの例では、要求装置７００は郵便住所として使用する住所のユーザ選択を受け取る。いくつかの例では、決済シート８０２Ｅはユーザ構成可能な連絡先名を含んでいる。要求装置７００は、要求装置７００に記憶した情報に基づいて（例えば、連絡先アプリケーションに記憶したプロファイル情報又はデフォルトの連絡先名に基づいて）連絡先名フィールドを充填する。いくつかの例では、決済シート８０２Ｅは、決済トランザクションの総額、税額、及び／又は送料を含んでいる。様々なオプションの選択を受け取ることによって、要求装置はユーザの購入嗜好を明らかにする。
【０２１１】
いくつかの例では、決済シート８０２Ｅは決済オプション８０２Ｆを含み、それは起動されると、図８Ｄに示したように、対応する認証装置に関連した複数の決済アカウント用のオプションを表示させる。いくつかの実施形態では、（例えば、オプション８０２Ｈによって示された）第１決済アカウントは（例えば、第１認証装置のグラフィカルインジケーション８０２Ｉによって示された）第１認証装置に関連し、（例えば、オプション８０２Ｊによって示された）第２決済アカウントは第１認証装置とは異なる（例えば、第２認証装置のグラフィカルインジケーション８０２Ｋによって示された）第２認証装置に対応する。例えば、決済アカウントはそれらの対応する認証装置に従ってグループ化されるか、又は各決済アカウントに対応する認証装置のグラフィカル又はテキストインジケーションと共に表示される。いくつかの例では、第１エリアは第１認証装置に関連した決済アカウントの１つ以上の（又は複数の）インジケーションを含み、第１エリアと異なる第２エリアは第２認証装置に関連した決済アカウントの１つ以上の（又は複数の）インジケーションを含んでいる。いくつかの例では、第１認証装置に関連した決済アカウントの少なくとも一部は、第２認証装置に関連した決済アカウントとは異なっている。ユーザの様々なパーソナルデバイス上に準備された様々な決済アカウント内から所定の決済の選択を受け取ることによって、要求装置はユーザの決済嗜好を明らかにする。
【０２１２】
いくつかの例では、要求装置７００は、複数の決済アカウント用のオプション内から各決済アカウントに対応するオプション８０２Ｈの選択を受け取る。各決済アカウントに対応するオプション８０２Ｈの選択の受取りに応じて、要求装置７００は、各決済アカウントに対応して選択したオプション８０２Ｈに基づいて（例えば、第１認証装置のグラフィカルインジケーション８０２Ｉによって示されるように）各認証装置を選択する。この例では、認証装置５００のディスプレイは何も表示していない（例えば、ディスプレイはオフになっている）。複数の決済アカウント用のオプション内からの各決済アカウントに対応するオプション８０２Ｈの選択の受取りに応じて、要求装置は図８Ｅに示した典型的なユーザインターフェースを表示する。
【０２１３】
いくつかの例では、要求装置はスマートフォンである。いくつかの例では、スマートフォンはウェブブラウザアプリケーション用のユーザインターフェースを表示する。いくつかの例では、スマートフォンは、リモートサーバからダウンロードされスマートフォンにインストールされたアプリケーション用のユーザインターフェースを表示する。いくつかの例では、スマートフォンはアフォーダンス（例えば、８０２Ｄ）の起動を検出し、それに応じて支払いシート（例えば、８０２Ｅ）を表示する。いくつかの例では、要求装置はスマートウォッチである。いくつかの例では、スマートウォッチは、リモートサーバからダウンロードされスマートウォッチにインストールされたアプリケーション用のユーザインターフェースを表示する。いくつかの例では、スマートウォッチはアフォーダンス（例えば、８０２Ｄ）の起動を検出し、それに応じて支払いシート（例えば、８０２Ｅ）を表示する。
【０２１４】
図８Ｅにおいて、要求装置７００が１つ以上のオプションの選択を受け取った後（例えば、連絡先名のユーザ選択を受け取るか、決済アカウントのユーザ選択を受け取るか、認証装置の選択を受け取るか、購入する１つ以上の製品／サービスの選択を受け取るか、又はこれらの組合せを行う）、要求装置７００はオプション８２２の選択を受け取り（例えば、「確認」アフォーダンス又は「決済」アフォーダンスのユーザ起動を検出する）、選択した１つ以上のオプション（例えば、８０２Ｈ）に関連したアクションを続行する（例えば、決済トランザクションを続行する）。いくつかの例では、アクションは選択した１つ以上のオプション（例えば、８０２Ｈ）に基づいている。いくつかの例では、１つ以上のオプションの複数が選択される。
【０２１５】
要求装置７００は、アクションの続行要求を送信する。要求は、選択した１つ以上のオプションについて（又はそれに基づく）情報を含んでいる。いくつかの例では、要求装置７００は認証装置に対応するオプション８０２Ｈを選択して受け取った入力に基づいて、アクションの続行要求を認証装置５００に送信する。
【０２１６】
図８Ｆに示したように、認証装置５００はアクションの続行要求を受け取る。要求装置７００から認証装置５００への送信は直接的であるか、又は中間デバイスを介して等、間接的である。
【０２１７】
アクションの続行要求の受取りに応じて、認証装置５００は（ロック状態に留まっている間）、ディスプレイ上に（例えば、認証装置５００のロックスクリーン上に）要求通知８３０を表示する。いくつかの例では、認証装置５００はアクションの続行要求を受け取ったときロック状態である。いくつかの例では、要求通知８３０は選択した１つ以上のオプションについて（又はそれに基づく）１つ以上の情報８３２と、要求装置７００のインジケーション８３４とを含んでいる。
【０２１８】
いくつかの例では、図８Ｇに示したように、認証装置５００は要求通知８３０を起動する入力を受け取る（例えば、閾値距離を超えて要求通知８３０をスライドさせるユーザスワイプジェスチャ８３６、又は各閾値強度より上の固有強度で通知上を押すユーザ入力ジェスチャを受け取る）。
【０２１９】
いくつかの例では、図８Ｈに示したように、認証装置５００は、認証装置５００をアンロックする許可を（例えば、要求８４０を表示すること及び／又は触覚振動を生成することによって）要求する。
【０２２０】
いくつかの例では、認証装置５００は（例えば、指紋又はパスコードを介して）、認証装置をアンロックする（例えば、認証装置５００をアンロック状態に遷移させる）許可を受け取る。デバイスをアンロックするこの許可は、アクションの続行許可とは別個で追加的である。いくつかの例では、アンロックの許可とアクションの続行許可とは、同じ技術を用いて（例えば、同じ指紋又は同じパスワードを用いて）充足できる。いくつかの例では、アンロックの許可とアクションの続行許可とは、異なる技術を用いて（例えば、アンロックの許可用に指紋、アクションの続行許可用にパスワードを用いて）充足できる。いくつかの例では、アンロックの許可とアクションの続行許可とは同じ技術を用いるが、異なる入力を用いて（例えば、アンロックの許可用に第１指紋、アクションの続行許可用に第２指紋を用いて、アンロックの許可用に第１パスワード、アクションの続行許可用に第２パスワードを用いて）充足される。認証装置５００をアンロックする許可の受取りに応じて（又はそれに続いて）、認証装置５００はアンロックを行う（例えば、認証装置５００をアンロック状態に遷移させる）。
【０２２１】
図８Ｉにおいて、認証装置５００は（例えば、アクションの続行要求の受取りに応じて、アンロックに応じて）認証装置５００のディスプレイ上に、アクションの続行要求のインジケーション８５０と、選択した１つ以上のオプションについての情報８５２（例えば、連絡先名の選択、決済アカウントの選択、認証装置の選択、購入する１つ以上の製品／サービスの選択、１つ以上の発送方法の選択、又はそれらの組合せ）と、要求装置７００のインジケーション８５４（例えば、要求装置名、要求装置の識別子、又は要求装置の筐体の線画等の要求装置を表現するアイコン又は画像）とを同時に表示する。
【０２２２】
いくつかの例では、要求装置７００のインジケーション８５４は要求装置７００のグラフィカル表現を含んでいる。いくつかの例では、要求装置７００のグラフィカル表現はデバイスの筐体の線画等の要求装置７００のアイコン表現である。いくつかの例では、アイコン表現は、要求装置７００の仕上げと、フォームファクタと、１つ以上の寸法情報との１つ以上を含んでいる。例えば、グラフィカル表現は、要求装置７００がゴールドＭａｃＢｏｏｋ（登録商標）又は２７”ｉＭａｃ（登録商標）であることを指示できる。
【０２２３】
認証装置５００は、認証装置５００のディスプレイ上にアクションの続行許可用の要求８５６を表示する。
【０２２４】
図８Ｋに示したように、認証装置５００はアクションの続行許可用の要求に対応する入力（例えば、ユーザ認証情報、指８５８の指紋、パスコード）を受け取る。例えば、認証装置５００は、指８５８の指紋を入力として受け取り、その指紋がアクションを続行するように許可できる指紋と一致していることを判定する。
【０２２５】
認証装置５００は、アクションの続行要求に対する応答を送信する。例えば、認証装置５００は要求装置７００に応答を送信する。アクションの続行要求に対する応答は、アクションの続行許可用の要求に対応する入力に基づいている。いくつかの例では、認証装置５００はアクションの続行要求に対する応答が送信されたというインジケーション８６０を提供する。
【０２２６】
要求装置７００は（例えば、要求の送信に応じて、要求の送信に続いて）アクションの続行要求に対する応答を受け取る。例えば、要求装置７００は認証装置５００からアクションの続行要求に対する応答を受け取る。
【０２２７】
図８Ｋに示したように、認証装置５００における許可（例えば、バイオメトリック、指紋、パスワードに基づく認証装置５００によるユーザ認証）が成功したことを、アクションの続行要求に対する応答が示す要求装置７００における判定に従って、要求装置７００は要求装置７００のディスプレイ上に、許可が成功したというインジケーション８６２を表示する。
【０２２８】
いくつかの例では、図８Ｌに示したように、要求装置７００は、要求装置７００（及び代替的に又は追加的に、認証装置５００）がアクションを続行したというインジケーション８６４を（例えば、第１部分８０２Ｃに）表示する。いくつかの例では、要求装置７００は、要求装置７００（及び代替的に又は追加的に、認証装置５００）がアクションを続行したというインジケーションを（例えば、第２部分８０２Ｂに）表示する。
【０２２９】
図８Ｍに示したように、許可（例えば、バイオメトリック、指紋、パスワードに基づく認証装置５００によるユーザ認証）が成功しなかったことを、アクションの続行要求に対する応答が示す要求装置７００における判定に従って、要求装置７００のディスプレイ上に、許可が成功しなかったというインジケーション８６６を表示する。許可が成功したというインジケーション８６２は、許可が成功しなかったというインジケーション８６６とは異なっている。
【０２３０】
いくつかの例では、アクションの続行許可を受け取ることは、認証装置５００のタッチ感知面を介してパスコードを受け取ることを含み、パスコードはアクションを許可可能な登録済みパスコードと一致していることを判定する。いくつかの例では、続行の許可は指紋センサを用いて指紋を検出することを含み、指紋はアクションを許可可能な登録済み指紋と一致していることを判定する。例えば、認証装置５００は、ユーザの１つ以上の指紋についての情報を記憶し、各指紋がアクションを許可可能であるかどうかの判定に使用する。いくつかの例では、続行の許可は、デバイスがアンロック状態である間（及び任意選択的に、デバイスがユーザの皮膚に接触していることを検出することによって等、デバイスがユーザの手首にある間）、機械式ボタンの二重押しを受け取ることを含んでいる。
【０２３１】
いくつかの例では、認証装置５００は、アクションの続行許可用の要求に対応する入力に（例えば、支払い情報を生成又は提供することによって）応答するように構成したハードウェア（例えば、セキュア要素）を含み、要求装置７００はそのハードウェア（例えば、セキュア要素）を含んでいない。従って、ユーザは、異なるデバイス（例えば、要求装置７００）を使用（又はその上でタスクを実行）している間、あるデバイス（例えば、認証置５００）のハードウェア機能を利用できる。
【０２３２】
図９Ａ〜図９Ｄは、いくつかの実施形態に従って電子装置を用いてアクションを続行するリモート許可を管理する方法９００を示すフロー図である。方法９００は、ディスプレイ付きの要求装置（例えば、１００、３００、５００）と、ディスプレイ付きの認証装置（例えば、７００）とにおいて実行される。いくつかの例では、認証装置５００は、アクションの続行許可用の要求に対応する入力に（例えば、支払い情報を生成又は提供することによって）応答するように構成したハードウェア（例えば、セキュア要素、トークン生成器）を含み、要求装置７００はそのハードウェア（例えば、セキュア要素）を含んでいない。方法９００内のいくつかの動作は任意選択的に組み合わせられ、いくつかの動作の順番は任意選択的に変更され、いくつかの動作は任意選択的に省略される。
【０２３３】
以降で説明するように、方法９００はアクションを続行するリモート許可を管理する直感的な方法を提供する。その方法はユーザの認識的負担を低減し、より効率的なヒューマンマシンインターフェースを生成する。バッテリ動作のコンピューティングデバイスの場合、ユーザがより速くより効率的にリモート許可を管理可能にすることで、電力を節約してバッテリ充電間隔を増大させる。
【０２３４】
ブロック９０２において、要求装置（例えば、７００、ハードウェアトークン生成器を有していないラップトップデバイス）は、１つ以上のオプション（例えば、７０８、７１８、８０２Ｇ、８０２Ｈ、８０２Ｊ）の選択を受け取る。例えば、要求装置は、リモートサーバの名前又はアドレスのユーザ選択を受け取るか、複数のトークン生成アルゴリズム内から所定のセキュリティトークン生成アルゴリズムのユーザ選択を受け取るか、生成されるセキュリティトークンの長さのユーザ選択を受け取るか、購入する１つ以上の製品／サービスのユーザ選択を受け取るか、１つ以上の発送方法のユーザ選択を受け取るか、決済アカウントのユーザ選択を受け取るか、又はそれらの組合せを行う。
【０２３５】
ブロック９０４において、要求装置（例えば、７００）は、選択した１つ以上のオプションに関連したアクションを続行するオプション（例えば、７２２、８２２）の選択を受け取る。いくつかの例では、アクションはセキュアなネットワーク接続を生成する。いくつかの例では、アクションは決済トランザクションを続行する。いくつかの例では、オプションの選択を受け取ることは、「確認」アフォーダンス又は「接続」アフォーダンスのユーザ起動を検出することを含んでいる。いくつかの例では、アクションは選択した１つ以上のオプション（例えば、７０８、７１８、８０２Ｇ、８０２Ｈ、８０２Ｊ）に基づいている。
【０２３６】
ブロック９０６において、要求装置（例えば、７００）はアクションの続行要求を送信する。要求は、選択した１つ以上のオプション（例えば、７０８、７１８、８０２Ｇ、８０２Ｈ、８０２Ｊ）について（又はそれに基づく）情報を含んでいる。例えば、要求は選択した発送情報又は選択した決済アカウント情報を含んでいてもよい。
【０２３７】
ブロック９０８において、認証装置（例えば、５００、ハードウェアトークン生成器を有していない電話デバイス、セキュア要素を有していない電話デバイス）はアクションの続行要求を受け取る。いくつかの例では、要求装置（例えば、７００）から認証装置（例えば、５００）へのアクション続行要求の送信は直接的である。いくつかの例では、送信は中間デバイスを介して等、間接的である。
【０２３８】
ブロック９１０において、認証装置は（例えば、要求の受取りに応じて、）認証装置のディスプレイ上に、アクションの続行要求のインジケーション（例えば、７５０、８５０）と、選択した１つ以上のオプションについての情報（例えば、７５２、８５２）と、要求装置のインジケーション（例えば、７５４、８５４）（例えば、要求ラップトップ又は電話の名前、要求装置の識別子、又はデバイスの筐体の線画等の要求装置を表現するアイコン又は画像）とを同時に表示する。
【０２３９】
ブロック９１２において、認証装置（例えば、５００）は認証装置のディスプレイ上に、アクションの続行許可用の要求（例えば、７５６、８５６）を表示する。
【０２４０】
ブロック９１４において、認証装置はアクションの続行許可用の要求に対応する入力（例えば、ユーザ認証情報、指７５８／８５８の指紋、パスコード）を受け取る。
【０２４１】
ブロック９１６において、認証装置はアクション続行要求に対する応答を送信する。アクションの続行要求に対する応答は、アクションの続行許可用の要求に対応する入力に基づいている。
【０２４２】
ブロック９１８において、要求装置は（例えば、要求の送信に応じて、要求の送信に続いて）アクションの続行要求に対する応答を受け取る。
【０２４３】
ブロック９２０において、認証装置（例えば、５００）における許可（例えば、ユーザ認証）が成功したこと（例えば、バイオメトリック、指紋、又はパスワードに基づいて認証に成功したユーザ）を、アクションの続行要求に対する応答が示す要求装置（例えば、７００）における判定に従って、要求装置（例えば、７００）は要求装置のディスプレイ上に、許可が成功したというインジケーション（例えば、７６２、８６２）を表示する。
【０２４４】
ブロック９３２において、認証装置（例えば、５００）における許可（例えば、バイオメトリック、指紋、パスワードに基づくユーザ認証）が成功しなかったことを、アクションの続行要求に対する応答が示す要求装置（例えば、７００）における判定に従って、要求装置（例えば、７００）は要求装置のディスプレイ上に、許可が成功しなかったというインジケーション（例えば、７６６、８６６）を表示する。許可が成功したというインジケーション（例えば、７６２、８６２）は、許可が成功しなかったというインジケーション（例えば、７６６、８６６）とは異なっている）。
【０２４５】
いくつかの例では、アクションの続行許可を受け取ることは、電子装置のタッチ感知面を介してパスコードを受け取ることを含んでいる。パスコードがアクションを許可可能な登録済みパスコードと一致していることが判定されると、許可は成功である。いくつかの例では、続行の許可は指紋を検出することを含んでいる。指紋がアクションを許可可能な登録済み指紋と一致していることが判定されると、許可は成功である。例えば、デバイスはユーザの１つ以上の指紋についての情報を記憶し、各指紋がアクションを許可可能であるかどうかの判定に使用する。いくつかの例では、続行の許可は、デバイス（例えば、スマートウォッチデバイス）がアンロック状態である間（及び任意選択的に、デバイスがユーザの皮膚に接触していることを検出することによって等、デバイスがユーザの手首にある間）機械式ボタンの二重押しを受け取ることを含んでいる。
【０２４６】
いくつかの例では、認証装置（例えば、５００）は、アクションの続行許可用の要求に対応する入力に（例えば、トークンを生成又は提供することによって、支払い情報を生成又は提供することによって）応答するように構成したハードウェア（例えば、ハードウェアトークン生成器、セキュア要素）を含み、要求装置（例えば、７００）はそのハードウェア（例えば、ハードウェアトークン生成器、セキュア要素）を含んでいない。
【０２４７】
いくつかの例では、ブロック８２４において、アクションは認証装置（例えば、５００）とリモートサーバの間にセキュアなネットワーク接続を生成する。アクションの続行許可用の要求に対応する入力がアクションの続行を許可された入力と一致するという認証装置（例えば、５００）における判定（例えば、ユーザ入力、ユーザ認証情報、指紋、パスコードに基づいて成功したユーザ認証）に応じて、認証装置は、アクションの続行許可用の要求に対応する入力に応答するように構成したハードウェア（例えば、ハードウェアトークン生成器）を用いてアクションを続行する（例えば、セキュアなネットワーク接続を生成する）。従って、認証装置は、ハードウェアトークン生成器によって生成されたトークンを用いることによって、セキュアなネットワーク接続の生成を続行する。例えば、認証装置（例えば、５００）はリモートサーバにトークンを送信する。いくつかの例では、アクションはセキュアなネットワーク接続を生成することなく決済トランザクションを続行する。
【０２４８】
いくつかの例では、ブロック８２６において、アクションは要求装置（例えば、７００）とリモートサーバの間にセキュアなネットワーク接続を生成する。アクションの続行許可用の要求に対応する入力がアクションの続行を許可された入力と一致するという認証装置（例えば、５００）における判定（例えば、ユーザ入力、ユーザ認証情報、指紋、パスコードに基づいて成功したユーザ認証）に応じて、認証装置は要求装置にトークンを送信する。トークンは、アクションの続行許可用の要求に対応する入力に応答するように構成した認証装置（例えば、５００）のハードウェア（例えば、ハードウェアトークン生成器）を用いて生成される。要求装置（例えば、７００）は認証装置からトークンを受け取る。要求装置（例えば、７００）は、認証装置（例えば、５００）から受け取ったトークンを用いてアクションを続行する（例えば、セキュアなネットワーク接続を生成する）。
【０２４９】
いくつかの例では、要求装置（例えば、７００）のインジケーションは、要求装置（例えば、７００）のグラフィカル表現（例えば、７５４、８５４）を含んでいる。いくつかの例では、要求装置（例えば、７００）のグラフィカル表現（例えば、７５４、８５４）は、デバイスの筐体の線画等の要求装置のアイコン表現であり、アイコン表現は、要求装置の仕上げと、フォームファクタと、１つ以上の寸法情報との１つ以上を含んでいる。例えば、グラフィカル表現は、要求装置（例えば、７００）がゴールドＭａｃＢｏｏｋ（Ｒ）又は２７”ｉＭａｃ（Ｒ）であることを指示できる。
【０２５０】
いくつかの例では、ブロック８２８において、アクションの続行許可用の要求に対応する入力（例えば、ユーザ認証情報、指紋、パスコード）を受け取ったとき、認証装置はロック状態である。アクションの続行許可用の要求に対応する入力がアクションの続行を許可された入力と一致するという認証装置における判定に従って、認証装置はロック状態を維持しながら（例えば、そこに留まったまま）アクションの続行要求に対する応答を送信し、アクションの続行要求に対する応答はその入力に基づいている。従って、（図７Ｇ、図８Ｈ及びそれらに伴う説明のように）認証装置（例えば、５００）をアンロックすることを要求する必要はない。
【０２５１】
いくつかの例では、認証装置がロックされている間に指紋センサとのやり取りを検出することで（認証要求がない場合）認証装置（例えば、５００）をアンロックする（例えば、ホームボタンに組み込んだ指紋センサ上をタッチすると、ロックスクリーンが表示されている間に検出された場合、デバイスをアンロックするが、認証装置のディスプレイ上に要求が表示されている間に、指紋センサ上のタッチが検出されると、認証装置をアンロックすることなく要求を許可する）。従って、いくつかの例では、スワイプジェスチャ７３６と８３６は図７Ｈと図８Ｉのユーザインターフェースをそれぞれ表示させる。
【０２５２】
いくつかの例では、要求装置（例えば、７００）は、アクションの続行要求を送信したときアカウントを用いてサービスにサインインし、認証装置（例えば、５００）は、アクションの続行要求を受け取ったときアカウントを用いてサービスにサインインする（例えば、要求装置と認証装置は両方とも同じユーザアカウント／同じユーザクレデンシャルを用いてサービスにサインインする）。代替的に、要求装置（例えば、７００）と認証装置（例えば、５００）は同じサービス上の別個のアカウントにそれぞれサインインし、別個のアカウントは互いにリンクされている（例えば、アクションを許可するために互いに明示的にリンクされている）。
【０２５３】
いくつかの例では、ブロック８３０において、アクションは決済トランザクションを続行し、アクションの続行許可用の要求に対応する入力がアクションの続行を許可された入力と一致するという認証装置（例えば、５００）における判定（例えば、ユーザ入力、ユーザ認証情報、指紋、パスコードに基づいて成功したユーザ認証）に応じて、認証装置（例えば、５００）は、アクションの続行許可用の要求に対応する入力に応答するように構成したハードウェア（例えば、セキュア要素）を用いてアクションを続行する（例えば、決済トランザクションを続行する）。いくつかの例では、アクションの実行に用いられるハードウェアは要求装置（例えば、７００）では利用可能ではない。例えば、認証装置（例えば、５００）は、決済トランザクションで用いる支払い情報（例えば、決済アカウント番号）を（小売業者が決済機関又は要求装置から決済を受け取ることができるように決済トランザクション／小売業者に）提供する。
【０２５４】
いくつかの例では、ブロック８３２において、アクションは決済トランザクションを続行し、アクションの続行許可用の要求に対応する入力がアクションの続行を許可された入力と一致するという認証装置（例えば、５００）における判定（例えば、ユーザ入力、ユーザ認証情報、指紋、パスコードに基づいて成功したユーザ認証）に応じて、認証装置（例えば、５００）は要求装置に支払い情報を送信する。支払い情報は、アクションの続行許可用の要求に対応する入力に応答するように構成したハードウェア（例えば、セキュア要素）を用いて生成される。いくつかの例では、支払い情報の生成に用いられるハードウェアは要求装置（例えば、７００）では利用可能ではない。要求装置（例えば、７００）は、認証装置（例えば、５００）から支払い情報を受け取る。要求装置（例えば、７００）は、認証装置（例えば、５００）から受け取った支払い情報（例えば、決済アカウント番号）を用いてアクションを続行する（例えば、決済トランザクションを続行する、小売業者が決済機関から決済を受け取ることができるように決済トランザクションサーバ／小売業者に支払い情報を提供する）。
【０２５５】
いくつかの例では、認証装置（例えば、５００）はサーバ（例えば、リモートサーバ）にトークンを送信し、サーバはトークンを用いて、トークンに関連したリソース（例えば、ＣＰＵ時間、ネットワークソケット、メモリアクセス）を獲得する。いくつかの例では、要求装置（例えば、７００）はサーバ（例えば、リモートサーバ）にトークンを送信し、サーバはトークンを用いて、トークンに関連したリソース（例えば、ＣＰＵ時間、ネットワークソケット、メモリアクセス）を獲得する。
【０２５６】
いくつかの例では、認証装置（例えば、５００）は決済トランザクションサーバ（例えば、小売業者のサーバ）に支払い情報を送信し、決済トランザクションサーバは支払い情報を用いて、支払い情報（例えば、トークンによって指定されたユーザ決済アカウントからの決済）に関連したリソース（例えば、ファンド）を獲得する。いくつかの例では、要求装置（例えば、７００）は決済トランザクションサーバ（例えば、小売業者のサーバ）に支払い情報を送信し、決済トランザクションサーバは支払い情報を用いて、支払い情報（例えば、トークンによって指定されたユーザ決済アカウントからの決済）に関連したリソース（例えば、ファンド）を獲得する。
【０２５７】
いくつかの例では、アクションは決済トランザクションを続行する。認証装置（例えば、５００）は決済トランザクションを許可するハードウェア（例えば、ハードウェアセキュア要素）を含んでいる。いくつかの例では、ハードウェアは、アクションの続行許可用の要求に対応する入力に応答するように構成されている。例えば、いったん（例えば、指紋認証を用いて、パスコード認証を用いて）ユーザを認証することによって許可を受け取ると、認証装置（例えば、５００）のハードウェアは支払い情報を生成及び／又は提供する。いくつかの例では、要求装置（例えば、７００）は決済トランザクションを許可するハードウェアを含んでいない。いくつかの例では、認証装置（例えば、５００）はユーザを認証するハードウェアを含み、要求装置（例えば、７００）はユーザを認証するハードウェアを含んでいない。
【０２５８】
いくつかの例では、アクションは決済トランザクションを続行する。アクションの続行許可用の要求に対応する入力がアクションの続行を許可された入力と一致するという認証装置（例えば、５００）における判定（例えば、ユーザ入力、ユーザ認証情報、指紋、パスコードに基づいて成功したユーザ認証）に続いて、認証装置（例えば、５００）は、要求装置（例えば、７００）からの別の入力なしでアクションを続行する（例えば、支払い情報を用いて決済トランザクションを続行する）。例えば、認証装置は、決済トランザクションの処理に必要な情報（例えば、支払い情報）を決済トランザクションサーバに送信する。いくつかの例では、続行許可が提供されたとの判定に続いて、認証装置（例えば、５００）は、認証装置（例えば、５００）におけるユーザからの別の入力なしでアクションを続行する（例えば、支払い情報を用いて決済トランザクションを続行する）。
【０２５９】
いくつかの例では、認証装置（例えば、５００）は電話（例えば、スマートフォン）であり、要求装置はテレビデバイス（例えば、フラットパネルテレビ、又はフラットパネルテレビ上でユーザインターフェースの表示を制御するセットトップボックス）である。いくつかの例では、認証装置は電話（例えば、スマートフォン）であり、要求装置はコンピュータ（例えば、ラップトップコンピュータ、デスクトップコンピュータ）である。いくつかの例では、認証装置はウェラブルデバイス（例えば、電子スマートウォッチ）であり、要求装置はテレビデバイス（例えば、フラットパネルテレビ、又はフラットパネルテレビ上でユーザインターフェースの表示を制御するセットトップボックス）である。いくつかの例では、認証装置はウェラブルデバイス（例えば、電子スマートウォッチ）であり、要求装置はコンピュータ（例えば、ラップトップコンピュータ、デスクトップコンピュータ）である。
【０２６０】
いくつかの例では、認証装置（例えば、５００）の電子財布は認証装置のユーザに関連した１つ以上の決済アカウントを含み、支払い情報は１つ以上の決済アカウントの所定の決済アカウントに基づいている。いくつかの例では、支払い情報は決済アカウントのアカウント番号又ＰＡＮである。
【０２６１】
いくつかの例では、決済トランザクションを続行することは、決済トランザクションに関与している決済トランザクションサーバに支払い情報（例えば、電子装置にリンクされ、デバイスの電子財布に記憶された決済アカウントの支払い情報）を送信することを含んでいる。いくつかの例では、決済トランザクションに関与することは、１つ以上の金融機関に情報をルーティングし、決済クレデンシャルを証明する、及び／又はトランザクションを完了する許可を受け取ることを含んでいる。例えば、支払い情報は認証装置（例えば、５００）から決済トランザクションに関与している決済サーバに送信される。別の例では、支払い情報は要求装置（例えば、７００）から決済トランザクションに関与している決済サーバに送信される。
【０２６２】
いくつかの例では、決済トランザクションを続行することは、支払い情報（例えば、電子装置にリンクされ、デバイスの電子財布に記憶された決済アカウントの支払い情報）を用いて決済トランザクションを完了することを含んでいる。いくつかの例では、決済トランザクションを続行することは、決済トランザクションで用いる支払い情報（例えば、決済アカウントのアカウント番号又はＰＡＮ）を用いて（例えば、購入を行うクレジットアカウントを用いて）決済トランザクションを完了することを含み、ここで支払い情報は電子装置（例えば、５００、７００）に記憶されている。
【０２６３】
なお、方法９００（例えば、図９Ａ〜図９Ｄ）について上で説明した処理の詳細は、以降で説明する方法と同様に適用することもできる。例えば、方法１０００と１１００は任意選択的に、方法９００を参照しながら上で説明した方法の特徴の１つ以上を含んでいる。例えば、様々な方法の要求装置の特徴及び技術を組み合わせることもできる。別の例では、様々な方法の認証装置の特徴及び技術を組み合わせることもできる。簡略化のために、これらの詳細のいくつかは以降では繰り返さない。
【０２６４】
図１０Ａ〜図１０Ｂは、いくつかの実施形態に従って電子装置を用いてアクションを続行するリモート許可を管理する方法１０００を示すフロー図である。方法１０００は、ディスプレイ付きの要求装置（例えば、１００、３００、７００）において実行される。いくつかの例では、要求装置（例えば、７００）はハードウェアトークン生成器又はセキュア要素を有していない。方法１０００におけるいくつかの動作は任意選択的に組み合わせられ、いくつかの動作の順番は任意選択的に変更され、いくつかの動作は任意選択的に省略される。
【０２６５】
以降で説明するように、方法１０００は、アクションを続行するリモート許可を管理する直感的な方法を提供する。その方法はユーザの認識的負担を低減し、より効率的なヒューマンマシンインターフェースを生成する。バッテリ動作のコンピューティングデバイスの場合、ユーザがより速くより効率的にリモート許可を管理可能にすることで、電力を節約してバッテリ充電間隔を増大させる。また、その方法は、ユーザが専用認証及び／又はセキュアストレージハードウェア付きの認証装置を使用できるようにすることによって、トランザクションのセキュリティを改善する。また、その方法は、ユーザによって使用されている１つのデバイスから別のデバイスにおける専用認証及び／又はセキュアストレージハードウェアを有効にすることによってデバイスのコストを低減する。
【０２６６】
ブロック１００２において、要求装置はアクションに関連した１つ以上のオプション（例えば、７０８、７１８、８０２Ｇ、８０２Ｈ、８０２Ｊ）の選択を受け取る。例えば、要求装置は、複数のトークン生成アルゴリズム内から所定のセキュリティトークン生成アルゴリズムのユーザ選択を受け取るか、生成されるセキュリティトークンの長さのユーザ選択を受け取るか、購入する１つ以上の製品／サービスの選択を受け取るか、１つ以上の発送方法の選択を受け取るか、決済アカウントの選択を受け取るか、又はそれらの組合せを行う。いくつかの例では、アクションに関連して選択した１つ以上のオプションは要求装置のディスプレイ上に表示される。いくつかの例では、アクションに関連した１つ以上のオプションはアクションに関連した複数のオプションである。
【０２６７】
いくつかの例では、ブロック１００４において、アクションはセキュアなネットワーク接続を生成する。セキュアなネットワークは、（例えば、要求装置又は認証装置で）リモートサーバにトークンを送信することによって、要求装置（例えば、７００）とリモートサーバの間に生成される。いくつかの例では、アクションは、（例えば、要求装置又は認証装置で）リモートサーバにトークンを送信することによって、認証装置とリモートサーバの間にセキュアな接続を生成する。いくつかの例では、認証装置（例えば、５００）はトークンを生成し、要求装置（例えば、７００）がリモートサーバにトークンを送信する前に、要求装置（例えば、７００）にトークンを送信する。
【０２６８】
いくつかの例では、ブロック１００６において、（例えば、決済トランザクションを処理する決済トランザクションサーバで用いるために、支払い情報を決済トランザクションサーバに送信することによって）アクションは決済トランザクションを続行する。
【０２６９】
ブロック１００８において、要求装置は、（例えば、「確認」アフォーダンスのユーザ起動を検出し）選択した１つ以上のオプション（例えば、７０８、７１８、８０２Ｇ、８０２Ｈ、８０２Ｊ）に関連したアクションを続行する（例えば、セキュアなネットワーク接続を生成する、決済トランザクションを続行する）オプション（例えば、７２２、８２２）の選択を受け取る。いくつかの例では、アクションは選択した１つ以上のオプションに基づいている。
【０２７０】
ブロック１０１０において、要求装置（例えば、７００）は（アクションを続行するオプションの選択の受取りに応じて）、認証装置（例えば、５００、ハードウェアトークン生成器を有している電話デバイス、セキュア要素を有している電話デバイス）にアクションの続行要求を送信し、認証装置への送信は直接的であるか、又は中間デバイスを介して等、間接的である。要求は、選択した１つ以上のオプションについての（又はそれに基づく）情報を含んでいる。選択した１つ以上のオプションについての情報（例えば、７５２、８５２）は、認証装置（例えば、５００）による表示用である。例えば、選択した１つ以上のオプションについての情報は、認証装置（例えば、５００）のディスプレイ上への表示用である。
【０２７１】
ブロック１０１２において、要求装置（例えば、７００）は（例えば、要求の送信に応じて、要求の送信に続いて）認証装置（例えば、５００）からアクションの続行要求に対する応答を受け取る。アクションの続行要求に対する応答は、認証装置（例えば、５００）における入力を示す。
【０２７２】
ブロック１０１４において、認証装置（例えば、５００）における許可（例えば、バイオメトリック、指紋、パスワードに基づく認証装置によるユーザ認証）が成功したことを、アクションの続行要求に対する応答が示す判定に従って、要求装置（例えば、７００）は要求装置のディスプレイ上に、許可が成功したというインジケーション（例えば、７６２、８６２）を表示する。
【０２７３】
いくつかの例では、ブロック１０１６において、認証装置における許可（例えば、バイオメトリック、指紋、パスワードに基づく認証装置によるユーザ認証）が成功しなかったことを、アクションの続行要求に対する応答が示す判定に従って、要求装置（例えば、７０）は要求装置のディスプレイ上に、許可が成功しなかったというインジケーション（例えば、７６６、８６６）を表示する。許可が成功したというインジケーション（例えば、７６２、８６２）は、許可が成功しなかったというインジケーション（例えば、７６６、８６６）とは異なっている。
【０２７４】
いくつかの例では、アクションはセキュアなネットワーク接続を生成する。要求装置（例えば、７００）は認証装置（例えば、５００）からトークンを受け取る。要求装置（例えば、７００）は、認証装置（例えば、５００）から受け取ったトークン（例えば、セキュリティトークン）を用いてアクションを続行する（例えば、セキュアなネットワーク接続を生成する）。
【０２７５】
いくつかの例では、アクションは決済トランザクションを続行する。要求装置（例えば、７００）は、認証装置（例えば、５００）から支払い情報（例えば、決済アカウント番号、決済アカウントの識別子、アカウント番号及び有効期限等の決済カード情報）を受け取る。要求装置（例えば、７００）は、認証装置（例えば、５００）から受け取った支払い情報（例えば、決済アカウント番号、決済アカウントの識別子、アカウント番号及び有効期限等の決済カード情報）を用いてアクションを続行する（例えば、決済トランザクションを続行する）。
【０２７６】
いくつかの例では、決済トランザクションを続行することは、決済トランザクションサーバ／小売業者に支払い情報の少なくとも一部を送信することを含み、小売業者は決済機関又は要求装置から決済を受け取ることができる。例えば、決済トランザクションサーバは決済を処理するように構成されたサーバである。
【０２７７】
いくつかの例では、要求装置はアカウントを用いてサービスにサインインし、認証装置はアカウントを用いてサービスにサインインする（例えば、要求装置と認証装置は両方とも同じユーザアカウント／同じユーザクレデンシャルを用いてサービスにサインインする）。代替的に、要求装置と認証装置は同じサービス上の別個のアカウントにそれぞれサインインし、別個のアカウントは互いにリンクされている（例えば、アクションを許可するために互いに明示的にリンクされている）。
【０２７８】
いくつかの例では、ブロック１０１４において、要求装置（例えば、７００）は、アクションが成功した（例えば、決済が認証装置によって承認された、トークンが認証装置によって送信された）というインジケーションを（銀行、カード発行者のサーバ、決済トランザクションサーバ、又は小売業者との通信を介して、認証装置との通信を介して）受け取る。要求装置（例えば、７００）は、アクションが成功したという要求装置におけるインジケーション（例えば、７６２、８６２）を（例えば、ディスプレイ上にインジケーションを表示することによって、スピーカ上でインジケーションの音声を再生することによって、要求装置において触知出力を実行することによって）提示する。
【０２７９】
いくつかの例では、ブロック１０１６において、要求装置（例えば、７００）は、アクションが成功しなかった（例えば、決済が認証装置によって拒絶された、トークンが認証装置によって送信されなかった）というインジケーションを（銀行、カード発行者のサーバ、決済トランザクションサーバ、又は小売業者との通信を介して、認証装置との通信を介して）受け取る。要求装置（例えば、７００）は、アクションが成功しなかったという要求装置（例えば、７００）におけるインジケーション（例えば、７６６、８６６）を（例えば、ディスプレイ上にインジケーションを表示することによって、スピーカ上でインジケーションの音声を再生することによって、要求装置において触知出力を実行することによって）提示する。
【０２８０】
いくつかの例では、アクションの続行要求を送信する前に、要求装置（例えば、７００）は、要求装置（例えば、７００）が要求を許可できるかどうかを示す１つ以上の条件の組に適合する（例えば、利用可能なトークン情報を生成する局所的トークン生成器である、利用可能な決済アカウント情報を備えた局所的セキュア要素である）かどうかを判定する。認証装置に要求を送信することは、１つ以上の条件の組に適合しないとの判定に従って発生する。１つ以上の条件の組に適合しないとの判定に従って、要求装置は認証装置に情報用の要求を送信せず、代わりに要求装置の機能を用いて要求を許可する（例えば、局所的に利用可能な指紋センサ及びセキュア要素を用いて、トランザクションを完了するために使用できるトークンを生成する及び／又は支払い情報を取得する）。いくつかの例では、指紋センサ及びセキュア要素が要求装置（例えば、７００）において利用可能である場合、要求装置は、そのデバイスにおいて局所的に利用可能な指紋センサ及びセキュア要素を用いて、トランザクションの続行許可を提供するようにユーザに命令するユーザインターフェースを表示する。代替的に、いくつかの例では、要求装置（例えば、７００）は、入力されたときトークン生成器からトークン、又はセキュア要素から支払い情報を取得できるパスコードを入力する命令を表示する。
【０２８１】
いくつかの例では、支払い情報を生成（又はセキュアに記憶又は提供）するように構成されたハードウェア（例えば、局所的セキュア要素）が要求装置（例えば、７００）において利用可能であるとき、１つ以上の条件の組に適合する。いくつかの例では、１つ以上の条件の組に適合するとの判定に従って、要求装置は要求装置（例えば、７００）のセキュア要素から、アクションの続行で用いる支払い情報を要求する。
【０２８２】
いくつかの例では、アクションの続行要求は、１つ以上の決済トランザクションの詳細（例えば、価格、小売業者名、発送先住所、決済アカウント識別子、決済トランザクションサーバのＵＲＬ）を含んでいる。
【０２８３】
いくつかの例では、要求装置（例えば、７００）によって認証装置（例えば、５００）にアクションの続行要求を送信する前に、要求装置（例えば、７００）は複数の認証装置に対応するオプションを提供し（例えば、オプションを表示し）、複数の認証装置は所定の認証装置を含み、要求装置（例えば、７００）は、認証装置（例えば、５００）に対応するオプションを選択する入力（例えば、タッチ感知面上のユーザ入力）を受け取る。要求装置（例えば、ハードウェアトークン生成器を有していないラップトップデバイス、セキュア要素を有していないラップトップデバイス）によって認証装置にアクションの続行要求を送信することは、複数の認証装置内から所定の認証装置を選択する入力の受取りに従って行われる。いくつかの例では、複数の認証装置に対応するオプションは、ウェブブラウザのブラウザユーザインターフェース（例えば、スマート検索フィールド又はウェブアドレスフィールド等のウェブブラウザの一部から延在するシート、タング又はオーバーレイ）に表示される。いくつかの例では、トランザクションに関連した複数の他のオプションも、認証装置に対応するオプション（例えば、発送先住所、発送オプション）と同時に表示される。
【０２８４】
いくつかの例では、要求装置（例えば、７００）によって認証装置（例えば、５００）にアクションの続行要求を送信する前に、要求装置（例えば、７００）は、要求装置に対する認証装置の近接性、認証装置の使用の最新性、認証装置のユーザ定義嗜好、及び複数の認証装置のプライオリティ決めスキームの１つ以上に基づいて、複数の認証装置内から所定の認証装置（例えば、５００）を選択する。要求装置によって認証装置にアクションの続行要求を送信することは、複数の認証装置内からの所定の認証装置の選択に従って行われる。従って、いくつかの例では、要求装置（例えば、７００）は所定の基準に基づいて認証装置（例えば、５００）を自動的に選択する。
【０２８５】
いくつかの例では、要求装置（例えば、７００）によって認証装置にアクションの続行要求を送信する前に、要求装置（例えば、７００）は、認証装置上で選択された決済アカウント（又は決済アカウントの種類）の利用可能性に基づいて、複数の認証装置内から所定の認証装置を選択する。要求装置（例えば、７００）によって認証装置（例えば、５００）にアクションの続行要求を送信することは、複数の認証装置内からの所定の認証装置の選択に従って行われる。いくつかの例では、要求装置は決済アカウントを選択する入力を受け取り、認証装置は、選択された決済アカウントを用いて支払い情報を提供するように準備された認証装置に基づいて複数の認証装置内から選択される。いくつかの例では、要求装置はカードの種類（例えば、Ａｍｅｒｉｃａｎ  Ｅｘｐｒｅｓｓ又はＶｉｓａ）を選択する入力を受け取り、認証装置は、選択されたカードの種類の決済アカウントを用いて支払い情報を提供するように準備された認証装置に基づいて複数の認証装置内から選択される。いくつかの例では、第１決済方法の選択を受け取った場合、要求装置は第１認証装置に要求を送信し、第２決済方法の選択を受け取った場合、要求装置は第２認証装置に要求を送信する。
【０２８６】
いくつかの例では、要求装置（例えば、７００）による認証装置へのアクションの続行要求の送信に従って、要求装置（例えば、７００）は、複数の認証装置の別の認証装置にアクションの続行要求を送信することを差し控える。例えば、要求装置は、複数の認証装置が近くにあり利用可能なときでも、１つの認証装置にアクションの続行要求を送信するだけである。
【０２８７】
いくつかの例では、要求装置は第２認証装置（例えば、複数の認証装置）にアクションの続行要求を送信する。例えば、要求装置７００は複数の認証装置にアクションの続行要求を同時に（又は順次）送信する。
【０２８８】
いくつかの例では、アクションの続行要求を送信する前に、要求装置（例えば、７００）は、１つ以上の条件の組に適合する（例えば、利用可能なトークン情報を生成する局所的セキュア要素である、利用可能な支払い情報を備えた局所的セキュア要素である）かどうかを判定する。支払い情報を生成する（又は提供する又はセキュアに記憶する）ように構成したハードウェア（例えば、局所的セキュア要素）が要求装置（例えば、７００）において利用可能であるとき、１つ以上の条件の組に適合する。１つ以上の条件の組に適合しないとの判定に従って、要求装置は複数の認証装置に対応するオプションを提供する（例えば、オプションを表示する）。複数の認証装置は所定の認証装置（例えば、５００）を含んでいる。いくつかの例では、要求装置は、認証装置に対応するオプションを選択する入力（例えば、タッチ感知面上のユーザ入力）を受け取る。要求装置によって認証装置にアクションの続行要求を送信することは、複数の認証装置内から所定の認証装置を選択する入力の受取りに従って行われる。
【０２８９】
いくつか例では、アクションの続行要求の送信に続いて、要求装置（例えば、７００）は、アクションに関連して選択した１つ以上のオプション（例えば、７０８、７１８、８０２Ｇ、８０２Ｈ、８０２Ｊ）の少なくとも１つを変更するユーザ入力を受け取り、アクションを続行する修正された要求を認証装置に送信し、アクションを続行する修正された要求の受取り確認を認証装置から（例えば、要求の送信に応じて、要求の送信に続いて）受け取る。許可が成功したというインジケーションを要求装置のディスプレイ上に表示することは、アクションを続行する修正された要求の受取り確認を受け取ったとの判定に従って行われる。
【０２９０】
いくつかの例では、アクションの続行要求を送信する前に、要求装置（例えば、７００）は要求装置のディスプレイ上に、アクションに関連して選択した１つ以上のオプション（例えば、７０８、７１８、８０２Ｇ、８０２Ｈ、８０２Ｊ）を表示する。アクションの続行要求の送信に続いて、要求装置（例えば、７００）は認証装置から、アクションに関連して選択した１つ以上のオプションの少なくとも１つへの変更を受け取り、アクションに関連して選択した１つ以上のオプションの少なくとも１つへの変更の認証装置からの受取りに応じて、アクションに関連して選択した１つ以上のオプションの少なくとも１つへの受け取った変更に従って表示を更新する。例えば、認証装置は１つ以上のオプションのいくつかを変更するユーザ入力を受け取り、認証装置は要求装置への変更を示す情報を送信する。
【０２９１】
いくつかの例では、アクションの続行要求の送信に続いて、要求装置（例えば、７００）は、アクションをキャンセルするオプションの選択を受け取り（例えば、「キャンセル」アフォーダンスのユーザ起動を検出する）、アクションをキャンセルするオプションの選択の受取りに応じて、アクションをキャンセルする要求を認証装置に送信する。
【０２９２】
いくつかの例では、要求装置（例えば、７００）は要求装置のディスプレイ上に、第三者ユーザインターフェース内のアクションに関連した１つ以上のオプション（例えば、７０８、７１８、８０２Ｇ、８０２Ｈ、８０２Ｊ）を表示する。要求装置（例えば、７００）は要求装置のディスプレイ上に、第一者ユーザインターフェース内のアクションを続行するオプション（例えば、７２２、８２２）を（例えば、１つ以上のオプションと同時に）表示する。いくつかの例では、第三者ユーザインターフェースはウェブブラウザアプリケーション上に表示されるウェブページである。いくつかの例では、第三者ユーザインターフェースは第１アプリケーションのユーザインターフェースである。いくつかの例では、第一者ユーザインターフェースは第１アプリケーションとは異なる第２アプリケーションのユーザインターフェースである。いくつかの例では、第一者ユーザインターフェースは要求装置のオペレーティングシステムのユーザインターフェースである。いくつかの例では、第一者ユーザインターフェースはハイパーテキストマークアップ言語でコード化されていないウェブブラウザのユーザインターフェースである。
【０２９３】
いくつかの例では、要求装置（例えば、７００）は要求装置のディスプレイ上に、第一者ユーザインターフェース内でアクションを続行するオプション（例えば、７２２、８２２）を表示する。
【０２９４】
いくつかの例では、要求装置（例えば、７００）は、１つ以上の認証装置が認証に（例えば、所定の距離内で）利用可能であるかどうかを判定する。１つ以上の認証装置が認証に利用可能であるとの判定（例えば、少なくとも１つのデバイスが要求装置の所定の距離内で利用可能であるとの判定、少なくとも１つのデバイスが要求装置として同じＬＡＮ上で利用可能であるとの判定、少なくとも１つのデバイスが要求装置のパーソナルエリアネットワークを介して利用可能であるとの判定）に従って、要求装置（例えば、７００）は要求装置のディスプレイ上に、アクションを続行するオプション（例えば、７２２、８２２）を表示する。１つ以上の認証装置が認証に利用可能ではないとの判定（例えば、利用可能なデバイスがないとの判定）に従って、アクションを続行するオプションを要求装置のディスプレイ上に表示することを差し控える。
【０２９５】
いくつかの例では、要求装置（例えば、７００）によって認証装置（例えば、５００）にアクションの続行要求を送信する前に、要求装置（例えば、７００）は、第２アクション（例えば、第２決済トランザクション）に関連した１つ以上のオプションの選択を受け取る。アクションの続行要求は、所定のアクションと第２アクションの両方を続行する要求であり、要求は更に、第２アクションに関連して選択した１つ以上のオプションについて（又はそれに基づく）情報と、認証装置による表示用に第２アクションに関連して選択した１つ以上のオプションについての情報とを含んでいる。例えば、ユーザは単一のウェブサイト又は複数のウェブサイトから複数のアイテムを単一の共有ショッピングカートに追加し、その後、複数のアイテムを購入する許可用に認証装置に単一の要求を送信できる。要求が認証されると、異なるウェブサイトに異なる購入が通知され、注文が別個に実現される。
【０２９６】
いくつかの例では、（例えば、「確認」アフォーダンスのユーザ起動を検出し）、選択した１つ以上のオプションに関連したアクションを続行する（例えば、決済トランザクションを続行する）オプション（例えば、８２２）の選択を（例えば、要求装置によって）受け取る前に、要求装置（例えば、７００）は決済オプション（例えば、８０２Ｆ）を受け取る。決済オプション（例えば、８０２Ｆ）の選択の受取りに応じて、要求装置（例えば、７００）は対応する認証装置に関連した複数の決済アカウント（例えば、８０２Ｈ、８０２Ｊ）用のオプションを表示する。いくつかの実施形態では、第１決済アカウントは第１認証装置に関連し、第２決済アカウントは第１認証装置とは異なる第２認証装置に対応する。例えば、決済アカウントはそれらの対応する認証装置に従ってグループ化されるか、又は各決済アカウントに対応する認証装置のグラフィカル又はテキストインジケーションと共に表示される。
【０２９７】
いくつかの例では、（例えば、「確認」アフォーダンスのユーザ起動を検出し）、選択した１つ以上のオプションに関連したアクションを続行する（例えば、決済トランザクションを続行する）オプション（例えば、８２２）の選択を（例えば、要求装置によって）受け取る前に、要求装置（例えば、７００）は複数の決済アカウント用のオプション（例えば、８０２Ｈ、８０２Ｊ）内から各決済アカウントに対応するオプション（例えば、８０２Ｈ）の選択を受け取る。各決済アカウントに対応するオプション（例えば、８０２Ｈ）の選択の受取りに応じて、要求装置（例えば、７００）は各決済アカウントに対応して選択されたオプション（例えば、８０２Ｈ）に基づいて各認証装置を選択する。
【０２９８】
いくつかの例では、（例えば、「確認」アフォーダンスのユーザ起動を検出し）、選択した１つ以上のオプションに関連したアクションを続行する（例えば、決済トランザクションを続行する）オプション（例えば、８２２）の選択を（例えば、要求装置によって）受け取る前に、要求装置（例えば、７００）は対応する認証装置に関連した複数の決済アカウントのオプション（例えば、８０２Ｈ、８０２Ｊ）を表示する。いくつかの例では、第１決済アカウントは第１認証装置に関連し、第２決済アカウントは第１認証装置とは異なる第２認証装置に対応する。例えば、決済アカウントはそれらの対応する認証装置に従ってグループ化されるか、又は各決済アカウントに対応する認証装置のグラフィカル又はテキストインジケーションと共に表示される。要求装置（例えば、７００）は、各決済アカウントに対応するオプション（例えば、８０２Ｈ）の選択を受け取る。各決済アカウントに対応するオプションの選択の受取りに応じて、要求装置（例えば、７００）は各決済アカウントに対応して選択されたオプション（例えば、８０２Ｈ）に基づいて各認証装置を選択する。いくつかの実施形態では、第１認証装置に関連した決済アカウントがデフォルトの決済アカウントとして最初に選択され、第２決済アカウントに対応するオプションの選択の受取りに応じて、第２デバイスが各認証装置として第１デバイスの代わりに選択される。いくつかの実施形態では、各認証装置として選択可能なデバイスは２つより多くある。
【０２９９】
いくつかの例では、各決済アカウントに対応するオプション（例えば、８０２Ｈ）の選択の受取りに続いて、選択した１つ以上のオプションに関連したアクションを（例えば、「確認」アフォーダンスで）続行する（例えば、決済トランザクションを続行する）オプション（例えば、８２２）と、認証装置のインジケーション（例えば、８０２Ｉ）とを同時に表示する。
【０３００】
いくつかの例では、認証装置のインジケーション（例えば、８０２Ｉ）は認証装置のグラフィカル表現を含んでいる。いくつかの例では、認証装置のグラフィカル表現は、デバイスの筐体の線画等の認証装置のアイコン表現であり、アイコン表現は認証装置の仕上げと、フォームファクタと、１つ以上の寸法情報との１つ以上を含んでいる。例えば、グラフィカル表現は要求装置（例えば、７００）がゴールドＭａｃＢｏｏｋ（Ｒ）又は２７”ｉＭａｃ（Ｒ）であることを指示できる。
【０３０１】
いくつかの例では、複数の決済アカウントのオプションは、第１種類のデバイスが現在ロック状態であるかアンロック状態であるかにかかわらず、第１種類のデバイスにリンクされた決済アカウントを含んでいる（例えば、決済アカウントに関連したスマートウォッチ等のウェラブルデバイスが要求装置の近くにあっても、スマートウォッチが装着されていない及び／又はロック状態である場合、スマートウォッチに関連した決済アカウントは要求装置による使用に利用可能な決済アカウントのリストから除外され、スマートウォッチが装着され、アンロック状態である場合は、スマートウォッチに関連した決済アカウントは決済アカウントのリストに含まれる）。複数の決済アカウントのオプションは、アンロック状態であることに基づいて（及び代替的に又は追加的に、第２種類のデバイスが現在ユーザの手首にあることに基づいて）、第２種類のデバイス（例えば、スマートウォッチデバイス）にリンクされた決済アカウントを含んでいる。いくつかの例では、複数の決済アカウントのオプションは、ロック状態である第２種類のデバイスにリンクされた決済アカウントを含んでいない。いくつかの例では、複数の決済アカウントのオプションは、ロック状態であるか、又は現在ユーザの手首にない第２種類のデバイスにリンクされた決済アカウントを含んでいない）。例えば、決済アカウントに関連したタブレット、ラップトップ又はスマートフォン等のポータブルデバイスが要求装置の近くにある場合、ポータブルデバイスに関連した決済アカウントは、ポータブルデバイスがロックされていてもロックされていなくても決済アカウントのリストに含まれる。
【０３０２】
いくつかの例では、認証装置（例えば、５００）は電話であり、要求装置（例えば、７００）はテレビデバイス（例えば、フラットパネルテレビ、又はフラットパネルテレビ上でユーザインターフェースの表示を制御するセットトップボックス）である。いくつかの例では、認証装置は電話であり、要求装置はコンピュータ（例えば、ラップトップコンピュータ、デスクトップコンピュータ）である。いくつかの例では、認証装置はウェラブルデバイス（例えば、電子スマートウォッチ）であり、要求装置はテレビデバイス（例えば、フラットパネルテレビ、又はフラットパネルテレビ上でユーザインターフェースの表示を制御するセットトップボックス）である。いくつかの例では、認証装置はウェラブルデバイス（例えば、電子スマートウォッチ）であり、要求装置はコンピュータ（例えば、ラップトップコンピュータ、デスクトップコンピュータ）である。
【０３０３】
いくつかの例では、認証装置（例えば、５００）の電子財布は認証装置のユーザに関連した１つ以上の決済アカウントを含み、支払い情報は１つ以上の決済アカウントの所定の決済アカウントに基づいている。いくつかの例では、支払い情報は決済アカウントのアカウント番号又ＰＡＮである。
【０３０４】
いくつかの例では、決済トランザクションを続行することは、決済トランザクションに関与している決済トランザクションサーバに支払い情報を送信することを含んでいる。いくつかの例では、決済トランザクションに関与することは、１つ以上の金融機関に情報をルーティングし、決済クレデンシャルを証明する、及び／又はトランザクションを完了する許可を受け取ることを含んでいる。例えば、支払い情報は認証装置から決済トランザクションに関与している決済サーバに送信される。別の例では、支払い情報は要求装置から決済トランザクションに関与している決済サーバに送信される。
【０３０５】
いくつかの例では、決済トランザクションを続行することは、支払い情報（例えば、電子装置にリンクされ、デバイスの電子財布に記憶された決済アカウントの支払い情報）を用いて決済トランザクションを完了することを含んでいる。いくつかの例では、決済トランザクションを続行することは、決済トランザクションで用いる支払い情報（例えば、主アカウント番号）を用いて（例えば、購入を行うクレジットアカウントを用いて）決済トランザクションを完了することを含み、支払い情報は電子装置に記憶されている。
【０３０６】
なお、方法１０００（例えば、図１０Ａ〜図１０Ｂ）について上で説明した処理の詳細は上及び下で説明した方法に同様に適用することもできる。例えば、方法９００と方法１１００は任意選択的に、方法１０００を参照しながら上で説明した様々な方法の１つ以上の特徴を含んでいる。例えば、様々な方法の要求装置の特徴及び技術を組み合わせることもできる。別の例では、様々な方法の認証装置の特徴及び技術を組み合わせることもできる。簡略化のために、これらの詳細のいくつかは以降では繰り返さない。
【０３０７】
図１１は、いくつかの実施形態に従って電子装置を用いて１１００の方法を示すフロー図である。方法１１００は、ディスプレイ付きの認証装置（例えば、１００、３００、５００）において実行される。いくつかの例では、認証装置（例えば、５００）は、アクションの続行許可用の要求に対応する入力に（例えば、支払い情報を生成又は提供することによって）応答するように構成したハードウェア（例えば、セキュア要素、トークン生成器）を含んでいる。方法１１００におけるいくつかの動作は任意選択的に組み合わせられ、いくつかの動作の順番は任意選択的に変更され、いくつかの動作は任意選択的に省略される。
【０３０８】
以降で説明するように、方法１１００はアクションを続行するリモート許可を管理する直感的な方法を提供する。その方法はリモート許可を管理するユーザの認識的負担を低減し、より効率的なヒューマンマシンインターフェースを生成する。バッテリ動作のコンピューティングデバイスの場合、ユーザがより速くより効率的にリモート許可を管理可能にすることで、電力を節約してバッテリ充電間隔を増大させる。
【０３０９】
ブロック１１０２において、認証装置（例えば、５００）は要求装置（例えば、７００）からアクションの続行要求を受け取る。要求はアクションに関する情報（例えば、要求装置においてユーザによって選択された１つ以上のオプションについて又はそれに基づく情報、接続するリモートサーバ名、総額等のトランザクションの詳細又は決済アカウントのインジケーション）を含んでいる。要求装置（例えば、７００）と認証装置（例えば、５００）は両方とも同じアカウントを用いてサービスにサインインする（又はアクションを許可するために互いに明示的にリンクされている別個のアカウントにそれぞれサインインする）。いくつかの例では、ブロック１１０４において、アクションはセキュアなネットワーク接続を生成する。いくつかの例では、ブロック１１０６においてアクションは決済トランザクションを続行する。
【０３１０】
ブロック１１０８において、認証装置（例えば、５００）は認証装置のディスプレイ上に、アクションの続行要求のインジケーション（例えば、７５０、８５０）、アクションに関する情報（例えば、７５２、８５２）（接続するリモートサーバ名、総額等のトランザクションの詳細又は決済アカウントのインジケーション）、及び要求装置のインジケーション（例えば、７５４、８５４）（例えば、要求ラップトップ又は電話の名前、要求装置の識別子）を同時に表示する。
【０３１１】
ブロック１１１０において、認証装置（例えば、５００）はアクションの続行許可用の要求（例えば、８５６）を表示する。
【０３１２】
ブロック１１１２において、認証装置（例えば、５００）はアクションの続行許可用の要求に対応する入力（例えば、ユーザ認証情報、指紋、パスコード）を受け取る。いくつかの例では、アクションの続行許可を受け取ることは、電子装置のタッチ感知面を介してパスコードを受け取ることを含み、パスコードはアクションを許可可能な登録済みパスコードと一致していることを判定する。いくつかの例では、続行の許可は指紋を検出することを含み、指紋はアクションを許可可能な登録済みの指紋と一致していることを判定する。例えば、デバイスはユーザの１つ以上の指紋についての情報を記憶し、各指紋がアクションを許可可能であるかどうかを判定するために使用する。いくつかの例では、続行の許可は、デバイス（例えば、電子スマートウォッチ）がアンロック状態である間（及び任意選択的に、デバイスがユーザの皮膚に接触していることを検出することによって等、デバイスがユーザの手首にある間）機械式ボタンの二重押しを受け取ることを含んでいる。
【０３１３】
いくつかの例では、アクションは要求装置とリモートサーバの間にセキュアなネットワーク接続を生成する。アクションの続行許可用の要求に対応する入力がアクションの続行を許可された入力と一致するという認証装置（例えば、５００）における判定（例えば、ユーザ入力、ユーザ認証情報、指紋、パスコードに基づいて成功したユーザ認証）に応じて、認証装置（例えば、５００）は要求装置にトークン情報を送信する。いくつかの例では、要求装置（例えば、７００）は認証装置からトークン情報を受け取り、要求装置（例えば、７００）は認証装置から受け取ったトークン情報を用いてアクションを続行する（例えば、セキュアなネットワーク接続を生成する）。いくつかの例では、アクションの続行許可用の要求に対応する入力がアクションの続行を許可された入力と一致しないという認証装置（例えば、５００）における判定（例えば、ユーザ入力、ユーザ認証情報、指紋、パスコードに基づいて成功しなかったユーザ認証）に応じて、認証装置（例えば、５００）は要求装置にトークン情報を送信することを差し控える。
【０３１４】
いくつかの例では、アクションを進める要求のインジケーション（例えば、７５０、８５０）、アクションに関する情報（例えば、７５２、８５２）、及び要求装置のインジケーション（例えば、７５４、８５４）をディスプレイに同時に表示することは、アクションを進める要求に応答している（又はそれに続いている）。
【０３１５】
いくつかの例では、認証装置は、例えば、要求装置（例えば、７００）がハードウェア（例えば、ハードウェアトークン生成器、セキュア要素）を含まない場合に、アクションを進める認証要求に応答する入力に対して（例えば、トークンを生成又は提供することによって、支払い情報を生成又は提供することによって）応答するように構成されたハードウェア（例えば、ハードウェアトークン生成器、セキュア要素）を含む。
【０３１６】
いくつかの例では、アクションは、支払いトランザクションによって進行している。認証装置（例えば、５００）は、支払い情報（例えば、支払いアカウント番号、支払いアカウントの識別子、又はデバイスにリンクされ且つデバイスの電子ウォレットに記憶された支払いアカウントの口座番号及び有効期限などの支払いカード情報）を生成（又は提供、又は解放）する。例えば、認証装置（例えば、５００）は、アクションを進める認証要求に応答する入力に対して（支払い情報を生成又は提供することによって）応答するように構成されたハードウェア（例えば、セキュア要素）を使用する。認証装置（例えば、５００）において、アクションを進める認証要求に対する応答である入力がアクションを進めるために認証された入力と一致することを判定するのに応答して（例えば、ユーザ入力、ユーザ認証情報、指紋、パスコードに基づく成功したユーザ認証）、認証装置（例えば、５００）は、（例えば、要求装置又は支払取引サーバに対して）支払い情報を送信する。いくつかの例では、要求装置は、認証装置から支払い情報を受信し、要求装置は、認証装置から受信した支払い情報を使用してアクションに進む（例えば、支払いトランザクションに進む）。いくつかの例では、支払いトランザクションサーバは、認証装置から支払い情報を受信し、認証装置から受信した支払い情報を使用して支払いトランザクションを処理する。認証装置（例えば、５００）において、アクションを進める認証要求に対する応答である入力がアクションを進めるために認証された入力と一致しないことを判定するのに応答して（例えば、ユーザ入力、ユーザ認証情報、指紋、パスコードに基づく不成功のユーザ認証）、認証装置（例えば、５００）は、（例えば、要求装置又は支払取引サーバに対する）支払い情報の送信を取り止める。
【０３１７】
いくつかの例では、要求装置のインジケーション（例えば、７５４、８５４）は、要求装置のグラフィック表現を含む。いくつかの例では、要求装置のグラフィック表現は、デバイスのハウジングの線画などの要求装置のアイコン表現であり、アイコン表現は、仕上げ、フォームファクタ、及び要求装置の１つ以上の寸法情報のうちの１つ以上を含む。例えば、グラフィック表現は、要求装置（例えば、７００）がゴールドＭａｃＢｏｏｋ（登録商標）又は２７”ｉＭａｃ（登録商標）であることを示すことができる。
【０３１８】
いくつかの例では、認証装置（例えば、５００）は、アクションを進める認証要求に対する応答である入力（例えば、ユーザ認証情報、指紋、パスコード）を受信すると、ロック状態にある。認証装置において、アクションを進める認証要求に対する応答である入力がアクションを進めるために認証された入力と一致することを判定するのに応答して（例えば、ユーザ入力、ユーザ認証情報、指紋、パスコードに基づく成功したユーザ認証）、認証装置（例えば、５００）は、ロックされた状態に認証装置を維持しつつ、認証装置によって、アクションの進行要求に対する応答、入力に基づくアクションを進めるための要求に対する応答を送信する。したがって、いくつかの例では、認証装置（例えば、５００）は、認証プロセス全体にわたってロック状態のままである。
【０３１９】
いくつかの例では、要求装置（例えば７００）は、アカウントを使用してサービスにサインインされ、認証装置（例えば、５００）は、アカウントを使用してサービスにサインインされる（例えば、要求装置及び認証装置の双方が同じユーザアカウント／同じユーザ信用証明書を使用してサービスにサインインされる）。いくつかの例では、要求装置及び認証装置は、それぞれ、同じサービス上の別個のアカウントにサインインされ、別個のアカウントは、互いにリンクされる（例えば、アクションを認証する目的で互いに明示的にリンクされる）。
【０３２０】
いくつかの例では、認証装置（例えば、５００）は、アクションを進める要求を受信すると、ロック状態にある。アクションを進める要求を受信したことに応答して、認証装置は、ディスプレイ上に要求通知（例えば、７３０、８３０、認証装置のロックスクリーン上）を表示する。アクションを進める要求のインジケーション（例えば、７５０、８５０）、アクションに関する情報（例えば、７５２、８５２）及び要求装置のインジケーション（例えば、７５４、８５４）をディスプレイ上に同時に表示する前に、認証装置（例えば、５００）は、要求通知（例えば、７３０、８３０）をアクティブにする入力を受信し（例えば、閾値距離を超えて通知をスライドさせるユーザスワイプジェスチャ又は各閾値強度を上回る特性強度によって通知を押圧するユーザ入力ジェスチャを受信する）、（例えば、７４０、８４０、要求を表示することによって及び／又は触覚振動を生じさせることによって）認証装置をアンロックする認証を要求し、認証装置をアンロックする認証（例えば、指紋又はパスコード）を受信する。この認証装置をアンロックする認証は、アクションを進める認証に加えて別個である。いくつかの例では、同じ技術を使用して（例えば、同じ指紋又は同じパスワードを使用して）、アンロックする認証及びアクションを進める認証が満たされることができる。いくつかの例では、アンロックする認証及びアクションを進める認証は、異なる技術を使用して（例えば、アンロックする認証に指紋を使用し、アクションを進める認証にパスワードを使用して）満たされる。いくつかの例では、アンロックする認証及びアクションを進める認証は、同じ技術を使用するが異なる入力によって（例えば、アンロックする認証に第１の指紋を使用するとともにアクションを進める認証に第２の指紋を使用し、アンロックする認証に第１のパスワードを使用するとともにアクションを進める認証に第２のパスワードを使用して）満たされる。認証装置をアンロックする認証を受信するのに応答して（又はそれに続いて）、認証装置（例えば、５００）は、アンロックする（例えば、デバイスをアンロック状態に遷移させる）。アクションを進める要求のインジケーション、アクションに関する情報、及び要求装置のインジケーションをディスプレイ上に同時に表示することは、認証装置をアンロックする認証を受信することに応答して生じる。いくつかの例では、アクションを進める要求のインジケーション、アクションに関する情報、及び要求装置のインジケーションが電子ウォレットアプリケーションのユーザインターフェース内に表示される。いくつかの例では、電子ウォレットアプリケーションは、認証装置のユーザに関連付けられた複数の支払いアカウントを、ユーザのパーソナルデバイスとして記憶する。
【０３２１】
いくつかの例では、アクションを進める要求を受信したことに応答して、認証装置（例えば、５００）は、ディスプレイ上に要求通知（例えば、７３０、８３０、認証装置のロックスクリーン上）を表示する。アクションに関する要求のインジケ―ション、アクションに関する情報、及び要求装置のインジケーションをディスプレイ上に同時に表示する前に、認証装置（例えば、５００）は、要求通知をアクティブにする入力を受信する（例えば、閾値距離を超えて通知をスライドさせるユーザスワイプジェスチャ又は各閾値強度以上の特性強度によって通知を押圧するユーザ入力ジェスチャを受信する）。アクションを進める要求のインジケーション、アクションに関する情報、及び要求装置のインジケーションをディスプレイ上に同時に表示することは、要求通知をアクティブにする入力の受信に対する応答である（又はそれに続く）。いくつかの例では、アクションを進める要求のインジケーション、アクションに関する情報、及び要求装置のインジケーションが電子ウォレットアプリケーションのユーザインターフェース内に表示される。いくつかの例では、電子ウォレットアプリケーションは、認証装置のユーザに関連付けられた複数の支払いアカウントを、ユーザのパーソナルデバイスとして記憶する。
【０３２２】
いくつかの例では、認証装置（例えば、５００）は、アクションを進める要求を受信すると、ロック状態にある。アクションを進める要求を受信したことに応答して、認証装置（例えば、５００）は、ディスプレイ上に要求通知（例えば、７３０、８３０、認証装置のロックスクリーン上）を表示する。アクションに関する要求のインジケーション、アクションに関する情報、及び要求装置のインジケーションをディスプレイ上に同時に表示する前に、認証装置（例えば、５００）は、要求通知をアクティブにする入力を受信する（例えば、閾値距離を超えて通知をスライドさせるユーザスワイプジェスチャ又は各閾値強度以上の特性強度によって通知を押圧するユーザ入力ジェスチャを受信する）。アクションを進める要求のインジケーション、アクションに関する情報、及び要求装置のインジケーションをディスプレイ上に同時に表示することは、要求通知をアクティブにする入力の受信に対する応答である（又はそれに続く）。いくつかの例では、アクションを進める要求のインジケーション、アクションに関する情報、及び要求装置のインジケーションが電子ウォレットアプリケーションのユーザインターフェース内に表示される。いくつかの例では、電子ウォレットアプリケーションは、認証装置のユーザに関連付けられた複数の支払いアカウントを、ユーザのパーソナルデバイスとして記憶する。アクションを進める認証要求に対する応答である入力がアクションを進めることが認証された入力（例えば、ユーザ認証情報、指紋、パスコード）と一致すると判定すると、要求装置をアンロック状態に遷移させない（換言すれば、ロック状態から遷移させない）。
【０３２３】
いくつかの例では、アクションを進める要求を受信すると、認証装置（例えば、５００）は、アンロック状態（例えば、ユーザが既に認証を提供し、認証装置の制限付き機能へのアクセスを可能にした状態）にある。いくつかの例では、認証装置は、一度アンロックされると、アンロック状態のままであるとともに、着用され且つ（例えば、デバイスの１つ以上のセンサによってユーザ接触の終了を検出することによって又はデバイスの１つ以上のセンサによってユーザへの近接の終了を検出することによって）もはや着用されていないことをデバイスが検出すると自動的にロックされるウェアラブルデバイス（例えば、電子スマートウォッチ）である。要求装置は、ハードウェアボタンを含み、アクションを進める認証要求に対する応答である入力を受信することは、デバイスがアンロック状態にある間にハードウェアボタンの二重押下を検出することを含む。
【０３２４】
いくつかの例では、アクションに関する情報は、アクションに関連付けられた１つ以上のオプションを含む。認証装置（例えば、５００）は、アクションに関する要求のインジケーション、アクションに関する情報、及び要求装置のインジケーションをディスプレイ上に同時に表示した後、アクションに関連付けられた１つ以上のオプションのうちの少なくとも１つに対する変更を要求するユーザ入力を受信し、アクションに関連付けられた１つ以上のオプションのうちの少なくとも１つに対する変更を含む更新された要求を要求装置に送信し、更新された要求の受信の確認が要求装置から受信されていないというインジケーションをディスプレイ上に表示し、要求装置からの更新された要求の受信の確認を受信し、要求装置からの更新された要求の受信の確認の受信に応答して、更新された要求の受信の確認が要求装置から受信されなかったというインジケーションをディスプレイ上に表示することを停止する。
【０３２５】
いくつかの例では、アクションを進める要求を受信した後、かつアクションを進める認証要求に対する応答である入力（例えば、ユーザ認証情報、指紋、パスコード）を受信する前に、認証装置（例えば、５００）は、要求装置から、アクションをキャンセルする要求を受信し、アクションをキャンセルする要求を受信することに応答し且つアクションを進める認証要求に対する応答である入力（例えば、ユーザ認証情報、指紋、パスコード）を受信することに応じて、認証装置（例えば、５００）は、アクションを進めるのを取り止める（例えば、支払い情報を送信するのを取り止める）。
【０３２６】
いくつかの例では、アクションを進める要求を受信した後、かつアクションを進める認証要求に対する応答である入力（例えば、ユーザ認証情報、指紋、パスコード）を受信する前に、認証装置（例えば、５００）は、要求装置（例えば、７００）から、アクションをキャンセルする要求を受信し、アクションをキャンセルする要求を受信することに応答して、認証装置は、そのアクションを進める認証要求に対する応答である入力（例えば、ユーザ認証情報、指紋、パスコード）を受信することを取り止める。例えば、認証装置（例えば、５００）は、認証要求に対する応答である入力を受信するために使用される指紋センサを使用不可にする。
【０３２７】
いくつかの例では、認証装置（例えば、５００）において、アクションを進める認証要求に応答する入力がアクションを進めるために認証された入力（例えば、ユーザ入力、ユーザ認証情報、指紋、パスコードに基づく成功したユーザ認証）に一致したことを判定した後に、認証装置は、（例えば、要求装置又はユーザのいずれかからの）さらなる入力なしにアクション（例えば、支払い情報を使用して）を進める。例えば、認証装置は、支払いトランザクションを処理するために必要な（又は有用な）情報を支払いサーバに送信する。
【０３２８】
いくつかの例では、認証装置（例えば、５００）は、トランザクション履歴ユーザインターフェースにトランザクションを表示する。認証装置（例えば、５００）は、第２のアクションを進めるための第２の要求（例えば、第２の支払いトランザクションの進行を要求する）を受信する。認証装置（例えば、５００）は、アクションを進める要求の第２のインジケーション（例えば、支払いトランザクションを進める）と、アクションが成功した（例えば、支払いトランザクションが承認された）かどうかのインジケーションとをディスプレイ上に同時に表示し、第２のアクションを進める第２の要求の第３のインジケーション（例えば、第２の支払いトランザクションを進める）と、第２のアクションが成功した（例えば、第２の支払いトランザクションが承認された）かどうかのインジケーションとをディスプレイ上に同時に表示する。したがって、認証装置（例えば、５００）は、対応するトランザクション支払いが承認されたか拒否されたかのインジケーションとともに、受信した要求を含むトランザクション履歴を表示する。いくつかの例では、認証装置（例えば、５００）は、アクションを進める要求の第２のインジケーション、アクションが成功したかどうかのインジケーション、第２のアクションを進める第２の要求の第３のインジケーション、及び第２のアクションが成功したかどうかのインジケーションを同時に表示する。
【０３２９】
いくつかの例では、認証装置（例えば、５００）は、電話（例えば、スマートフォン）であり、要求装置は、テレビデバイス（例えば、フラットパネルテレビ又はフラットパネルテレビ上のユーザインターフェースの表示を制御しているセットトップボックス）である。いくつかの例では、認証装置は、電話（例えば、スマートフォン）であり、要求装置は、コンピュータ（例えば、ラップトップコンピュータ、デスクトップコンピュータ）である。いくつかの例では、認証装置は、ウェアラブルデバイス（例えば、電子スマートウォッチ）であり、要求装置は、テレビデバイス（例えば、フラットパネルテレビ又はフラットパネルテレビ上のユーザインターフェースの表示を制御しているセットトップボックス）である。いくつかの例では、認証装置は、ウェアラブルデバイス（例えば、電子スマートウォッチ）であり、要求装置は、コンピュータ（例えば、ラップトップコンピュータ、デスクトップコンピュータ）である。
【０３３０】
いくつかの例では、認証装置（例えば、５００）の電子ウォレットは、認証装置のユーザに関連付けられた１つ以上の支払いアカウントを含み、支払い情報は、１つ以上の支払いアカウントのうちの支払いアカウントに基づいている。いくつかの例では、支払い情報は、口座番号又は支払アカウントのＰＡＮである。
【０３３１】
いくつかの例では、支払いトランザクションを進めることは、支払いトランザクションに関与する支払いトランザクションサーバに支払い情報（例えば、電子装置にリンクされ且つデバイスの電子ウォレットに記憶された支払いアカウントの支払い情報）を送信することを含む。いくつかの例では、支払いトランザクションに関与することは、支払いクレデンシャルを検証する及び／又はトランザクションを完了するための認証を受信するために１つ以上の金融機関に情報をルーティングすることを含む。例えば、支払い情報は、認証装置（例えば、５００）から支払いトランザクションに関与するための支払いサーバに送信される。別の例では、支払い情報は、要求装置（例えば、７００）から支払いトランザクションに関与するための支払いサーバに送信される。
【０３３２】
いくつかの例では、支払いトランザクションを進めることは、支払い情報（例えば、電子装置にリンクされ且つデバイスの電子ウォレットに記憶された支払いアカウントの支払い情報）を使用して、支払いトランザクションを完了することを含む。いくつかの例では、支払いトランザクションを進めることは、支払いトランザクションで使用する（例えば、クレジットアカウントを使用して購入を行う）ための支払い情報（例えば、口座番号又は支払いアカウントのＰＡＮ）を使用して、支払いトランザクションを完了することを含み、支払い情報は、電子装置（例えば、５００、７００）に記憶される。
【０３３３】
方法１１００（例えば、図１１）に関して上述したプロセスの詳細はまた、上述した方法と同様に適用可能であることに留意されたい。例えば、方法９００及び１０００は、任意選択で、方法１１００に関して上述した様々な方法の特性の１つ以上を含む。例えば、様々な方法の要求装置の特性及び技術を組み合わせることができる。別の例として、様々な方法の認証装置の特性及び技術を組み合わせることができる。簡潔にするために、これらの詳細は以下では繰り返さない。
【０３３４】
いくつかの実施形態によれば、図１２は、様々な説明された実施形態の原理にしたがって構成された要求装置１２００の例示的な機能ブロック図を示している。いくつかの実施形態によれば、要求装置１２００の機能ブロックは、上述した技術を実行するように構成されている。デバイス１２００の機能ブロックは、任意選択で、説明された様々な例の原理を実行するために、ハードウェア、ソフトウェア、又はハードウェアとソフトウェアの組み合わせによって実装される。当業者であれば、図１２に記載された機能ブロックは、説明された様々な例の原理を実装するために、任意選択で、サブブロックに結合されるか又はサブブロックに分離されることが理解される。したがって、本明細書の説明は、任意選択で、本明細書に記載された機能ブロックの任意の可能な組み合わせ又は分離又はさらなる定義をサポートする。
【０３３５】
図１２に示すように、要求装置１２００は、グラフィックユーザインターフェースを表示するように構成されたディスプレイユニット１２０２と、ディスプレイユニット１２０２に接続された処理ユニット１２０４とを含む。いくつかの実施形態では、処理ユニット１２０４は、受信ユニット１２０６、送信ユニット１２０８、表示有効化ユニット１２１０、ネットワーク形成ユニット１２１２、進行ユニット１２１６、及び判定ユニット１２１８を含む。
【０３３６】
処理ユニット１２０４は、１つ以上のオプションの選択を（例えば、受信ユニット１２０６によって）受信するように構成されている。処理ユニット１２０４は、選択された１つ以上のオプションに関連付けられたアクションを進めるオプションの選択を（例えば、受信ユニット１２０６によって）受信するように更に構成されている。処理ユニット１２０４は、アクションを進める要求を（例えば、送信ユニット１２０８によって）送信するように更に構成され、要求は、選択された１つ以上のオプションに関する情報を含む。処理ユニット１２０４は、アクションを進める要求に対する応答を（例えば、受信ユニット１２０６によって）受信するように更に構成されている。処理ユニット１２０４は、アクションを進める要求に対する応答が認証装置における認証が成功したとの判定（例えば、判定ユニット１２１８を使用）に応じて、認証が成功したインジケーションを（表示有効化ユニット１２１０によって）ディスプレイユニット１２０２上に表示有効化するように更に構成されている。処理ユニット１２０４は、アクションを進める要求に対する応答が認証装置における認証が成功しなかったとの判定（例えば、判定ユニット１２１８を使用）に応じて、認証が成功しなかったインジケーションを（表示有効化ユニット１２１０によって）ディスプレイユニット１２０２上に表示有効化するように更に構成されている。
【０３３７】
いくつかの実施形態では、アクションは、（例えば、ネットワーク形成ユニット１２１２を使用して）要求装置１２００とリモートサーバとの間のセキュアなネットワーク接続を形成している。処理ユニット１２０４は、認証装置からトークンを（例えば、受信ユニット１２０６によって）受信するように更に構成されている。処理ユニット１２０４は、（例えば、進行ユニット１２１６によって）認証装置から受信したトークンを使用してアクションを進めるように更に構成されている。
【０３３８】
いくつかの実施形態では、要求装置１２００は、（例えば、送信ユニット１２０８を使用して）アクションを進める要求を送信するときにアカウントを使用してサービスにサインインされる。
【０３３９】
いくつかの実施形態では、アクションは、（例えば、進行ユニット１２１６を使用して）支払いトランザクションによって進行している。処理ユニット１２０４は、認証装置から支払い情報を（例えば、受信ユニット１２０６によって）受信するように更に構成されている。処理ユニット１２０４は、（例えば、進行ユニット１２１６を使用して）認証装置から受信した支払い情報を使用してアクションを進めるように更に構成されている。
【０３４０】
いくつかの実施形態では、処理ユニット１２０４は、トークンを（例えば、送信ユニット１２０８によって）サーバに送信するように構成され、サーバは、トークンに関連付けられたリソースを取得するためにトークンを使用する。
【０３４１】
いくつかの実施形態では、処理ユニット１２０４は、（例えば、送信ユニット１２０８によって）支払い情報を支払トランザクションサーバに送信するように更に構成され、支払いトランザクションサーバは、支払い情報に関連付けられたリソースを取得するために支払い情報を使用する。
【０３４２】
いくつかの実施形態では、要求装置１２００は、テレビデバイスである。いくつかの実施形態では、要求装置１２００は、コンピュータである。
【０３４３】
いくつかの実施形態では、支払いトランザクションを進めることは、（例えば、送信ユニット１２０８によって）支払いトランザクションに関与するために支払い情報を支払いトランザクションサーバに送信することを含む。
【０３４４】
図９Ａ〜図９Ｄを参照して上述した動作は、任意選択で、図１Ａ〜図１Ｂ又は図１２に示した構成要素によって実装される。例えば、受信動作９０２及び表示動作９１０は、任意選択で、イベント認識部１８０及びイベントハンドラ１９０によって実装される。同様に、当業者には、図１Ａ〜図１Ｂに示した構成要素に基づいて他のプロセスがどのように実装されることができるかは明らかであろう。
【０３４５】
いくつかの実施形態によれば、図１３は、様々な説明された実施形態の原理にしたがって構成された認証装置１３００の例示的な機能ブロック図を示している。いくつかの実施形態によれば、認証装置１３００の機能ブロックは、上述した技術を実行するように構成されている。デバイス１３００の機能ブロックは、任意選択で、説明された様々な例の原理を実行するために、ハードウェア、ソフトウェア、又はハードウェアとソフトウェアの組み合わせによって実装される。当業者であれば、図１３に記載された機能ブロックは、説明された様々な例の原理を実装するために、任意選択で、サブブロックに結合されるか又はサブブロックに分離されることが理解される。したがって、本明細書の説明は、任意選択で、本明細書に記載された機能ブロックの任意の可能な組み合わせ又は分離又はさらなる定義をサポートする。
【０３４６】
図１３に示すように、認証装置１３００は、グラフィックユーザインターフェースを表示するように構成されたディスプレイユニット１３０２と、ハードウェアユニット１３１８と、ディスプレイユニット１３０２に接続された処理ユニット１３０４と、任意選択でハードウェアユニット１３１８とを含む。いくつかの実施形態では、処理ユニット１３０４は、受信ユニット１３０６、送信ユニット１３０８、表示有効化ユニット１３１０、ネットワーク形成ユニット１３１２、進行ユニット１３１６、判定ユニット１３２０、及びロックユニット１３２２を含む。
【０３４７】
処理ユニット１３０４は、アクションを進める要求を（例えば、受信ユニット１３０６によって）受信するように構成されている。処理ユニット１３０４は、（例えば、表示有効化ユニット１３１０を使用して）アクションを進める要求のインジケーション、選択された１つ以上のオプションに関する情報、及び要求装置のインジケーションをディスプレイユニット１３０２上に同時に表示有効化するように更に構成されている。処理ユニット１３０４は、（例えば、表示有効化ユニット１３１０を使用して）アクションを進める認証要求をディスプレイユニット１３０２上に表示有効化するように更に構成されている。処理ユニット１３０４は、アクションを進める認証要求に対する応答である入力を（例えば、受信ユニット１３０６を使用して）受信するように更に構成されている。処理ユニット１３０４は、アクションを進める要求に対する応答を（例えば、送信ユニット１３０８を使用して）送信するように更に構成され、アクションを進める要求に対する応答は、アクションを進める認証要求に対する要求に応答である入力に基づいている。
【０３４８】
いくつかの実施形態では、認証装置１３００は、アクションを進める認証要求に対する応答である入力に応答するように構成されたハードウェアユニット１３１８を含み、要求装置は、ハードウェアを含まない。アクションは、（例えば、ネットワーク形成ユニット１３１２を使用して）認証装置１３００とリモートサーバとの間のセキュアなネットワーク接続を形成している。処理ユニット１３０４は、（例えば、判定ユニット１３２０を使用して）アクションを進める認証要求に対する応答である入力がアクションを進めるために認証された入力と一致すると判定することに応答して、アクションを進める認証要求に対する応答である入力に応答するように構成されたハードウェアユニット１３１８を使用して、（例えば、進行ユニット１３１６を使用して）アクションを進めるように構成されている。
【０３４９】
いくつかの実施形態では、アクションは、（例えば、ネットワーク形成ユニット１３１２を使用して）要求装置とリモートサーバとの間のセキュアなネットワーク接続を形成している。処理ユニット１３０４は、（例えば、判定ユニット１３２０を使用して）アクションを進める認証要求に対する応答である入力がアクションを進めるために認証された入力と一致すると判定することに応答して、アクションを進める認証要求に対する応答である入力に応答するように構成されたハードウェアユニット１３１８を使用して生成されたトークンを（例えば、送信ユニット１３０８を使用して）要求装置に送信する。
【０３５０】
いくつかの実施形態では、要求装置のインジケーションは、要求装置のグラフィック表現を含む。
【０３５１】
いくつかの実施形態では、認証装置１３００は、アクションを進める認証要求に対する応答である入力を（例えば、受信ユニット１３０６を使用して）受信すると、ロック状態にある。処理ユニット１３０４は、（例えば、判定ユニット１３２０を使用して）アクションを進める認証要求に対する応答である入力がアクションを進めるために認証された入力と一致することを判定することに応答して、ロック状態の認証装置１３００を（例えば、ロックユニット１３２２を使用して）維持するとともに、（例えば、送信ユニット１３０８を使用して）アクションを進める要求に対する応答を送信するように構成され、アクションを進める要求は、入力に基づいている。
【０３５２】
いくつかの実施形態では、認証装置１３００は、アクションを進める要求を受信するときにアカウントを使用してサービスにサインインされる。
【０３５３】
いくつかの実施形態では、アクションは、（例えば、進行ユニット１３１６を使用して）支払いトランザクションによって進行している。処理ユニット１３０４は、（例えば、判定ユニット１３２０を使用して）アクションを進める認証要求に対する応答である入力がアクションを進めるために認証された入力と一致すると判定することに応答して、アクションを進める認証要求に対する応答である入力に応答するように構成されたハードウェアユニット１３１８を使用して、（例えば、進行ユニット１３１６を使用して）アクションを進めるように構成されている。
【０３５４】
いくつかの実施形態では、アクションは、（例えば、進行ユニット１３１６を使用して）支払いトランザクションによって進行している。処理ユニット１３０４は、（例えば、判定ユニット１３２０を使用して）アクションを進める認証要求に対する応答である入力がアクションを進めるために認証された入力と一致すると判定することに応答して、アクションを進める認証要求に対する応答である入力に応答するように構成されたハードウェアユニット１３１８を使用して生成された支払い情報を（例えば、送信ユニット１３０８を使用して）要求装置に送信する。
【０３５５】
いくつかの実施形態では、処理ユニット１３０４は、トークンを（例えば、送信ユニット１３０８を使用して）サーバに送信するように構成され、サーバは、トークンに関連付けられたリソースを取得するためにトークンを使用する。
【０３５６】
いくつかの実施形態では、処理ユニット１３０４は、（例えば、送信ユニット１３０８を使用して）支払い情報を支払いトランザクションサーバに送信するように構成され、支払いトランザクションサーバは、支払い情報に関連付けられたリソースを取得するために支払い情報を使用する。
【０３５７】
いくつかの実施形態では、アクションは、支払いトランザクションによって進行しており、認証装置１３００は、支払いトランザクションを認証するためのハードウェアユニット１３１８を含む。
【０３５８】
いくつかの実施形態では、アクションは、（例えば、進行ユニット１３１６を使用して）支払いトランザクションによって進行している。処理ユニット１３０４は、（例えば、判定ユニット１３２０を使用して）アクションを進める認証要求に対する応答である入力がアクションを進めるための認証された入力と一致していることを判定した後に、（例えば、進行ユニット１３１６を使用して）要求装置からのさらなる入力なしにアクションを進める。
【０３５９】
いくつかの実施形態では、認証装置１３００は、電話である。いくつかの実施形態では、認証装置１３００は、ウェアラブルデバイスである。
【０３６０】
いくつかの実施形態では、認証装置１３００の電子ウォレットは、認証装置１３００のユーザに関連付けられた１つ以上の支払いアカウントを含み、支払い情報は、１つ以上の支払いアカウントのうちの支払いアカウントに基づいている。
【０３６１】
いくつかの実施形態では、（例えば、進行ユニット１３１６を使用して）支払いトランザクションを進めることは、（例えば、送信ユニット１３０８を使用して）支払いトランザクションに関与するために支払い情報を支払いトランザクションサーバに送信することを含む。
【０３６２】
図９Ａ〜図９Ｄを参照して上述した動作は、任意選択で、図１Ａ〜図１Ｂ又は図１３に示した構成要素によって実装される。例えば、受信動作９０８及び表示動作９１２は、任意選択で、イベント認識部１８０及びイベントハンドラ１９０によって実装される。同様に、当業者には、図１Ａ〜図１Ｂに示した構成要素に基づいて他のプロセスがどのように実装されることができるかは明らかであろう。
【０３６３】
いくつかの実施形態によれば、図１４は、様々な説明された実施形態の原理にしたがって構成された要求装置１４００の例示的な機能ブロック図を示している。いくつかの実施形態によれば、要求装置１４００の機能ブロックは、上述した技術を実行するように構成されている。デバイス１４００の機能ブロックは、任意選択で、説明された様々な例の原理を実装するために、ハードウェア、ソフトウェア、又はハードウェアとソフトウェアの組み合わせによって実装される。当業者であれば、図１４に記載された機能ブロックは、説明された様々な例の原理を実装するために、任意選択で、サブブロックに結合されるか又はサブブロックに分離されることが理解される。したがって、本明細書の説明は、任意選択で、本明細書に記載された機能ブロックの任意の可能な組み合わせ又は分離又はさらなる定義をサポートする。
【０３６４】
図１４に示すように、要求装置１４００は、グラフィックユーザインターフェースを表示するように構成されたディスプレイユニット１４０２と、ディスプレイユニット１４０２に接続された処理ユニット１４０４とを含む。いくつかの実施形態では、処理ユニット１４０４は、受信ユニット１４０６、送信ユニット１４０８、表示有効化ユニット１４１０、ネットワーク形成ユニット１４１２、進行ユニット１４１６、判定ユニット１４２０、提供ユニット１４２２、及び選択ユニット１４２４を含む。
【０３６５】
処理ユニット１４０４は、アクションに関連付けられた１つ以上のオプションの選択を（例えば、受信ユニット１４０６を使用して）受信するように構成されている。処理ユニット１４０４は、選択された１つ以上のオプションに関連付けられたアクションを進めるオプションの選択を（例えば、受信ユニット１４０６を使用して）受信するように更に構成されている。処理ユニット１４０４は、（例えば、送信ユニット１４０８を使用して）アクションを進める要求を認証装置に送信するように更に構成され、要求は、選択された１つ以上のオプションに関する情報、認証装置による表示のために選択された１つ以上のオプションに関する情報を含む。処理ユニット１４０４は、認証装置から、（例えば、受信ユニット１４０６を使用して）アクションを進める要求に対する応答を受信するように更に構成され、アクションを進める要求に対する応答は、認証装置における入力を示す。処理ユニット１４０４は、アクションを進める要求に対する応答が認証装置における認証が成功したとの判定（例えば、判定ユニット１４２０を使用）に応じて、認証が成功したインジケーションを（表示有効化ユニット１４１０を使用して）ディスプレイユニット１４０２上に表示有効化するように更に構成されている。
【０３６６】
いくつかの実施形態では、処理ユニット１４０４は、アクションを進める要求に対する応答が認証装置における認証が成功しなかったとの判定（例えば、判定ユニット１４２０使用）に応じて、認証が成功しなかったインジケーションを（表示有効化ユニット１４１０によって）ディスプレイユニット１４０２上に表示有効化するように更に構成されている。
【０３６７】
いくつかの実施形態では、アクションは、（例えば、送信ユニット１４０８を使用して）リモートサーバにトークンを送信することによって、（例えば、ネットワーク形成ユニット１４１２を使用して）要求装置とリモートサーバとの間のセキュアなネットワーク接続を形成している。
【０３６８】
いくつかの実施形態では、処理ユニット１４０４は、（例えば、受信ユニット１４０６を使用して）認証装置からトークンを受信するように構成されている。処理ユニット１４０４は、（例えば、進行ユニット１４１６を使用して）認証装置から受信したトークンを使用してアクションを進めるように更に構成されている。
【０３６９】
いくつかの実施形態では、アクションは、（例えば、進行ユニット１４１６を使用して）支払いトランザクションによって進行している。
【０３７０】
いくつかの実施形態では、処理ユニット１４０４は、（例えば、受信ユニット１４０６を使用して）認証装置から支払い情報を受信するように構成されている。処理ユニット１４０４は、（例えば、進行ユニット１４１６を使用して）認証装置から受信した支払い情報を使用してアクションを進めるように更に構成されている。
【０３７１】
いくつかの実施形態では、支払いトランザクションを進めることは、（例えば、送信ユニット１４０８を使用して）支払い情報の少なくとも一部を販売者に送信することを含む。
【０３７２】
いくつかの実施形態では、要求装置１４００は、アカウントを使用してサービスにサインインされ、認証装置は、アカウントを使用してサービスにサインインされる。
【０３７３】
いくつかの実施形態では、処理ユニット１４０４は、（例えば、受信ユニット１４０６を使用して）アクションが成功したインジケーションを受信するように構成されている。処理ユニット１４０４は、（例えば、提示ユニット１４１８を使用して）アクションが成功したインジケーションを要求装置に提示するように更に構成されている。
【０３７４】
いくつかの実施形態では、処理ユニット１４０４は、アクションを進める要求を送信する前に、（例えば、判定ユニット１４２０を使用して）デバイスが要求を認証可能であるかどうかを示す１つ以上の条件の組が満たされたかどうかを判定するように構成され、認証装置に要求を送信することは、１つ以上の条件の組が満たされないとの判定に従って生じる。
【０３７５】
いくつかの実施形態では、支払い情報を生成するように構成されたハードウェアが要求装置において利用可能である場合、１つ以上の条件の組が満たされる。
【０３７６】
いくつかの実施形態では、アクションを進める要求は、１つ以上の支払いトランザクションの詳細を含む。
【０３７７】
いくつかの実施形態では、処理ユニット１４０４は、アクションを進める要求を認証装置に送信する前に、（例えば、提供ユニット１４２２を使用して）認証装置を含む複数の認証装置に対応するオプションを提供し、（例えば、受信ユニット１４０６を使用して）認証装置に対応するオプションを選択する入力を受信するように構成され、アクションを進める要求を認証装置に送信することは、複数の認証装置の中から認証装置を選択する入力を受信することに応じている。
【０３７８】
いくつかの実施形態では、処理ユニット１４０４は、アクションを進める要求を認証装置に送信する前に、（例えば、選択ユニット１４２４を使用して）要求装置１４００に対する認証装置の近接性、認証装置の使用の最新性、認証装置についてのユーザ定義のプリファレンス、及び複数の認証装置の優先順位付けスキームのうちの任意の１つ以上に基づいて、複数の認証装置の中から認証装置を選択するように構成され、（例えば、送信ユニット１４０８を使用して）アクションを進める要求を認証装置に送信することは、複数の認証装置の中から認証装置を選択することに応じている。
【０３７９】
いくつかの実施形態では、処理ユニット１４０４は、要求装置１４００によってアクションを進める要求を認証装置に送信する前に、（例えば、選択ユニット１４２４を使用して）認証装置における選択された支払いアカウントの利用可能性に基づいて複数の認証装置の中から認証装置を選択するように構成され、要求装置１４００によってアクションを進める要求を認証装置に送信することは、複数の認証装置の中から認証装置を選択することに応じている。
【０３８０】
いくつかの実施形態では、処理ユニット１４０４は、要求装置１４００によって、（例えば、送信ユニット１４０８を使用して）アクションを進める要求を認証装置に送信することに応じて、（例えば、送信デバイス１４０８を使用して）複数の認証装置の別の認証装置にアクションを進める要求を送信することを取り止めるように構成されている。
【０３８１】
いくつかの実施形態では、処理ユニット１４０４は、要求装置１４００によって、（例えば、送信ユニット１４０８を使用して）アクションを進める要求を第２の認証装置に送信するように構成されている。
【０３８２】
いくつかの実施形態では、処理ユニット１４０４は、アクションを進める要求を送信する前に、（例えば、判定ユニット１４２０を使用して）１つ以上の条件の組が満たされているかどうかを判定し、１つ以上の条件の組は、支払い情報を生成するように構成されたハードウェアが要求装置１４００において利用可能である場合に満たされ、１つ以上の条件の組が満たされないとの判定に従って、（例えば、提供ユニット１４２２を使用して）複数の認証装置に対応するオプションを提供するように構成され、複数の認証装置は、認証装置を含む。
【０３８３】
いくつかの実施形態では、処理ユニット１４０４は、（例えば、送信ユニット１４０８を使用して）アクションを進める要求を送信した後に、（例えば、受信ユニット１４０６を使用して）アクションに関連付けられた選択された１つ以上のオプションのうちの少なくとも１つを変更するユーザ入力を受信し、要求装置１４００によって、（例えば、送信ユニット１４０８を使用して）アクションを進めるための修正された要求を認証装置に送信し、（例えば、受信ユニット１４０６を使用して）アクションを進めるための修正された要求の受信の確認を認証装置から受信するように構成され、（例えば、表示有効化ユニット１４１０を使用して）認証が成功したインジケーションを要求装置１４００のディスプレイユニット１４０２上で表示有効化することは、（例えば、判定ユニット１４２０を使用して）アクションを進めるための修正された要求の受信の確認が受信されたとの判定に従っている。
【０３８４】
いくつかの実施形態では、処理ユニット１４０４は、アクションを進める要求を送信する前に、（例えば、表示有効化ユニットを使用して）アクションに関連付けられた選択された１つ以上のオプションをディスプレイユニット１４０２上に表示有効化するように構成されている。処理ユニット１４０４は、アクションを進める要求を送信した後に、（例えば、受信ユニット１４０６を使用して）アクションに関連付けられた選択された１つ以上のオプションのうちの少なくとも１つに対する変更を認証装置から受信し、アクションに関連付けられた選択された１つ以上のオプションのうちの少なくとも１つに対する変更を認証装置から受信することに応答して、（例えば、表示有効化ユニットを使用して）受信された、アクションに関連付けられた選択された１つ以上のオプションのうちの少なくとも１つに対する変更に応じて表示を更新するように更に構成されている。
【０３８５】
いくつかの実施形態では、処理ユニット１４０４は、アクションを進める要求を送信した後に、（例えば、受信ユニット１４０６を使用して）アクションをキャンセルするオプションの選択を受信し、アクションをキャンセルするオプションの選択の受信に応答して、要求装置１４００によって、（例えば、送信ユニット１４０８を使用して）アクションをキャンセルする要求を認証装置に送信するように構成されている。
【０３８６】
いくつかの実施形態では、処理ユニット１４０４は、（例えば、表示有効化ユニット１４１０を使用して）第三者のユーザインターフェースにおいてアクションに関連付けられた１つ以上のオプションをディスプレイユニット１４０２上に表示有効化し、（例えば、表示有効化ユニット１４１０を使用して）第一者のユーザインターフェースにおいてアクションを進めるオプションを要求装置のディスプレイユニット１４０２上に表示有効化するように構成されている。
【０３８７】
いくつかの実施形態では、処理ユニット１４０４は、（例えば、表示有効化ユニット１４１０を使用して）第一者のユーザインターフェースにおいてアクションを進めるオプションを要求装置１４００のディスプレイユニット１４０２上に表示有効化するように構成されている。
【０３８８】
いくつかの実施形態では、処理ユニット１４０４は、（例えば、判定ユニット１４２０を使用して）１つ以上の認証装置が認証に利用可能であるかどうかを判定するように構成されている。処理ユニット１４０４は、１つ以上の認証装置が認証に利用可能であるとの判定に従って、（例えば、表示有効化ユニット１４１０を使用して）アクションを進めるオプションを要求装置１４００のディスプレイユニット１４０２上に表示有効化するように更に構成されている。処理ユニット１４０４は、１つ以上の認証装置が認証に利用可能でないとの判定に従って、（例えば、表示有効化ユニット１４１０を使用して）アクションを進める要求の要求装置１４００のディスプレイユニット１４０２上への表示有効化を取り止めるように更に構成されている。
【０３８９】
いくつかの実施形態では、処理ユニット１４０４は、要求装置１４００によってアクションを進める要求を認証装置に送信する前に、（例えば、受信ユニット１４０６を使用して）第２のアクションに関連付けられた１つ以上のオプションの選択を受信するように構成され、アクションを進める要求は、アクション及び第２のアクションの双方を進める要求であり、要求は、第２のアクションに関連付けられた選択された１つ以上のオプションに関する情報、認証装置による表示のために第２のアクションに関連付けられた選択された１つ以上オプションに関する情報を更に含む。
【０３９０】
いくつかの実施形態では、処理ユニット１４０４は、選択された１つ以上のオプションに関連付けられたアクションを進めるオプションの選択を受信する前に、（例えば、受信ユニット１４０６を使用して）支払いオプションの選択を受信し、支払いオプションの選択を受信することに応答して、（例えば、表示有効化ユニット１４１０を使用して）対応する認証装置に関連付けられた複数の支払いアカウントについてのオプションを表示有効化するように構成されている。
【０３９１】
いくつかの実施形態では、処理ユニット１４０４は、選択された１つ以上のオプションに関連付けられたアクションを進めるオプションの選択を受信する前に、（例えば、受信ユニット１４０６を使用して）複数の支払いアカウントのオプションの中から各支払いアカウントに対応するオプションの選択を受信し、各支払いアカウントに対応するオプションの選択を受信することに応答して、（例えば、選択ユニット１４２４を使用して）各支払いアカウントに対応する選択されたオプションに基づいて各認証装置を選択するように構成されている。
【０３９２】
いくつかの実施形態では、処理ユニット１４０４は、選択された１つ以上のオプションに関連付けられたアクションを進めるオプションの選択を受信する前に、（例えば、表示有効化ユニット１４１０を使用して）対応する認証装置に関連付けられた複数の支払いアカウントのオプションを表示有効化し、（例えば、受信ユニット１４０６を使用して）各支払いアカウントに対応するオプションの選択を受信し、各支払いアカウントに対応するオプションの選択を受信することに応答して、（例えば、選択ユニット１４２４を使用して）各支払いアカウントに対応する選択されたオプションに基づいて各認証装置を選択するように構成されている。
【０３９３】
いくつかの実施形態では、処理ユニット１４０４は、各支払いアカウントに対応するオプションの選択を受信した後、（例えば、表示有効化ユニットを使用して）選択された１つ以上のオプションに関連付けられたアクションを進めるためのオプション及び認証装置のインジケーションを同時に表示有効化するように構成されている。
【０３９４】
いくつかの実施形態では、認証装置のインジケーションは、認証装置のグラフィック表現を含む。
【０３９５】
いくつかの実施形態では、複数の支払いアカウントのオプションは、第１の種類のデバイスが現在ロック状態にあるかアンロック状態にあるかにかかわらず、第１の種類のデバイスにリンクされた支払いアカウントを含み、複数の支払いアカウントのオプションは、アンロック状態にあることに基づいて第２の種類のデバイスにリンクされた支払いアカウントを含む。
【０３９６】
いくつかの実施形態では、認証装置は、電話であり、要求装置は、テレビデバイスである。いくつかの実施形態では、認証装置は、電話であり、要求装置は、コンピュータである。いくつかの実施形態では、認証装置は、ウェアラブルデバイスであり、要求装置は、テレビデバイスである。いくつかの実施形態では、認証装置は、ウェアラブルデバイスであり、要求装置は、コンピュータである。
【０３９７】
いくつかの実施形態では、認証装置の電子ウォレットは、認証装置のユーザに関連付けられた１つ以上の支払いアカウントを含み、支払い情報は、１つ以上の支払いアカウントのうちの支払いアカウントに基づいている。
【０３９８】
いくつかの実施形態では、支払いトランザクションを進めることは、支払いトランザクションに関与するために支払い情報を支払いトランザクションサーバに送信することを含む。
【０３９９】
図１０Ａ〜図１０Ｂを参照して上述した動作は、任意選択で、図１Ａ〜図１Ｂ又は図１４に示した構成要素によって実装される。例えば、受信動作１００２及び表示動作１０１０は、任意選択で、イベント認識部１８０及びイベントハンドラ１９０によって実装される。同様に、当業者には、図１Ａ〜図１Ｂに示した構成要素に基づいて他のプロセスがどのように実装されることができるかは明らかであろう。
【０４００】
いくつかの実施形態によれば、図１５は、様々な説明された実施形態の原理にしたがって構成された認証装置１５００の例示的な機能ブロック図を示している。いくつかの実施形態によれば、認証装置１５００の機能ブロックは、上述した技術を実行するように構成されている。デバイス１５００の機能ブロックは、任意選択で、説明された様々な例の原理を実装するために、ハードウェア、ソフトウェア、又はハードウェアとソフトウェアの組み合わせによって実装される。当業者であれば、図１５に記載された機能ブロックは、説明された様々な例の原理を実装するために、任意選択で、サブブロックに結合されるか又はサブブロックに分離されることが理解される。したがって、本明細書の説明は、任意選択で、本明細書に記載された機能ブロックの任意の可能な組み合わせ又は分離又はさらなる定義をサポートする。
【０４０１】
図１５に示すように、認証装置１５００は、グラフィックユーザインターフェースを表示するように構成されたディスプレイユニット１５０２と、任意選択でハードウェアユニット１５１８と、ディスプレイユニット１５０２、任意選択でハードウェアユニット１５１８に接続された処理ユニット１５０４とを含む。いくつかの実施形態では、処理ユニット１５０４は、受信ユニット１５０６、送信ユニット１５０８、表示有効化ユニット１５１０、ネットワーク形成ユニット１５１２、進行ユニット１５１６、生成ユニット１５１８、判定ユニット１５２０、ロックユニット１５２４、及び要求ユニット１５２６を含む。
【０４０２】
処理ユニット１５０４は、（例えば、受信ユニット１５０６を使用して）要求装置からアクションを進める要求を受信するように構成され、要求は、アクションに関する情報を含み、要求装置及び認証装置は、双方とも、同じアカウントを使用してサービスにサインインされる。処理ユニット１５０４は、（例えば、表示有効化ユニット１５１０を使用して）アクションを進める要求のインジケーション、アクションに関する情報、及び要求装置のインジケーションをディスプレイユニット１５０２上に同時に表示有効化するように更に構成されている。処理ユニット１５０４は、（例えば、表示有効化ユニット１５１０を使用して）アクションを進める認証要求をディスプレイユニット１５０２上に表示有効化するように更に構成されている。処理ユニット１５０４は、アクションを進める認証要求に対する応答である入力を（例えば、受信ユニット１５０６を使用して）受信するように更に構成されている。
【０４０３】
いくつかの実施形態では、アクションは、（例えば、ネットワーク形成ユニット１５１２を使用して）要求装置とリモートサーバとの間のセキュアなネットワーク接続を形成している。処理ユニット１５０４は、（例えば、判定ユニット１５２０を使用して）アクションを進めるための認証要求に応答である入力がアクションを進めるために認証された入力と一致することを判定することに応答して、（例えば、送信ユニット１５０８を使用して）トークン情報を要求装置に送信するように構成されている。
【０４０４】
いくつかの実施形態では、処理ユニット１５０４は、（例えば、表示有効化ユニット１５１０を使用して）アクションを進める要求のインジケーション、アクションに関する情報、及び要求装置がアクションを進める要求を受信したことに応答しているかのインジケーションをディスプレイユニット１５０２上に同時に表示有効化するように構成されている。
【０４０５】
いくつかの実施形態では、認証装置１５００は、アクションを進める認証要求に対する応答である入力に応答するように構成されたハードウェアユニット１５１８を含み、要求装置は、ハードウェアを含まない。
【０４０６】
いくつかの実施形態では、アクションは、（例えば、進行ユニット１５１６を使用して）支払いトランザクションによって進行している。処理ユニット１５０４は、（例えば、生成ユニット１５１８を使用して）支払い情報を生成するように構成されている。処理ユニット１５０４は、アクションを進める認証要求に応答である入力がアクションを進めるために認証された入力と一致すると判定したことに応答して、（例えば、送信ユニット１５０８を使用して）支払い情報を送信するように更に構成されている。
【０４０７】
いくつかの実施形態では、要求装置のインジケーションは、要求装置のグラフィック表現を含む。
【０４０８】
いくつかの実施形態では、認証装置１５００は、アクションを進める認証要求に対する応答である入力を受信すると、ロック状態にある。処理ユニット１５０４は、アクションを進める認証要求に対する応答である入力がアクションを進めるために認証された入力と一致することを判定することに応答して、ロック状態の認証装置を（例えば、ロックユニット１５２４を使用して）維持するとともに、アクションを進める要求に対する応答を送信するように構成され、アクションを進める要求は、入力に基づいている。
【０４０９】
いくつかの実施形態では、要求装置は、アカウントを使用してサービスにサインインされ、認証装置は、アカウントを使用してサービスにサインインされる。
【０４１０】
いくつかの実施形態では、認証装置１５００は、アクションを進める要求を受信すると、ロック状態にある。処理ユニット１５０４は、アクションを進める要求を受信することに応答して、（例えば、表示有効化ユニット１５１０を使用して）要求通知をディスプレイユニット１５０２上に表示有効化するように構成されている。処理ユニット１５０４は、アクションを進める要求のインジケーション、アクションに関する情報、及び要求装置のインジケーションをディスプレイ上に同時に表示有効化する前に、（例えば、受信ユニット１５０６を使用して）要求通知をアクティブにする入力を受信し、（例えば、要求ユニット１５２６を使用して）認証装置をアンロックする認証を要求し、（例えば、受信ユニット１５０６を使用して）認証装置をアンロックするための認証を受信するように構成されている。処理ユニット１５０４は、認証装置をアンロックするための認証を受信したことに応答して、（例えば、ロックユニット１５２５を使用して）認証装置をアンロックするように構成されている。アクションを進める要求のインジケーション、アクションに関する情報、及び要求装置のインジケーションをディスプレイユニット１５０２上に同時に表示有効化することは、認証装置をアンロックする認証を受信することに応答している。
【０４１１】
いくつかの実施形態では、処理ユニット１５０４は、アクションを進める要求を受信したことに応答して、（例えば、表示有効化ユニット１５１０を使用して）ディスプレイユニット１５０２上に要求通知を表示有効化するように構成されている。処理ユニット１５０４は、アクションを進める要求のインジケーション、アクションに関する情報、及び要求装置のインジケーションをディスプレイユニット１５０２上に同時に表示有効化する前に、（例えば、要求ユニット１５２６を使用して）要求通知をアクティブにする入力を受信するように更に構成され、アクションを進める要求のインジケーション、アクションに関する情報、及び要求装置のインジケーションをディスプレイユニット１５０２上に同時に表示有効化することは、要求通知をアクティブにする入力を受信することに応答している。
【０４１２】
いくつかの実施形態では、認証装置１５００は、アクションを進める要求を受信すると、ロック状態にある。処理ユニット１５０４は、アクションを進める要求を受信することに応答して、（例えば、表示有効化ユニット１５１０を使用して）要求通知をディスプレイユニット１５０２上に表示有効化するように更に構成されている。処理ユニット１５０４は、（例えば、表示有効化ユニット１５１０を使用して）アクションを進める要求のインジケーション、アクションに関する情報、及び要求装置のインジケーションをディスプレイユニット１５０２上に同時に表示有効化する前に、（例えば、要求ユニット１５２６を使用して）要求通知をアクティブにする入力を受信するように更に構成され、アクションを進める要求のインジケーション、アクションに関する情報、及び要求装置のインジケーションをディスプレイユニット１５０２上に同時に表示有効化することは、要求通知をアクティブにする入力を受信することに応答しており、アクションを進める認証要求に対する応答である入力がアクションを進めるために認証された入力と一致することを判定することは、要求装置をアンロック状態に遷移させない。
【０４１３】
いくつかの実施形態では、認証装置１５００は、アクションを進める要求を受信するときにアンロック状態にあり、要求装置は、ハードウェアボタンを含み、アクションを進める認証要求に対する応答である入力を受信することは、アンロック状態にある間にハードウェアボタンの二重押下を検出することを含む。
【０４１４】
いくつかの実施形態では、アクションに関する情報は、アクションに関連付けられた１つ以上のオプションを含む。処理ユニット１５０４は、アクションに関する要求のインジケーション、アクションに関する情報、及び要求装置のインジケーションをディスプレイユニット１５０２上に同時に表示有効化した後、（例えば、受信ユニット１５０６を使用して）アクションに関連付けられた１つ以上のオプションのうちの少なくとも１つに対する変更を要求するユーザ入力を受信し、（例えば、送信ユニット１５０８を使用して）アクションに関連付けられた１つ以上のオプションの少なくとも１つに対する変更を含む更新された要求を要求装置に送信し、（例えば、表示有効化ユニット１５１０を使用して）更新された要求の受信の確認が要求装置から受信されていないというインジケーションをディスプレイユニット１５０２上に表示有効化し、（例えば、受信ユニット１５０６を使用して）要求装置からの更新された要求の受信の確認を受信し、要求装置からの更新された要求の受信の確認の受信に応答して、（例えば、表示有効化ユニット１５１０を使用して）更新された要求の受信の確認が要求装置から受信されなかったというインジケーションをディスプレイユニット１５０２上に表示有効化することを停止するように更に構成されている。
【０４１５】
いくつかの実施形態では、処理ユニット１５０４は、アクションを進める要求を受信した後、かつアクションを進める認証要求に対する応答である入力を受信する前に、（例えば、受信ユニット１５０６を使用して）要求装置から、アクションをキャンセルする要求受信するように構成されている。処理ユニット１５０４は、アクションをキャンセルする要求を受信したことに応答して且つアクションを進める認証要求に対する応答である入力を受信することに応じて、（例えば、進行ユニット１５１６を使用して）アクションを進めることを取り止めるように更に構成されている。
【０４１６】
いくつかの実施形態では、処理ユニット１５０４は、アクションを進める要求を受信した後、かつアクションを進める認証要求に対する応答である入力を受信する前に、（例えば、受信ユニット１５０６を使用して）要求装置から、アクションをキャンセルする要求を受信し、アクションをキャンセルする要求を受信したことに応答して、（例えば、受信ユニット１５０６を使用して）アクションを進める認証要求に対する応答である入力を受信することを取り止めるように構成されている。
【０４１７】
いくつかの実施形態では、処理ユニット１５０４は、認証装置において、アクションを進める認証要求に対する応答である入力がアクションを進めるために認証された入力と一致することを判定した後に、（例えば、進行ユニット１５１６を使用して）認証装置１５００によって、さらなる入力なしにアクションを進めるように構成されている。
【０４１８】
いくつかの実施形態では、処理ユニット１５０４は、（例えば、受信ユニット１５０６を使用して）第２の処理を進める第２の要求を受信するように構成されている。処理ユニット１５０４は、（例えば、表示有効化ユニット１５１０を使用して）アクションを進める要求の第２のインジケーション及びアクションが成功したかどうかのインジケーションをディスプレイユニット１５０２上に同時に表示有効化するように更に構成されている。処理ユニット１５０４は、（例えば、表示有効化ユニット１５１０を使用して）第２のアクションを進める第２の要求の第３のインジケーション及び第２のアクションが成功したかどうかのインジケーションをディスプレイユニット１５０２上に同時に表示有効化するように更に構成されている。
【０４１９】
いくつかの実施形態では、認証装置１５００は、電話であり、要求装置は、テレビデバイスである。いくつかの実施形態では、認証装置１５００は、電話であり、要求装置は、コンピュータである。いくつかの実施形態では、認証装置１５００は、ウェアラブルデバイスであり、要求装置は、テレビデバイスである。いくつかの実施形態では、認証装置１５００は、ウェアラブルデバイスであり、要求装置は、コンピュータである。
【０４２０】
いくつかの実施形態では、認証装置１５００の電子ウォレットは、認証装置のユーザに関連付けられた１つ以上の支払いアカウントを含み、支払い情報は、１つ以上の支払いアカウントのうちの支払いアカウントに基づいている。
【０４２１】
いくつかの実施形態では、支払いトランザクションを進めることは、支払いトランザクションに関与するために支払い情報を支払いトランザクションサーバに送信することを含む。
【０４２２】
図１１を参照して上述した動作は、任意選択で、図１Ａ〜図１Ｂ又は図１５に示した構成要素によって実装される。例えば、受信動作１１０２及び表示動作１１０８は、任意選択で、イベント認識部１８０及びイベントハンドラ１９０によって実装される。同様に、当業者には、図１Ａ〜図１Ｂに示した構成要素に基づいて他のプロセスがどのように実装されることができるかは明らかであろう。
【０４２３】
例示的な方法、システム、電子、要求及び認証装置、及び非一時的コンピュータ可読記憶媒体は、以下の項目に記載されている。
１．方法であって、
ディスプレイを有する要求装置において１つ以上のオプションの選択を受信することと、
要求装置において、選択された１つ以上のオプションに関連付けられたアクションを進めるオプションの選択を受信することと、
要求するデバイスによって、アクションを進める要求を送信することであって、要求が選択された１つ以上のオプションに関する情報を含むことと、
ディスプレイを有する認証装置によってアクションを進める要求を受信することと、
アクションを進める要求のインジケーション、
選択された１つ以上のオプションに関する情報、及び、
要求装置のインジケーションを、
認証装置のディスプレイに同時に表示することと、
アクションを進める認証要求を認証装置のディスプレイ上に表示することと、
アクションを進める認証要求に対する応答である入力を認証装置において受信することと、
認証装置によって、アクションを進める要求に対する応答を送信することであって、アクションを進める要求に対する応答がアクションを進める認証要求に対する応答である入力に基づいていることと、
要求装置によって、アクションを進める要求に対する応答を受信することと、
要求装置において、アクションを進める要求に対する応答が、認証装置における認証が成功したとの判定に従って、認証が成功したとのインジケーションを要求装置のディスプレイ上に表示することと、
要求装置において、アクションを進める要求に対する応答が、認証装置における認証が成功しなかったとの判定に従って、認証が成功しなかったとのインジケーションを要求装置のディスプレイ上に表示することとを含む方法。
２.
認証装置は、アクションを進める認証要求に対する応答である入力に応答するように構成されたハードウェアを含み、要求装置は、ハードウェアを含まない、項目１に記載の方法。
３.
アクションは、認証装置とリモートサーバとの間にセキュアなネットワーク接続を形成しており、
認証装置において、アクションを進める認証要求に対する応答である入力がアクションを進めるために認証された入力と一致するとの判定に従って、認証装置によって、アクションを進める認証要求に対する応答である入力に応答するように構成されたハードウェアを使用してアクションを進める、項目２に記載の方法。
４.
アクションは、要求装置とリモートサーバとの間のセキュアなネットワーク接続を形成しており、
方法が、更に、
認証装置において、アクションを進める認証要求に対する応答である入力がアクションを進めるために認証された入力と一致することを判定したことに応答して、認証装置によって、アクションを進める認証要求に対する応答である入力に応答するように構成されたハードウェアを使用して生成されたトークンを要求装置に送信することと、
要求装置において、認証装置からトークンを受信することと、
要求装置によって、認証装置から受信したトークンを使用してアクションを進めることとを含む、項目２に記載の方法。
５.
要求装置のインジケーションは、要求装置のグラフィック表現を含む、項目１〜４のいずれか一項目に記載の方法。
６.
認証装置は、認証装置において、アクションを進める認証要求に対する応答である入力を受信するときにロック状態にあり、方法は、更に、
認証装置において、アクションを進める認証要求に対する応答である入力がアクションを進めるために認証された入力と一致することを判定したことに応答して、
認証装置をロック状態に維持するとともに、認証装置によって、アクションを進める要求に対する応答を送信することを含み、アクションを進める要求に対する応答が入力に基づいている、項目１〜５のいずれか一項目に記載の方法。
７.
要求装置は、アクションを進める要求を送信するときにアカウントを使用してサービスにサインインされ、認証装置は、アクションを進める要求を受信するときにアカウントを使用してサービスにサインインされる、項目１〜６のいずれか一項目に記載の方法。
８.
アクションが支払いトランザクションによって進行しており、方法は、更に、
認証装置において、アクションを進める認証要求に対する応答である入力がアクションを進めるために認証された入力と一致することを判定したことに応答して、認証装置によって、アクションを進める認証要求に対する応答である入力に応答するように構成されたハードウェアを使用してアクションを進めることを含む、項目１〜２及び５〜６のいずれか一項目に記載の方法。
９.
アクションが支払いトランザクションを進めており、方法は、更に、
認証装置において、アクションを進める認証要求に対する応答である入力がアクションを進めるために認証された入力と一致することを判定したことに応答して、認証装置によって、アクションを進める認証要求に対する応答である入力に応答するように構成されたハードウェアを使用して生成された要求装置に支払い情報を送信することと、
要求装置において、認証装置から支払い情報を受信することと、
要求装置によって、認証装置から受信した支払い情報を使用してアクションを進めることとを含む、項目１〜２及び５〜６のいずれか一項目に記載の方法。
１０.
認証装置によってトークンをサーバに送信することを更に含み、サーバは、トークンに関連付けられたリソースを取得するためにトークンを使用する、項目１〜８のいずれか一項目に記載の方法。
１１.
要求装置によってトークンをサーバに送信することを更に含み、サーバは、トークンに関連付けられたリソースを取得するためにトークンを使用する、項目１〜８及び１０のいずれか一項目に記載の方法。
１２.
認証装置によって、支払い情報を支払トランザクションサーバに送信することを更に含み、支払いトランザクションサーバは、支払い情報に関連付けられたリソースを取得するために支払い情報を使用する、項目１〜９のいずれか一項目に記載の方法。
１３.
要求装置によって、支払い情報を支払いトランザクションサーバに送信することを更に、含み、支払いトランザクションサーバは、支払い情報に関連付けられたリソースを取得するために支払い情報を使用する、項目１〜９及び１２のいずれか一項目に記載の方法。
１４.
アクションは、支払いトランザクションによって進行しており、認証装置は、支払いトランザクションを認証するためのハードウェアを含む、項目１〜２及び５〜１３のいずれか一項目に記載の方法。
１５.
アクションが支払いトランザクションによって進行しており、方法は、更に、
認証装置において、アクションを進める認証要求に対する応答である入力がアクションを進めるために認証された入力と一致することを判定した後に、認証装置によって、要求装置からのさらなる入力なしでアクションを進めることを含む、項目１〜２及び５〜１４のいずれか一項目に記載の方法。
１６.
認証装置は、電話であり、要求装置は、テレビデバイスである、項目１〜１５のいずれか一項目に記載の方法。
１７.
認証装置は、電話であり、要求装置は、コンピュータである、項目１〜１５のいずれか一項目に記載の方法。
１８.
認証装置は、ウェアラブルデバイスであり、要求装置は、テレビデバイスである、項目１〜１５のいずれか一項目に記載の方法。
１９.
認証装置は、ウェアラブルデバイスであり、要求装置は、コンピュータである、項目１〜１５のいずれか一項目に記載の方法。
２０.
認証装置の電子ウォレットは、認証装置のユーザに関連付けられた１つ以上の支払いアカウントを含み、支払い情報は、１つ以上の支払いアカウントのうちの支払いアカウントに基づいている、項目１〜２及び５〜１９のいずれか一項目に記載の方法。
２１.
支払いトランザクションを進めることは、支払いトランザクションに関与するために支払い情報を支払いトランザクションサーバに送信することを含む、項目１〜２及び５〜２０のいずれか一項目に記載の方法。
２２.
電子システムであって、
ディスプレイと、
１つ以上のプロセッサと、
メモリと、
を含む要求装置と、
ディスプレイと、
１つ以上のプロセッサと、
メモリと、
を含む認証装置とを含み、
要求装置及び認証装置のメモリは、各デバイスの１つ以上のプロセッサによって実行されるように構成されたそれぞれ１つ以上のプログラムを記憶し、それぞれ１つ以上のプログラムは、項目１〜２１のいずれか一項目に記載の方法を実行する命令を全体として含む、電子システム。
２３.
要求装置及び認証装置の１つ以上のプロセッサによって実行可能な１つ以上のプログラムを記憶する１つ以上の非一時的なコンピュータ可読記憶媒体であって、１つ以上のプログラムは、項目１〜２１のいずれか一項目に記載の方法を実行する命令を全体として含む、非一時的なコンピュータ可読記憶媒体。
２４.
電子システムであって、
ディスプレイと、
項目１〜２１のいずれか一項目に記載の方法の各態様を実行する手段と、
を含む要求装置と、
ディスプレイと、
項目１〜２１のいずれか一項目に記載の方法の各態様を実行する手段と、
を含む認証装置とを含む、電子システム。
２５.
システムであって、
ディスプレイと、
１つ以上のプロセッサと、
１つ以上のプログラムを記憶するメモリとを含み、１つ以上のプログラムは、１つ以上のプロセッサによって実行されるように構成され、１つ以上のプログラムは、
１つ以上のオプションの選択を受信し、
選択された１つ以上のオプションに関連付けられたアクションを進めるオプションの選択を受信し、
アクションを進める要求であって、要求が選択された１つ以上のオプションに関する情報を含む、要求を送信し、
アクションを進める要求に対する応答を受信し、
アクションを進める要求に対する応答が認証装置における認証が成功したとの判定に従って、認証が成功したインジケーションをディスプレイ上に表示し、
アクションを進める要求に対する応答が認証装置における認証が成功しなかったとの判定に従って、認証が成功しなかったインジケーションをディスプレイ上に表示する、
命令を含む要求装置と、
ディスプレイと、
１つ以上のプロセッサと、
１つ以上のプログラムを記憶するメモリとを含み、１つ以上のプログラムは、１つ以上のプロセッサによって実行されるように構成され、１つ以上のプログラムは、
アクションを進める要求を受信し、
アクションを進める要求のインジケーション、
選択された１つ以上のオプションに関する情報、及び、
要求装置のインジケーション
をディスプレイ上に同時に表示し、
アクションを進める認証要求をディスプレイ上に表示し、
アクションを進める認証要求に対する応答である入力を受信し、
アクションを進める要求に対する応答であって、アクションを進める要求に対する応答がアクションを進める認証要求に対する応答である入力に基づいている、アクションを進める要求に対する応答を送信する、
命令を含む認証装置とを含む、システム。
２６.
システムであって、
ディスプレイと、
１つ以上のオプションの選択を受信する手段と、
選択された１つ以上のオプションに関連付けられたアクションを進めるオプションの選択を受信する手段と、
アクションを進める要求を送信する手段であって、要求が選択された１つ以上のオプションに関する情報を含む手段と、
アクションを進める要求に対する応答を受信する手段と、
アクションを進める要求に対する応答が、認証装置における認証が成功したとの判定に従って、認証が成功したインジケーションをディスプレイ上に表示する手段と、
アクションを進める要求に対する応答が、認証装置における認証が成功しなかったとの判定に従って、認証が成功しなかったインジケーションをディスプレイ上に表示する手段と、
を含む要求装置と、
ディスプレイと、
アクションを進める要求を受信する手段と、
アクションを進める要求のインジケーション、
選択された１つ以上のオプションに関する情報、及び、
要求装置のインジケーション
をディスプレイ上に同時に表示する手段と、
アクションを進める認証要求をディスプレイ上に表示する手段と、
アクションを進める認証要求に対する応答である入力を受信する手段と、
アクションを進める要求に対する応答を送信する手段であって、アクションを進める要求に対する応答がアクションを進める認証要求に対する応答である入力に基づいている手段と、
を含む認証装置とを含む、システム。
２７.
方法であって、
ディスプレイを有する要求装置において、
アクションに関連付けられた１つ以上のオプションの選択を受信することと、
選択された１つ以上のオプションに関連付けられたアクションを進めるオプションの選択を受信することと、
要求装置によって、アクションを進める要求を認証装置に送信することであって、要求が、選択された１つ以上のオプションに関する情報、認証装置によって表示するための選択された１つ以上のオプションに関する情報を含むことと、
認証装置から、アクションを進める要求に対する応答を受信することであって、アクションを進める要求に対する応答が認証装置における入力を示すことと、
アクションを進める要求に対する応答が、認証装置における認証が成功したとの判定に従って、認証が成功したインジケーションを要求装置のディスプレイ上に表示することとを含む、方法。
２８.
アクションを進める要求に対する応答が、認証装置における認証が成功しなかったとの判定に従って、認証が成功しなかったインジケーションを要求装置のディスプレイ上に表示することを更に含む、項目２７に記載の方法。
２９.
アクションは、トークンをリモートサーバに送信することによって、要求装置とリモートサーバとの間にセキュアなネットワーク接続を形成している、項目２７〜２８のいずれか一項目に記載の方法。
３０.
認証装置からトークンを受信することと、
認証装置から受信したトークンを使用してアクションを進めることとを更に含む、項目２９に記載の方法。
３１.
アクションは、支払いトランザクションによって進行している、項目２７〜２８のいずれか一項目に記載の方法。
３２.
認証装置から支払い情報を受信することと、
認証装置から受信した支払い情報を使用してアクションを進めることとを更に含む、項目３１に記載の方法。
３３.
支払いトランザクションを進めることは、支払い情報の少なくとも一部を販売者に送信することを含む、項目３１〜３２のいずれか一項目に記載の方法。
３４.
要求装置は、アカウントを使用してサービスにサインインされ、認証装置は、アカウントを使用してサービスにサインインされる、項目２７〜３３のいずれか一項目に記載の方法。
３５.
アクションが成功したインジケーションを受信することと、
要求装置においてアクションが成功したインジケーションを提示することとを更に含む、項目２７〜３４のいずれか一項目に記載の方法。
３６.
アクションを進める要求を送信する前に、
デバイスが要求を認証可能であるかどうかを示す１つ以上の条件の組が満たされたかどうかを判定することを更に含み、
認証装置に要求を送信することは、１つ以上の条件の組が満たされないとの判定に従って生じる、項目２７〜３５のいずれか一項目に記載の方法。
３７.
支払い情報を生成するように構成されたハードウェアが要求装置において利用可能である場合、１つ以上の条件の組が満たされる、項目３６に記載の方法。
３８.
アクションを進める要求は、１つ以上の支払いトランザクションの詳細を含む、項目２７〜２８及び３１〜３７のいずれか一項目に記載の方法。
３９.
要求装置によって、アクションを進める要求を認証装置に送信する前に、
認証装置を含む複数の認証装置に対応するオプションを提供することと、
認証装置に対応するオプションを選択する入力を受信することとを含み、
要求装置によって、アクションを進める要求を認証装置に送信することは、複数の認証装置の中から認証装置を選択する入力を受信することに応じている、項目２７〜３８のいずれか一項目に記載の方法。
４０.
要求装置によって、アクションを進める要求を認証装置に送信する前に、
要求装置に対する認証装置の近接性、認証装置の使用の最新性、認証装置についてのユーザ定義のプリファレンス、及び複数の認証装置の優先順位付けスキームのうちの任意の１つ以上に基づいて、複数の認証装置の中から認証装置を選択することを含み、
要求装置によって、アクションを進める要求を認証装置に送信することは、複数の認証装置の中から認証装置を選択することに応じている、項目２７〜３９のいずれか一項目に記載の方法。
４１.
要求装置によって、アクションを進める要求を認証装置に送信する前に、
認証装置における選択された支払いアカウントの利用可能性に基づいて複数の認証装置の中から認証装置を選択することを含み、
要求装置によって、アクションを進める要求を認証装置に送信することは、複数の認証装置の中から認証装置を選択することに応じている、項目２７〜２８及び３１〜４０のうちのいずれかの方法。
４２.
要求装置によって、アクションを進める要求を認証装置に送信することに応じて、複数の認証装置の別の認証装置にアクションを進める要求を送信することを取り止めることを含む、項目２７〜４１のうちのいずれかの方法。
４３.
要求装置によって、アクションを進める要求を第２の認証装置に送信することを含む、項目２７〜４２のうちのいずれかの方法。
４４.
アクションを進める要求を送信する前に、
１つ以上の条件の組が満たされているかどうかを判定することであって、１つ以上の条件の組は、支払い情報を生成するように構成されたハードウェアが要求装置において利用可能である場合に満たされることと、
１つ以上の条件の組が満たされないとの判定に従って、複数の認証装置に対応するオプションを提供することであって、複数の認証装置は、認証装置を含むこととを含む、項目２７〜４３のうちのいずれかの方法。
４５.
アクションを進める要求を送信した後に、
アクションに関連付けられた選択された１つ以上のオプションのうちの少なくとも１つを変更するユーザ入力を受信することと、
要求装置によって、アクションを進めるための修正された要求を認証装置に送信することと、
認証装置から、アクションを進めるための修正された要求の受信の確認を受信することとを含み、
認証が成功したインジケーションを要求装置のディスプレイ上に表示することは、アクションを進めるための修正された要求の受信の確認が受信されたとの判定に従っている、項目２７〜４４のいずれか一項目に記載の方法。
４６.
アクションを進める要求を送信する前に、
アクションに関連付けられた選択された１つ以上のオプションを要求装置のディスプレイ上に表示することと、
アクションを進める要求を送信した後に、
アクションに関連付けられた選択された１つ以上のオプションのうちの少なくとも１つの変更を認証装置から受信することと、
アクションに関連付けられた選択された１つ以上のオプションの少なくとも１つに対する変更を認証装置から受信することに応答して、アクションに関連付けられた選択された１つ以上のオプションのうちの少なくとも１つに対する変更を受信したこと応じてディスプレイを更新することとを含む、項目２７〜４５のいずれか一項目に記載の方法。
４７.
アクションを進める要求を送信した後に、
アクションをキャンセルするオプションの選択を受信することと、
アクションをキャンセルするオプションの選択を受信することに応答して、要求装置によって、アクションをキャンセルする要求を認証装置に送信することとを含む、項目２７〜４６のいずれか一項目に記載の方法。
４８.
第三者ユーザインターフェースにおいてアクションに関連付けられた１つ以上のオプションを要求装置のディスプレイ上に表示することと、
第一者のユーザインターフェースにおいてアクションを進めるオプションを要求装置のディスプレイ上に表示することとを更に含む、項目２７〜４７のいずれか一項目に記載の方法。
４９.
第一者のユーザインターフェースにおいてアクションを進めるオプションを要求装置のディスプレイ上に表示することを更に含む、項目２７〜４８のいずれか一項目に記載の方法。
５０.
１つ以上の認証装置が認証に利用可能かどうかを判定することと、
１つ以上の認証装置が認証に利用可能であるとの判定に従って、アクションを進めるオプションを要求装置のディスプレイ上に表示することと、
１つ以上の認証装置が認証に利用可能でないとの判定に従って、アクションを進めるオプションを要求装置のディスプレイ上に表示することを取り止めることとを更に含む、項目２７〜４９のいずれか一項目に記載の方法。
５１.
更に
要求装置によってアクションを進める要求を認証装置に送信する前に、
第２のアクションに関連付けられた１つ以上のオプションの選択を受信することを含み、
アクションを進める要求は、アクション及び第２のアクションの双方を進める要求であり、要求は、第２のアクションに関連付けられた選択された１つ以上のオプションに関する情報、認証装置による表示のために第２のアクションに関連付けられた選択された１つ以上オプションに関する情報を更に含む、項目２７〜５０のいずれか一項目に記載の方法。
５２.
選択された１つ以上のオプションに関連付けられたアクションを進めるオプションの選択を受信する前に、
支払いオプションの選択を受信することと、
支払いオプションの選択を受信することに応答して、対応する認証装置に関連付けられた複数の支払いアカウントについてのオプションを表示することとを更に含む、項目２７〜２８及び３１〜５１のいずれか一項目に記載の方法。
５３.
選択された１つ以上のオプションに関連付けられたアクションを進めるオプションの選択を受信する前に、
複数の支払いアカウントのオプションの中から各支払いアカウントに対応するオプションの選択を受信することと、
各支払いアカウントに対応するオプションの選択を受信することに応答して、各支払いアカウントに対応する選択されたオプションに基づいて各認証装置を選択することとを更に含む、項目５２に記載の方法。
５４.
選択された１つ以上のオプションに関連付けられたアクションを進めるオプションの選択を受信する前に、
対応する認証装置に関連付けられた複数の支払いアカウントのオプションを表示することと、
各支払いアカウントに対応するオプションの選択を受信することと、
各支払いアカウントに対応するオプションの選択を受信することに応答して、各支払いアカウントに対応する選択されたオプションに基づいて各認証装置を選択することとを更に含む、項目２７〜２８及び３１〜５１のいずれか一項目に記載の方法。
５５.
各支払いアカウントに対応するオプションの選択を受信した後、
選択された１つ以上のオプションに関連付けられたアクションを進めるためのオプション、及び、
認証装置のインジケーション
を同時に表示することを更に含む、項目５３〜５４のいずれか一項目に記載の方法。
５６.
認証装置のインジケーションは、認証装置のグラフィック表現を含む、項目５５に記載の方法。
５７.
複数の支払いアカウントのオプションは、第１の種類のデバイスが現在ロック状態にあるかアンロック状態にあるかにかかわらず、第１の種類のデバイスにリンクされた支払いアカウントを含み、
複数の支払いアカウントのオプションは、アンロック状態にあることに基づいて第２の種類のデバイスにリンクされた支払いアカウントを含む、項目５２〜５６のいずれか一項目に記載の方法。
５８.
認証装置は、電話であり、要求装置は、テレビデバイスである、項目２７〜５７のいずれか一項目に記載の方法。
５９.
認証装置は、電話であり、要求装置は、コンピュータである、項目２７〜５７のいずれか一項目に記載の方法。
６０.
認証装置は、ウェアラブルデバイスであり、要求装置は、テレビデバイスである、項目２７〜５７のいずれか一項目に記載の方法。
６１.
認証装置は、ウェアラブルデバイスであり、要求装置は、コンピュータである、項目２７〜５７のいずれか一項目に記載の方法。
６２.
認証装置の電子ウォレットは、認証装置のユーザに関連付けられた１つ以上の支払いアカウントを含み、支払い情報は、１つ以上の支払いアカウントのうちの支払いアカウントに基づいている、項目２７〜２８及び３１〜６１のいずれか一項目に記載の方法。
６３.
支払いトランザクションを進めることは、支払いトランザクションに関与するために支払い情報を支払いトランザクションサーバに送信することを含む、項目２７〜２８及び３１〜６１のいずれか一項目に記載の方法。
６４.
電子装置であって、
ディスプレイと、
１つ以上のプロセッサと、
１つ以上のプログラムを記憶するメモリとを含み、１つ以上のプログラムが、１つ以上のプロセッサによって実行されるように構成され、１つ以上のプログラムが、項目２７〜６３のいずれか一項目に記載の方法を実行する命令を含む、電子装置。
６５.
ディスプレイを有する電子装置の１つ以上のプロセッサによって実行可能な１つ以上のプログラムを記憶する非一時的なコンピュータ可読記憶媒体であって、１つ以上のプログラムは、項目２７〜６３のいずれか一項目に記載の方法を実行する命令を含む、非一時的なコンピュータ可読記憶媒体。
６６.
電子装置であって、
ディスプレイと、
項目２７〜６３のいずれか一項目に記載の方法を実行する手段とを含む、電子装置。
６７.
要求装置であって、
ディスプレイと、
１つ以上のプロセッサと、
１つ以上のプログラムを記憶するメモリとを含み、１つ以上のプログラムは、１つ以上のプロセッサによって実行されるように構成され、１つ以上のプログラムは、
アクションに関連付けられた１つ以上のオプションの選択を受信し、
選択された１つ以上のオプションに関連付けられたアクションを進めるオプションの選択を受信し、
要求装置によって、アクションを進める要求であって、要求が、選択された１つ以上のオプションに関する情報、認証装置によって表示するための選択された１つ以上のオプションに関する情報を含む、要求を認証装置に送信し、
認証装置から、アクションを進める要求に対する応答であって、アクションを進める要求に対する応答が認証装置における入力を示す、応答を受信し、
アクションを進める要求に対する応答が、認証装置における認証が成功したとの判定に従って、認証が成功したインジケーションを要求装置のディスプレイ上に表示する
命令を含む、要求装置。
６８.
ディスプレイを有する要求装置の１つ以上のプロセッサによって実行可能な１つ以上のプログラムを記憶する非一時的なコンピュータ可読記憶媒体であって、１つ以上のプログラムは、
アクションに関連付けられた１つ以上のオプションの選択を受信し、
選択された１つ以上のオプションに関連付けられたアクションを進めるオプションの選択を受信し、
要求装置によって、アクションを進める要求であって、要求が、選択された１つ以上のオプションに関する情報、認証装置によって表示するための選択された１つ以上のオプションに関する情報を含む、要求を認証装置に送信し、
認証装置から、アクションを進める要求に対する応答であって、アクションを進める要求に対する応答が認証装置における入力を示す、要求に対する応答を受信し、
アクションを進める要求に対する応答が、認証装置における認証が成功したとの判定に従って、認証が成功したインジケーションを要求装置のディスプレイ上に表示する
命令を含む、非一時的なコンピュータ可読記憶媒体。
６９.
要求装置であって、
ディスプレイと、
アクションに関連付けられた１つ以上のオプションの選択を受信する手段と、
選択された１つ以上のオプションに関連付けられたアクションを進めるオプションの選択を受信する手段と、
要求装置によって、アクションを進める要求を認証装置に送信する手段であって、要求が、選択された１つ以上のオプションに関する情報、認証装置によって表示するための選択された１つ以上のオプションに関する情報を含む手段と、
認証装置から、アクションを進める要求に対する応答を受信する手段であって、アクションを進める要求に対する応答が認証装置における入力を示す手段と、
アクションを進める要求に対する応答が、認証装置における認証が成功したとの判定に従って、認証が成功したインジケーションを要求装置のディスプレイ上に表示する手段とを含む、要求装置。
７０.
方法であって、
ディスプレイを有する認証装置において、
要求装置から、アクションに関する要求を受信することであって、要求がアクションに関する情報を含み、要求装置及び認証装置が双方とも同じアカウントを使用してサービスにサインインされることと、
アクションを進める要求のインジケーション、
アクションに関する情報、及び、
要求装置のインジケーション
をディスプレイ上に同時に表示することと、
アクションを進める認証要求を表示することと、
アクションを進める認証要求に対する応答である入力を受信することと、を含む方法。
７１.
アクションは、要求装置とリモートサーバとの間にセキュアなネットワーク接続を形成しており、方法は、更に、
認証装置において、アクションを進める認証要求に対する応答である入力がアクションを進めるために認証された入力と一致するとの判定に従って、トークン情報を要求装置に送信することを含む、項目７０に記載の方法。
７２.
アクションを進める要求のインジケーション、アクションに関する情報、及び要求装置のインジケーションをディスプレイ上に同時に表示することは、アクションを進める要求を受信することに対する応答である、項目７０〜７１のいずれか一項目に記載の方法。
７３.
認証装置は、アクションを進める認証要求に対する応答である入力に応答するように構成されたハードウェアを含み、要求装置は、ハードウェアを含まない、項目７０〜７２のいずれか一項目に記載の方法。
７４.
アクションが支払いトランザクションによって進行しており、方法は、更に、
支払い情報を生成することと、
認証装置において、アクションを進める認証要求に対する応答である入力がアクションを進めるために認証された入力と一致していることを判定することに応答して、支払い情報を送信することとを含む、項目７０及び７２〜７３のいずれか一項目に記載の方法。
７５.
要求装置のインジケーションは、要求装置のグラフィック表現を含む、項目７０〜７４のいずれか一項目に記載の方法。
７６.
認証装置は、アクションを進める認証要求に対する応答である入力を受信するときにロック状態にあり、方法は、更に、
認証装置において、アクションを進める認証要求に対する応答である入力がアクションを進めるために認証された入力と一致することを判定したことに応答して、
認証装置をロック状態に維持するとともに、認証装置によって、アクションを進める要求に対する応答を送信することを含み、アクションを進める要求に対する応答が入力に基づいている、項目７０〜７５のいずれか一項目に記載の方法。
７７.
要求装置は、アカウントを使用してサービスにサインインされ、認証装置は、アカウントを使用してサービスにサインインされる、項目７０〜７６のいずれか一項目に記載の方法。
７８.
認証装置は、アクションを進める要求を受信するときにロック状態にあり、方法は、更に、
アクションを進める要求を受信したことに応答して、
要求通知をディスプレイ上に表示することと、
アクションを進める要求のインジケーション、アクションに関する情報、及び要求装置のインジケーションをディスプレイ上に同時に表示する前に、
要求通知をアクティブにする入力を受信することと、
認証装置をアンロックする認証を要求することと、
認証装置をアンロックする認証を受信することと、
認証装置をアンロックする認証を受信することに応答して、
認証装置をアンロックすることとを含み、
アクションを進める要求のインジケーション、アクションに関する情報、及び要求装置のインジケーションをディスプレイ上に同時に表示することは、認証装置をアンロックする認証を受信することに応答している、項目７０〜７７のいずれか一項目に記載の方法。
７９.
アクションを進める要求を受信したことに応答して、
要求通知をディスプレイ上に表示することと、
アクションを進める要求のインジケーション、アクションに関する情報、及び要求装置のインジケーションをディスプレイ上に同時に表示する前に、
要求通知をアクティブにする入力を受信することとを更に含み、
アクションを進める要求のインジケーション、アクションに関する情報、及び要求装置のインジケーションをディスプレイ上に同時に表示することは、要求通知をアクティブにする入力を受信することに応答している、項目７０〜７７のいずれか一項目に記載の方法。
８０.
認証装置は、アクションを進める要求を受信するときにロック状態にあり、方法は、更に、
アクションを進める要求を受信したことに応答して、
要求通知をディスプレイ上に表示することと、
アクションを進める要求のインジケーション、アクションに関する情報、及び要求装置のインジケーションをディスプレイ上に同時に表示する前に、
要求通知をアクティブにする入力を受信することを含み、
アクションを進める要求のインジケーション、アクションに関する情報、及び要求装置のインジケーションをディスプレイ上に同時に表示することは、要求通知をアクティブにする入力を受信することに対する応答であり、
アクションを進める認証要求に対する応答である入力がアクションを進めるために認証された入力と一致することを判定することは、要求装置をアンロック状態に遷移させない、項目７０〜７７のいずれか一項目に記載の方法。
８１.
認証装置は、アクションを進める要求を受信するときにアンロック状態にあり、
要求装置は、ハードウェアボタンを含み、
アクションを進める認証要求に対する応答である入力を受信することは、アンロック状態にある間にハードウェアボタンの二重押下を検出することを含む、項目７０〜７７のいずれか一項目に記載の方法。
８２.
アクションに関する情報は、アクションに関連付けられた１つ以上のオプションを含み、方法は、
アクションに関する要求のインジケーション、アクションに関する情報、及び要求装置のインジケーションをディスプレイ上に同時に表示した後に、
アクションに関連付けられた１つ以上のオプションのうちの少なくとも１つに対する変更を要求するユーザ入力を受信することと、
アクションに関連付けられた１つ以上のオプションのうちの少なくとも１つに対する変更を含む更新された要求を要求装置に送信することと、
更新された要求の受信の確認が要求装置から受信されていないとのインジケーションをディスプレイ上に表示することと、
要求装置からの更新された要求の受信の確認を受信することと、
要求装置からの更新された要求の受信の確認を受信することに応答して、更新された要求の受信の確認が要求装置から受信されなかったとのインジケーションをディスプレイ上に表示することを停止することとを含む、項目７０〜８１のいずれか一項目に記載の方法。
８３.
アクションを進める要求を受信した後、かつアクションを進める認証要求に対する応答である入力を受信する前に、
要求装置から、アクションをキャンセルする要求を受信することと、
アクションをキャンセルする要求を受信したことに応答して且つアクションを進める認証要求に対する応答である入力を受信することに応じて、
アクションを進めることを取り止めることとを含む、項目７０〜８２のいずれか一項目に記載の方法。
８４.
アクションを進める要求を受信した後、かつアクションを進める認証要求に対する応答である入力を受信する前に、
要求装置から、アクションをキャンセルする要求を受信することと、
アクションをキャンセルする要求を受信したことに応答して、アクションを進める認証要求に対する応答である入力を受信することを取り止めることとを含む、項目７０〜８２のいずれか一項目に記載の方法。
８５.
認証装置において、アクションを進める認証要求に対する応答である入力がアクションを進めるために認証された入力と一致することを判定した後に、認証装置によって、さらなる入力なしでアクションを進めることを更に含む、項目７０〜８４のいずれか一項目に記載の方法。
８６.
第２のアクションを進める第２の要求を受信することと、
アクションを進める要求の第２のインジケーションと、アクションが成功したかどうかのインジケーションとをディスプレイ上に同時に表示することと、
第２のアクションを進める第２の要求の第３のインジケーションと、第２のアクションが成功したかどうかのインジケーションとをディスプレイ上に同時に表示することとを含む、項目７０〜８５のいずれか一項目に記載の方法。
８７.
認証装置は、電話であり、要求装置は、テレビデバイスである、項目７０〜８６のいずれか一項目に記載の方法。
８８.
認証装置は、電話であり、要求装置は、コンピュータである、項目７０〜８６のいずれか一項目に記載の方法。
８９.
認証装置は、ウェアラブルデバイスであり、要求装置は、テレビデバイスである、項目７０〜８６のいずれか一項目に記載の方法。
９０.
認証装置は、ウェアラブルデバイスであり、要求装置は、コンピュータである、項目７０〜８６のいずれか一項目に記載の方法。
９１.
認証装置の電子ウォレットは、認証装置のユーザに関連付けられた１つ以上の支払いアカウントを含み、支払い情報は、１つ以上の支払いアカウントのうちの支払いアカウントに基づいている、項目７０及び７２〜９０のいずれか一項目に記載の方法。
９２.
支払いトランザクションを進めることは、支払いトランザクションに関与するために支払い情報を支払いトランザクションサーバに送信することを含む、項目７０及び７２〜９１のいずれか一項目に記載の方法。
９３.
電子装置であって、
ディスプレイと、
１つ以上のプロセッサと、
１つ以上のプログラムを記憶するメモリとを含み、１つ以上のプログラムが、１つ以上のプロセッサによって実行されるように構成され、１つ以上のプログラムが、項目７０〜９２のいずれか一項目に記載の方法を実行する命令を含む、電子装置。
９４.
ディスプレイを有する電子装置の１つ以上のプロセッサによって実行可能な１つ以上のプログラムを記憶する非一時的なコンピュータ可読記憶媒体であって、１つ以上のプログラムは、項目７０〜９２のいずれか一項目に記載の方法を実行する命令を含む、非一時的なコンピュータ可読記憶媒体。
９５.
電子装置であって、
ディスプレイと、
項目７０〜９２のいずれか一項目に記載の方法を実行する手段とを含む、電子装置。
９６.
認証装置であって、
ディスプレイと、
１つ以上のプロセッサと、
１つ以上のプログラムを記憶するメモリとを含み、１つ以上のプログラムは、１つ以上のプロセッサによって実行されるように構成され、１つ以上のプログラムは、
要求装置から、アクションに関する要求であって、要求がアクションに関する情報を含み、要求装置及び認証装置が双方とも同じアカウントを使用してサービスにサインインされる、要求を受信し、
アクションを進める要求のインジケーション、
アクションに関する情報、及び、
要求装置のインジケーション
をディスプレイ上に同時に表示し、
アクションを進める認証要求を表示し、
アクションを進める認証要求に対する応答である入力を受信する、
命令を含む、認証装置。
９７.
ディスプレイを有する認証装置の１つ以上のプロセッサによって実行可能な１つ以上のプログラムを記憶する非一時的なコンピュータ可読記憶媒体であって、１つ以上のプログラムは、
要求装置から、アクションに関する要求であって、要求がアクションに関する情報を含み、要求装置及び認証装置が双方とも同じアカウントを使用してサービスにサインインされる、要求を受信し、
アクションを進める要求のインジケーション、
アクションに関する情報、及び、
要求装置のインジケーション
をディスプレイ上に同時に表示し、
アクションを進める認証要求を表示し、
アクションを進める認証要求に対する応答である入力を受信する、
命令を含む、非一時的なコンピュータ可読記憶媒体。
９８.
認証装置であって、
ディスプレイと、
要求装置から、アクションに関する要求を受信する手段であって、要求がアクションに関する情報を含み、要求装置及び認証装置が双方とも同じアカウントを使用してサービスにサインインされる手段と、
アクションを進める要求のインジケーション、
アクションに関する情報、及び、
要求装置のインジケーション
をディスプレイ上に同時に表示する手段と、
アクションを進める認証要求を表示する手段と、
アクションを進める認証要求に対する応答である入力を受信する手段と、を含む認証装置。
９９.
要求装置であって、
ディスプレイユニットと、
ディスプレイユニットに接続された処理ユニットとを含み、処理ユニットは、
アクションに関連付けられた１つ以上のオプションの選択を受信し、
選択された１つ以上のオプションに関連付けられたアクションを進めるオプションの選択を受信し、
要求装置によって、アクションを進める要求であって、要求が、選択された１つ以上のオプションに関する情報、認証装置によって表示するための選択された１つ以上のオプションに関する情報を含む、要求を認証装置に送信し、
認証装置から、アクションを進める要求に対する応答を受信し、アクションを進める要求に対する応答が認証装置における入力を示し、
アクションを進める要求に対する応答が、認証装置における認証が成功したとの判定に従って、認証が成功したインジケーションを要求装置のディスプレイ上に表示有効化するように構成されている、要求装置。
１００.
処理ユニットは、
アクションを進める要求に対する応答が認証装置における認証が成功しなかったとの判定に従って、認証が成功しなかったインジケーションを要求装置のディスプレイユニット上に表示有効化するように更に構成されている、項目９９に記載の要求装置。
１０１.
アクションは、トークンをリモートサーバに送信することによって、要求装置とリモートサーバとの間にセキュアなネットワーク接続を形成している、項目９９〜１００のいずれか一項目に記載の要求装置。
１０２.
処理ユニットは、
認証装置からトークンを受信し、
認証装置から受信したトークンを使用してアクションを進めるように更に構成されている、項目１０１に記載の要求装置。
１０３.
アクションは、支払いトランザクションによって進行している、項目９９〜１００のいずれか一項目に記載の要求装置。
１０４.
処理ユニットは、
認証装置から支払い情報を受信し、
認証装置から受信した支払い情報を使用してアクションを進めるように更に構成されている、項目１０３に記載の要求装置。
１０５.
支払いトランザクションを進めることは、支払い情報の少なくとも一部を販売者に送信することを含む、項目１０３〜１０４のいずれか一項目に記載の要求装置。
１０６.
要求装置は、アカウントを使用してサービスにサインインされ、認証装置は、アカウントを使用してサービスにサインインされる、項目９９〜１０５のいずれか一項目に記載の要求装置。
１０７.
処理ユニットは、
アクションが成功した通知を受信し、
要求装置においてアクションが成功したインジケーションを提示するように更に構成されている、項目９９〜１０６のいずれか一項目に記載の要求装置。
１０８.
処理ユニットは、
アクションを進める要求を送信する前に、
デバイスが要求を認証可能であるかどうかを示す１つ以上の条件の組が満たされたかどうかを判定するように更に構成され、
認証装置に要求を送信することは、１つ以上の条件の組が満たされないとの判定に従って生じる、項目９９〜１０７のいずれか一項目に記載の要求装置。
１０９.
支払い情報を生成するように構成されたハードウェアが要求装置において利用可能である場合、１つ以上の条件の組が満たされる、項目１０８に記載の要求装置。
１１０.
アクションを進める要求は、１つ以上の支払いトランザクションの詳細を含む、項目９９〜１００及び１０３〜１０９のいずれか一項目に記載の要求装置。
１１１.
処理ユニットは、
要求装置によって、アクションを進める要求を認証装置に送信する前に、
認証装置を含む複数の認証装置に対応するオプションを提供し、
認証装置に対応するオプションを選択する入力を受信するように更に構成され、
要求装置によって、アクションを進める要求を認証装置に送信することは、複数の認証装置の中から認証装置を選択する入力を受信することに応じている、項目９９〜１１０のいずれか一項目に記載の要求装置。
１１２.
処理ユニットは、
要求装置によって、アクションを進める要求を認証装置に送信する前に、
要求装置に対する認証装置の近接性、認証装置の使用の最新性、認証装置についてのユーザ定義のプリファレンス、及び複数の認証装置の優先順位付けスキームのうちの任意の１つ以上に基づいて、複数の認証装置の中から認証装置を選択するように更に構成され、
要求装置によって、アクションを進める要求を認証装置に送信することは、複数の認証装置の中から認証装置を選択することに応じている、項目９９〜１１１のいずれか一項目に記載の要求装置。
１１３.
処理ユニットは、
要求装置によって、アクションを進める要求を認証装置に送信する前に、
認証装置における選択された支払いアカウントの利用可能性に基づいて複数の認証装置の中から認証装置を選択するように更に構成され、
要求装置によって、アクションを進める要求を認証装置に送信することは、複数の認証装置の中から認証装置を選択することに応じている、項目９９〜１００及び１０３〜１１２のうちのいずれかの要求装置。
１１４.
処理ユニットは、
要求装置によって、アクションを進める要求を認証装置に送信することに応じて、複数の認証装置の別の認証装置にアクションを進める要求を送信することを取り止めるように更に構成されている、項目９９〜１１３のうちのいずれかの要求装置。
１１５.
処理ユニットは、
要求装置によって、アクションを進める要求を第２の認証装置に送信するように更に構成されている、項目９９〜１１４のうちのいずれかの要求装置。
１１６.
処理ユニットは、
アクションを進める要求を送信する前に、
１つ以上の条件の組であって、１つ以上の条件の組は、支払い情報を生成するように構成されたハードウェアが要求装置において利用可能である場合に満たされる、１つ以上の条件の組が満たされているかどうかを判定し、
１つ以上の条件の組が満たされないとの判定に従って、複数の認証装置であって、複数の認証装置は、認証装置を含む、複数の認証装置に対応するオプションを提供する、ように更に構成されている、項目９９〜１１５のうちのいずれかの要求装置。
１１７.
処理ユニットは、
アクションを進める要求を送信した後に、
アクションに関連付けられた選択された１つ以上のオプションのうちの少なくとも１つを変更するユーザ入力を受信し、
要求装置によって、アクションを進めるための修正された要求を認証装置に送信し、
認証装置から、アクションを進めるための修正された要求の受信の確認を受信するように更に構成され、
認証が成功したインジケーションを要求装置のディスプレイ上に表示有効化することは、アクションを進めるための修正された要求の受信の確認が受信されたとの判定に従っている、項目９９〜１１６のいずれか一項目に記載の要求装置。
１１８.
処理ユニットは、
アクションを進める要求を送信する前に、
アクションに関連付けられた選択された１つ以上のオプションを要求装置のディスプレイユニット上に表示有効化し、
アクションを進める要求を送信した後に、
アクションに関連付けられた選択された１つ以上のオプションのうちの少なくとも１つの変更を認証装置から受信し、
アクションに関連付けられた選択された１つ以上のオプションの少なくとも１つに対する変更を認証装置から受信することに応答して、アクションに関連付けられた選択された１つ以上のオプションのうちの少なくとも１つに対する変更を受信したこと応じてディスプレイを更新するように更に構成されている、項目９９〜１１７のいずれか一項目に記載の要求装置。
１１９.
処理ユニットは、
アクションを進める要求を送信した後に、
アクションをキャンセルするオプションの選択を受信し、
アクションをキャンセルするオプションの選択を受信することに応答して、要求装置によって、アクションをキャンセルする要求を認証装置に送信するように更に構成されている、項目９９〜１１８のいずれか一項目に記載の要求装置。
１２０.
処理ユニットは、
第三者のユーザインターフェースにおいてアクションに関連付けられた１つ以上のオプションを要求装置のディスプレイユニット上に表示有効化し、
第一者のユーザインターフェースにおいてアクションを進めるオプションを要求装置のディスプレイユニット上に表示有効化するように更に構成されている、項目９９〜１１９のいずれか一項目に記載の要求装置。
１２１.
処理ユニットは、
第一者のユーザインターフェースにおいてアクションを進めるオプションを要求装置のディスプレイユニット上に表示有効化するように更に構成されている、項目９９〜１２０のいずれか一項目に記載の要求装置。
１２２.
処理ユニットは、
１つ以上の認証装置が認証に利用可能かどうかを判定し、
１つ以上の認証装置が認証に利用可能であるとの判定に従って、アクションを進めるオプションを要求装置のディスプレイ上に表示有効化し、
１つ以上の認証装置が認証に利用可能でないとの判定に従って、アクションを進めるオプションを要求装置のディスプレイ上に表示有効化することを取り止めるように更に構成されている、項目９９〜１２１のいずれか一項目に記載の要求装置。
１２３.
処理ユニットは、
要求装置によってアクションを進める要求を認証装置に送信する前に、
第２のアクションに関連付けられた１つ以上のオプションの選択を受信するように更に構成され、
アクションを進める要求は、アクション及び第２のアクションの双方を進める要求であり、要求は、第２のアクションに関連付けられた選択された１つ以上のオプションに関する情報、認証装置による表示のために第２のアクションに関連付けられた選択された１つ以上オプションに関する情報を更に含む、項目９９〜１２２のいずれか一項目に記載の要求装置。
１２４.
処理ユニットは、
選択された１つ以上のオプションに関連付けられたアクションを進めるオプションの選択を受信する前に、
支払いオプションの選択を受信し、
支払いオプションの選択を受信することに応答して、対応する認証装置に関連付けられた複数の支払いアカウントについてのオプションを表示有効化するように更に構成されている、項目９９〜１００及び１０３〜１２３のいずれか一項目に記載の要求装置。
１２５.
処理ユニットは、
選択された１つ以上のオプションに関連付けられたアクションを進めるオプションの選択を受信する前に、
複数の支払いアカウントのオプションの中から各支払いアカウントに対応するオプションの選択を受信し、
各支払いアカウントに対応するオプションの選択を受信することに応答して、各支払いアカウントに対応する選択されたオプションに基づいて各認証装置を選択するように更に構成されている、項目１２４に記載の要求装置。
１２６.
処理ユニットは、
選択された１つ以上のオプションに関連付けられたアクションを進めるオプションの選択を受信する前に、
対応する認証装置に関連付けられた複数の支払いアカウントのオプションを表示有効化し、
各支払いアカウントに対応するオプションの選択を受信し、
各支払いアカウントに対応するオプションの選択を受信することに応答して、各支払いアカウントに対応する選択されたオプションに基づいて各認証装置を選択するように更に構成されている、項目９９〜１００及び１０３〜１２３のいずれか一項目に記載の要求装置。
１２７.
処理ユニットは、
各支払いアカウントに対応するオプションの選択を受信した後、
選択された１つ以上のオプションに関連付けられたアクションを進めるためのオプション及び
認証装置のインジケーション
を同時に表示有効化するように更に構成されている、項目１２５〜１２６のいずれか一項目に記載の要求装置。
１２８.
認証装置のインジケーションは、認証装置のグラフィック表現を含む、項目１２７に記載の要求装置。
１２９.
複数の支払いアカウントのオプションは、第１の種類のデバイスが現在ロック状態にあるかアンロック状態にあるかにかかわらず、第１の種類のデバイスにリンクされた支払いアカウントを含み、
複数の支払いアカウントのオプションは、アンロック状態にあることに基づいて第２の種類のデバイスにリンクされた支払いアカウントを含む、項目１２４〜１２８のいずれか一項目に記載の要求装置。
１３０.
認証装置は、電話であり、要求装置は、テレビデバイスである、項目９９〜１２９のいずれか一項目に記載の要求装置。
１３１.
認証装置は、電話であり、要求装置は、コンピュータである、項目９９〜１２９のいずれか一項目に記載の要求装置。
１３２.
認証装置は、ウェアラブルデバイスであり、要求装置は、テレビデバイスである、項目９９〜１２９のいずれか一項目に記載の要求装置。
１３３.
認証装置は、ウェアラブルデバイスであり、要求装置は、コンピュータである、項目９９〜１２９のいずれか一項目に記載の要求装置。
１３４.
認証装置の電子ウォレットは、認証装置のユーザに関連付けられた１つ以上の支払いアカウントを含み、支払い情報は、１つ以上の支払いアカウントのうちの支払いアカウントに基づいている、項目９９〜１００及び１０３〜１３３のいずれか一項目に記載の要求装置。
１３５.
支払いトランザクションを進めることは、支払いトランザクションに関与するために支払い情報を支払いトランザクションサーバに送信することを含む、項目９９〜１００及び１０３〜１３３のいずれか一項目に記載の要求装置。
１３６.
認証装置であって、
ディスプレイユニットと、
ディスプレイユニットに接続された処理ユニットとを含み、処理ユニットは、
要求装置から、アクションに関する要求を受信し、要求がアクションに関する情報を含み、要求装置及び認証装置が双方とも同じアカウントを使用してサービスにサインインされ、
アクションを進める要求のインジケーション、
アクションに関する情報、及び、
要求装置のインジケーション
をディスプレイユニット上に同時に表示有効化し、
アクションを進める認証要求を表示有効化し、
アクションを進める認証要求に対する応答である入力を受信するように構成されている、認証装置。
１３７.
アクションは、要求装置とリモートサーバとの間にセキュアなネットワーク接続を形成しており、処理ユニットは、
認証装置において、アクションを進める認証要求に対する応答である入力がアクションを進めるために認証された入力と一致するとの判定に従って、トークン情報を要求装置に送信するように構成されている、項目１３６に記載の認証装置。
１３８.
アクションを進める要求のインジケーション、アクションに関する情報、及び要求装置のインジケーションをディスプレイユニット上に同時に表示有効化することは、アクションを進める要求を受信することに対する応答である、項目１３６〜１３７のいずれか一項目に記載の認証装置。
１３９.
認証装置は、アクションを進める認証要求に対する応答である入力に応答するように構成されたハードウェアを含み、要求装置は、ハードウェアを含まない、項目１３６〜１３８のいずれか一項目に記載の認証装置。
１４０.
アクションが支払いトランザクションによって進行しており、処理ユニットは、
支払い情報を生成し、
認証装置において、アクションを進める認証要求に対する応答である入力がアクションを進めるために認証された入力と一致していることを判定することに応答して、支払い情報を送信するように構成されている、項目１３６及び１３８〜１３９のいずれか一項目に記載の認証装置。
１４１.
要求装置のインジケーションは、要求装置のグラフィック表現を含む、項目１３６〜１４０のいずれか一項目に記載の認証装置。
１４２.
認証装置は、アクションを進める認証要求に対する応答である入力を受信するときにロック状態にあり、処理ユニットは、
認証装置において、アクションを進める認証要求に対する応答である入力がアクションを進めるために認証された入力と一致することを判定したことに応答して、
認証装置をロック状態に維持するとともに、認証装置によって、アクションを進める要求に対する応答を送信するように構成され、アクションを進める要求に対する応答が入力に基づいている、項目１３６〜１４１のいずれか一項目に記載の認証装置。
１４３.
要求装置は、アカウントを使用してサービスにサインインされ、認証装置は、アカウントを使用してサービスにサインインされる、項目１３６〜１４２のいずれか一項目に記載の認証装置。
１４４.
認証装置は、アクションを進める要求を受信するときにロック状態にあり、処理ユニットは、
アクションを進める要求を受信したことに応答して、
要求通知をディスプレイ上に表示有効化し、
アクションを進める要求のインジケーション、アクションに関する情報、及び要求装置のインジケーションをディスプレイ上に同時に表示有効化する前に、
要求通知をアクティブにする入力を受信し、
認証装置をアンロックする認証を要求し、
認証装置をアンロックする認証を受信し、
認証装置をアンロックする認証を受信することに応答して、
認証装置をアンロックするように構成され、
アクションを進める要求のインジケーション、アクションに関する情報、及び要求装置のインジケーションをディスプレイユニット上に同時に表示有効化することは、認証装置をアンロックする認証を受信することに応答している、項目１３６〜１４３のいずれか一項目に記載の認証装置。
１４５.
処理ユニットは、
アクションを進める要求を受信したことに応答して、
要求通知をディスプレイユニット上に表示有効化し、
アクションを進める要求のインジケーション、アクションに関する情報、及び要求装置のインジケーションをディスプレイユニット上に同時に表示有効化する前に、
要求通知をアクティブにする入力を受信するように構成され、
アクションを進める要求のインジケーション、アクションに関する情報、及び要求装置のインジケーションをディスプレイユニット上に同時に表示有効化することは、要求通知をアクティブにする入力を受信することに応答している、項目１３６〜１４３のいずれか一項目に記載の認証装置。
１４６.
認証装置は、アクションを進める要求を受信するときにロック状態にあり、処理ユニットは、
アクションを進める要求を受信したことに応答して、
要求通知をディスプレイユニット上に表示有効化し、
アクションを進める要求のインジケーション、アクションに関する情報、及び要求装置のインジケーションをディスプレイユニット上に同時に表示有効化する前に、
要求通知をアクティブにする入力を受信するように構成され、
アクションを進める要求のインジケーション、アクションに関する情報、及び要求装置のインジケーションをディスプレイユニット上に同時に表示有効化することは、要求通知をアクティブにする入力を受信することに対する応答であり、
アクションを進める認証要求に対する応答である入力がアクションを進めるために認証された入力と一致することを判定することは、要求装置をアンロック状態に遷移させない、項目１３６〜１４３のいずれか一項目に記載の認証装置。
１４７.
認証装置は、アクションを進める要求を受信するときにアンロック状態にあり、
要求装置は、ハードウェアボタンを含み、
アクションを進める認証要求に対する応答である入力を受信することは、アンロック状態にある間にハードウェアボタンの二重押下を検出することを含む、項目１３６〜１４３のいずれか一項目に記載の認証装置。
１４８.
アクションに関する情報は、アクションに関連付けられた１つ以上のオプションを含み、処理ユニットは、
アクションに関する要求のインジケーション、アクションに関する情報、及び要求装置のインジケーションをディスプレイユニット上に同時に表示有効化した後に、
アクションに関連付けられた１つ以上のオプションのうちの少なくとも１つに対する変更を要求するユーザ入力を受信し、
アクションに関連付けられた１つ以上のオプションのうちの少なくとも１つに対する変更を含む更新された要求を要求装置に送信し、
更新された要求の受信の確認が要求装置から受信されていないというインジケーションをディスプレイユニット上に表示有効化し、
要求装置からの更新された要求の受信の確認を受信し、
要求装置からの更新された要求の受信の確認を受信することに応答して、更新された要求の受信の確認が要求装置から受信されなかったというインジケーションをディスプレイユニット上に表示することを停止するように構成されている、項目１３６〜１４７のいずれか一項目に記載の認証装置。
１４９.
処理ユニットは、
アクションを進める要求を受信した後、かつアクションを進める認証要求に対する応答である入力を受信する前に、
要求装置から、アクションをキャンセルする要求を受信し、
アクションをキャンセルする要求を受信したことに応答して且つアクションを進める認証要求に対する応答である入力を受信することに応じて、
アクションを進めることを取り止めるように構成されている、項目１３６〜１４８のいずれか一項目に記載の認証装置。
１５０.
処理ユニットは、
アクションを進める要求を受信した後、かつアクションを進める認証要求に対する応答である入力を受信する前に、
要求装置から、アクションをキャンセルする要求を受信し、
アクションをキャンセルする要求を受信したことに応答して、アクションを進める認証要求に対する応答である入力を受信することを取り止めるように構成されている、項目１３６〜１４８のいずれか一項目に記載の認証装置。
１５１.
処理ユニットは、
認証装置において、アクションを進める認証要求に対する応答である入力がアクションを進めるために認証された入力と一致することを判定した後に、認証装置によって、さらなる入力なしでアクションを進めるように構成されている、項目１３６〜１５０のいずれか一項目に記載の認証装置。
１５２.
処理ユニットは、
第２のアクションを進める第２の要求を受信し、
アクションを進める要求の第２のインジケーションと、アクションが成功したかどうかのインジケーションとをディスプレイ上に同時に表示し、
第２のアクションを進める第２の要求の第３のインジケーションと、第２のアクションが成功したかどうかのインジケーションとをディスプレイ上に同時に表示するように構成されている、項目１３６〜１５１のいずれか一項目に記載の認証装置。
１５３.
認証装置は、電話であり、要求装置は、テレビデバイスである、項目１３６〜１５２のいずれか一項目に記載の認証装置。
１５４.
認証装置は、電話であり、要求装置は、コンピュータである、項目１３６〜１５２のいずれか一項目に記載の認証装置。
１５５.
認証装置は、ウェアラブルデバイスであり、要求装置は、テレビデバイスである、項目１３６〜１５２のいずれか一項目に記載の認証装置。
１５６.
認証装置は、ウェアラブルデバイスであり、要求装置は、コンピュータである、項目１３６〜１５２のいずれか一項目に記載の認証装置。
１５７.
認証装置の電子ウォレットは、認証装置のユーザに関連付けられた１つ以上の支払いアカウントを含み、支払い情報は、１つ以上の支払いアカウントのうちの支払いアカウントに基づいている、項目１３６及び１３８〜１５６のいずれか一項目に記載の認証装置。
１５８.
支払いトランザクションを進めることは、支払いトランザクションに関与するために支払い情報を支払いトランザクションサーバに送信することを含む、項目１３６及び１３８〜１５７のいずれか一項目に記載の認証装置。
【０４２４】
以上の説明は、説明の目的で、具体的な実施形態を参照して説明された。しかしながら、上記例示的記載は、網羅的であること、又は開示された正確な形態に本発明を限定することを意図したものではない。上記の教示を考慮して多くの変更及び変形が可能である。実施形態は、技術の原理及びそれらの実際の応用を最もよく説明するために選択されて記載された。それにより、当業者は、意図された特定の用途に適した様々な変更を伴って、技術及び各種実施形態を最も有効に利用することができる。
【０４２５】
本開示及び実施例は、添付の図面を参照して完全に記載されているが、当該技術分野に精通している者には様々な変形及び変更が明らかとなることに留意すべきである。そのような変形及び変更は、特許請求の範囲によって定義される本開示の範囲及び実施例に含まれると理解されるべきである。
【０４２６】
上述のように、本技術の１つの態様は、様々な情報源から入手可能なデータを収集して使用して、招待コンテンツ又はそれらに関心のある他のコンテンツのユーザへの配信を改善することである。本開示は、場合によっては、この収集されたデータが、特定の人物に連絡するか又は配置するために固有に識別する又は使用可能な個人情報データを含むことができることを意図する。そのような個人情報データは、人口統計学的データ、位置ベースのデータ、電話番号、電子メールアドレス、家の住所、又は任意の他の識別情報を含むことができる。
【０４２７】
本開示は、この技術におけるそのような個人情報データの使用がユーザの利益のために使用され得ることを認識する。例えば、個人情報データを使用して、ユーザにとってより大きな関心のあるターゲットコンテンツを配信することができる。したがって、そのような個人情報データを使用することは、配信コンテンツの算出制御を可能にする。更に、ユーザに有益な個人情報データの他の用途もまた、本開示によって意図される。
【０４２８】
本開示は、更に、そのような個人情報データの収集、分析、開示、転送、保管、又は他の使用を担うエンティティが、十分に確立されたプライバシーポリシー及び／又はプライバシープラクティスを遵守することを意図する。特に、そのようなエンティティは、個人情報データ保護及び安全性を維持するための業界又は政府の要件を満たすか又はそれを上回ると一般に認識されているプライバシーポリシー及びプラクティスを実施して一貫して使用すべきである。例えば、ユーザからの個人情報は、エンティティの合法的且つ合理的な使用のために収集されるべきであり、正当な使用の範囲外で共有又は販売されてはならない。更に、そのような収集は、ユーザのインフォームドコンセントを受けた後のみでなければならない。更に、そのようなエンティティは、そのような個人情報データへのアクセスを保護して確保し、個人情報データへのアクセス権を持つ他人がプライバシーポリシー及び手続を遵守することを保証するために必要ないかなる措置も取る。更に、そのようなエンティティは、広く受け入れられているプライバシーポリシー及びプラクティスへの遵守を証明するために、第三者による評価を受けることができる。
【０４２９】
上記にもかかわらず、本開示はまた、ユーザが個人情報データの使用又はアクセスを選択的にブロックする実施形態も企図する。すなわち、本開示は、そのような個人情報データへのアクセスを防止又はブロックするためにハードウェア及び／又はソフトウェア要素を提供することができることを意図している。例えば、広告配信サービスの場合、本技術は、サービスの登録中に個人情報データの収集への参加を「オプトイン」又は「オプトアウト」することをユーザが選択できるように構成されていることができる。別の例では、ユーザは、ターゲットとされたコンテンツ配信サービスのために位置情報を提供しないことを選択することができる。更に別の例では、ユーザは、正確な位置情報を提供しないように選択することができるが、位置情報ゾーン情報の転送を許可することができる。
【０４３０】
したがって、本開示は、１つ以上の様々な開示された実施形態を実装するために個人情報データの使用を広くカバーするが、本開示はまた、そのような個人情報データにアクセスする必要なしに各種実施形態も実装できることを意図する。すなわち、本技術の各種実施形態は、そのような個人情報データの全て又は一部の欠如のために動作不能な状態にはならない。例えば、コンテンツは、ユーザに関連付けられたデバイスによって要求されるコンテンツ、コンテンツ配信サービスに利用可能な他の非個人情報、又は公的に入手可能な情報など、非個人情報データ又は必要最小限の個人情報に基づいてプリファレンスを推測することによってユーザに選択されて配信されることができる。
【図１Ａ】
2020074126.tif 000003
【図１Ｂ】
2020074126.tif 000004
【図２】
2020074126.tif 000005
【図３】
2020074126.tif 000006
【図４Ａ】
2020074126.tif 000007
【図４Ｂ】
2020074126.tif 000008
【図５Ａ】
2020074126.tif 000009
【図５Ｂ】
2020074126.tif 000010
【図５Ｃ】
2020074126.tif 000011
【図５Ｄ】
2020074126.tif 000012
【図５Ｅ】
2020074126.tif 000013
【図５Ｆ】
2020074126.tif 000014
【図５Ｇ】
2020074126.tif 000015
【図５Ｈ】
2020074126.tif 000016
【図６】
2020074126.tif 000017
【図７Ａ】
2020074126.tif 000018
【図７Ｂ】
2020074126.tif 000019
【図７Ｃ】
2020074126.tif 000020
【図７Ｄ】
2020074126.tif 000021
【図７Ｅ】
2020074126.tif 000022
【図７Ｆ】
2020074126.tif 000023
【図７Ｇ】
2020074126.tif 000024
【図７Ｈ】
2020074126.tif 000025
【図７Ｉ】
2020074126.tif 000026
【図７Ｊ】
2020074126.tif 000027
【図７Ｋ】
2020074126.tif 000028
【図７Ｌ】
2020074126.tif 000029
【図８Ａ】
2020074126.tif 000030
【図８Ｂ】
2020074126.tif 000031
【図８Ｃ−１】
2020074126.tif 000032
【図８Ｃ−２】
2020074126.tif 000033
【図８Ｄ】
2020074126.tif 000034
【図８Ｅ】
2020074126.tif 000035
【図８Ｆ】
2020074126.tif 000036
【図８Ｇ】
2020074126.tif 000037
【図８Ｈ】
2020074126.tif 000038
【図８Ｉ】
2020074126.tif 000039
【図８Ｊ】
2020074126.tif 000040
【図８Ｋ】
2020074126.tif 000041
【図８Ｌ】
2020074126.tif 000042
【図８Ｍ】
2020074126.tif 000043
【図９Ａ】
2020074126.tif 000044
【図９Ｂ】
2020074126.tif 000045
【図９Ｃ】
2020074126.tif 000046
【図９Ｄ】
2020074126.tif 000047
【図１０Ａ】
2020074126.tif 000048
【図１０Ｂ】
2020074126.tif 000049
【図１１】
2020074126.tif 000050
【図１２】
2020074126.tif 000051
【図１３】
2020074126.tif 000052
【図１４】
2020074126.tif 000053
【図１５】
2020074126.tif 000054
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
方法であって、
ディスプレイを有する認証装置において、
アクションを進行させる要求を要求装置から受信することであって、前記要求が前記アクションに関する情報を含み、前記要求装置がアカウントを使用してサービスにサインインし、前記認証装置が同じアカウントを使用して同じサービスにサインインする、ことと、
前記要求装置及び前記認証装置が共に前記同じアカウントを使用して前記同じサービスにサインインしている間に、
前記ディスプレイ上に、
前記アクションを進行させる前記要求のインジケーションと、
前記アクションに関する前記情報と、
前記要求装置のインジケーションと、
を同時に表示することと、
前記アクションを進行させる許可の要求を表示することと、
前記アクションを進行させる許可の前記要求に応答する入力を受信することと、
を含む方法。
【請求項２】
前記アクションが、前記要求装置と遠隔サーバとの間にセキュアなネットワーク接続を作成しており、前記方法が、
前記アクションを進行させる許可の前記要求に応答する前記入力が、前記アクションを進行させることを許可された入力と一致すると前記認証装置において判定したことに応答して、トークン情報を前記要求装置に送信することを更に含む、請求項１に記載の方法。
【請求項３】
前記ディスプレイ上に、前記アクションを進行させる前記要求の前記インジケーションと、前記アクションに関する前記情報と、前記要求装置の前記インジケーションと、を同時に表示することが、前記アクションを進行させる前記要求を受信することに応答するものである、請求項１又は２に記載の方法。
【請求項４】
前記認証装置が、前記アクションを進行させる許可の前記要求に応答する前記入力に応答するように構成されたハードウェアを有し、前記要求装置が前記ハードウェアを有しない、請求項２又は３に記載の方法。
【請求項５】
前記アクションが決済トランザクションを進行させており、前記方法が、
決済情報を生成することと、
前記アクションを進行させる許可の前記要求に応答する前記入力が、前記アクションを進行させることを許可された入力と一致すると前記認証装置において判定したことに応答して、決済情報を送信することと、
を更に含む、請求項１、３、又は４に記載の方法。
【請求項６】
前記要求装置の前記インジケーションが、前記要求装置のグラフィカルな表現を含む、請求項１から５のいずれか一項に記載の方法。
【請求項７】
前記認証装置が、前記アクションを進行させる許可の前記要求に応答する前記入力を受信する時にはロック状態であり、前記方法が、
前記アクションを進行させる許可の前記要求に応答する前記入力が、前記アクションを進行させることを許可された入力と一致すると前記認証装置において判定したことに応答して、
前記認証装置が前記アクションを進行させる前記要求への前記応答を送信している間は、前記認証装置を前記ロック状態に維持することであって、前記アクションを進行させる前記要求への前記応答が、前記入力に基づいている、
ことを更に含む、請求項１から６のいずれか一項に記載の方法。
【請求項８】
前記要求装置がアカウントを使用してサービスにサインインし、前記認証装置が前記アカウントを使用して前記サービスにサインインする、請求項１から７のいずれか一項に記載の方法。
【請求項９】
前記認証装置が、前記アクションを進行させる前記要求を受信する時にはロック状態であり、前記方法が、
前記アクションを進行させる前記要求を受信することに応答して、
前記ディスプレイ上に要求通知を表示することと、
前記ディスプレイ上に、前記アクションを進行させる前記要求の前記インジケーションと、前記アクションに関する前記情報と、前記要求装置の前記インジケーションと、を同時に表示する前に、
前記要求通知を有効化する入力を受信することと、
前記認証装置をアンロックする許可を要求することと、
前記認証装置をアンロックする許可を受信することと、
前記認証装置をアンロックする許可を受信することに応答して、
前記認証装置をアンロックすることと、
を更に含み、
前記ディスプレイ上に、前記アクションを進行させる前記要求の前記インジケーションと、前記アクションに関する前記情報と、前記要求装置の前記インジケーションと、を同時に表示することが、前記認証装置をアンロックする許可を受信することに応答している、請求項１から８のいずれか一項に記載の方法。
【請求項１０】
前記アクションを進行させる前記要求を受信することに応答して、
前記ディスプレイ上に要求通知を表示することと、
前記ディスプレイ上に、前記アクションを進行させる前記要求の前記インジケーションと、前記アクションに関する前記情報と、前記要求装置の前記インジケーションと、を同時に表示する前に、
前記要求通知を有効化する入力を受信することと、
を更に含み、
前記ディスプレイ上に、前記アクションを進行させる前記要求の前記インジケーションと、前記アクションに関する前記情報と、前記要求装置の前記インジケーションと、を同時に表示することが、前記要求通知を有効化する入力を受信することに応答している、請求項１から８のいずれか一項に記載の方法。
【請求項１１】
前記認証装置が、前記アクションを進行させる前記要求を受信している時にはロック状態であり、前記方法が、
前記アクションを進行させる前記要求を受信することに応答して、
前記ディスプレイ上に要求通知を表示することと、
前記ディスプレイ上に、前記アクションを進行させる前記要求の前記インジケーションと、前記アクションに関する前記情報と、前記要求装置の前記インジケーションと、を同時に表示する前に、
前記要求通知を有効化する入力を受信することと、
を更に含み、
前記ディスプレイ上に、前記アクションを進行させる前記要求の前記インジケーションと、前記アクションに関する前記情報と、前記要求装置の前記インジケーションと、を同時に表示することが、前記要求通知を有効化する入力を受信することに応答しており、
前記アクションを進行させる許可の前記要求に応答する前記入力が、前記アクションを進行させることを許可された入力と一致すると判定することが、前記要求装置をアンロック状態へと遷移させない、請求項１から８のいずれか一項に記載の方法。
【請求項１２】
前記認証装置が、前記アクションを進行させる前記要求を受信している時にはアンロック状態であり、
前記要求装置がハードウェアボタンを有し、
前記アクションを進行させる許可の前記要求に応答する前記入力を受信することが、前記アンロック状態の間に前記ハードウェアボタンの二重押しを検出することを含む、請求項１から８のいずれか一項に記載の方法。
【請求項１３】
前記アクションに関する前記情報が、前記アクションと関連付けられた１つ以上のオプションを含み、前記方法が、
前記ディスプレイ上に、前記アクションを進行させる前記要求の前記インジケーションと、前記アクションに関する前記情報と、前記要求装置の前記インジケーションと、を同時に表示した後に、
前記アクションと関連付けられた前記１つ以上のオプションのうちの少なくとも１つの変更を求めるユーザ入力を受信することと、
更新された要求を前記要求装置に送信することであって、前記更新された要求が、前記アクションと関連付けられた前記１つ以上のオプションのうちの前記少なくとも１つの前記変更を含む、ことと、
前記更新された要求の受信確認が前記要求装置から受信されていないとのインジケーションを、前記ディスプレイ上に表示することと、
前記要求装置から、前記更新された要求の受信確認を受信することと、
前記更新された要求の受信確認を前記要求装置から受信することに応答して、前記更新された要求の前記受信確認が前記要求装置から受信されていないとの前記インジケーションの前記ディスプレイ上での表示を終了することと、
を含む、請求項１から１２のいずれか一項に記載の方法。
【請求項１４】
前記アクションを進行させる前記要求を受信した後、かつ前記アクションを進行させる許可の前記要求に応答する前記入力を受信する前に、
前記要求装置から、前記アクションをキャンセルする要求を受信することと、
前記アクションをキャンセルする前記要求を受信することに応答して、かつ、前記アクションを進行させる許可の前記要求に応答する前記入力を受信することに従って、
前記アクションを進行させることを取り止めることと、
を含む、請求項１から１３のいずれか一項に記載の方法。
【請求項１５】
前記アクションを進行させる前記要求を受信した後、かつ前記アクションを進行させる許可の前記要求に応答する前記入力を受信する前に、
前記要求装置から、前記アクションをキャンセルする要求を受信することと、
前記アクションをキャンセルする前記要求を受信することに応答して、前記アクションを進行させる許可の前記要求に応答する入力を受信することを取り止めることと、
を含む、請求項１から１３のいずれか一項に記載の方法。
【請求項１６】
前記アクションを進行させる許可の前記要求に応答する前記入力が、前記アクションを進行させることを許可された入力と一致すると前記認証装置において判定した後に、更なる入力がなされることなく、前記認証装置によって前記アクションを進行させることを更に含む、請求項１から１５のいずれか一項に記載の方法。
【請求項１７】
第２のアクションを進行させる第２の要求を受信することと、
前記ディスプレイ上に、前記アクションを進行させる前記要求の第２のインジケーションと、前記アクションが成功したか否かのインジケーションと、を同時に表示することと、
前記ディスプレイ上に、前記第２のアクションを進行させる前記第２の要求の第３のインジケーションと、前記第２のアクションが成功したか否かのインジケーションと、を同時に表示することと、
を含む、請求項１から１６のいずれか一項に記載の方法。
【請求項１８】
前記認証装置が電話又はウェアラブルデバイスであり、前記要求装置が、
−  テレビ装置、及び
−  コンピュータ
のうちの少なくとも一方である、請求項１から１７のいずれか一項に記載の方法。
【請求項１９】
前記認証装置の電子財布が、前記認証装置のユーザと関連付けられた１つ以上の支払い口座を含み、決済情報が、前記１つ以上の支払い口座のうちの一支払い口座に基づいている、請求項１及び３から１８のいずれか一項に記載の方法。
【請求項２０】
決済トランザクションを進行させることが、前記決済情報を、前記決済トランザクションを行う決済トランザクションサーバに送信することを含む、請求項１９に記載の方法。
【請求項２１】
コンピュータに、請求項１から２０のいずれか一項に記載の方法を実行させるコンピュータプログラム。
【請求項２２】
電子装置であって、
ディスプレイと、
請求項２１に記載のコンピュータプログラムを格納したメモリと、
前記メモリに格納されたコンピュータプログラムを実行可能な１つ以上のプロセッサと、
を備える電子装置。
【外国語明細書】
2020074126000001.pdf